(57)【要約】【課題】第３部材の所定位置への戻し忘れを抑制することができる遊技機を提供すること。【解決手段】ロック部材５６０を第１位置から第２位置へ操作することで、介設板５４０が所定位置から取り外し可能とされるところ、ロック部材５６０が第２位置に操作された状態では、内枠４に対して前扉５を閉じることが規制される。内枠４に対して前扉５を閉じるためには、ロック部材５６０を第２位置から第１位置へ操作する必要があり、そのためには、介設板５４０を所定位置に配置することが必要とされる。このように、介設板５４０を所定位置へ戻さなければ、内枠４に対して前扉５を閉じることができないため、介設板５４０を所定位置に戻し忘れることを抑制できる。【選択図】図１１
2020073218.tif 000002
【特許請求の範囲】
【請求項１】
第１枠部材と、その第１枠部材に開閉可能に取着される第２枠部材と、前記第１枠部材または第２枠部材の一方の所定位置に配設される第３部材と、を備え、前記第３部材が前記所定位置から少なくとも変位可能に形成された遊技機において、
前記第１枠部材に対して第２枠部材が開放された状態で少なくとも第１位置または第２位置に操作可能に形成される操作部材を備え、
前記操作部材が前記第１位置から第２位置へ操作されることで、前記第３部材が前記所定位置から少なくとも変位することが許容され、
前記第３部材が前記所定位置に配置されることで、前記操作部材の前記第２位置から第１位置への操作が可能とされ、
前記操作部材が少なくとも前記第１位置に操作されていない状態では、前記第１枠部材に対して第２枠部材を閉じることが規制されることを特徴とする遊技機。
【請求項２】
前記操作部材が前記第２位置に操作された状態では、その操作部材が前記第１枠部材および第２枠部材の間に介在されることで、前記第１枠部材に対して第２枠部材を閉じることが規制されることを特徴とする請求項１記載の遊技機。
【請求項３】
前記第１枠部材または第２枠部材の一方に変位可能に配設される変位部材と、その変位部材に付勢力を付与する付勢部材と、を備え、前記操作部材が前記第１位置から第２位置へ操作されると、その操作部材の前記第２位置から第１位置への移動を規制する位置へ前記変位部材が前記付勢部材の付勢力により変位されることを特徴とする請求項２記載の遊技機。
【発明の詳細な説明】
【技術分野】
【０００１】
本発明は、パチンコ機などの遊技機に関するものである。
【背景技術】
【０００２】
パチンコ機等の遊技機において、第１枠と、その第１枠に開閉可能に取着される第２枠と、第１枠または第２枠の一方に配設される第３部材とを備え、その第３部材が所定位置から少なくとも変位可能に形成された遊技機がある（特許文献１）。
【先行技術文献】
【特許文献】
【０００３】
【特許文献１】特開２００９−１００９９４号公報
【発明の概要】
【発明が解決しようとする課題】
【０００４】
しかしながら、上述した従来の遊技機では、第３部材を所定位置に戻し忘れるという問題点があった。
【０００５】
本発明は、上記例示した問題点を解決するためになされたものであり、第３部材の所定位置への戻し忘れを抑制することができる遊技機を提供することを目的とする。
【課題を解決するための手段】
【０００６】
この目的を達成するために請求項１記載の遊技機は、第１枠部材と、その第１枠部材に開閉可能に取着される第２枠部材と、前記第１枠部材または第２枠部材の一方の所定位置に配設される第３部材と、を備え、前記第３部材が前記所定位置から少なくとも変位可能に形成されたものであり、前記第１枠部材に対して第２枠部材が開放された状態で少なくとも第１位置または第２位置に操作可能に形成される操作部材を備え、前記操作部材が前記第１位置から第２位置へ操作されることで、前記第３部材が前記所定位置から少なくとも変位することが許容され、前記第３部材が前記所定位置に配置されることで、前記操作部材の前記第２位置から第１位置への操作が可能とされ、前記操作部材が少なくとも前記第１位置に操作されていない状態では、前記第１枠部材に対して第２枠部材を閉じることが規制される。
【０００７】
請求項２記載の遊技機は、請求項１記載の遊技機において、前記操作部材が前記第２位置に操作された状態では、その操作部材が前記第１枠部材および第２枠部材の間に介在されることで、前記第１枠部材に対して第２枠部材を閉じることが規制される。
【０００８】
請求項３記載の遊技機は、請求項２記載の遊技機において、前記第１枠部材または第２枠部材の一方に変位可能に配設される変位部材と、その変位部材に付勢力を付与する付勢部材と、を備え、前記操作部材が前記第１位置から第２位置へ操作されると、その操作部材の前記第２位置から第１位置への移動を規制する位置へ前記変位部材が前記付勢部材の付勢力により変位される。
【発明の効果】
【０００９】
請求項１記載の遊技機によれば、第３部材を所定位置に戻し忘れることを抑制できる。
【００１０】
請求項２記載の遊技機によれば、請求項１記載の遊技機の奏する効果に加え、製品コストの削減を図ることができる。
【００１１】
請求項３記載の遊技機によれば、請求項２記載の遊技機の奏する効果に加え、操作部材が第２位置から第１位置へ移動することを確実に抑制できる。
【図面の簡単な説明】
【００１２】
【図１】第１実施形態におけるパチンコ機の正面図である。
【図２】パチンコ機の遊技盤の正面図である。
【図３】パチンコ機の背面図である。
【図４】パチンコ機の電気的構成を示すブロック図である。
【図５】パチンコ機の正面斜視図である。
【図６】前扉の上側部分の正面斜視図である。
【図７】前扉の上側部分の背面斜視図である。
【図８】前扉の上側部分の分解正面斜視図である。
【図９】前扉の上側部分の分解背面斜視図である。
【図１０】ロック部材の分解正面斜視図である。
【図１１】（ａ）は、図８の矢印ＸＩ方向視における背面部材の正面図であり、（ｂ）は、図１１（ａ）のＸＩｂ−ＸＩｂ線における背面部材の断面図である。
【図１２】（ａ）は、図８の矢印ＸＩ方向視における背面部材の正面図であり、（ｂ）は、図１２（ａ）のＸＩＩｂ−ＸＩＩｂ線における背面部材の断面図である。
【図１３】（ａ）は、図８の矢印ＸＩ方向視における背面部材の正面図であり、（ｂ）は、図１３（ａ）のＸＩＩＩｂ−ＸＩＩＩｂ線における背面部材の断面図である。
【図１４】（ａ）は、図８の矢印ＸＩ方向視における背面部材の正面図であり、（ｂ）は、図１４（ａ）のＸＩＶｂ−ＸＩＶｂ線における背面部材の断面図である。
【図１５】前扉の上側部分の背面斜視図である。
【図１６】前扉の上側部分の背面斜視図である。
【図１７】遊技機主部の上面模式図である。
【図１８】（ａ）は、第２実施形態におけるロック部材の上面図であり、（ｂ）は、図１８（ａ）の矢印ＸＶＩＩＩｂ方向視におけるロック部材の側面図であり、（ｃ）は、図１８（ｂ）の矢印ＸＶＩＩＩｃ方向視におけるロック部材の正面図であり、（ｄ）は、図１８（ａ）のＸＶＩＩＩｄ−ＸＶＩＩＩｄ線におけるロック部材の断面図である。
【図１９】（ａ）は、図８の矢印ＸＩ方向視における背面部材の正面図であり、（ｂ）は、図１９（ａ）のＸＩＸｂ−ＸＩＸｂ線における背面部材の断面図である。
【図２０】（ａ）は、図８の矢印ＸＩ方向視における背面部材の正面図であり、（ｂ）は、図２０（ａ）のＸＸｂ−ＸＸｂ線における背面部材の断面図である。
【図２１】（ａ）は、図８の矢印ＸＩ方向視における背面部材の正面図であり、（ｂ）は、図２１（ａ）のＸＸＩｂ−ＸＸＩｂ線における背面部材の断面図である。
【図２２】（ａ）は、図８の矢印ＸＩ方向視における背面部材の正面図であり、（ｂ）は、図２２（ａ）のＸＸＩＩｂ−ＸＸＩＩｂ線における背面部材の断面図である。
【図２３】内枠および前扉の部分拡大断面図である。
【図２４】（ａ）から（ｃ）は、内枠に対して前扉を閉じる際の状態遷移を説明するための内枠および前扉の上面図である。
【図２５】（ａ）から（ｃ）は、図２４（ａ）から図２４（ｃ）のＸＸＶａ−ＸＸＶａ線からＸＸＶｃ−ＸＸＶｃ線における内枠および前扉の断面図である。
【図２６】第３実施形態における遊技機主部の上面図である。
【図２７】（ａ）は、ロック部材が初期位置にスライド操作された状態におけるワンウェイクラッチ及び連結部材の部分断面上面図であり、（ｂ）は、ロック部材が解除位置にスライド操作された状態におけるワンウェイクラッチ及び連結部材の部分断面上面図である。
【図２８】（ａ）は、介設板の上面図であり、（ｂ）は、図２８（ａ）の矢印ＸＸＩＩＩｂ方向視における介設板の側面図であり、（ｃ）は、図２８（ｂ）のＸＸＶＩＩＩｃ−ＸＸＶＩＩＩｃ線における介設板の断面図である。
【図２９】前扉の部分拡大断面図である。
【図３０】前扉の部分拡大上面図である。
【図３１】遊技機主部の上面図である。
【図３２】第４実施形態における前扉の分解正面斜視図である。
【図３３】（ａ）は、図３２の矢印ＸＸＸＩＩＩ方向視における天板の背面図であり、（ｂ）は、図３３（ａ）のＸＸＸＩＩＩｂ−ＸＸＸＩＩＩｂ線における天板の断面図である。
【図３４】（ａ）は、図３２の矢印ＸＸＸＩＩＩ方向視における天板およびパネル部材の背面図であり、（ｂ）は、図３４（ａ）のＸＸＸＩＶｂ−ＸＸＸＩＶｂ線における天板およびパネル部材の断面図であり、（ｃ）は、図３４（ａ）のＸＸＸＩＶｃ−ＸＸＸＩＶｃ線における天板およびパネル部材の断面図である。
【図３５】（ａ）は、図３２の矢印ＸＸＸＶ方向視における背面部材の正面図であり、（ｂ）は、図３５（ａ）のＸＸＸＶｂ−ＸＸＸＶｂ線における背面部材の断面図である。
【図３６】（ａ）は、図３２の矢印ＸＸＸＶ方向視における背面部材の正面図であり、（ｂ）は、図３６（ａ）のＸＸＸＶＩｂ−ＸＸＸＶＩｂ線における背面部材の断面図である。
【図３７】（ａ）は、図３２の矢印ＸＸＸＶ方向視における背面部材の正面図であり、（ｂ）は、図３７（ａ）のＸＸＸＶＩＩｂ−ＸＸＸＶＩＩｂ線における背面部材の断面図である。
【図３８】第５実施形態における前扉の上側部分の分解正面斜視図である。
【図３９】（ａ）及び（ｂ）は、ロック部材が第１位置にスライド操作された状態における遊技機主部の断面図である。
【図４０】ロック部材が第１位置にスライド操作された状態における遊技機主部の断面図である。
【図４１】ロック部材が第１位置にスライド操作された状態における遊技機主部の断面図である。
【図４２】（ａ）及び（ｂ）は、ロック部材が第２位置にスライド操作された状態における遊技機主部の断面図である。
【図４３】ロック部材が第２位置にスライド操作された状態における遊技機主部の断面図である。
【図４４】ロック部材が第２位置にスライド操作された状態における遊技機主部の断面図である。
【図４５】第６実施形態における前扉の上側部分の分解背面斜視図である。
【図４６】（ａ）は、スライド板の上面図であり、（ｂ）は、図４６（ａ）の矢印ＸＬＶＩｂ方向視におけるスライド板の側面図であり、（ｃ）は、図４６（ｂ）のＸＬＶＩｃ−ＸＬＶＩｃ線におけるスライド板の断面図であり、（ｄ）は、図４６（ｂ）のＸＬＶＩｄ−ＸＬＶＩｄ線におけるスライド板の断面図である。
【図４７】（ａ）は、スライド板およびロック部材がそれぞれ遮蔽位置および第１位置にスライド操作された状態における前扉の上面図であり、（ｂ）はスライド板およびロック部材がそれぞれ開放位置および第２位置にスライド操作された状態における前扉の上面図である。
【図４８】図４７（ａ）のＸＬＶＩＩＩ−ＸＬＶＩＩＩ線における前扉の断面図である。
【図４９】図４８に示す状態からロック部材が第２位置にスライド操作された状態における前扉の断面図である。
【図５０】図４７（ｂ）のＬＩ−ＬＩ線における前扉の断面図である。
【図５１】第７実施形態における内枠および前扉の部分拡大断面図である。
【図５２】第８実施形態における遊技機主部の分解正面斜視図である。
【図５３】（ａ）は、内枠の正面図であり、（ｂ）は、図５３（ａ）のＬＩＩＩｂ−ＬＩＩＩｂ線における内枠の断面図である。
【図５４】（ａ）は、ロック部材の正面斜視分解図であり、（ｂ）は、ロック部材の側面図であり、（ｃ）は、図５４（ｂ）のＬＩＶｃ−ＬＩＶｃ線におけるロック部材の断面図である。
【図５５】（ａ）は、外枠の正面斜視図であり、（ｂ）は、外枠の正面図であり、（ｃ）は、図５５（ｂ）のＬＶｃ−ＬＶｃ線における折込部材の断面図である。
【図５６】（ａ）から（ｄ）は、外枠から開放された遊技機主部を閉鎖する動作の各状態におけるパチンコ機の上面図である。
【図５７】（ａ）及び（ｂ）は、内枠の断面図である。
【図５８】（ａ）は、遊技機主部の正面図であり、（ｂ）は、図５８（ａ）のＬＶＩＩＩｂ−ＬＶＩＩＩｂ線における遊技機主部の断面図である。
【図５９】第９実施形態部における遊技機主部の分解正面斜視図である。
【図６０】（ａ）は、遊技機主部の背面図であり、（ｂ）は、図６０（ａ）のＬＸｂ−ＬＸｂ線における遊技機主部の断面図である。
【図６１】（ａ）から（ｄ）は、内枠から開放された前扉を閉鎖する動作の各状態における遊技機主部の上面図である。
【図６２】（ａ）は、図６１（ｂ）の矢印ＶＸＩａ方向視における前扉の背面図であり、（ｂ）は、図６１（ｄ）の矢印ＶＸＩＩｂ方向視における前扉の背面図である。
【図６３】（ａ）は、図６２（ａ）のＬＸＩＩａ−ＬＸＩＩａ線における前扉の断面模式図であり、（ｂ）は、図６２（ｂ）のＬＸＩＩＩｂ−ＬＸＩＩＩｂ線における前扉の断面模式図である。
【図６４】（ａ）は、突出部材の突出前におけるハンドルの断面模式図であり、（ｂ）は、突出部材の突出後におけるハンドルの断面模式図である。
【図６５】第１０実施形態における遊技機主部の分解正面斜視図である。
【図６６】（ａ）は、遊技機主部の上面図であり、（ｂ）は、遊技機主部の側面模式図である。
【図６７】図６６（ａ）のＬＸＶＩＩ−ＬＸＶＩＩ線における断面模式図である。
【図６８】（ａ）は、装飾部材の上面図であり、（ｂ）は、装飾部材の背面図であり、（ｃ）は、図６８（ｂ）のＬＸＶＩＩＩｃ−ＬＸＶＩＩＩｃにおける装飾部材の断面図である。
【図６９】（ａ）から（ｄ）は、内枠から開放された前扉を閉鎖する動作の各状態における遊技機主部の上面図である。
【図７０】（ａ）は、図６９（ｂ）のＬＸＸａ−ＬＸＸａ線における遊技機主部の断面図であり、（ｂ）は、図６９（ｄ）のＬＸＸｂ−ＬＸＸｂ線における遊技機主部の断面図である。
【図７１】第１１実施形態における前扉の上側部分の正面図である。
【図７２】前扉の上側部分の分解斜視図である。
【図７３】遊技機主部の上面図である。
【図７４】（ａ）及び（ｂ）は、図７３のＬＸＸＩＶａ−ＬＸＸＩＶａ線における遊技機主部の断面模式図である。
【図７５】（ａ）及び（ｂ）は、遊技機主部の断面模式図である。
【図７６】（ａ）は、図７５（ａ）のＬＸＸＶＩａ−ＬＸＸＶＩａ線における遊技機主部の断面模式図であり、（ｂ）は、図７５（ｂ）のＬＸＸＶＩｂ−ＬＸＸＶＩｂ線における遊技機主部の断面模式図である。
【図７７】（ａ）及び（ｂ）は、遊技機主部の断面模式図である。
【図７８】（ａ）及び（ｂ）は、第１２実施形態における遊技機主部の断面模式図である。
【図７９】図７８（ｂ）のＬＸＸＩＸ−ＬＸＸＩＸ線における遊技機主部の断面模式図である。
【図８０】第１３実施形態における前扉の上側部分の分解斜視図である。
【図８１】遊技機主部の上面図である。
【図８２】（ａ）は、図８１のＬＸＸＸＩＩａ−ＬＸＸＸＩＩａ線における遊技機主部の断面模式図であり、（ｂ）は、図８２（ａ）のＬＸＸＸＩＩｂ−ＬＸＸＸＩＩｂ線における遊技機主部の断面模式図であり、（ｃ）は、図８２（ｂ）のＬＸＸＸＩＩｃ−ＬＸＸＸＩＩｃ線における遊技機主部の断面模式図である。
【図８３】（ａ）及び（ｂ）は、遊技機主部の断面模式図である。
【図８４】（ａ）及び（ｂ）は、遊技機主部の断面模式図である。
【図８５】（ａ）及び（ｂ）は、遊技機主部の断面模式図である。
【図８６】第１４実施形態における前扉の上側部分の分解斜視図である
【図８７】（ａ）は、遊技機主部の上面図であり、（ｂ）は、図８７（ａ）のＬＸＸＸＶＩＩｂ−ＬＸＸＸＶＩＩｂ線における遊技機主部の断面模式図である。
【図８８】（ａ）及び（ｂ）は、遊技機主部の断面模式図である。
【発明を実施するための形態】
【００１３】
以下、本発明の実施形態について、添付図面を参照して説明する。まず、図１から図７０を参照し、第１実施形態として、本発明をパチンコ遊技機（以下、単に「パチンコ機」という）１に適用した場合の一実施形態について説明する。図１は、第１実施形態におけるパチンコ機１の正面図であり、図２はパチンコ機１の遊技盤１３の正面図であり、図３はパチンコ機１の背面図である。
【００１４】
図１に示すように、パチンコ機１は、略矩形状に組み合わせた木枠により外殻が形成される外枠２と、その外枠２と略同一の外形形状に形成され外枠２に対して開閉可能に支持された内枠４とを備えている。外枠２には、内枠４を支持するために正面視（図１参照）左側の上下２カ所に金属製のヒンジ１８が取り付けられ、そのヒンジ１８が設けられた側を開閉の軸として内枠４が正面手前側へ開閉可能に支持されている。
【００１５】
内枠４には、多数の釘や入賞口６３，６４等を有する遊技盤１３（図２参照）が裏面側から着脱可能に装着される。この遊技盤１３の前面を球（遊技球）が流下することにより弾球遊技が行われる。なお、内枠４には、球を遊技盤１３の前面領域に発射する球発射ユニット１１２ａ（図４参照）やその球発射ユニット１１２ａから発射された球を遊技盤１３の前面領域まで誘導する発射レール（図示せず）等が取り付けられている。
【００１６】
内枠４の前面側には、その前面上側を覆う前扉５と、その下側を覆う下皿ユニット１５とが設けられている。前扉５および下皿ユニット１５を支持するために正面視（図１参照）左側の上下２カ所に金属製のヒンジ１９が取り付けられ、そのヒンジ１９が設けられた側を開閉の軸として前扉５および下皿ユニット１５が正面手前側へ開閉可能に支持されている。なお、内枠４の施錠と前扉５の施錠とは、シリンダ錠２０の鍵穴２１に専用の鍵を差し込んで所定の操作を行うことでそれぞれ解除される。
【００１７】
前扉５は、装飾用の樹脂部品や電気部品等を組み付けたものであり、その略中央部には略楕円形状に開口形成された窓部５ｃが設けられている。前扉５の裏面側には２枚の板ガラス８を有するガラスユニット１６が配設され、そのガラスユニット１６を介して遊技盤１３の前面がパチンコ機１の正面側に視認可能となっている。
【００１８】
前扉５には、球を貯留する上皿１７が前方へ張り出して上面を開放した略箱状に形成されており、この上皿１７に賞球や貸出球などが排出される。上皿１７の底面は正面視（図１参照）右側に下降傾斜して形成され、その傾斜により上皿１７に投入された球が球発射ユニット１１２ａ（図４参照）へと案内される。また、上皿１７の上面には、枠ボタン２２が設けられている。この枠ボタン２２は、例えば、第３図柄表示装置８１（図２参照）で表示される演出のステージを変更したり、スーパーリーチの演出内容を変更したりする場合などに、遊技者により操作される。
【００１９】
前扉５には、その周囲（例えばコーナー部分）に各種ランプ等の発光手段が設けられている。これら発光手段は、大当たり時や所定のリーチ時等における遊技状態の変化に応じて、点灯又は点滅することにより発光態様が変更制御され、遊技中の演出効果を高める役割を果たす。窓部５ｃの周縁には、ＬＥＤ等の発光手段を内蔵した電飾部２９〜３３が設けられている。パチンコ機１においては、これら電飾部２９〜３３が大当たりランプ等の演出ランプとして機能し、大当たり時やリーチ演出時等には内蔵するＬＥＤの点灯や点滅によって各電飾部２９〜３３が点灯または点滅して、大当たり中である旨、或いは大当たり一歩手前のリーチ中である旨が報知される。また、前扉５の正面視（図１参照）左上部には、ＬＥＤ等の発光手段が内蔵され賞球の払い出し中とエラー発生時とを表示可能な表示ランプ３４が設けられている。
【００２０】
また、右側の電飾部３２下側には、前扉５の裏面側を視認できるように裏面側より透明樹脂を取り付けて小窓３５が形成され、遊技盤１３前面の貼着スペースＫ１（図２参照）に貼付される証紙等がパチンコ機１の前面から視認可能とされている。また、パチンコ機１においては、より煌びやかさを醸し出すために、電飾部２９〜３３の周りの領域にクロムメッキを施したＡＢＳ樹脂製のメッキ部材３６が取り付けられている。
【００２１】
窓部５ｃの下方には、貸球操作部４０が配設されている。貸球操作部４０には、度数表示部４１と、球貸しボタン４２と、返却ボタン４３とが設けられている。パチンコ機１の側方に配置されるカードユニット（球貸しユニット）（図示せず）に紙幣やカード等を投入した状態で貸球操作部４０が操作されると、その操作に応じて球の貸出が行われる。具体的には、度数表示部４１はカード等の残額情報が表示される領域であり、内蔵されたＬＥＤが点灯して残額情報として残額が数字で表示される。球貸しボタン４２は、カード等（記録媒体）に記録された情報に基づいて貸出球を得るために操作されるものであり、カード等に残額が存在する限りにおいて貸出球が上皿１７に供給される。返却ボタン４３は、カードユニットに挿入されたカード等の返却を求める際に操作される。なお、カードユニットを介さずに球貸し装置等から上皿１７に球が直接貸し出されるパチンコ機、いわゆる現金機では貸球操作部４０が不要となるが、この場合には、貸球操作部４０の設置部分に飾りシール等を付加して部品構成は共通のものとしても良い。カードユニットを用いたパチンコ機と現金機との共通化を図ることができる。
【００２２】
上皿１７の下側に位置する下皿ユニット１５には、その中央部に上皿１７に貯留しきれなかった球を貯留するための下皿５０が上面を開放した略箱状に形成されている。下皿５０の右側には、球を遊技盤１３の前面へ打ち込むために遊技者によって操作される操作ハンドル５１が配設される。
【００２３】
操作ハンドル５１の内部には、球発射ユニット１１２ａの駆動を許可するためのタッチセンサ５１ａと、押下操作している期間中には球の発射を停止する発射停止スイッチ５１ｂと、操作ハンドル５１の回動操作量（回動位置）を電気抵抗の変化により検出する可変抵抗器（図示せず）などが内蔵されている。操作ハンドル５１が遊技者によって右回りに回動操作されると、タッチセンサ５１ａがオンされると共に可変抵抗器の抵抗値が回動操作量に対応して変化し、その可変抵抗器の抵抗値に対応した強さ（発射強度）で球が発射され、これにより遊技者の操作に対応した飛び量で遊技盤１３の前面へ球が打ち込まれる。また、操作ハンドル５１が遊技者により操作されていない状態においては、タッチセンサ５１ａおよび発射停止スイッチ５１ｂがオフとなっている。
【００２４】
下皿５０の正面下方部には、下皿５０に貯留された球を下方へ排出する際に操作するための球抜きレバー５２が設けられている。この球抜きレバー５２は、常時、右方向に付勢されており、その付勢に抗して左方向へスライドさせることにより、下皿５０の底面に形成された底面口が開口して、その底面口から球が自然落下して排出される。この球抜きレバー５２の操作は、通常、下皿５０の下方に下皿５０から排出された球を受け取る箱（一般に「千両箱」と称される）を置いた状態で行われる。下皿５０の右方には、上述したように操作ハンドル５１が配設され、下皿５０の左方には灰皿５３が取り付けられている。
【００２５】
図２に示すように、遊技盤１３は、正面視略正方形状に切削加工したベース板６０に、球案内用の多数の釘（図示せず）や風車の他、レール６１，６２、一般入賞口６３、第１入賞口６４、第２入賞口６４０、第３入賞口８２、可変入賞装置６５、第１スルーゲート６６、第２スルーゲート６７、可変表示装置ユニット８０等を組み付けて構成され、その周縁部が内枠４（図１参照）の裏面側に取り付けられる。ベース板６０は薄い板材を張り合わせた木材からなり、その正面側からベース板６０の背面側に配設された各種構造体を遊技者に目視できないように形成される。一般入賞口６３、第１入賞口６４、第２入賞口６４０、第３入賞口８２、可変入賞装置６５、可変表示装置ユニット８０は、ルータ加工によってベース板６０に形成された貫通穴に配設され、遊技盤１３の前面側からタッピングネジ等により固定されている。
【００２６】
遊技盤１３の前面中央部分は、前扉５の窓部５ｃ（図１参照）を通じて内枠４の前面側から視認することができる。以下に、主に図２を参照して、遊技盤１３の構成について説明する。
【００２７】
遊技盤１３の前面には、帯状の金属板を略円弧状に屈曲加工して形成した外レール７７が植立され、その外レール７７の内側位置には外レール７７と同様に帯状の金属板で形成した円弧状の内レール７６が植立される。この内レール７６と外レール７７とにより遊技盤１３の前面外周が囲まれ、遊技盤１３とガラスユニット１６（図１参照）とにより前後が囲まれることにより、遊技盤１３の前面には、球の挙動により遊技が行われる遊技領域が形成される。遊技領域は、遊技盤１３の前面であって２本のレール６１，６２とレール間を繋ぐ樹脂製の外縁部材７３とにより区画して形成される領域（入賞口等が配設され、発射された球が流下する領域）である。
【００２８】
２本のレール６１，６２は、球発射ユニット１１２ａ（図４参照）から発射された球を遊技盤１３上部へ案内するために設けられたものである。内レール７６の先端部分（図２の左上部）には戻り球防止部材６８が取り付けられ、一旦、遊技盤１３の上部へ案内された球が再度球案内通路内に戻ってしまうといった事態が防止される。外レール７７の先端部（図２の右上部）には、球の最大飛翔部分に対応する位置に返しゴム６９が取り付けられ、所定以上の勢いで発射された球は、返しゴム６９に当たって、勢いが減衰されつつ中央部側へ跳ね返される。
【００２９】
遊技領域の正面視左側下部（図２の左側下部）には、発光手段である複数のＬＥＤおよび７セグメント表示器を備える第１図柄表示装置３７Ａ，３７Ｂが配設されている。第１図柄表示装置３７Ａ，３７Ｂは、主制御装置１１０（図４参照）で行われる各制御に応じた表示がなされるものであり、主にパチンコ機１の遊技状態の表示が行われる。本実施形態では、第１図柄表示装置３７Ａ，３７Ｂは、球が、第１入賞口６４へ入賞したか、第２入賞口６４０および第３入賞口８２へ入賞したかに応じて使い分けられるように構成されている。具体的には、球が、第１入賞口６４へ入賞した場合には、第１図柄表示装置３７Ａが作動し、一方で、球が、第２入賞口６４０および第３入賞口８２へ入賞した場合には、第１図柄表示装置３７Ｂが作動するように構成されている。
【００３０】
また、第１図柄表示装置３７Ａ，３７Ｂは、ＬＥＤにより、パチンコ機１が確変中か時短中か通常中であるかを点灯状態により示したり、変動中であるか否かを点灯状態により示したり、停止図柄が確変大当たりに対応した図柄か普通大当たりに対応した図柄か外れ図柄であるかを点灯状態により示したり、保留球数を点灯状態により示すと共に、７セグメント表示装置により、大当たり中のラウンド数やエラー表示を行う。なお、複数のＬＥＤは、それぞれのＬＥＤの発光色（例えば、赤、緑、青）が異なるよう構成され、その発光色の組み合わせにより、少ないＬＥＤでパチンコ機１の各種遊技状態を示唆することができる。
【００３１】
なお、本パチンコ機１では、第１入賞口６４，第２入賞口６４０，第３入賞口８２，のいずれかに入賞があったことを契機として抽選が行われる。パチンコ機１は、その抽選において、大当たりか否かの当否判定（大当たり抽選）を行うと共に、大当たりと判定した場合はその大当たり種別の判定も行う。ここで判定される大当たり種別としては、１５Ｒ確変大当たり、４Ｒ確変大当たり、１５Ｒ通常大当たりが用意されている。第１図柄表示装置３７Ａ，３７Ｂには、変動終了後の停止図柄として抽選の結果が大当たりであるか否かが示されるだけでなく、大当たりである場合はその大当たり種別に応じた図柄が示される。
【００３２】
ここで、「１５Ｒ確変大当たり」とは、最大ラウンド数が１５ラウンドの大当たりの後に高確率状態へ移行する確変大当たりのことであり、「４Ｒ確変大当たり」とは、最大ラウンド数が４ラウンドの大当たりの後に高確率状態へ移行する確変大当たりのことである。また、「１５Ｒ通常大当たり」は、最大ラウンド数が１５ラウンドの大当たりの後に、低確率状態へ移行すると共に、所定の変動回数の間（例えば、１００変動回数）は時短状態となる大当たりのことである。
【００３３】
また、「高確率状態」とは、大当たり終了後に付加価値としてその後の大当たり確率がアップした状態、いわゆる確率変動中（確変中）の時をいい、換言すれば、特別遊技状態へ移行し易い遊技の状態のことである。本実施形態における高確率状態（確変中）は、後述する第２図柄の当たり確率がアップして第２入賞口６４０および第３入賞口８２へ球が入賞し易い遊技の状態を含む。「低確率状態」とは、確変中でない時をいい、大当たり確率が通常の状態、即ち、確変の時より大当たり確率が低い状態をいう。また、「低確率状態」のうちの時短状態（時短中）とは、大当たり確率が通常の状態であると共に、大当たり確率がそのままで第２図柄の当たり確率のみがアップして第２入賞口６４０および第３入賞口８２へ球が入賞し易い遊技の状態のことをいう。一方、パチンコ機１が通常中とは、確変中でも時短中でもない遊技の状態（大当たり確率も第２図柄の当たり確率もアップしていない状態）である。
【００３４】
確変中や時短中は、第２図柄の当たり確率がアップするだけではなく、第２入賞口６４０および第３入賞口８２に付随する第１電動役物６４０ａおよび第２電動役物８２ａが開放される時間も変更され、通常中と比して長い時間が設定される。第１電動役物６４０ａおよび第２電動役物８２ａが開放された状態（開放状態）にある場合は、その第１電動役物６４０ａおよび第２電動役物８２ａが閉鎖された状態（閉鎖状態）にある場合と比して、第２入賞口６４０および第３入賞口８２へ球が入賞しやすい状態となる。よって、確変中や時短中は、第２入賞口６４０および第３入賞口８２へ球が入賞し易い状態となり、大当たり抽選が行われる回数を増やすことができる。
【００３５】
なお、確変中や時短中において、第２入賞口６４０および第３入賞口８２に付随する第１電動役物６４０ａおよび第２電動役物８２ａの開放時間を変更するのではなく、または、その開放時間を変更することに加えて、１回の当たりで第１電動役物６４０ａおよび第２電動役物８２ａが開放する回数を通常中よりも増やす変更を行うものとしてもよい。また、確変中や時短中において、第２図柄の当たり確率は変更せず、第２入賞口６４０および第３入賞口８２に付随する第１電動役物６４０ａおよび第２電動役物８２ａが開放される時間および１回の当たりで第１電動役物６４０ａ及び第２電動役物８２ａが開放する回数の少なくとも一方を変更するものとしてもよい。また、確変中や時短中において、第２入賞口６４０および第３入賞口８２に付随する第１電動役物６４０ａおよび第２電動役物８２ａが開放される時間や、１回の当たりで第１電動役物６４０ａおよび第２電動役物８２を開放する回数はせず、第２図柄の当たり確率だけを、通常中と比してアップするよう変更するものであってもよい。
【００３６】
遊技領域には、球が入賞することにより５個から１５個の球が賞球として払い出される複数の一般入賞口６３が配設されている。また、遊技領域の中央部分には、可変表示装置ユニット８０が配設されている。可変表示装置ユニット８０には、第１入賞口６４、第２入賞口６４０、第３入賞口８２のいずれかの入賞（始動入賞）をトリガとして、第１図柄表示装置３７Ａ，３７Ｂにおける変動表示と同期させながら、第３図柄の変動表示を行う液晶ディスプレイ（以下単に「表示装置」と略す）で構成された第３図柄表示装置８１と、第１スルーゲート６６および第２スルーゲート６７の球の通過をトリガとして第２図柄を変動表示するＬＥＤで構成される第２図柄表示装置（図示せず）とが設けられている。
【００３７】
また、可変表示装置ユニット８０には、第３図柄表示装置８１の外周を囲むようにして、センターフレーム８６が配設されている。このセンターフレーム８６の中央に開口される開口部から第３図柄表示装置８１が視認可能とされる。
【００３８】
第３図柄表示装置８１は９インチサイズの大型の液晶ディスプレイで構成されるものであり、表示制御装置１１４（図４参照）によって表示内容が制御されることにより、例えば上、中および下の３つの図柄列が表示される。各図柄列は複数の図柄（第３図柄）によって構成され、これらの第３図柄が図柄列毎に横スクロールして第３図柄表示装置８１の表示画面上にて第３図柄が可変表示されるようになっている。本実施形態の第３図柄表示装置８１は、主制御装置１１０（図４参照）の制御に伴った遊技状態の表示が第１図柄表示装置３７Ａ，３７Ｂで行われるのに対して、その第１図柄表示装置３７Ａ，３７Ｂの表示に応じた装飾的な表示を行うものである。なお、表示装置に代えて、例えばリール等を用いて第３図柄表示装置８１を構成するようにしても良い。
【００３９】
第２図柄表示装置は、球が第１スルーゲート６６および第２スルーゲート６７を通過する毎に表示図柄（第２図柄（図示せず））としての「○」の図柄と「×」の図柄とを所定時間交互に点灯させる変動表示を行うものである。パチンコ機１では、球が第１スルーゲート６６および第２スルーゲート６７を通過したことが検出されると、当たり抽選が行われる。その当たり抽選の結果、当たりであれば、第２図柄表示装置において、第２図柄の変動表示後に「○」の図柄が停止表示される。また、当たり抽選の結果、外れであれば、第２図柄表示装置において、第３図柄の変動表示後に「×」の図柄が停止表示される。
【００４０】
パチンコ機１は、第２図柄表示装置における変動表示が所定図柄（本実施形態においては「○」の図柄）で停止した場合に、第２入賞口６４０および第３入賞口８２に付随された第１電動役物６４０ａおよび第２電動役物８２ａが所定時間だけ作動状態となる（開放される）よう構成されている。
【００４１】
第２図柄の変動表示にかかる時間は、遊技状態が通常中の場合よりも、確変中または時短中の方が短くなるように設定される。これにより、確変中および時短中は、第２図柄の変動表示が短い時間で行われるので、当たり抽選を通常中よりも多く行うことができる。よって、当たり抽選において当たりとなる機会が増えるので、第２入賞口６４０および第３入賞口８２の第１電動役物６４０ａおよび第２電動役物８２ａが開放状態となる機会を遊技者に多く与えることができる。よって、確変中および時短中は、第２入賞口６４０および第３入賞口８２へ球が入賞しやすい状態とすることができる。
【００４２】
なお、確変中または時短中において、当たり確率を高める、１回に当たりに対する第１電動役物６４０ａおよび第２電動役物８２ａの開放時間や開放回数を増やすなど、その他の方法によっても、確変中または時短中に第２入賞口６４０および第３入賞口へ球が入賞しやすい状態としている場合は、第２図柄の変動表示にかかる時間を遊技状態にかかわらず一定としてもよい。一方、第２図柄の変動表示にかかる時間を、確変中または時短中において通常中よりも短く設定する場合は、当たり確率を遊技状態にかかわらず一定にしてもよいし、また、１回の当たりに対する第１電動役物６４０ａおよび第２電動役物８２ａの開放時間や開放回数を遊技状態にかかわらず一定にしてもよい。
【００４３】
第１スルーゲート６６は、可変表示装置ユニット８０の左側の領域において遊技盤に組み付けられ、第２スルーゲート６７は、可変表示装置ユニット８０の右側の領域において遊技盤に組み付けられる。第１スルーゲート６６および第２スルーゲート６７は、遊技盤に発射された球のうち、遊技盤を流下する球の一部が通過可能に構成されている。第１スルーゲート６６および第２スルーゲート６７を球が通過すると、第２図柄の当たり抽選が行われる。当たり抽選の後、第２図柄表示装置にて変動表示を行い、当たり抽選の結果が当たりであれば、変動表示の停止図柄として「○」の図柄を表示し、当たり抽選の結果が外れであれば、変動表示の停止図柄として「×」の図柄を表示する。
【００４４】
球の第１スルーゲート６６および第２スルーゲート６７の通過回数は、合計で最大４回まで保留され、その保留球数が上述した第１図柄表示装置３７Ａ，３７Ｂにより表示されると共に第２図柄保留ランプ（図示せず）においても点灯表示される。第２図柄保留ランプは、最大保留数分の４つ設けられ、第３図柄表示装置８１の下方に左右対称に配設されている。
【００４５】
なお、第２図柄の変動表示は、本実施形態のように、第２図柄表示装置において複数のランプの点灯と非点灯を切り換えることにより行うものの他、第１図柄表示装置３７Ａ，３７Ｂおよび第３図柄表示装置８１の一部を使用して行うようにしても良い。同様に、第２図柄保留ランプの点灯を第３図柄表示装置８１の一部で行うようにしても良い。また、第１スルーゲート６６および第２スルーゲート６７の球の通過に対する最大保留球数は４回に限定されるものでなく、３回以下、又は、５回以上の回数（例えば、８回）に設定しても良い。また、スルーゲートの組み付け数は２つに限定されるものではなく、３つ以上の複数であっても良い。また、スルーゲートの組み付け位置は可変表示装置ユニット８０の左右両側に限定されるものではなく、例えば、可変表示装置ユニット８０の下方でも良い。また、第１図柄表示装置３７Ａ，３７Ｂにより保留球数が示されるので、第２図柄保留ランプにより点灯表示を行わないものとしてもよい。
【００４６】
可変表示装置ユニット８０の下方には、球が入賞し得る第１入賞口６４が配設されている。この第１入賞口６４へ球が入賞すると遊技盤１３の裏面側に設けられる第１入賞口スイッチ（図示せず）がオンとなり、その第１入賞口スイッチのオンに起因して主制御装置１１０（図４参照）で大当たりの抽選がなされ、その抽選結果に応じた表示が第１図柄表示装置３７Ａで示される。
【００４７】
一方、第１入賞口６４の正面視下方には、球が入賞し得る第２入賞口６４０が配設されている。また、第１入賞口６４の正面視右方には、第３入賞口８２が配設されている。これら、第２入賞口６４０および第３入賞口８２へ球が入賞すると遊技盤１３の裏面側に設けられる第２入賞口スイッチ（図示せず）がオンとなり、その第２入賞口スイッチのオンに起因して主制御装置１１０（図４参照）で大当たりの抽選がなされ、その抽選結果に応じた表示が第１図柄表示装置３７Ｂで示される。
【００４８】
また、第１入賞口６４，第２入賞口６４０，第３入賞口８２は、それぞれ、球が入賞すると５個の球が賞球として払い出される入賞口の１つにもなっている。なお、本実施形態においては、第１入賞口６４へ球が入賞した場合に払い出される賞球数と第２入賞口６４０および第３入賞口８２へ球が入賞した場合に払い出される賞球数とを同じに構成したが、第１入賞口６４へ球が入賞した場合に払い出される賞球数と第２入賞口６４０および第３入賞口８２へ球が入賞した場合に払い出される賞球数とを異なる数、例えば、第１入賞口６４へ球が入賞した場合に払い出される賞球数を３個とし、第２入賞口６４０および第３入賞口８２へ球が入賞した場合に払い出される賞球数を５個として構成してもよい。
【００４９】
第２入賞口６４０には第１電動役物６４０ａが付随されている。この第１電動役物６４０ａは開閉可能に構成されており、通常は第１電動役物６４０ａが閉鎖状態（縮小状態）となって、球が第２入賞口６４０へ入賞しにくい状態となっている。一方、第１スルーゲート６６への球の通過を契機として行われる第２図柄の変動表示の結果、「○」の図柄が第２図柄表示装置に表示された場合、第１電動役物６４０ａが開放状態（拡大状態）となり、球が第２入賞口６４０へ入賞しやすい状態となる。
【００５０】
また、第３入賞口８２には第２電動役物８２ａが付随されている。この第２電動役物８２ａは開閉可能に構成されており、通常は第２電動役物８２ａが閉鎖状態（縮小状態）となって、球が第３入賞口８２へと入賞しにくい状態となっている。一方、第２スルーゲート６７への球の通過を契機として行われる第２図柄の変動表示の結果、「○」の図柄が第２図柄表示装置に表示された場合、第２電動役物８２ａが開放状態（拡大状態）となり、球が第３入賞口８２へ入賞しやすい状態となる。
【００５１】
上述した通り、確変中および時短中は、通常中と比して第２図柄の当たり確率が高く、また、第２図柄の変動表示にかかる時間も短いので、第２図柄の変動表示において「○」の図柄が表示され易くなって、第１電動役物６４０ａおよび第２電動役物８２ａが開放状態（拡大状態）となる回数が増える。更に、確変中または時短中は、第１電動役物６４０ａおよび第２電動役物８２ａが開放される時間も、通常中より長くなる。よって、確変中または時短中は、通常時と比して、第２入賞口６４０および第３入賞口８２へ球が入賞しやすい状態を作ることができる。
【００５２】
ここで、第１入賞口６４に球が入賞した場合と第２入賞口６４０および第３入賞口８２へ球が入賞した場合とで、大当たりとなる確率は、低確率状態であっても高確率状態でも同一である。しかしながら、大当たりとなった場合に選定される大当たりの種別として１５Ｒ確変大当たりとなる確率は、第２入賞口６４０および第３入賞口８２へ球が入賞した場合のほうが第１入賞口６４へ球が入賞した場合よりも高く設定されている。一方、第１入賞口６４は、第２入賞口６４０および第３入賞口８２にあるような第１電動役物６４０ａおよび第２電動役物８２ａは有しておらず、球が常時入賞可能な状態となっている。
【００５３】
よって、通常中においては、第２入賞口６４０および第３入賞口８２に付随する電動役物が閉鎖状態にある場合が多く、第２入賞口６４０および第３入賞口８２に入賞しづらいので、電動役物のない第１入賞口６４へ向けて、可変表示装置ユニット８０の左方を球が通過するように球を発射し（所謂「左打ち」）、第１入賞口６４への入賞によって大当たり抽選の機会を多く得て、大当たりとなることを狙った方が、遊技者にとって有利となる。
【００５４】
一方、確変中や時短中は、第２スルーゲート６７に球を通過させることで、第３入賞口８２に付随する第２電動役物８２ａが開放状態となりやすく、第３入賞口８２に入賞しやすい状態であるので、第３入賞口８２へ向けて、可変表示装置８０の右方を球が通過するように球を発射し（所謂「右打ち」）、第２スルーゲート６７を通過させて第２電動役物８２ａを開放状態にすると共に、第３入賞口８２への入賞によって１５Ｒ確変大当たりとなることを狙った方が、遊技者にとって有利となる。
【００５５】
このように、本実施形態のパチンコ機１は、パチンコ機１の遊技状態（確変中であるか、時短中であるか、通常中であるか）に応じて、遊技者に対し、球の発射の仕方を「左打ち」と「右打ち」とに変えさせることができる。よって、遊技者に対して、球の打ち方に変化をもたらすことができるので、遊技を楽しませることができる。
【００５６】
なお、上記した形態に限らず、第１スルーゲート６６および第２スルーゲート６７のどちらかは、球が通過した場合、第２図柄とは別の図柄の当たり抽選をしてもよく、その別の図柄の抽選によって、第３入賞口８２に付随する第２電動役物８２ａまたは、第２入賞口６４０に付随する第１電動役物６４０ａが開放状態に変位するものとしてもよい。この場合、第１スルーゲート６６と第２スルーゲート６７に球が通過することで抽選する図柄は異なるため、第１スルーゲート６６および第２スルーゲート６７を球が通過して開放する電動役物はどちらか一方ずつに選択されることになる。
【００５７】
これにより、例えば、第２図柄に当たりが選択されると第２電動役物８２ａが開放するとした場合、球を右打ちして第２スルーゲート６７を通過させると、第２図柄が抽選され、第２図柄の抽選に当たりが選択されると第２電動役物８２ａが開放し、球を左打ちして第１スルーゲート６６を通過させると、第２図柄とは別の図柄が抽選され、第２図柄とは別の図柄に当たりが選択されると第１電動役物６４０ａが開放する遊技状態とできる。
【００５８】
よって、確変中に第２図柄の抽選が当たり易い遊技状態とし、時短中には第２図柄とは別の図柄が当たりやすい遊技状態とすると、確変中は、右打ちして第２スルーゲート６７を通過させ第２電動役物８２ａを開放して球を入賞させ易い遊技状態と、時短中は、左打ちして第１スルーゲート６６を通過させ第１電動役物を開放して球を入賞し易い遊技状態にできる。そのため、通常中と時短中と確変中の遊技状態をそれぞれ違った遊技状態にできるので、遊技者にそれぞれの遊技状態を楽しませることができる。
【００５９】
また、他には、第２図柄に当たりが選択されると第２電動役物８２ａが開放するとした場合、球を右打ちして第２スルーゲート６７を通過させると、第２図柄とは別の図柄が抽選され、第２図柄とは別の図柄の抽選に当たりが選択されると第１電動役物６４０ａが開放し、球を左打ちして第１スルーゲート６６を通過させると、第２図柄が抽選され、第２図柄に当たりが選択されると第２電動役物８２ａが開放する遊技状態にもできる。
【００６０】
この場合は、確変中および時短中にかかわらず、右打ちして球が第２スルーゲート６７を通過すると第１電動役物を開放し、球を第２入賞口６４０に入賞し易い遊技状態と、左打ちして球が第１スルーゲート６６を通過すると第２電動役物８２ａを開放し球を第３入賞口８２に入賞し易い遊技状態とできる。よって、遊技者は、右打ちから左打ちまたは、左打ちから右打ちといった打ち方の変更をする必要がある。そのため、遊技者に対して、随時打ち方に変化をもたらすことができるので、遊技を楽しませることができる。
【００６１】
第１入賞口６４の右側には可変入賞装置６５が配設されており、その略中央部分に横長矩形状の特定入賞口（大開放口）６５ａが設けられている。パチンコ機１においては、第１入賞口６４，第２入賞口６４，第３入賞口８２，のいずれかの入賞に起因して行われた大当たり抽選が大当たりとなると、所定時間（変動時間）が経過した後に、大当たりの停止図柄となるよう第１図柄表示装置３７Ａ又は第１図柄表示装置３７Ｂを点灯させると共に、その大当たりに対応した停止図柄を第３図柄表示装置８１に表示させて、大当たりの発生が示される。その後、球が入賞し易い特別遊技状態（大当たり）に遊技状態が遷移する。この特別遊技状態として、通常時には閉鎖されている特定入賞口６５ａが、所定時間（例えば、３０秒経過するまで、或いは、球が１０個入賞するまで）開放される。
【００６２】
この特定入賞口６５ａは、所定時間が経過すると閉鎖され、その閉鎖後、再度、その特定入賞口６５ａが所定時間開放される。この特定入賞口６５ａの開閉動作は、最高で例えば１５回（１５ラウンド）繰り返し可能にされている。この開閉動作が行われている状態が、遊技者にとって有利な特別遊技状態の一形態であり、遊技者には、遊技上の価値（遊技価値）の付与として通常時より多量の賞球の払い出しが行われる。
【００６３】
可変入賞装置６５は、具体的には、特定入賞口６５ａを覆う横長矩形状の開閉板と、その開閉板の下辺を軸として前方側に開閉駆動するための大開放口ソレノイド（図示せず）とを備えている。特定入賞口６５ａは、通常時は、球が入賞できないか又は入賞し難い閉状態になっている。大当たりの際には大開放口ソレノイドを駆動して開閉板を前面下側に傾倒し、球が特定入賞口６５ａに入賞しやすい開状態を一時的に形成し、その開状態と通常時の閉状態との状態を交互に繰り返すように作動する。
【００６４】
なお、上記した形態に特別遊技状態は限定されるものではない。特定入賞口６５ａとは別に開閉される大開放口を遊技領域に設け、第１図柄表示装置３７Ａ，３７Ｂにおいて大当たりに対応したＬＥＤが点灯した場合に、特定入賞口６５ａが所定時間開放され、その特定入賞口６５ａの開放中に、球が特定入賞口６５ａ内へ入賞することを契機として特定入賞口６５ａとは別に設けられた大開放口が所定時間、所定回数開放される遊技状態を特別遊技状態として形成するようにしても良い。また、特定入賞口６５ａは１つに限るものではなく、１つ若しくは２以上の複数（例えば３つ）配置しても良く、また配置位置も第１入賞口６４の上方右側に限らず、例えば、可変表示装置ユニット８０の左方でも良い。
【００６５】
遊技盤１３には、第１アウト口７１が設けられている。遊技領域を流下する球であって、いずれの入賞口６３，６４，６５ａ，６４０，８２，にも入賞しなかった球は、第１アウト口７１を通って図示しない球排出路へと案内される。第１アウト口７１は、第１入賞口６４の下方に配設される。
【００６６】
遊技盤１３には、球の落下方向を適宜分散、調整等するために多数の釘が植設されているとともに、風車等の各種部材（役物）とが配設されている。
【００６７】
図３に示すように、パチンコ機１の背面側には、制御基板ユニット９０，９１と、裏パックユニット９４とが主に備えられている。制御基板ユニット９０は、主基板（主制御装置１１０）と音声ランプ制御基板（音声ランプ制御装置１１３）と表示制御基板（表示制御装置１１４）とが搭載されてユニット化されている。制御基板ユニット９１は、払出制御基板（払出制御装置１１１）と発射制御基板（発射制御装置１１２）と電源基板（電源装置１１５）とカードユニット接続基板１１６とが搭載されてユニット化されている。
【００６８】
裏パックユニット９４は、保護カバー部を形成する裏パック９２と払出ユニット９３とがユニット化されている。また、各制御基板には、各制御を司る１チップマイコンとしてのＭＰＵ、各種機器との連絡をとるポート、各種抽選の際に用いられる乱数発生器、時間計数や同期を図る場合などに使用されるクロックパルス発生回路等が、必要に応じて搭載されている。
【００６９】
なお、主制御装置１１０、音声ランプ制御装置１１３および表示制御装置１１４、払出制御装置１１１および発射制御装置１１２、電源装置１１５、カードユニット接続基板１１６は、それぞれ基板ボックス１００〜１０４に収納されている。基板ボックス１００〜１０４は、ボックスベースと該ボックスベースの開口部を覆うボックスカバーとを備えており、そのボックスベースとボックスカバーとが互いに連結されて、各制御装置や各基板が収納される。
【００７０】
また、基板ボックス１００（主制御装置１１０）および基板ボックス１０２（払出制御装置１１１および発射制御装置１１２）は、ボックスベースとボックスカバーとを封印ユニット（図示せず）によって開封不能に連結（かしめ構造による連結）している。また、ボックスベースとボックスカバーとの連結部には、ボックスベースとボックスカバーとに亘って封印シール（図示せず）が貼着されている。この封印シールは、脆性な素材で構成されており、基板ボックス１００，１０２を開封するために封印シールを剥がそうとしたり、基板ボックス１００，１０２を無理に開封しようとすると、ボックスベース側とボックスカバー側とに切断される。よって、封印ユニット又は封印シールを確認することで、基板ボックス１００，１０２が開封されたかどうかを知ることができる。
【００７１】
払出ユニット９３は、裏パックユニット９４の最上部に位置して上方に開口したタンク１３０と、タンク１３０の下方に連結され下流側に向けて緩やかに傾斜するタンクレール１３１と、タンクレール１３１の下流側に縦向きに連結されるケースレール１３２と、ケースレール１３２の最下流部に設けられ、払出モータ２１６（図４参照）の所定の電気的構成により球の払出を行う払出装置１３３とを備えている。タンク１３０には、遊技ホールの島設備から供給される球が逐次補給され、払出装置１３３により必要個数の球の払い出しが適宜行われる。タンクレール１３１には、当該タンクレール１３１に振動を付加するためのバイブレータ１３４が取り付けられている。
【００７２】
また、払出制御装置１１１には状態復帰スイッチ１２０が設けられ、発射制御装置１１２には可変抵抗器の操作つまみ１２１が設けられ、電源装置１１５にはＲＡＭ消去スイッチ１２２が設けられている。状態復帰スイッチ１２０は、例えば、払出モータ２１６（図４参照）部の球詰まり等、払出エラーの発生時に球詰まりを解消（正常状態への復帰）するために操作される。操作つまみ１２１は、発射ソレノイドの発射力を調整するために操作される。ＲＡＭ消去スイッチ１２２は、パチンコ機１を初期状態に戻したい場合に電源投入時に操作される。
【００７３】
次に、図４を参照して、本パチンコ機１の電気的構成について説明する。図４は、パチンコ機１の電気的構成を示すブロック図である。
【００７４】
主制御装置１１０には、演算装置である１チップマイコンとしてのＭＰＵ２０１が搭載されている。ＭＰＵ２０１には、該ＭＰＵ２０１により実行される各種の制御プログラムや固定値データを記憶したＲＯＭ２０２と、そのＲＯＭ２０２内に記憶される制御プログラムの実行に際して各種のデータ等を一時的に記憶するためのメモリであるＲＡＭ２０３と、そのほか、割込回路やタイマ回路、データ送受信回路などの各種回路が内蔵されている。主制御装置１１０では、ＭＰＵ２０１によって、大当たり抽選や第１図柄表示装置３７Ａ，３７Ｂおよび第３図柄表示装置８１における表示の設定、第２図柄表示装置における表示結果の抽選といったパチンコ機１の主要な処理を実行する。
【００７５】
なお、払出制御装置１１１や音声ランプ制御装置１１３などのサブ制御装置に対して動作を指示するために、主制御装置１１０から該サブ制御装置へ各種のコマンドがデータ送受信回路によって送信されるが、かかるコマンドは、主制御装置１１０からサブ制御装置へ一方向にのみ送信される。
【００７６】
ＲＡＭ２０３は、各種エリア、カウンタ、フラグのほか、ＭＰＵ２０１の内部レジスタの内容やＭＰＵ２０１により実行される制御プログラムの戻り先番地などが記憶されるスタックエリアと、各種のフラグおよびカウンタ、Ｉ／Ｏ等の値が記憶される作業エリア（作業領域）とを有している。なお、ＲＡＭ２０３は、パチンコ機１の電源の遮断後においても電源装置１１５からバックアップ電圧が供給されてデータを保持（バックアップ）できる構成となっており、ＲＡＭ２０３に記憶されるデータは、すべてバックアップされる。
【００７７】
停電などの発生により電源が遮断されると、その電源遮断時（停電発生時を含む。以下同様）のスタックポインタや、各レジスタの値がＲＡＭ２０３に記憶される。一方、電源投入時（停電解消による電源投入を含む。以下同様）には、ＲＡＭ２０３に記憶される情報に基づいて、パチンコ機１の状態が電源遮断前の状態に復帰される。ＲＡＭ２０３への書き込みはメイン処理（図示せず）によって電源遮断時に実行され、ＲＡＭ２０３に書き込まれた各値の復帰は電源投入時の立ち上げ処理（図示せず）において実行される。なお、ＭＰＵ２０１のＮＭＩ端子（ノンマスカブル割込端子）には、停電等の発生による電源遮断時に、停電監視回路２５２からの停電信号ＳＧ１が入力されるように構成されており、その停電信号ＳＧ１がＭＰＵ２０１へ入力されると、停電時処理としてのＮＭＩ割込処理（図示せず）が即座に実行される。
【００７８】
主制御装置１１０のＭＰＵ２０１には、アドレスバスおよびデータバスで構成されるバスライン２０４を介して入出力ポート２０５が接続されている。入出力ポート２０５には、払出制御装置１１１、音声ランプ制御装置１１３、第１図柄表示装置３７Ａ，３７Ｂ、第２図柄表示装置、第２図柄保留ランプ、特定入賞口６５ａの開閉板の下辺を軸として前方側に開閉駆動するための大開放口ソレノイドや電動役物を駆動するためのソレノイドなどからなるソレノイド２０９が接続され、ＭＰＵ２０１は、入出力ポート２０５を介してこれらに対し各種コマンドや制御信号を送信する。
【００７９】
また、入出力ポート２０５には、図示しないスイッチ群およびスライド位置検出センサＳや回転位置検出センサＲを含むセンサ群などからなる各種スイッチ２０８、電源装置１１５に設けられた後述のＲＡＭ消去スイッチ回路２５３が接続され、ＭＰＵ２０１は各種スイッチ２０８から出力される信号や、ＲＡＭ消去スイッチ回路２５３より出力されるＲＡＭ消去信号ＳＧ２に基づいて各種処理を実行する。
【００８０】
払出制御装置１１１は、払出モータ２１６を駆動させて賞球や貸出球の払出制御を行うものである。演算装置であるＭＰＵ２１１は、そのＭＰＵ２１１により実行される制御プログラムや固定値データ等を記憶したＲＯＭ２１２と、ワークメモリ等として使用されるＲＡＭ２１３とを有している。
【００８１】
払出制御装置１１１のＲＡＭ２１３は、主制御装置１１０のＲＡＭ２０３と同様に、ＭＰＵ２１１の内部レジスタの内容やＭＰＵ２１１により実行される制御プログラムの戻り先番地などが記憶されるスタックエリアと、各種のフラグおよびカウンタ、Ｉ／Ｏ等の値が記憶される作業エリア（作業領域）とを有している。ＲＡＭ２１３は、パチンコ機１の電源の遮断後においても電源装置１１５からバックアップ電圧が供給されてデータを保持（バックアップ）できる構成となっており、ＲＡＭ２１３に記憶されるデータは、すべてバックアップされる。なお、主制御装置１１０のＭＰＵ２０１と同様、ＭＰＵ２１１のＮＭＩ端子にも、停電等の発生による電源遮断時に停電監視回路２５２から停電信号ＳＧ１が入力されるように構成されており、その停電信号ＳＧ１がＭＰＵ２１１へ入力されると、停電時処理としてのＮＭＩ割込処理（図示せず）が即座に実行される。
【００８２】
払出制御装置１１１のＭＰＵ２１１には、アドレスバスおよびデータバスで構成されるバスライン２１４を介して入出力ポート２１５が接続されている。入出力ポート２１５には、主制御装置１１０や払出モータ２１６、発射制御装置１１２などがそれぞれ接続されている。また、図示はしないが、払出制御装置１１１には、払い出された賞球を検出するための賞球検出スイッチが接続されている。なお、該賞球検出スイッチは、払出制御装置１１１に接続されるが、主制御装置１１０には接続されていない。
【００８３】
発射制御装置１１２は、主制御装置１１０により球の発射の指示がなされた場合に、操作ハンドル５１の回動操作量に応じた球の打ち出し強さとなるよう球発射ユニット１１２ａを制御するものである。球発射ユニット１１２ａは、図示しない発射ソレノイドおよび電磁石を備えており、その発射ソレノイドおよび電磁石は、所定条件が整っている場合に駆動が許可される。具体的には、遊技者が操作ハンドル５１に触れていることをタッチセンサ５１ａにより検出し、球の発射を停止させるための発射停止スイッチ５１ｂがオフ（操作されていないこと）を条件に、操作ハンドル５１の回動操作量（回動位置）に対応して発射ソレノイドが励磁され、操作ハンドル５１の操作量に応じた強さで球が発射される。
【００８４】
音声ランプ制御装置１１３は、音声出力装置（図示しないスピーカなど）２２６における音声の出力、ランプ表示装置（電飾部２９〜３３、表示ランプ３４など）２２７における点灯および消灯の出力、変動演出（変動表示）や予告演出といった表示制御装置１１４で行われる第３図柄表示装置８１の表示態様の設定などを制御するものである。演算装置であるＭＰＵ２２１は、そのＭＰＵ２２１により実行される制御プログラムや固定値データ等を記憶したＲＯＭ２２２と、ワークメモリ等として使用されるＲＡＭ２２３とを有している。
【００８５】
音声ランプ制御装置１１３のＭＰＵ２２１には、アドレスバスおよびデータバスで構成されるバスライン２２４を介して入出力ポート２２５が接続されている。入出力ポート２２５には、主制御装置１１０、表示制御装置１１４、音声出力装置２２６、ランプ表示装置２２７、その他装置２２８、枠ボタン２２などがそれぞれ接続されている。
【００８６】
音声ランプ制御装置１１３は、主制御装置１１０から受信した各種のコマンド（変動パターンコマンド、停止種別コマンド等）に基づいて、第３図柄表示装置８１の表示態様を決定し、決定した表示態様をコマンド（表示用変動パターンコマンド、表示用停止種別コマンド等）によって表示制御装置１１４へ通知する。また、音声ランプ制御装置１１３は、枠ボタン２２からの入力を監視し、遊技者によって枠ボタン２２が操作された場合は、第３図柄表示装置８１で表示されるステージを変更したり、スーパーリーチ時の演出内容を変更したりするように、表示制御装置１１４へ指示する。ステージが変更される場合は、変更後のステージに応じた背面画像を第３図柄表示装置８１に表示させるべく、変更後のステージに関する情報を含めた背面画像変更コマンドを表示制御装置１１４へ送信する。ここで、背面画像とは、第３図柄表示装置８１に表示させる主要な画像である第３図柄の背面側に表示される画像のことである。表示制御装置１１４は、この音声ランプ制御装置１１３から送信されるコマンドに従って、第３図柄表示装置８１に各種の画像を表示する。
【００８７】
また、音声ランプ制御装置１１３は、表示制御装置１１４から第３図柄表示装置８１の表示内容を表すコマンド（表示コマンド）を受信する。音声ランプ制御装置１１３では、表示制御装置１１４から受信した表示コマンドに基づき、第３図柄表示装置８１の表示内容に合わせて、その表示内容に対応する音声を音声出力装置２２６から出力し、また、その表示内容に対応させてランプ表示装置２２７の点灯および消灯を制御する。
【００８８】
表示制御装置１１４は、音声ランプ制御装置１１３および第３図柄表示装置８１が接続され、音声ランプ制御装置１１３より受信したコマンドに基づいて、第３図柄表示装置８１における第３図柄の変動演出などの表示を制御するものである。また、表示制御装置１１４は、第３図柄表示装置８１の表示内容を通知する表示コマンドを適宜音声ランプ制御装置１１３へ送信する。音声ランプ制御装置１１３は、この表示コマンドによって示される表示内容にあわせて音声出力装置２２６から音声を出力することで、第３図柄表示装置８１の表示と音声出力装置２２６からの音声出力とをあわせることができる。
【００８９】
電源装置１１５は、パチンコ機１の各部に電源を供給するための電源部２５１と、停電等による電源遮断を監視する停電監視回路２５２と、ＲＡＭ消去スイッチ１２２（図３参照）が設けられたＲＡＭ消去スイッチ回路２５３とを有している。電源部２５１は、図示しない電源経路を通じて、各制御装置１１０〜１１４等に対して各々に必要な動作電圧を供給する装置である。その概要としては、電源部２５１は、外部より供給される交流２４ボルトの電圧を取り込み、各種スイッチ２０８などの各種スイッチや、ソレノイド２０９などのソレノイド、モータ等を駆動するための１２ボルトの電圧、ロジック用の５ボルトの電圧、ＲＡＭバックアップ用のバックアップ電圧などを生成し、これら１２ボルトの電圧、５ボルトの電圧およびバックアップ電圧を各制御装置１１０〜１１４等に対して必要な電圧を供給する。
【００９０】
停電監視回路２５２は、停電等の発生による電源遮断時に、主制御装置１１０のＭＰＵ２０１および払出制御装置１１１のＭＰＵ２１１の各ＮＭＩ端子へ停電信号ＳＧ１を出力するための回路である。停電監視回路２５２は、電源部２５１から出力される最大電圧である直流安定２４ボルトの電圧を監視し、この電圧が２２ボルト未満になった場合に停電（電源断、電源遮断）の発生と判断して、停電信号ＳＧ１を主制御装置１１０および払出制御装置１１１へ出力する。停電信号ＳＧ１の出力によって、主制御装置１１０および払出制御装置１１１は、停電の発生を認識し、ＮＭＩ割込処理を実行する。なお、電源部２５１は、直流安定２４ボルトの電圧が２２ボルト未満になった後においても、ＮＭＩ割込処理の実行に充分な時間の間、制御系の駆動電圧である５ボルトの電圧の出力を正常値に維持するように構成されている。よって、主制御装置１１０および払出制御装置１１１は、ＮＭＩ割込処理（図示せず）を正常に実行し完了することができる。
【００９１】
ＲＡＭ消去スイッチ回路２５３は、ＲＡＭ消去スイッチ１２２（図３参照）が押下された場合に、主制御装置１１０へ、バックアップデータをクリアさせるためのＲＡＭ消去信号ＳＧ２を出力するための回路である。主制御装置１１０は、パチンコ機１の電源投入時に、ＲＡＭ消去信号ＳＧ２を入力した場合に、バックアップデータをクリアすると共に、払出制御装置１１１においてバックアップデータをクリアさせるための払出初期化コマンドを払出制御装置１１１に対して送信する。
【００９２】
図５は、パチンコ機１の正面斜視図であり、外枠２に対して内枠４及び前扉５とが開放された状態（前方へ回転された状態）が図示される。なお、図５では、パチンコ機１の遊技領域ＰＥ内の構成が省略して図示される。
【００９３】
図５に示すように、パチンコ機１は、パチンコ機１の外殻を形成する外枠２（枠部材）と、この外枠２に対して前方に回動可能に取り付けられた遊技機主部３とを有する。外枠２は木製の板材を四辺に連結し構成されるものであって矩形枠状をなしている。パチンコ機１は、外枠２を島設備に取り付け固定することにより、遊技施設に設置される。
【００９４】
遊技機主部３は、ベース体としての内枠４（背面ユニット）と、その内枠４の前方に配置される前扉５と、内枠４の後方に配置される裏パックユニット６とを備えている。遊技機主部３のうち内枠４が外枠２に対して回動可能に支持されている。詳細には、パチンコ機１の正面視で左側を回動基端側、右側を回動先端側として、内枠４が回動基端側の上下方向を回動軸として外枠２に対して前方へ回動可能とされている。
【００９５】
内枠４には、前扉５が回動可能に支持されている。詳細には、正面視で左側を回動基端側とし右側を回動先端側として、前扉５が回動基端側の上下方向を回動軸として内枠４に対して前方へ回動可能とされている。また、内枠４には、裏パックユニット６が回動可能に支持されており、正面視で左側を回動基端側とし右側を回動先端側として後方へ回動可能とされている。
【００９６】
前扉５は、内枠４における前面側のほぼ全域を覆うようにして設けられている。前扉５には後述する遊技領域ＰＥのほぼ全域を前方から視認することができるようにした窓部５ｃが形成されている。窓部５ｃは、正面視円形をなし、透明性を有するガラス８が嵌め込まれている。
【００９７】
より詳しくは、前扉５は、窓部５ｃを囲むようにして設けられたガラスホルダ９を有している。ガラスホルダ９は、前扉５の背面から後方に張り出しており、窓部５ｃの左右の縁部に沿って上下に延びる縦ホルダ部９ａ，９ｂとそれら両縦ホルダ部９ａ，９ｂの下端部を繋いで左右に延びる横ホルダ部９ｃとを有してなる。各ホルダ部９ａ〜９ｃには、前後に並設された２条の溝部が形成されている。縦ホルダ部９ａ，９ｂの溝部は上方及び互いに向き合う側（すなわち窓部５ｃの中央側）に開放されており、横ホルダ部９ｃの溝部は、上方に開放されているとともに、両縦ホルダ部９ａ，９ｂの溝部に対して連なっており、それら各溝部に対してガラス８が嵌まることで、遊技領域ＰＥが内外２重に覆われた状態となっている。
【００９８】
前扉５の背面には、通路形成ユニット１６０が取り付けられている。通路形成ユニット１６０は、合成樹脂により成形されており、上皿１７に通じる前扉側上皿通路１６１と、下皿５０に通じる前扉側下皿通路１６２とが形成されてなる。通路形成ユニット１６０において、その上側隅部には後方に突出し上方に開放された受口部１６３が形成されており、当該受口部１６３を仕切壁１６４によって左右に仕切ることで前扉側上皿通路１６１と前扉側下皿通路１６２の入口部分とが形成されている。前扉側上皿通路１６１及び前扉側下皿通路１６２は上流側が遊技球分配部（図示せず）に通じており、前扉側上皿通路１６１に入った遊技球は上皿１７に導かれ、前扉側下皿通路１６２に入った遊技球は下皿５０に導かれる。
【００９９】
前扉５の背面における回動先端側（図５左側）には、後方に延びる鉤部材１６６（１６６ａ〜１６６ｃ）が上下方向に複数並設されている。これら鉤部材１６６が内枠４に配設された鉤受け部材（図示せず）に係合されることで、内枠４に対する前扉５の施錠機構を構成する。また、内枠４の回動先端側（図５右側）と相対する外枠２の右側部には、鉤受け部材２ａ，２ｂが外枠２の上部および下部にそれぞれ配設されている。これら鉤受け部材２ａ，２ｂは外枠２に対する内枠４の施錠機構を構成する。
【０１００】
内枠４は、外形が外枠２とほぼ同一形状をなす樹脂ベース１４０を主体に構成されている。樹脂ベース１４０前面の略中央部分には、遊技盤１３を収容する遊技盤収容部１４１が形成されている。遊技盤収容部１４１は、樹脂ベース１４０の背面側（後方）に凹み、遊技盤１３を収容する収容空間を区画しており、前扉５に取り付けられた遊技盤１３がその空間に収容された状態となる。遊技盤１３は、木製の合板とその合板における前側の板面を覆うシート材とを有してなり、その前面が樹脂ベース１４０の正面側に露出している。この露出している部位、すなわち遊技盤１３の前面には、遊技球が流下する遊技領域ＰＥが形成されている。
【０１０１】
遊技盤１３には、ルータ加工が施されることによって自身の厚さ方向（前後方向）に貫通する大小複数の開口が形成されている。各開口には、一般入賞口、可変入賞装置、作動口、スルーゲート及び可変表示ユニット等がそれぞれ設けられている。一般入賞口、可変入賞装置及び作動口に遊技球が入ると、それら遊技球が検知スイッチにより検知され、その検知結果に基づいて所定数の賞球の払い出しが実行される。その他に、遊技盤１３の最下部には第１アウト口７１が設けられており、各種入賞口等に入らなかった遊技球は第１アウト口７１を通って遊技領域ＰＥから排出される。
【０１０２】
また、遊技盤１３には、遊技球の流下経路を適宜分散，調整等するために多数の釘が植設されているとともに、風車等の各種部材（役物）が配設されている。これら釘や風車等の各種構成（図示せず）によって、遊技球の流下経路が分化され、上述した一般入賞口等への入賞が適度な確立で発生するように調整されている。
【０１０３】
ここで、樹脂ベース１４０における遊技盤収容部１４１の下方には、操作ハンドル５１の操作に基づいて遊技領域ＰＥへ遊技球を発射する遊技球発射機構１４２が設けられている。より詳しくは、樹脂ベース１４０において遊技盤収容部１４１の下方には遊技球発射機構１４２を設置する遊技球発射機構１４３が形成されている。
【０１０４】
遊技球発射機構１４３に設置された遊技球発射機構１４２は、内枠４の回動先端寄りに位置している。遊技球発射機構１４２は、所定の発射待機位置に配置された遊技球を打ち出すソレノイドと、同ソレノイドによって打ち出された遊技球の発射方向を規定する発射レールと、上記発射待機位置に遊技球を供給する球送り機構と、それら各種構成が装着されているベースプレートとを主要な構成として備えており、同ベースプレートが樹脂ベース１４０に対してネジ止めされることで内枠４に対して一体化されている。
【０１０５】
遊技球発射機構１４２（詳しくはソレノイド）は、電源及び発射制御装置（図示せず）に対して電気的に接続されている。その電源及び発射制御装置からの電気的な信号の出力に基づいてソレノイドの出力軸が伸縮方向、すなわち発射レールのレール方向に移動し、発射待機位置に置かれた遊技球が遊技領域ＰＥ、詳しくは遊技盤１３に装着された誘導レール７５に向けて打ち出される。
【０１０６】
誘導レール７５は、遊技球を誘導すると共に遊技領域ＰＥを区画するための部材である。誘導レール７５は、遊技球の直径よりも若干大きな隙間を隔てて対峙するように配置された２つのレール（外レール７７及び内レール７６）で挟まれた領域によって遊技球の案内通路７５ａが形成されている。案内通路７５ａは、発射レールの先端側（遊技盤１３の下端側）に開放された入口部分７５ｂと、遊技領域ＰＥの上部に位置する出口部分７５ｃとを有している。ソレノイドの動作に基づいて遊技球発射機構１４２から発射された遊技球は、発射レール（内枠４）→案内通路７５ａ（入口部分７５ｂ→出口部分７５ｃ）の順に移動することにより、誘導レール７５で区画された遊技盤１３の遊技領域ＰＥに導かれる。
【０１０７】
内枠４に配設された発射レール（遊技球発射機構１４２）と誘導レール７５は、誘導レール７５の入口部分７５ｂと発射レールの先端部分とが遊技盤１３の下端縁を挟んで斜めに対峙するように配置されている。つまり、それら両レールは、誘導レール７５の入口部分７５ｂ（詳しくは特定部位）と発射レールの先端部分とが遊技盤１３の下端縁近傍にて左右にずれるようにして配置されている。これにより両レールを遊技盤１３の下端縁に近づけつつ、誘導レール７５の入口部分７５ｂと発射レールとの間には所定間隔の隙間が形成されている。
【０１０８】
このようにして形成された隙間よりも下側にはファール球通路１６５（図２参照）が配設されている。ファール球通路１６５は前扉５の通路形成ユニット１６０に一体成形されている。仮に、遊技球発射機構１４２から発射された遊技球が遊技領域ＰＥまで至らずファール球として案内通路７５ａ内を逆戻りする場合には、ファール球が上記隙間を介してファール球通路１６５内に入ることとなる。ファール球通路１６５は前扉側下皿通路１６２に通じており、ファール球通路１６５に入った遊技球は、下皿５０（図１参照）に排出される。これにより、ファール球と次に発射される遊技球との干渉が抑制される。
【０１０９】
樹脂ベース１４０において発射レールの左方には、樹脂ベース１４０を前後方向に貫通させて通路形成部１４４が設けられている。通路形成部１４４には本体側上皿通路と本体側下皿通路とを有してなり、それら本体側上皿通路及び本体側下皿通路の上流側は、遊技球分配部に通じている。また、通路形成部１４４の下方には前扉５に取り付けられた通路形成ユニット１６０の受口部１６３が入り込んでおり、本体側上皿通路の下方には前扉側上皿通路１６１が配置され、本体側下皿通路の下方には前扉側下皿通路１６２が配置されている。
【０１１０】
内枠４及び遊技盤１３の背面には、各種制御基板が上下左右に並べられるようにして又は前後に重ねられるようにして配置されており、更に、遊技球を供給するための遊技球供給装置や合成樹脂製の保護カバー３５等が取着されている。即ち、保護カバー１５０の最上部には上方に開口したタンク１３０が設けられており、このタンク１３０には遊技施設の島設備から供給される遊技球が逐次補給される。そして、払出モータ（図示せず）等の所定の電気的構成により必要個数の遊技球の払出が適宜行われる。払出装置より払い出された遊技球は払出通路等を通じて上皿１７（図１参照）に供給される。
【０１１１】
内枠４の前面における回動基端側（図２左側）には、その上端部および下端部にヒンジ１８が取り付けられている。ヒンジ１８にはピン１８ｄが突設されている。一方、外枠２の前面における回動基端側（図２左側）には、ヒンジ１８と相対する位置に受金具２５が取り付けられている。受金具２５には軸孔２５ｃが形成されており、それら軸孔２５ｃにヒンジ１８のピン１８ｄが挿入され、そのピン１８ｄの先端は、前扉５の上端部および下端部に形成された軸孔（図示せず）に挿入される。これによりピン１８ｄを回動軸として、外枠２に対して内枠４及び前扉５がそれぞれ開閉可能に支持されている。
【０１１２】
次いで、図６から図１７を参照して、前扉５の所定位置（収容部５１１）への介設板５４０の戻し忘れ（取り付け忘れ）を抑制するための機構（以下「抑制機構」と称す）について説明する。
【０１１３】
まず、抑制機構の全体構成について、図６から図９を参照して説明する。図６は、前扉５の上側部分の正面斜視図であり、図７は、前扉５の上側部分の背面斜視図である。また、図８は、前扉５の上側部分の分解正面斜視図であり、図９は、前扉５の上側部分の分解背面斜視図である。
【０１１４】
図６から図９に示すように、前扉５の上側部分は、正面側に配設される本体部材５１０と、その本体部材５１０に収容されるパネル部材５２０と、本体部材５１０の上面に配設される天板５３０及び介設板５４０と、本体部材５１０の背面側に固着される背面部材５５０と、その背面部材５５０に配設されるロック部材５６０及びレバー部材５７０とを主に備える。
【０１１５】
本体部材５１０は、パチンコ機１の正面上部における電飾部を構成するための光透過性材料からなる部材であり、内部に設けられたＬＥＤ等の発光手段が、大当たり時や所定のリーチ時等における遊技状態の変化に応じて、点灯又は点滅することにより、遊技中の演出効果を高める役割を果たす。また、本体部材５１０の正面側は、少なくとも後述するパネル部材５２０に対応する領域が透明材料から形成され、その透明材料の部分を介して、パネル部材５２０に表示される機種情報等が視認可能とされる。
【０１１６】
本体部材５１０の上面には、天板５３０及び介設板５４０を配設するための収容部５１１が凹設される。本体部材５１０の上面からの収容部５１１の凹設深さは、収容部５１１に天板５３０及び介設板５４０が配設された状態で、本体部材５１０の上面と天板５３０及び介設板５４０の上面とが面一に連なる深さに設定される。
【０１１７】
この場合、収容部５１１の内周縁（内壁面）のうちの互いに対向する左右の内壁面には、スライド溝５１１ａが形成される。スライド溝５１１ａは、パチンコ機１の前後方向に延びる断面コ字状の凹溝であり、天板５３０の左右の縁部から突設される板状の突片部５３１が係合される。これにより、天板５３０を本体部材５１０に対して前後方向にスライド変位させることができると共に、本体部材５１０に背面部材５５０が配設された状態では、本体部材５１０からの天板５３０の取り外しを不能とできる。
【０１１８】
なお、スライド溝５１１ａは、収容部５１１の内周縁（内壁面）のうちの正面側の内壁面にも形成される。即ち、収容部５１１の内周縁のうちの左右のスライド溝５１１ａの正面側の端部どうしを繋いで左右に延びる位置にもスライド溝５１１ａが形成され、この位置のスライド溝５１１ａには、天板５３０の正面側の縁部から突設される板状の突片部５３１が係合される。よって、正面のスライド溝５１１ａ及び左右のスライド溝５１１ａと天板５３０の突片部５３１との係合により、本体部材５１０と天板５３０との間の隙間から異物が挿入され不正が行われることを抑制できる。
【０１１９】
収容部５１１には、その底面から下方へ向けて凹設される凹部５１１ｃが形成される。凹部５１１ｃは、パチンコ機１の機種情報等が表示された板状のパネル部材５２０を収容するための空間であり、かかるパネル部材５２０を遊技者が視認できるように、本体部材５１０の正面側に形成される。よって、パネル部材５２０の交換やその位置調整を行う際には、後述するように、天板５３０を後方へスライド変位させる必要が生じるように形成される。
【０１２０】
また、収容部５１１には、その底面から下方へ向けて凹設される逃げ部５１１ｄが形成されると共に、その逃げ部５１１ｄの正面側に保持部５１１ｅが形成される。逃げ部５１１ｄは、介設板５４０の挿通筒部５４１を受け入れるための凹部である（図１２参照）。また、保持部５１１ｅは、背面部材５５０の挿通孔５５１に対面する側が開放された凹部として形成され、その凹部の内壁面および底面により、ロック部材５６０（基部材５６２）の基端を保持する（図１１参照）。
【０１２１】
天板５３０には、上述したように、その縁部から板状の突片部５３１が突設され、左右の突片部５３１が本体部材５１０のスライド溝５１１ａに係合されることで、パチンコ機１の前後方向に沿って天板５３０がスライド変位可能とされる。この場合、本体部材５１０の背面に配設される背面部材５５０は、天板５３０の縁部に干渉（当接）可能な高さを有して形成される。これにより、天板５３０を後方へスライド変位させた場合には、天板５３０を背面部材５５０に干渉させて、天板５３０の取り外しを不能とできる。
【０１２２】
介設板５４０は、天板５３０と背面部材５５０との間に介設される板状の部材であり、本体部材５１０の収容部５１１に着脱可能に配設される。介設板５４０が取り外されると、天板５３０と背面部材５５０との間に空間が形成され、その空間の分、天板５３０を後方（背面部材５５０側）へ向けてスライド変位させることができる（図１３、図１４及び図１６参照）。
【０１２３】
介設板５４０は、横長の板状に形成され、その長手方向一端側の底面に挿通筒部５４１が形成される。挿通筒部５４１は、ロック部材５６０が挿抜される部位であり、両端が開口された筒状に形成される。後述するように、挿通筒部５４１にロック部材５６０が挿通されることで、介設板５４０を本体部材５１０から取り外し不能な状態が形成できる一方、挿通筒部５４１からロック部材５６０が抜き取られることで、介設板５４０を本体部材５１０から取り外し可能な状態が形成できる。
【０１２４】
介設板５４０には、その長手方向他端側（挿通筒部５４１と反対側）の縁部から板状の突片部５４２が突設され、その突片部５４２は、本体部材５１０の収容部５１１におけるスライド溝５１１ａに係合される。なお、本実施形態では、突片部５４２の板厚寸法が、天板５３０の突片部５３１の板厚寸法よりも小さい（薄い）寸法に設定される。よって、本体部材５１０と介設板５４０との間の隙間から異物が挿入され不正が行われることを抑制できるだけでなく、後述するように、レバー部材５７０に跳ね上げられて、介設板５４０がその長手方向一端側を持ち上げた姿勢を形成する場合には（図１２及び図１５（ｂ）参照）、突片部５４２を支点として利用できる。これにより、レバー部材５７０に跳ね上げられる際の介設板５４０の姿勢を安定化させる（本体部材５１０から飛び出して脱落することを防止する）ことができる。
【０１２５】
背面部材５５０には、介設板５４０の挿通筒部５４１に対応する位置に挿通孔５５１が穿設されると共に、その挿通孔５５１の側方に支持軸５５２が正面から突設される。挿通孔５５１は、正面視矩形の開口として形成され、ロック部材５６０が挿通される。支持軸５５２には、レバー部材５７０が回転可能に軸支される。
【０１２６】
挿通孔５５１の開口寸法（幅寸法および高さ寸法）は、ロック部材５６０の張出部５６２ａにおける外形寸法（幅寸法および高さ寸法）よりも小さな寸法に設定される。これにより、ロック部材５６０が背面部材５５０の挿通孔５５１から背面側へ抜き取られることを回避できる。
【０１２７】
また、背面部材５５０には、左右方向に延設される板状の突片部５５３が正面から突設される。突片部５３１は、本体部材５１０に装着された介設板５４０の底面に対面され、これにより、介設板５４０と背面部材５５０との間の隙間から異物が挿入され不正が行われることを抑制できる。
【０１２８】
突片部５５３には、背面部材５５０の正面からの突設寸法が他の部分よりも大きくされる押さえ板部５５３ａが挿通孔５５１に対応する位置に形成される。押さえ板部５５３ａは、ロック部材５６０が後述する第１位置まで押込み操作された状態において、そのロック部材５６０の上面に当接されると共に軸部５６２ｂの軸心を越える位置まで突設される。これにより、後述するように、ロック部材５６０が第１位置において屈曲されることを抑制できる（図１１（ｂ）参照）。
【０１２９】
ロック部材５６０は、介設板５４０の挿通筒部５４１及び背面部材５５０の挿通孔５５１に挿通可能に形成される棒状の部材であり、屈曲可能に形成される。ここで、図１０を参照して、ロック部材５６０の詳細構成について説明する。
【０１３０】
図１０は、ロック部材５６０の分解正面斜視図である。図１０に示すように、ロック部材５６０は、先端部材５６１と、その先端部材５６１の基端側に連結される基部材５６２とを主に備え、基部材５６２の基端側には、複数（本実施形態では３個）の張出部５６２ａが外面から張り出し形成される。
【０１３１】
先端部材５６１は、その基端側の幅寸法が小さくされ、その幅寸法が小さくされた部分に軸支孔５６１ａが穿設される。一方、基部材５６２は、幅方向に二分割され、一方の分割体の先端側に軸部５６２ｂが突設される。軸部５６２ｂを軸支孔５６１ａに挿通した状態で、両分割体がボルトＢＴにより締結固定されて一体化されることで、先端部材５６１の基端側に基部材５６２が回転可能に連結される。即ち、ロック部材５６０が屈曲可能に形成される。
【０１３２】
張出部５６２ａは、背面部材５５０の挿通孔５５１を通過不能とするための突起であり、基部材５６２の基端側における左右の側面および底面からそれぞれ張り出し形成される。即ち、ロック部材５６０（先端部材５６１）が背面部材５５０の背面側から作業者により引き出し操作された場合には、張出部５６２ａが背面部材５５０の正面に係合されることで（図１２から図１４参照）、ロック部材５６０の抜き取りを規制できる。
【０１３３】
なお、張出部５６２ａが背面部材５５０の正面に係合された状態では、介設板５４０の挿通筒部５４１からロック部材５６０（基部材５６２）が全て引き抜かれた状態とされ、介設板５４０が取り外し可能とされると共に、軸部５６２ｂが背面部材５５０の背面よりも外側に位置され、基部材５６２に対して先端部材５６１を屈曲させることが可能とされる。
【０１３４】
この場合、ロック部材５６０は、軸部５６２ｂ及び軸支孔５６１ａの軸心方向を、水平方向（鉛直方向に直交する方向）であって前扉５の左右方向に沿わせた姿勢で配設される。よって、ロック部材５６０（先端部材５６１）が背面部材５５０の背面側から作業者により引き出し操作された場合には、先端部材５６１を、その自重により下方へ傾倒させることができる。即ち、作業者がロック部材５６０を屈曲させる操作を行わなかった場合でも、ロック部材５６０を重力の作用により屈曲した姿勢とすることができる。これにより、後述するように、レバー部材５７０の破損を抑制できる（図１７参照）。
【０１３５】
図６から図９に戻って説明する。レバー部材５７０は、基端側に軸支孔５７１が穿設され、この軸支孔５７１が背面部材５５０の支持軸５５２に回転可能に軸支されると共に、先端側を背面部材５５０の挿通孔５５１側へ向けた姿勢で、背面部材５５０の正面側に配設される。
【０１３６】
レバー部材５７０と背面部材５５０との間には、金属製のねじりばねＳＰ１が弾性的にねじり変形された状態で介設され、レバー部材５７０は、ねじりばねＳＰ１の弾性回復力によって、先端側を上方へ持ち上げる回転方向へ常に付勢される。
【０１３７】
この場合、介設板５４０が本体部材５１０の収容部５１１に収容された状態（挿通筒部５４１にロック部材５６０が挿通された状態）では、レバー部材５７０は、介設板５４０の底面から突出される被当接部５４３（図１２（ｂ）参照）によって下方へ押し下げられた姿勢とされており（図１１参照）、ロック部材５６０が介設板５４０の挿通筒部５４１から引き抜かれると、レバー部材５７０の先端側がねじりばねＳＰ１の弾性回復力により上方へ跳ね上げられる。これにより、介設板５４０を上方へ押し上げることができる（図１２参照）。
【０１３８】
レバー部材５７０の先端側が上方へ跳ね上げられた状態では、かかるレバー部材５７０の先端側が、背面部材５５０の挿通孔５５１に対面する位置に配置される（図１２から図１４参照）。これにより、ロック部材５６０の押し込み方向（背面部材５５０の背面側から正面側へ向かう方向）への移動をレバー部材５７０によって規制できる。
【０１３９】
次いで、パネル部材５２０を交換する作業を一例として、抑制機構の操作方法について、図１１から図１６を参照して説明する。図１１から図１４は、抑制機構の状態遷移を説明するための図であり、図１１（ａ）から図１４（ａ）は、図８の矢印ＸＩ方向視における背面部材５５０の正面図であり、図１１（ｂ）から図１４（ｂ）は、図１１（ａ）から図１４（ａ）のＸＩｂ−ＸＩｂ線からＸＩＶｂ−ＸＩＶｂ線における背面部材５５０の断面図である。なお、図１１（ｂ）から図１４（ｂ）では、ロック部材５６０が断面視されずに図示されると共に、前扉５の上側部分における全体構造が図示される。
【０１４０】
また、図１５及び図１６は、前扉５の上側部分の背面斜視図である。なお、図１５（ａ）に示す状態は図１１に示す状態に、図１５（ｂ）に示す状態は図１２に示す状態に、図１６（ａ）に示す状態は図１３に示す状態に、図１６（ｂ）に示す状態は図１４に示す状態に、それぞれ対応する。
【０１４１】
パネル部材５２０の交換に際しては、外枠２に対して遊技機主部３を開放し、かかる遊技機主部３の内枠４に対して前扉５を開放する（図５参照）。この前扉５が開放された状態において、ロック部材５６０のスライド操作（押し込み操作または引き出し操作）を行う。
【０１４２】
図１１及び図１５（ａ）に示すように、ロック部材５６０が第１位置に押し込み操作された状態では、介設板５４０の挿通筒部５４１にロック部材５６０が挿通され、挿通筒部５４１の一端側から突出するロック部材５６０（基部材５６２）の基端が本体部材５１０の保持部５１１ｅ内に保持されると共に、挿通筒部５４１の他端側から突出するロック部材５６０（先端部材５６１）の先端が背面部材５５０の挿通孔５５１に保持される。よって、介設板５４０が本体部材５１０の収容部５１１から取り外し不能とされる。
【０１４３】
この場合、保持部５１１ｅの内壁面にロック部材５６０の基部材５６２における上面および張出部５６２ａが当接されることで、ロック部材５６０の上下方向（図１１上下方向）及び左右方向（図１１紙面垂直方向）への移動が規制されると共に、保持部５１１ｅの底面にロック部材５６０の基部材５６２における基端が当接されることで、ロック部材５６０の押し込み方向への移動が規制される。また、押さえ板部５５３ａがロック部材５６０の上面に対面されると共にロック部材５６０の軸部５６２ｂの軸心を越える位置まで突設される。これにより、介設板５４０を上方（図１１（ｂ）上側）へ無理に持ち上げられた場合でも、ロック部材５６０が軸部５６２ｂを中心として屈曲されることを抑制できる。即ち、介設板５４０が不正に取り外されることを抑制できる。
【０１４４】
なお、ロック部材５６０は、内枠４に対して前扉５が閉じられた状態において、先端（先端部材５６１）が内枠４の正面に当接する位置まで引き出し方向（図１１（ｂ）右側）へスライド変位された場合に、基端（基部材５６２）が保持部５１１ｅ内に保持されるように、その長さ寸法（先端部材５６１及び基部材５６２が一直線上となる姿勢における長さ寸法、図１１（ｂ）左右方向寸法）が設定される。これにより、ロック部材５６０がスライド操作の方向へ位置ずれした場合でも、介設板５４０の取り外しを確実に規制できる。
【０１４５】
図１１及び図１５に示す状態から、ロック部材５６０が背面部材５５０の背面側へ引き出し操作され、張出部５６２ａが背面部材５５０の正面に係合される第２位置に達すると、ロック部材５６０のそれ以上の引き出し操作が不能とされる。
【０１４６】
この引き出し操作により、ロック部材５６０（基部材５６２）が介設板５４０の挿通筒部５４１から抜き取られると共に、ロック部材５６０（基部材５６２）の基端の端面がレバー部材５７０を越える位置まで後退される。即ち、レバー部材５７０の上方に空間が形成される。
【０１４７】
これにより、レバー部材５７０がねじりばねＳＰ１の弾性回復力により回転され、その先端側が上方へ跳ね上げられる。この場合、レバー部材５７０の先端側の上面には介設板５４０の被当接部５４３が当接されているので、かかる被当接部５４３がレバー部材５７０によって上方へ押し上げられることで、図１２及び図１５（ｂ）に示すように、介設板５４０の長手方向一端側が上方に持ち上げられる。
【０１４８】
ここで、ロック部材５６０が第１位置に押し込み操作された状態では、本体部材５１０の上面に対して介設板５４０の上面が略面一の状態で配設されるので、かかる介設板５４０を無理に取り外す不正な行為を抑制できる一方、パネル部材５２０を交換する場合などのために作業者が介設板５４０を取り外す際に作業性の悪化を招く。また、介設板５４０の上面に作業者が把持可能な取っ手を設けた場合には、作業者による作業性は向上するが、その取っ手に治具などを係合させることが可能となるため、てこの原理を利用して介設板５４０を上方へ持ち上げて不正行為のための隙間を形成しやすくなる。更に、取っ手の高さの分、本体部材５１０の上方に他の装置（例えば、遊技データの表示装置）を配設するスペースが減少される。
【０１４９】
これに対し、本実施形態では、ロック部材５６０が第１位置に押し込み操作された状態では、本体部材５１０の上面に対して介設板５４０の上面を略面一の状態として、不正行為を抑制できる一方、ロック部材５６０が第２位置に引き出し操作されることで、レバー部材５７０の跳ね上げ動作を利用して、介設板５４０の長手方向一端側を上方へ持ち上げることができる。即ち、上方へ持ち上げられた部分を把持できるので、介設板５４０を本体部材５１０から取り外す作業の作業性の向上を図ることができる。
【０１５０】
また、後述するように、本実施形態では、パネル部材５２０の交換が可能な状態を形成するためには、複数の操作工程（ロック部材５６０の引き出し操作、介設板５４０の取り外し、天板５３０のスライド変位）が必要となるところ、ロック部材５６０の引き出し操作が行われると、介設板５４０の長手方向一端が持ち上げられることで、次の操作工程が、介設板５４０の取り外しであることを、作業者に認識させることができる。
【０１５１】
図１３及び図１６（ａ）に示すように、本体部材５１０から介設板５４０が取り外されることで、天板５３０の後方（背面側、天板５３０と背面部材５５０との間）に空間が形成されるので、かかる空間を利用して、天板５３０を後方へスライド変位（後退）させることができる。その結果、図１４及び図１６（ｂ）に示すように、天板５３０の前方（正面側）が開放され、パネル部材５２０の交換が可能とされる。
【０１５２】
図１４及び図１６（ｂ）に示す状態において、パネル部材５２０を交換した後は、後方（背面側）へスライド変位（後退）されている天板５３０を前方（正面側）へスライド変位（前進）させる。これにより、図１３及び図１６（ａ）に示すように、天板５３０の後方（背面側、天板５３０と背面部材５５０との間）に空間が形成されるので、その空間に介設板５４０を取り付ける。
【０１５３】
即ち、介設板５４０の長手方向他端側に形成される突片部５４２を本体部材５１０のスライド溝５１１ａに係合（挿通）させる。これにより、介設板５４０の被当接部５４３がレバー部材５７０の上面に当接（載置）されることで、図１２及び図１５（ｂ）に示すように、介設板５４０は、その長手方向一端側が上方に持ち上げられた姿勢で、本体部材５１０の収容部５１１に配設される。
【０１５４】
この状態（図１２及び図１５（ｂ）に示す状態）から、介設板５４０の長手方向一端側が下方へ押し込まれると、ねじりばねＳＰ１の弾性回復力に抗しつつ、レバー部材５７０が被当接部５４３によって下方へ押し下げられる。介設板５４０がその上面を本体部材５１０及び天板５３０の上面と略面一となる位置まで押し下げられると、レバー部材５７０の先端側が背面部材５５０の挿通孔５５１よりも下方へ配置されると共に、介設板５４０の挿通筒部５４１が本体部材５１０の保持部５１１ｅ及び背面部材５５０の挿通孔５５１と一直線上となる位置（即ち、挿通筒部５４１の両端開口が保持部５１１ｅ及び挿通孔５５１に対面される位置）に配置される。
【０１５５】
よって、第２位置にあるロック部材５６０を第１位置へ向けて押込み操作することで、かかるロック部材５６０の基端側（基部材５６２）が、介設板５４０の挿通筒部５４１及び本体部材５１０の保持部５１１ｅに順に挿通され、図１１及び図１５（ａ）に示す状態が形成される。即ち、介設板５４０（及び天板５３０）が本体部材５１０から取り外し不能とされた状態が形成される。
【０１５６】
なお、ロック部材５６０は、第１位置へ押し込み操作された状態では、その先端端面（図１１（ｂ）右側の面）が背面部材５５０の背面よりも正面側（図１１（ｂ）左側）に位置される。よって、内枠４に対して前扉５が閉じられた状態では、ロック部材５６０は、本体部材５１０及び背面部材５５０の内部に収容されると共に、背面部材５５０の背面の開放が内枠４によって閉封されるので、かかるロック部材５６０を外部からの操作することを不能とできる。
【０１５７】
次いで、介設板５４０の所定位置（収容部５１１）への戻し忘れ（取り付け忘れ）を抑制機構によって抑制する動作について説明する。この場合、図１１から図１６に加え、図１７を参照する。図１７は、遊技機主部３の上面模式図であり、内枠４が模式的に図示される。
【０１５８】
ここで、本実施形態によれば、介設板５４０を取り外し、天板５３０を後方へスライド変位させることで、パネル部材５２０の交換が可能とされる。この場合、介設板５４０を所定位置に戻し忘れると、本体部材５１０の上面（収容部５１１）が部分的に開放され、その開放された部分を利用して不正が行われるおそれがある。
【０１５９】
これに対し、本実施形態では、介設板５４０が取り外された状態では、ロック部材５６０が引き出し操作により第２位置に配置されており、かかるロック部材５６０が第２位置に配置された状態では、背面部材５５０の背面からロック部材５６０（先端部材５６１）が突出される。そのため、図１７（ａ）及び図１７（ｂ）に示すように、内枠４の正面と前扉５の背面との間にロック部材５６０が介在されることで、内枠４に対して前扉５を閉じることができない。これにより、作業者に対して介設板５４０の戻し忘れを認識させることができる。
【０１６０】
また、この状態（介設板５４０を戻し忘れている状態）では、レバー部材５７０の先端側が、ねじりばねＳＰ１の弾性回復力により、背面部材５５０の挿通孔５５１に対面される位置まで上方へ跳ね上げられ、ロック部材５６０の第１位置への押し込み操作が規制されている。かかるロック部材５６０を第１位置へ押し込み操作する（即ち、前扉５を内枠４に対して閉じることが可能な状態を形成する）ためには、介設板５４０を所定位置（収容部５１１における天板５３０の後方）において下方へ押し込み、レバー部材５７０の先端側を挿通孔５５１よりも下方へ押し下げる必要がある。即ち、介設板５４０を所定位置へ戻さない限り、ロック部材５６０を第１位置へ押し込み操作すること（前扉５を内枠４に対して閉じること）ができないので、介設板５４０の戻し忘れを抑制することができる。
【０１６１】
ここで、本実施形態では、上述したように、介設板５４０の長手方向一端側を持ち上げた状態が形成可能とされ（図１２参照）、これにより、介設板５４０を取り外す際の作業の向上が図られている。一方で、このように、長手方向一端が持ち上げられただけの状態では、介設板５４０が所定位置に適正に戻されていると作業者が誤認識するおそれがある。
【０１６２】
例えば、介設板５４０を取り外すために、図１１に示す状態からロック部材５６０を第２位置へ引き出し操作した、或いは、介設板５４０を取り付けるために、図１３に示す状態から介設板５４０の突片部５４２を本体部材５１０のスライド溝５１１ａに係合（挿通）させ、図１２に示す状態を形成した段階で、その作業者が何らかの理由で現場を離れた場合、別の作業者は、介設板５４０が所定位置に適正に戻されていると誤認識して、前扉５を内枠４に対して閉じてしまうおそれがある。そのような構成では、介設板５４０が取り外し可能となり、不正行為が行われるおそれがある。
【０１６３】
これに対し、本実施形態では、介設板５４０の長手方向一端側が持ち上げられた状態であっても、図１２（ａ）及び図１２（ｂ）に示すように、レバー部材５７０の先端側を背面部材５５０の挿通孔５５１に対面する位置まで上方へ跳ね上げさせ、ロック部材５６０の第１位置への押し込み操作を規制することができる。即ち、介設板５４０が所定位置から完全に取り外されていない（長手方向一端側を持ち上げた姿勢で収容部５１１に配置されている）場合であっても、ロック部材５６０を第１位置へ押し込み操作することを規制することができる。よって、例えば、別の作業者が、介設板５４０が所定位置に適正に戻されていると誤認識した場合であっても、前扉５を内枠４に対して閉じた状態が形成されることを回避できる。
【０１６４】
以上のように、本実施形態によれば、ロック部材５６０を第１位置から第２位置へ引き出し操作することで（図１１及び図１２参照）、介設板５４０の取り外しが許容されるところ、ロック部材５６０が第２位置に配置された状態では（図１２から図１４参照）、内枠４に対して前扉５を閉じることが規制され（図１７参照）、かかるロック部材５６０を第２位置から第１位置へ押し込み操作するためには、介設板５４０を所定位置（収容部５１１）に配置することが必要とされるので（図１１参照）、かかる介設板５４０を所定位置に戻し忘れることを抑制できる。
【０１６５】
即ち、介設板５４０を所定位置（収容部５１１）から取り外すためには、ロック部材５６０を第１位置から第２位置へ引き出し操作することが必要とされる一方、ロック部材５６０が第２位置に引き出し操作された状態では、かかるロック部材５６０が背面部材５５０の背面から突出され、内枠４に対して前扉５を閉じることが規制されるので、ロック部材５６０を第２位置から第１位置へ押し込み操作する動作を必須の作業として作業者に必ず行わせることができる。この必須の作業（ロック部材５６０の第２位置から第１位置への押し込み操作）のためには、レバー部材５７０を下方へ押し下げる必要があり、そのためには、介設板５４０を所定位置に戻さなければならないため、かかる介設板５４０を所定位置に戻し忘れることを確実に抑制できる。
【０１６６】
本実施形態によれば、ロック部材５６０が内枠４及び前扉５の間に介在されることで、内枠４に対して前扉５を閉じることを規制するので、製品コストの削減を図ることができる。即ち、ロック部材５６０が、介設板５４０の本体部材５１０からの取り外しの規制および許容を切り替える役割と、内枠４に対して前扉５を閉じることを規制する役割とを兼用するため、後者の役割のための部材を別途設けることを不要とできる。よって、部品点数を削減して、その分、製品コストの削減を図ることができる。
【０１６７】
また、本実施形態によれば、ロック部材５６０は、屈曲可能（先端部材５６１が基部材５６２に対して回転可能）に形成され、第２位置に引き出し操作された状態では、屈曲された先端側（先端部材５６１）が内枠４と前扉５との間に挟持されるので、内枠４に対して前扉５が閉じられた際に、ロック部材５６０が第１位置（レバー部材５７０の背面）へ向けて押し込まれることを回避できる。その結果、レバー部材５７０やこれに干渉する部分の破損を抑制できる。
【０１６８】
特に、本実施形態では、ロック部材５６０が第２位置に引き出し操作された状態では、屈曲された先端側（先端部材５６１）の底面が、前扉５の背面に面接触されるように、軸部５６２ｂの軸心位置および先端部材５６１の厚み寸法が設定される（図１２（ｂ）参照）。これにより、内枠４と前扉５との間に挟持される際の面圧を小さくして、破損を抑制できる。
【０１６９】
更に、本実施形態では、ロック部材５６０は、軸部５６２ｂ及び軸支孔５６１ａの軸心方向が、パチンコ機１の左右方向に沿わせた姿勢で配設されるので、第２位置へ引き出し操作された場合には、先端部材５６１を、その自重により下方へ傾倒させることができる（図１２（ｂ）参照）。即ち、作業者がロック部材５６０を屈曲させる操作を行わなかった場合であっても、ロック部材５６０を重力の作用により屈曲した姿勢とすることができる。これにより、内枠４に対して前扉５が閉じられた際に、ロック部材５６０が第１位置（レバー部材５７０の背面）へ向けて押し込まれることを回避でき、レバー部材５７０やこれに干渉する部分の破損を抑制できる。
【０１７０】
次いで、図１８から図２５を参照して、第２実施形態について説明する。第１実施形態では、ロック部材５６０が屈曲可能に形成される場合を説明したが、第２実施形態のロック部材２５６０は、伸縮可能に形成される。なお、上記第１実施形態と同一の部分には同一の符号を付して、その説明は省略する。
【０１７１】
図１８（ａ）は、第２実施形態におけるロック部材２５６０の上面図であり、図１８（ｂ）は、図１８（ａ）の矢印ＸＶＩＩＩｂ方向視におけるロック部材２５６０の側面図であり、図１８（ｃ）は、図１８（ｂ）の矢印ＸＶＩＩＩｃ方向視におけるロック部材２５６０の正面図であり、図１８（ｄ）は、図１８（ａ）のＸＶＩＩＩｄ−ＸＶＩＩＩｄ線におけるロック部材２５６０の断面図である。
【０１７２】
図１８に示すように、第２実施形態におけるロック部材２５６０は、先端部材２５６１と、その先端部材２５６１を出没可能に保持する基部材２５６２と、その基部材２５６２の内部に収容される圧縮ばねＳＰ２とを備える。
【０１７３】
先端部材２５６１は、断面円形の棒状体として形成される棒状部２５６１ａと、その棒状部２５６１ａの基端部において径方向外方へ張り出して形成される円板状のピストン部２５６１ｂとを備える。
【０１７４】
基部材２５６２の内部には、先端部材２５６１のピストン部２５６１ｂを軸心方向（図１８（ｄ）左右方向）に摺動可能に保持するための断面円形の摺動案内部２５６２ｂが形成される。
【０１７５】
なお、基部材２５６２の外形（幅寸法および高さ寸法）は、第１実施形態における基部材５６２の外形と略同一の寸法に設定される。また、摺動案内部２５６２ｂの先端側の端面には、先端部材２５６１の棒状部２５６１ａを摺動可能に挿通される開口が形成されると共に、基端側の開口は封止される。
【０１７６】
圧縮ばねＳＰ２は、金属製のコイルスプリングであり、弾性的に圧縮変形された状態で、基部材２５６２の摺動案内部２５６２ｂに収納される。よって、ロック部材２５６０は、圧縮ばねＳＰ２の弾性回復力が先端部材２５６１を突出方向へ付勢し、その付勢により、無負荷状態では、全長が最大となる最大伸長状態に維持される一方、先端部材２５６１が軸心方向に押し込まれると、全長が短縮される。
【０１７７】
次いで、第２実施形態における抑制機構の操作方法について、図１９から図２２を参照して説明する。図１９から図２２は、抑制機構の状態遷移を説明するための図であり、図１９（ａ）から図２２（ａ）は、図８の矢印ＸＩａ方向視における背面部材５５０の正面図に対応し、図１９（ｂ）から図２２（ｂ）は、図１９（ａ）から図２２（ａ）のＸＩＸｂ−ＸＩＸｂ線からＸＸＩＩｂ−ＸＸＩＩｂ線における背面部材５５０の断面図である。なお、図１９（ｂ）から図２２（ｂ）では、前扉５の上側部分における全体構造が図示される。
【０１７８】
図１９に示すように、ロック部材２５６０が第１位置に押し込み操作された状態では、介設板５４０の挿通筒部５４１にロック部材２５６０（基部材２５６２）が挿通され、挿通筒部５４１の一端側から突出する基部材２５６２の基端が本体部材５１０の保持部５１１ｅ内に保持されると共に、挿通筒部５４１の他端側から突出する基部材２５６２の先端が背面部材５５０の挿通孔５５１に保持される。よって、介設板５４０が本体部材５１０の収容部５１１から取り外し不能とされる。
【０１７９】
この場合、先端部材２５６１（棒状部２５６１ａ）は、その先端が背面部材５５０の背面よりも寸法Ｌ１だけ背面側へ突出される。よって、内枠４に対して前扉５を閉じた状態では、内枠４の正面に当接された棒状部２５６１ａが、圧縮ばねＳＰ２を圧縮変形させる方向へ押し込まれる。よって、圧縮ばねＳＰ２の弾性回復力により棒状部２５６１ａが突出方向へ付勢されているので、後述するように、内枠４に対して前扉５を開放する際には、棒状部２５６１ａに内枠４を押し出させて、開放の動作に必要な力を補助させることができる。
【０１８０】
なお、ロック部材２５６０は、内枠４に対して前扉５が閉じられた状態において（図２３参照）、基部材２５６２の先端が内枠４の正面に当接する位置まで引き出し方向へスライド変位された場合に、基部材２５６２の基端が保持部５１１ｅ内に保持されるように、その長さ寸法（図１９（ｂ）左右方向寸法）が設定される。これにより、ロック部材２５６０がスライド操作の方向へ位置ずれした場合でも、介設板５４０の取り外しを確実に規制できる。
【０１８１】
図１９に示す状態から、ロック部材２５６０が背面部材５５０の背面側へ引き出し操作され、張出部５６２ａが背面部材５５０の正面に係合される第２位置に達すると、ロック部材２５６０のそれ以上の引き出し操作が不能とされる。これにより、第１実施形態の場合と同様に、レバー部材５７０がねじりばねＳＰ１の弾性回復力により回転され、その先端側が上方へ跳ね上げられることで、図２０に示すように、介設板５４０の長手方向一端側が上方に持ち上げられる。
【０１８２】
図２０に示すように、ロック部材２５６０は、第２位置まで引き出し操作されると、背面部材５５０の背面から基部材２５６２が寸法Ｌ２だけ突出される。よって、内枠４の正面と前扉５の背面との間にロック部材５６０（基部材２５６２）が介在されることで、前扉５を内枠４に対して閉じることができない。これにより、作業者に対して介設板５４０の戻し忘れを認識させることができる。
【０１８３】
この場合、ロック部材２５６０は、先端部材２５６１の棒状部２５６１ａが基部材２５６２から突出された状態とされるので、後述するように、介設板５４０を戻し忘れた状態で、内枠４に対して前扉５を閉じる場合には、先に先端部材２５６１（棒状部２５６１ａ）が内枠４の正面に当接され、かかる棒状部２５６１ａが押し込まれる際に、圧縮ばねＳＰ２を弾性的に圧縮変形させるので、その緩衝作用により衝突の勢いを弱めて、レバー部材５７０の破損を抑制できる。
【０１８４】
なお、本体部材５１０から介設板５４０を取り外した後、天板５３０を後方へスライド変位させてパネル部材５２０を交換する動作およびパネル部材５２０を交換した後に天板５３０を前方へスライド変位させて介設板５４０を装着する動作は（図２０、図２１及び図２２参照）、第１実施形態の場合と同様であるので、その説明は省略する。
【０１８５】
図２０に示すように、介設板５４０がその長手方向一端側を上方に持ち上げた姿勢で、本体部材５１０の収容部５１１に配設された後は、第１実施形態の場合と同様に、介設板５４０の長手方向一端側を下方へ押し込み、レバー部材５７０を被当接部５４３によって下方へ押し下げた状態で、ロック部材２５６０を第１位置へ向けて押込み操作する。これにより、ロック部材２５６０の基端側（基部材２５６２）が、介設板５４０の挿通筒部５４１及び本体部材５１０の保持部５１１ｅに順に挿通され、図１９に示す状態（介設板５４０（及び天板５３０）が本体部材５１０から取り外し不能とされた状態）が形成される。
【０１８６】
なお、ロック部材２５６０の第１位置への押し込み操作は、先端部材２５６１の棒状部２５６１ａを押し込むことで、圧縮ばねＳＰ２を圧縮させつつ、かかる圧縮ばねＳＰ２を介して、基部材２５６２が保持部５１１ｅに保持される位置まで前進させることで行われる。
【０１８７】
また、ロック部材２５６０は、第１位置へ押し込み操作された状態では、上述したように、棒状部２５６１ａが寸法Ｌ１だけ背面部材５５０の背面から突出されるが、内枠４に対して前扉５が閉じられた状態では、棒状部２５６１ａは、背面部材５５０の内部に収容されると共に、背面部材５５０の背面の開放が内枠４によって閉封されるので、かかるロック部材２５６０（棒状部２５６１ａ）を外部からの操作することを不能とできる。
【０１８８】
次いで、図２３を参照して、内枠４に対する前扉５の開放動作について説明する。図２３は、内枠４及び前扉５の部分拡大断面図である。なお、前扉５の断面は、図１９（ｂ）に対応する。
【０１８９】
上述したように、ロック部材２５６０は、第１位置に押し込み操作された状態では、先端部材２５６１（棒状部２５６１ａ）の先端を背面部材５５０の背面よりも寸法Ｌ１だけ背面側へ突出させた姿勢を形成する（図１９参照）。
【０１９０】
よって、図２３に示すように、内枠４に対して前扉５を閉じた状態では、内枠４の正面に当接された棒状部２５６１ａが、寸法Ｌ１の分だけ正面側（図２３左側）へ押し込まれ、圧縮ばねＳＰ２を更に圧縮変形させる。即ち、ロック部材２５６０は、圧縮ばねＳＰ２の弾性回復力により、先端部材２５６１が突出方向（図２３右方向）へ常に付勢された状態とされる。
【０１９１】
従って、内枠４に対して前扉５を開放する際には、圧縮ばねＳＰ２の付勢力で突出される先端部材２５６１により内枠４を開放方向（前扉５から離間する方向、図２３右方向）へ押し出すことができると共に、その反作用により前扉５も開放方向（内枠４から離間する方向、図２３左方向）へ押し出すことができる。その結果、内枠４に対して前扉５を開放するために必要な力を補助して、作業者の負担を軽減できる。
【０１９２】
次いで、図２４及び図２５を参照して、介設板５４０を戻し忘れた状態で内枠４に対して前扉５を閉じた際のレバー部材５７０の破損防止の構造について説明する。
【０１９３】
図２４（ａ）から図２４（ｃ）は、内枠４に対して前扉５を閉じる際の状態遷移を説明するための内枠４及び前扉５の上面図であり、図２５（ａ）から図２５（ｃ）は、図２４（ａ）から図２４（ｃ）のＸＸＶａ−ＸＸＶａ線からＸＸＶｃ−ＸＸＶｃ線における内枠４及び前扉５の断面図である。
【０１９４】
上述したように、ロック部材２５６０は、第２位置に引き出し操作された状態では、背面部材５５０の背面から基部材２５６２が寸法Ｌ２だけ突出されると共に、その基部材２５６２から先端部材２５６１（棒状部２５６１ａ）が最大に突出された状態とされる（図２０参照）。
【０１９５】
よって、図２４及び図２５に示すように、ロック部材２５６０が第２位置にある状態（即ち、介設板５４０を戻し忘れた状態）で、内枠４に対して前扉５が閉じられる場合には、まず、先端部材２５６１（棒状部２５６１ａ）を内枠４の正面に当接させることができる。これにより、棒状部２５６１ａが押し込まれる際に、圧縮ばねＳＰ２を弾性的に圧縮変形させ、その緩衝作用により衝突の勢いを弱めることができる。その結果、レバー部材５７０の破損を抑制できる。
【０１９６】
次いで、図２６から図３１を参照して、第３実施形態について説明する。第１実施形態では、介設板５４０が所定位置に配設されていない状態において、内枠４に対する前扉５の開閉（回転）動作が可能とされる場合を説明したが、第３実施形態における前扉５は、介設板３５４０が所定位置に配設されていない状態では、内枠４に対する開閉（回転）動作が規制される。なお、上記各実施形態と同一の部分には同一の符号を付して、その説明は省略する。
【０１９７】
図２６は、第３実施形態における遊技機主部３の上面図であり、主要な構成のみを透視して図示する。
【０１９８】
図２６に示すように、第３実施形態における抑制機構は、作業者により操作されるロック部材３５６０と、そのロック部材３５６０の操作を規制するレバー部材３５７０と、内枠４及び前扉５の間（回動軸および軸受の間）に介設されるワンウェイクラッチ３５８０と、そのワンウェイクラッチ３５８０及びロック部材３５６０を連結する連結部材３５９０とを主に備える。
【０１９９】
ロック部材３５６０は、背面部材３５５０の背面から一端側（図２６下側）が操作可能に突出される操作部３５６１と、その操作部３５６１の他端側（図２６上側）から側方（図２６左側）へ向けて張り出す係合部３５６２とを備え、これら各部３５６１，３５６２から上面視略Ｌ字状の部材として形成される。
【０２００】
ロック部材３５６０は、背面部材３５５０に形成された案内部３５５４（図２９参照）に沿って左右方向（図２６左右方向）にスライド操作可能に形成され、図示しない付勢ばねの付勢力により図２６に示す初期位置に維持される。この付勢ばねの付勢力に抗して、ロック部材３５６０が解除位置（図２６右方向）へ向けてスライド操作されると、そのスライド変位が連結部材３５９０を介してワンウェイクラッチ３５８０へ伝達され、ワンウェイクラッチ３５８０が駆動状態とされると共に、係合部３５６２による係合が解除されて、介設板３５４０が本体部材３５１０から取り外し可能とされる。
【０２０１】
ここで、図２７及び図２８を参照して、ワンウェイクラッチ３５８０及び介設板３５４０について順に説明する。
【０２０２】
図２７（ａ）は、ロック部材３５６０が初期位置にスライド操作された状態におけるワンウェイクラッチ３５８０及び連結部材３５９０の部分断面上面図であり、図２７（ｂ）は、ロック部材３５６０が解除位置にスライド操作された状態におけるワンウェイクラッチ３５８０及び連結部材３５９０の部分断面上面図である。
【０２０３】
図２７（ａ）及び図２７（ｂ）に示すように、ワンウェイクラッチ３５８０は、内枠４の上端側に取着されるヒンジ１８（図２６参照）から突設されるピン１８ｄに連結される内輪３５８１と、背面部材３５５０に固着される取付板３５５５に連結される外輪３５８２と、内輪３５８１の各カム面に配設される複数のローラ３５８３と、それら各ローラ３５８３を保持する保持器３５８４と、保持器３５８４に連結されカム面に対するローラ３５８３の位相を切り替えるスイッチングプレート３５８５とを主に備えて構成される。
【０２０４】
連結部材３５９０は、一端がロック部材３５６０に回転可能に軸支されると共に（図２６参照）、他端がワンウェイクラッチ３５８０のスイッチングプレート３５８５に回転可能に軸支され、ロック部材３５６０のスライド操作をスイッチングプレート３５８５に伝達する。
【０２０５】
図２７（ａ）に示すように、ロック部材３５６０が初期位置に配置された状態（介設板３５４０が取り外し不能な状態で所定位置に配設された状態、図２６参照）では、スイッチングプレート３５８５がロック部材３５６０側へ傾倒された姿勢とされることで、ローラ３５８３がカム面の中立位置に配置され、内輪３５８１及び外輪３５８２の噛み合い空間から離れる。これにより、ワンウェイクラッチ３５８０が中立空転状態（内輪３５８１に対して外輪３５８２が空転する状態）とされる。その結果、内枠４に対する前扉５の開閉（回転）が許容される。
【０２０６】
図２７（ｂ）に示すように、ロック部材３５６０が解除位置に配置された状態（介設板３５４０が取り外し可能な状態または取り外された状態、図２９（ｂ）及び図２９（ｃ）参照）では、スイッチングプレート３５８５がロック部材３５６０から離間する方向へ起立された姿勢とされることで、ローラ３５８３がカム面の端部に配置され、内輪３５８１及び外輪３５８２の間に形成されるくさびに噛み込まれる。これにより、ワンウェイクラッチ３５８０が駆動状態（内輪３５８１に対する外輪３５８２の一方向への回転が規制される状態）とされる。その結果、内枠４に対する前扉５の開じる方向への回転が規制される。
【０２０７】
なお、この状態では、内輪３５８１に対する外輪３５８２の他方向への回転は許容される。即ち、内枠４に対する前扉５の開放方向への回転は許容することができる。
【０２０８】
図２８（ａ）は、介設板３５４０の上面図であり、図２８（ｂ）は、図２８（ａ）の矢印ＸＸＶＩＩＩｂ方向視における介設板３５４０の側面図であり、図２８（ｃ）は、図２８（ｂ）のＸＸＶＩＩＩｃ−ＸＸＶＩＩＩｃ線における介設板３５４０の断面図である。なお、図２８では、図面を簡素化して、理解を容易とするために、突片部５４２の図示が省略される。
【０２０９】
図２８に示すように、介設板３５４０は、横長の板状に形成され、その長手方向他端側の底面に挿通筒部３５４１及び被当接部３５４３が形成される。挿通筒部３５４１は、ロック部材３５６０の係合部３５６２が挿抜される部位であり、両端が開口された筒状に形成される。挿通筒部３５４１にロック部材３５６０の係合部３５６２が挿通されることで、介設板３５４０を本体部材３５１０から取り外し不能な状態が形成できる一方（図２９（ａ）参照）、挿通筒部３５４１からロック部材３５６０の係合部３５６２が抜き取られることで、介設板３５４０を本体部材３５１０から取り外し可能な状態が形成できる（図２９（ｂ）参照）。
【０２１０】
被当接部３５４３は、レバー部材３５７０の上面に当接される部位であり、介設板３５４０が本体部材３５１０（収容部５１１）に取り付けられる際には、被当接部３５４３によってレバー部材３５７０を下方へ押し下げることができると共に（図２９（ａ）参照）、レバー部材３５７０が上方へ跳ね上げられる際には、被当接部３５４３を介して、介設板３５４０を上方へ押し上げることができる（図２９（ｂ）参照）。
【０２１１】
図２６に戻って説明する。レバー部材３５７０は、基端側に軸支孔３５７１が穿設され、この軸支孔３５７１が本体部材３５１０の支持軸３５１２に回転可能に軸支される（図２９参照）。支持軸３５１２は、その軸心を本体部材３５１０の左右方向（図２６左右方向）に沿わせる向きに形成される。よって、レバー部材３５７０は、先端側を本体部材３５１０の正面側（図２６上側）へ向けた姿勢で配設される。
【０２１２】
レバー部材３５７０と本体部材３５１０との間には、金属製のねじりばね（図示せず）が弾性的にねじり変形された状態で介設され、レバー部材３５７０は、ねじりばねの弾性回復力によって、先端側を上方へ持ち上げる回転方向へ常に付勢される。
【０２１３】
この場合、介設板３５４０が本体部材３５１０の収容部５１１に収容された状態（挿通筒部３５４１にロック部材３５６０の係合部３５６２が挿通された状態）では、レバー部材３５７０は、介設板３５４０の被当接部３５４３によって下方へ押し下げられた姿勢とされており（図２９（ａ）参照）、ロック部材３５６０の係合部３５６２が介設板３５４０の挿通筒部３５４１から引き抜かれると、レバー部材３５７０の先端側がねじりばねの弾性回復力により上方へ跳ね上げられる。これにより、介設板３５４０を上方へ押し上げることができる（図２９（ｂ）参照）。
【０２１４】
レバー部材３５７０の先端側が上方へ跳ね上げられた状態では、かかるレバー部材３５７０の先端側が、ロック部材３５６０の係合部３５６２の先端に対面する位置に配置される（図２９（ｃ）及び図３０（ｃ）参照）。これにより、ロック部材３５６０が初期位置へスライド操作されること（即ち、ワンウェイクラッチ３５８０が中立状態とされること）をレバー部材５７０によって規制できる。
【０２１５】
次いで、第３実施形態における抑制機構の操作方法について、図２９から図３１を参照して説明する。
【０２１６】
図２９から図３１は、抑制機構の状態遷移を説明するための図であり、図２９は、前扉５の部分拡大断面図であり、図３０は、前扉５の部分拡大上面図であり、図３１は、遊技機主部３の上面図である。
【０２１７】
なお、図２９（ａ）は、図３０（ａ）及び図３１（ａ）に示す状態に、図２９（ｂ）は、図３０（ｂ）及び図３１（ｂ）に示す状態に、図２９（ｃ）は、図３０（ｃ）及び図３１（ｃ）に示す状態に、それぞれ対応する。また、図３０（ａ）及び図３０（ｂ）では、介設板３５４０の挿通筒部３５４１及び被当接部３５４３を破線により模式的に図示する。
【０２１８】
パネル部材５２０（図９参照）の交換等のために、介設板３５４０を取り外す際には、まず、図２９（ａ）、図３０（ａ）及び図３１（ａ）に示すように、内枠４に対して前扉５を開放することで、背面部材３５５０の背面側からロック部材３５６０をスライド操作可能な状態を形成する。
【０２１９】
図２９（ａ）、図３０（ａ）及び図３１（ａ）に示す初期位置からロック部材３５６０が解除位置（図２９（ａ）紙面奥方向、図３０（ａ）右方向）へ向けてスライド操作されると、ロック部材３５６０の係合部３５６２が、介設板３５４０の挿通筒部３５４１から抜き取られると共に、レバー部材３５７０の側方に退避される。その結果、レバー部材３５７０がねじりばねの弾性回復力により回転され、その先端側（軸支孔３５７１と反対側）が上方へ跳ね上げられることで、被当接部３５４３が上方へ押し上げられ、図２９（ｂ）、図３０（ｂ）及び図３１（ｂ）に示すように、介設板３５４０の長手方向一端側が上方に持ち上げられる。
【０２２０】
これにより、図２９（ｃ）、図３０（ｃ）及び図３１（ｃ）に示すように、介設板３５４０を本体部材３５１０から取り外すことができる。なお、本体部材３５１０から介設板３５４０を取り外した後、天板５３０を後方へスライド変位させてパネル部材５２０を交換する動作およびパネル部材５２０を交換した後に天板５３０を前方へスライド変位させて介設板３５４０を装着する動作は、第１実施形態の場合と同様であるので、その説明は省略する。
【０２２１】
図２９（ｂ）、図３０（ｂ）及び図３１（ｂ）に示すように、ロック部材３５６０が解除位置までスライド操作されると、上述したように、そのロック部材３５６０のスライド操作が連結部材３５９０を介してワンウェイクラッチ３５８０に伝達され、かかるワンウェイクラッチ３５８０が駆動状態に切り替えられる。これにより、内枠４に対する前扉５の開じる方向（図３１（ｂ）及び図３１（ｃ）の矢印Ａ方向）への回転を規制することができるため、作業者に対して介設板３５４０の戻し忘れを認識させることができる。
【０２２２】
パネル部材５２０の交換等を行った後、図２９（ｂ）、図３０（ｂ）及び図３１（ｂ）に示すように、介設板３５４０がその長手方向一端側を上方に持ち上げた姿勢で、本体部材３５１０の収容部５１１に配設された後は、介設板３５４０を下方へ押し込み、レバー部材３５７０を被当接部３５４３によって下方へ押し下げた状態で、ロック部材３５６０を初期位置へ向けてスライド操作する。これにより、ロック部材３５６０の係合部３５６２が介設板３５４０の挿通筒部３５４１に挿通され、図２９（ａ）、図３０（ａ）及び図３１（ａ）に示す状態（介設板３５４０（及び天板５３０）が本体部材３５１０から取り外し不能とされた状態）が形成される。
【０２２３】
また、ロック部材３５６０が初期位置までスライド操作されると、上述したように、そのロック部材３５６０のスライド操作が連結部材３５９０を介してワンウェイクラッチ３５８０に伝達され、かかるワンウェイクラッチ３５８０が中立状態に切り替えられる。これにより、内枠４に対する前扉５の開閉（回転）が許容される。即ち、内枠４に対して前扉５を開じることができる。
【０２２４】
以上のように、本実施形態によれば、内枠４に対して前扉５を開放することで、ロック部材３５６０をスライド操作することが可能となり、その結果、介設板３５４０の取り外しが許容されると共に、その介設板３５４０が所定位置（収容部５１１）に配置されていない状態では、内枠４に対して前扉５を閉じることができないので、介設板３５４０を所定位置へ戻し忘れることを抑制できる。
【０２２５】
即ち、介設板３５４０を所定位置から取り外すためには、内枠４に対して前扉５を開放することが必要とされるので、介設板３５４０を所定位置から取り外した場合には、内枠４に対して前扉５を閉じる動作を必須の作業として作業者に必ず行わせることができる。この場合、介設板３５４０を所定位置に戻さなければ、内枠４に対して前扉５を閉じることができず、遊技可能な状態を形成できないため、介設板３５４０を所定位置に戻し忘れることを確実に抑制できる。
【０２２６】
この場合、本実施形態では、内枠４に対して前扉５が開放された後、介設板３５４０が所定位置から取り外されると、その取り外された時点で、即ち、その開放されている位置（図３１（ｂ）に示す位置）から、内枠４に対して前扉５が閉じる方向へ変位することが規制されるので、介設板３５４０を所定位置に戻し忘れることを確実に抑制できる。
【０２２７】
即ち、例えば、第１実施形態の場合のように、内枠４の正面に前扉５の背面を重ねて、これらの間にロック部材５６０（先端部材５６１）を介在させることで、閉じた状態を形成できなくさせる構造（即ち、ロック部材５６０に内枠４の正面が当接する回転位置までは、内枠４に対する前扉５の閉じる方向への変位が許容される構造）では、実際に閉じた状態が形成されていなくても、内枠４の正面に前扉５の背面が重なっていることで（図１７（ｂ）参照）、閉じた状態が形成されたと作業者が誤認識する恐れがある。また、閉じる動作が大きな力で行われると、内枠４に対して前扉５が、ロック部材５６０を挟み込みつつ衝突するため、破損する恐れがある。
【０２２８】
これに対し、本実施形態では、介設板３５４０が所定位置から取り外されると、内枠４に対して前扉５が閉じる方向へ変位すること自体を規制することができる、即ち、介設板３５４０が所定位置へ戻されない限り、内枠４に対して前扉５が開放された状態が維持されるので、閉じた状態が形成されたと作業者が誤認識することを抑制できる。また、閉じる方向への変位自体を規制できることで、かかる閉じる動作に伴う衝突により部材が破損することを回避できる。
【０２２９】
なお、本実施例では、ロック部材３５６０が前扉５の幅方向（図２６左右方向）における中央よりも回転軸（ピン１８ｄ）へ近い側（図２６右側）に配設される。そのため、ロック部材３５６０を初期位置から解除位置へスライド変位させるために、内枠４に対して前扉５を開放させる際には、比較的大きな開放角度まで開放させる必要を生じさせることができる。その結果、内枠４に対して前扉５を閉じた状態が形成されたと作業者が誤認識することを抑制しやすくできる。
【０２３０】
ここで、本実施形態では、介設板３５４０が所定位置から取り外された場合（即ち、ワンウェイクラッチ３５８０が駆動状態とされた場合）、内枠４に対して前扉５が閉じる方向へ変位することは規制するが、内枠４に対して前扉５が開放方向へ変位することは許容する。これにより、介設板３５４０を所定位置に戻し忘れているため、内枠４に対して前扉５を閉じることができない場合に、作業者が、前扉５を閉じる方向および開放させる方向へ交互に回転させることを試行すると、前扉５の開放角度を徐々に大きくさせることができる。これにより、介設板３５４０の所定位置への戻し忘れであることを作業者に認識させやすくできる。また、回動軸（ピン１８ｄ）における故障や異物の噛み込みとは異なる動作を形成できるので、この点からも、介設板３５４０の所定位置への戻し忘れであることを作業者に認識させやすくできる。
【０２３１】
次いで、図３２から図３７を参照して、第４実施形態について説明する。第１実施形態では、パネル部材５２０（交換対象）の有無に関わらず、介設板５４０が所定位置に配設されることで、内枠４に対して前扉５を閉じることが可能とされる場合を説明したが、第４実施形態では、天板４５３０に加え、パネル部材４５２０が配設された場合に、内枠４に対して前扉５を閉じることが可能とされる。なお、上記各実施形態と同一の部分には同一の符号を付して、その説明は省略する。
【０２３２】
図３２は、第４実施形態における前扉５の分解正面斜視図である。図３２に示すように、第４実施形態における抑制機構は、パネル部材４５２０が天板４５３０に締結固定され、このパネル部材４５２０が締結固定された状態の天板４５３０を本体部材５１０の上面（収容部５１１）に配設する。ここで、パネル部材４５２０及び天板４５３０について、図３３及び図３４を参照して説明する。
【０２３３】
図３３（ａ）は、図３２の矢印ＸＸＸＩＩＩ方向視における天板４５３０の背面図であり、図３３（ｂ）は、図３３（ａ）のＸＸＸＩＩＩｂ−ＸＸＸＩＩＩｂ線における天板４５３０の断面図である。
【０２３４】
また、図３４（ａ）は、図３２の矢印ＸＸＸＩＩＩ方向視における天板４５３０及びパネル部材４５２０の背面図であり、図３４（ｂ）は、図３４（ａ）のＸＸＸＩＶｂ−ＸＸＸＩＶｂ線における天板４５３０及びパネル部材４５２０の断面図であり、図３４（ｃ）は、図３４（ａ）のＸＸＸＩＶｃ−ＸＸＸＩＶｃ線における天板４５３０及びパネル部材４５２０の断面図である。
【０２３５】
図３３及び図３４に示すように、天板４５３０は、第１実施形態における天板５３０及び介設板５４０を一体化すると共に、左右の縁部から突設される突片部５３１，５４２を省略した板状体として形成される。即ち、天板４５３０には、その正面側の縁部に突片部５３１が形成されており、かかる突片部５３１を本体部材５１０のスライド溝５１１ａに係合（挿通）可能とされる。また、天板４５３０の底面には、挿通筒部５４１が形成され、ロック部材５６０が挿通可能とされる。
【０２３６】
天板４５３０には、その底面に当接部材４５３２が配設される。当接部材４５３２は、長尺板状の部材であり、その長手方向を前扉５の前後方向（図３３（ｂ）左右方向）に沿わせた姿勢で配設されると共に、長手方向略中央が天板４５３０の底面に支持軸４５３３によって回転可能に軸支される。
【０２３７】
この場合、天板４５３０と当接部材４５３２との間には、ねじりばね（図示せず）が弾性的にねじり変形された状態で介設され、当接部材４５３２は、ねじりばねの弾性回復力によって、長手方向一端側（図３３（ｂ）右側）が天板４５３０の底面へ当接される回転方向に付勢される。即ち、当接部材４５３２は、パネル部材４５２０が締結固定されていない状態では、図３３（ｂ）に示す状態に維持される。
【０２３８】
天板４５３０の底面には、当接部材４５３２の長手方向他端側（図３３（ｂ）左側）の上面に対面する領域に沿って凹溝４５３４が凹設され、その凹溝４５３４の内部空間へ当接部材４５３２の長手方向他端側を受け入れ可能とされる。よって、図３４に示すように、天板４５３０の底面にパネル部材４５２０が締結固定された場合には、パネル部材４５２０によって当接部材４５３２の長手方向他端側が凹溝４５３４内に押し込まれることで、当接部材４５３２の長手方向一端側を天板４５３０の底面から離間させることができる。
【０２３９】
即ち、後述するように、天板４５３０にパネル部材４５２０が装着（締結固定）されていない状態では、当接部材４５３２の長手方向一端側が上方（天板４５３０の底面側）に位置するため（図３３（ｂ）参照）、天板４５３０を本体部材５１０（収容部５１１）に配設した際に、当接部材４５３２の長手方向一端側によるレバー部材５７０の下方への押し下げを不能とできる。一方、天板４５３０にパネル部材４５２０が装着（締結固定）された状態では、当接部材４５３２の長手方向一端側が下方（天板４５３０の底面から離間する側）に位置するため、天板４５３０を本体部材５１０（収容部５１１）に配設した際に、当接部材４５３２の長手方向一端側によりレバー部材５７０を下方へ押し下げることができる。これにより、後述するように、パネル部材４５２０の取り付け忘れを抑制できる。
【０２４０】
なお、収容部５１１に凹設される凹部５１１ｃ（パネル部材４５２０を収容するための空間）の凹設寸法（深さ寸法）は、パネル部材４５２０の高さ寸法（図３４（ｂ）上下方向寸法）よりも十分に大きな寸法に設定される。
【０２４１】
よって、パネル部材４５２０を、天板４５３０に締結固定せずに、凹部５１１ｃに収容し、天板４５３０を収容部５１１に配設する場合（即ち、パネル部材４５２０と天板４５３０とを別々に装着する場合）には、パネル部材４５２０の上面が天板４５３０（当接部材４５３２の長手方向他端側）の底面から離間されるため、当接部材４５３２の長手方向他端側がパネル部材４５２０によって凹溝４５３４内に押し込まれた状態が形成できず、当接部材４５３２の長手方向一端側を天板４５３０の底面から離間させる（図３４（ｂ）の状態を形成する）ことができない。よって、当接部材４５３２の長手方向一端側によるレバー部材５７０の下方への押し下げを不能とできる。
【０２４２】
即ち、作業者が、例えば、パネル部材４５２０の交換作業の工程を簡略化するために、パネル部材４５２０の天板４５３０への締結固定を意図的に行わずに、或いは、締結固定する必要があることを知らずに、これらパネル部材４５２０と天板４５３０とを別々に本体部材５１０に配設した場合には、レバー部材５７０の押し下げを不能とできる。即ち、内枠４に対して前扉５を閉じることができず、遊技可能な状態を形成することができない。これにより、パネル部材４５２０の上面と天板４５３０の底面との間の隙間から異物を挿入され難くすることができ、不正行為を抑制しやすくできる。
【０２４３】
次いで、第４実施形態における抑制機構の操作方法について、図３５から図３７を参照して説明する。図３５から図３７は、抑制機構の状態遷移を説明するための図であり、図３５（ａ）から図３７（ａ）は、図３２の矢印ＸＸＸＶ方向視における背面部材５５０の正面図であり、図３５（ｂ）から図３７（ｂ）は、図３５（ａ）から図３７（ａ）のＸＸＸＶｂ−ＸＸＸＶｂ線からＸＸＸＶＩＩｂ−ＸＸＸＶＩＩｂ線における背面部材５５０の断面図である。
【０２４４】
なお、図３５（ａ）及び図３６（ｂ）では、天板４５３０が断面視して図示される。また、図３５（ｂ）から図３７（ｂ）では、ロック部材５６０が断面視されずに図示されると共に、前扉５の上側部分における全体構造が図示される。
【０２４５】
図３５に示すように、ロック部材５６０が第１位置に押し込み操作された状態では、天板４５３０の挿通筒部５４１にロック部材５６０が挿通され、天板４５３０が本体部材５１０の収容部５１１から取り外し不能とされる。
【０２４６】
図３５に示す状態から、ロック部材５６０が背面部材５５０の背面側へ引き出し操作され、第２位置に達すると、ロック部材５６０（基部材５６２）が天板４５３０の挿通筒部５４１から抜き取られると共に、ロック部材５６０（基部材５６２）の基端の端面がレバー部材５７０を越える位置まで後退される。
【０２４７】
これにより、レバー部材５７０がねじりばねＳＰ１の弾性回復力により回転され、その先端側が上方へ跳ね上げられる。この場合、レバー部材５７０の上面には天板４５３０の当接部材４５３２の長手方向一端側が当接されているので、かかる当接部材４５３２がレバー部材５７０によって上方へ押し上げられることで、図３６に示すように、天板４５３０の後方側（突片部５３１と反対側）が上方に持ち上げられる。よって、上方へ持ち上げられた部分を把持することができ、図３７に示すように、天板４５３０を本体部材５１０から取り外す作業における作業性の向上を図ることができる。
【０２４８】
取り外した天板４５３０からパネル部材４５２０を取り外し、別のパネル部材４５２０に交換した後は、図３６に示すように、別のパネル部材４５２０が装着（締結固定）された天板４５３０を本体部材５１０の収容部５１１に取り付ける。この場合、天板４５３０の正面側に形成される突片部５３１を本体部材５１０のスライド溝５１１ａに係合（挿通）させる。これにより、天板４５３０の当接部材４５３２の長手方向一端側がレバー部材５７０の上面に当接（載置）されることで、図３６に示すように、天板４５３０が、その後方側（突片部５３１と反端側）が上方に持ち上げられた姿勢で、本体部材５１０の収容部５１１に配設される。
【０２４９】
この状態（図３６に示す状態）から、天板４５３０の後方側が下方へ押し込まれると、ねじりばねＳＰ１の弾性回復力に抗しつつ、レバー部材５７０が当接部材４５３２の長手方向一端側によって下方へ押し下げられ、レバー部材５７０の先端側が背面部材５５０の挿通孔５５１よりも下方へ配置されると共に、天板４５３０の挿通筒部５４１が本体部材５１０の保持部５１１ｅ及び背面部材５５０の挿通孔５５１と一直線上となる位置（即ち、挿通筒部５４１の両端開口が保持部５１１ｅ及び挿通孔５５１に対面される位置）に配置される。
【０２５０】
よって、第２位置にあるロック部材５６０を第１位置へ向けて押込み操作することで、かかるロック部材５６０の基端側（基部材５６２）が、天板４５３０の挿通筒部５４１及び本体部材５１０の保持部５１１ｅに順に挿通され、図３５に示す状態が形成される。即ち、天板４５３０が本体部材５１０から取り外し不能とされた状態が形成される。
【０２５１】
一方、取り外した天板４５３０からパネル部材４５２０を取り外したが、別のパネル部材４５２０に交換すること（天板４５３０に別のパネル部材４５２０を装着（締結固定）すること）を忘れた場合には、天板４５３０を本体部材５１０の収容部５１１に取り付けても、当接部材４５３２の長手方向一端側が上方（天板４５３０の底面側）に位置するため（図３３（ｂ）参照）、その当接部材４５３２の長手方向一端側によってレバー部材５７０を下方へ押し下げることができない。即ち、レバー部材５７０の先端側が背面部材５５０の挿通孔５５１に対面した姿勢に維持され、第２位置にあるロック部材５６０を第１位置へ向けて押込み操作することが規制された状態に維持されるので、内枠４に対して前扉５を閉じることができない。
【０２５２】
ここで、例えば、第１実施形態の場合、介設板５４０を所定位置に配設しなければ、内枠４に対して前扉５を閉じることができないので、介設板５４０の戻し忘れを抑制できる。しかしながら、この場合、前扉５を閉じることができるか否かには、介設板５４０のみが作用し、パネル部材５２０を作用させることはできない。即ち、パネル部材５２０を取り付け忘れていても、前扉５を閉じることができるので、かかるパネル部材５２０の取り付け忘れを抑制することはできない。
【０２５３】
これに対し、本実施形態では、天板４５３０にパネル部材４５２０が装着（締結固定）されていない場合には、かかる天板４５３０を所定位置（収容部５１１）に配設しても、第２位置にあるロック部材５６０を第１位置へ向けて押込み操作することができず、内枠４の正面と前扉５の背面との間にロック部材５６０が介在される状態を維持するので、内枠４に対して前扉５を閉じることができない状態を形成できる。これにより、作業者に対してパネル部材４５２０の取り付け忘れを認識させることができる。
【０２５４】
一方で、レバー部材５７０を下方へ押し下げるための部材（当接部材４５３２）が、天板４５３０に配設され、かかる当接部材４５３２の姿勢を、パネル部材４５２０の装着（締結固定）の有無により切り替える構造であるので、パネル部材４５２０のみを本体部材５１０の所定位置（凹部５１１ｃ）に配設し、天板４５３０を本体部材５１０の所定位置（収容部５１１）に配設し忘れた場合にも、内枠４に対して前扉５を閉じることができない状態を形成できる。これにより、作業者が天板４５３０を取り付け忘れることを抑制できる。
【０２５５】
次いで、図３８から図４４を参照して、第５実施形態について説明する。第１実施形態では、ロック部材５６０を間に介在させる（挟ませる）ことで、内枠４に対して前扉５を閉じられなくする場合を説明したが、第５実施形態では、施錠機構による施錠を不能とすることで、内枠４に対して前扉５を閉じられなくする。なお、上記各実施形態と同一の部分には同一の符号を付して、その説明は省略する。
【０２５６】
図３８は、第５実施形態における前扉５の上側部分の分解正面斜視図である。なお、図３８では、背面部材５５５０の正面に配設される各種部材の一部（例えば、一対のスピーカーの一方）の図示が省略されると共に、昇降部材５５６５の下端側の図示が省略される。
【０２５７】
図３８に示すように、第５実施形態における前扉５は、背面部材５５５０の支持軸５５５６に回転可能に軸支される回転プレート５５６３と、その回転プレート５５６３の上端側をロック部材５６０の基部材５６２に連結する連結棒５５６４と、上下方向に延設される案内溝（図示せず）に配設され回転プレート５５６３の回転に伴って昇降される昇降部材５５６５とを備える。
【０２５８】
連結棒５５６４は、ロック部材５６０がスライド操作に伴う変位を回転プレート５５６３に伝達するための棒状の部材であり、ロック部材５６０に連結される一端側または回転プレート５５６３に連結される他端側の少なくとも一方がロック部材５６０又は回転プレート５５６３に回転可能に軸支される。
【０２５９】
回転プレート５５６３には、その長手方向中央に軸支孔５５６３ａが開口形成されると共に、下端側の側面から突設ピン５５６３ｂが突設される。軸支孔５５６３ａは、背面部材５５５０の支持軸５５５６が挿通される孔であり、回転プレート５５６３の長手方向に沿って延設される長円形状の孔（即ち、支持軸５５５６が回転可能かつ摺動可能な溝）として形成される。よって、ロック部材５６０のスライド操作が連結棒５５６４を介して回転プレート５５６３の上端側に伝達されると、軸支孔５５６３ａ内を支持軸５５５６が相対的に摺動されることで、回転プレート５５６３が高さ位置を変化させつつ回転される（図４０及び図４３参照）。
【０２６０】
昇降部材５５６５には、ロック部材５６０のスライド操作の方向と平行に延設される長穴形状の摺動溝５５６５ａが開口形成されると共に、側面から複数本（本実施形態では３本）の押下げピン５５６５ｂが突設される。摺動溝５５６５ａには、回転プレート５５６３の突設ピン５５６３ｂが摺動可能に挿通される。
【０２６１】
よって、回転プレート５５６３が高さ位置を変化させつつ回転されると、その回転プレート５５６３の高さ位置の変化が、突設ピン５５６３ｂ及び摺動溝５５６４ａを介して、昇降部材５５６５に伝達され、かかる昇降部材５５６５が昇降される（図４０及び図４３）。
【０２６２】
各押下げピン５５６５ｂは、鉤部材１６６ａ〜１６６ｃ（図５参照）の後端側をそれぞれ押し下げるための部位であり、鉤部材１６６ａ〜１６６ｃの上方に配置されるように、上下方向に所定間隔を隔てつつ並設される。
【０２６３】
なお、鉤部材１６６ａ〜１６６ｃは、支持軸５５５７に回転可能に軸支されると共に背面部材５５５０の背面から先端側を突出させた姿勢で背面部材５５５０に配設され、その先端側の係合部が内枠４の鉤受け部材１６７に係合されることで、内枠４に対する前扉５の施錠機構を構成する（図４０及び図４１参照）。
【０２６４】
次いで、第５実施形態における抑制機構について、図３９から図４４を参照して説明する。
【０２６５】
図３９（ａ）及び図３９（ｂ）は、ロック部材５６０が第１位置にスライド操作された状態における遊技機主部３の断面図であり、図３８のＸＸＸＩＸ−ＸＸＸＩＸ線における断面図に対応する。図４０及び図４１は、ロック部材５６０が第１位置にスライド操作された状態における遊技機主部３の断面図であり、図３８のＸＬ−ＸＬ線における断面図に対応する。なお、図３９（ａ）及び図４０では、内枠４に対して前扉５が開放された状態が、図３９（ｂ）及び図４１では、内枠４に対して前扉５を閉じた状態が、それぞれ図示される。
【０２６６】
図４２（ａ）及び図４２（ｂ）は、ロック部材５６０が第２位置にスライド操作された状態における遊技機主部３の断面図であり、図３８のＸＸＸＩＸ−ＸＸＸＩＸ線における断面図に対応する。図４３及び図４４は、ロック部材５６０が第２位置にスライド操作された状態における遊技機主部３の断面図であり、図３８のＸＬ−ＸＬ線における断面図に対応する。なお、図４２（ａ）及び図４３では、内枠４に対して前扉５が開放された状態が、図４２（ｂ）及び図４４では、内枠４に対して前扉５を閉じた状態が、それぞれ図示される。
【０２６７】
ここで、内枠４には、鉤受け部材１６７の後方（図４０右側）に受け板５０２８が配設される。受け板５０２８は、弾性的に圧縮変形された圧縮ばねＳＰ３の弾性回復力により鉤受け部材１６７へ向けて付勢される。
【０２６８】
また、本実施形態における内枠４には、ロック部材５６０に対面する領域に逃げ部５００４ａが凹設される。逃げ部５００４ａは、ロック部材５６０が第２位置へスライド操作された状態で、内枠４に対して前扉５が閉じられた場合に、その逃げ部５００４ａの内部空間にロック部材５６０（先端部材５６１）を収納可能な大きさ（即ち、ロック部材５６０と内枠４とを非干渉とできる大きさ）に形成される。
【０２６９】
図３９から図４１に示すように、ロック部材５６０が第１位置にスライド操作された状態では、そのロック部材５６０の第１位置へのスライド操作に伴い、連結棒５５６４と支持軸５５５６との間の距離が拡大されるため、回転プレート５５６３及び昇降部材５５６５が上方へ持ち上げられる。
【０２７０】
これにより、昇降部材５５６５の押下げピン５５６５ｂが鉤部材１６６ａの後端側の上面よりも上方に位置される。よって、鉤受け部材２８に係合するための鉤部材１６６ａの支持軸５５７を中心とする回転が許容されるので、図３９（ａ）及び図４０に示す状態から、内枠４に対して前扉５を閉じると、図３９（ｂ）及び図４１に示すように、鉤部材１６６ａの係合部を鉤受け部材１６７に係合させて、施錠された状態を形成できる。
【０２７１】
なお、この場合、鉤部材１６６ａによって受け板５０２８が後方へ押し込まれているため、鉤部材１６６ａ及び鉤受け部材１６７の係合を解除（開錠）した際には、圧縮ばねＳＰ３の弾性回復力により鉤部材１６６ａを押し返すことができる。即ち、内枠４に対して前扉５を閉じた状態から開放する際には、その開放に要する力を圧縮ばねＳＰ３の弾性回復力により補助することができる。よって、内枠４に対して前扉５を開放させる際の作業者の作業性の向上を図ることができる。
【０２７２】
一方、図４２から図４４に示すように、ロック部材５６０が第２位置にスライド操作された状態では、そのロック部材５６０の第２位置へのスライド操作に伴い、連結棒５５６４と支持軸５５５６との間の距離が縮小されるため、回転プレート５５６３及び昇降部材５５６５が下方へ押し下げられる。
【０２７３】
これにより、昇降部材５５６５の押下げピン５５６５ｂが鉤部材１６６ａの後端側の上面を下方に押し下げることで、かかる鉤部材１６６ａを、その先端側の係合部が上方へ持ち上げられた姿勢、即ち、鉤受け部材１６７に係合不能な姿勢とすることができる。
【０２７４】
よって、図４２（ａ）及び図４３に示す状態（即ち、介設板５４０が所定位置（収容部５１１）に配設されていない状態）から、内枠４に対して前扉５を閉じると、図４２（ｂ）及び図４４に示すように、鉤部材１６６ａの係合部を鉤受け部材１６７に係合させず、施錠された状態が形成されることを規制できる。即ち、介設板５４０が所定位置に配設されていない状態では、施錠を規制して、開錠状態に維持することができるので、内枠４に対して前扉５を閉じることができない状態を形成できる。その結果、介設板５４０が配設されていないことを作業者へ認識させることができる。また、意図的に介設板５４０を所定位置へ配設しない行為を抑制できる。
【０２７５】
この場合、内枠４に対して前扉５を閉じた際に、施錠が行なわれないだけでは、内枠４の正面に前扉５が重なっていることで、閉じた状態が形成されたと作業者が誤認識するおそれがある。
【０２７６】
これに対し、本実施形態では、鉤受け部材１６７の後方に、受け板５０２８及び圧縮ばねＳＰ３を設けたので、鉤部材１６６ａが、その先端側の係合部が上方へ持ち上げて、鉤受け部材１６７に係合不能な姿勢とされた状態で、内枠４に対して前扉５を閉じた場合には、図４４に示すように、鉤部材１６６ａによって浮き板５０２８を後方へ押し込ませて、圧縮ばねＳＰ３を更に圧縮させることができる。
【０２７７】
その結果、圧縮ばねＳＰ３の弾性回復力により鉤部材１６６ａを前方（図４４左方向）へ押し返して、内枠４に対して前扉５を開放方向へ変位させることができる。即ち、内枠４に対して前扉５を閉じても、かかる前扉５が開放されるため、閉じた状態が形成されたと作業者が誤認識することを抑制できる。その結果、介設板５４０が配設されていないことを作業者へ認識させやすくできる。
【０２７８】
また、このように、内枠４に対して前扉５を閉じる際には、鉤部材１６６ａにより受け板５０２８を後方へ押し込ませて、圧縮ばねＳＰ３を圧縮変形させることができるので、その緩衝作用により衝撃を吸収して、破損を抑制することができる。
【０２７９】
特に、本実施形態では、内枠４に逃げ部５００４ａが凹設されるので、内枠４に対して前扉５を閉じる際の衝撃による破損を抑制できる。即ち、例えば、第１実施形態の場合では、介設板５４０を所定位置に戻さないまま、内枠４に対して前扉５を閉じると、内枠４と前扉５との間にロック部材５６０（先端部材５６１）が部分的に介在され（挟まれて）、そのロック部材５６０周辺に衝突時の力が集中するため、面圧が大きくなり、破損しやすい。
【０２８０】
これに対し、本実施形態によれば、介設板５４０を所定位置に戻さないまま、内枠４に対して前扉５を閉じても、図４２（ｂ）及び図４４に示すように、ロック部材５６０（先端部材５６１）が逃げ部５００４ａに受け入れられるので、内枠４と前扉５との間にロック部材５６０が部分的に介在されず（挟まれず）、内枠４の正面と前扉５の背面とを全面で当接（衝突）させることができる。その結果、衝突時の力を全面に分散させ、面圧を下げることができ、破損を抑制できる。
【０２８１】
次いで、図４５から図５０を参照して、第６実施形態について説明する。第１実施形態では、ロック部材５６０の第１位置から第２位置へのスライド操作が、レバー部材５７０により規制される場合を説明したが、第６実施形態では、ロック部材５６０の第１位置から第２位置へのスライド操作が、スライド板６５４０により規制される。なお、上記各実施形態と同一の部分には同一の符号を付して、その説明は省略する。
【０２８２】
図４５は、第６実施形態における前扉５の上側部分の分解背面斜視図である。図４５に示すように、本体部材５１０の上面には、スライド板６５４０をスライド操作可能に配設するための収容部６５１１が凹設され、その収容部６５１１の一部には、作業空間６５１１ａが凹設される。作業空間６５１１ａには、所定の部材（機器）が収容される。
【０２８３】
スライド板６５４０は、作業空間６５１１ａを遮蔽する遮蔽位置（図４７（ａ）参照）と、作業空間６５１１ａを開放する開放位置（図４７（ｂ）参照）との間でスライド操作が可能とされる。即ち、通常は、スライド板６５４０が遮蔽位置に配置され、作業空間６５１１ａに収容される所定の部材の交換、メンテナンス（調整）、設定の変更・切換、スイッチ操作などを行う際には、スライド板６５４０が遮蔽位置から開放位置にスライド操作される。ここで、スライド板６５４０について、図４６を参照して説明する。
【０２８４】
図４６（ａ）は、スライド板６５４０の上面図であり、図４６（ｂ）は、図４６（ａ）の矢印ＸＬＶＩｂ方向視におけるスライド板６５４０の側面図であり、図４６（ｃ）は、図４６（ｂ）のＸＬＶＩｃ−ＸＬＶＩｃ線におけるスライド板６５４０の断面図であり、図４６（ｄ）は、図４６（ｂ）のＸＬＶＩｄ−ＸＬＶＩｄ線におけるスライド板６５４０の断面図である。
【０２８５】
図４６に示すように、スライド板６５４０は、長尺板状の上面板６５４１と、その上面板６５４１の長手方向一端側（図４６（ｂ）右側）における底面から突出される直方体状の箱状部６５４２とを備えて形成される。
【０２８６】
上面板６５４１には、その長手方向に沿う縁部から板状の突片部６５４１ａがそれぞれ突設され、各突片部５３１が本体部材６５１０の突片部６５１０ａ及び背面部材６５５０の突片部６５５０ａ（それぞれ図４８参照）の下面に係合されることで、スライド板６５４０が収納部６５１１から取り外し不能とされる。
【０２８７】
上面板６５４１は、収容部６５１１の作業空間６５１１ａと反対側の底面（作業空間６５１１ａが凹設される底面よりも高さが一段高くされた底面）に載置され、その底面上を摺動される。
【０２８８】
箱状部６５４２には、ロック部材５６０が挿通可能に形成される挿通孔６５４２ａが貫通形成される。即ち、挿通孔６５４２ａは、スライド板６５４０が遮蔽位置に配置されると（図４７参照）、後述する本体部材６５１０の保持部５１１ｅ及び背面部材６５５０の挿通孔５５１と一直線上となる位置（即ち、挿通孔６５４２ａの両端開口が保持部５１１ｅ及び挿通孔５５１に対面される位置）に配置される（図４８参照）。
【０２８９】
箱状部６５４２は、収容部６５１１の作業空間６５１１ａが凹設される底面に載置され、その底面上を摺動される。この場合、箱状部６５４２の長手方向端面（図４６（ｂ）左側）が、収容部６５１１の底面における段差（上面板６５４１が載置される底面と箱状部６５４２が載置される底面との間の段差）に当接されることで、スライド板６５４０の収容部６５１１からの取り外しが不能とされると共に、スライド板６５４０が開放位置に配置される。
【０２９０】
図４５に戻って説明する。本体部材６５１０には、保持部５１１ｅが、背面部材６５５０には、挿通孔５５１及びロック部材５６０が、それぞれ形成または配設される。これら本体部材６５１０の保持部５１１ｅ並びに背面部材６５５０の挿通孔５５１及びロック部材５６０は、第１実施形態における本体部材５１０の保持部５１１ｅ並びに背面部材５５０の挿通孔５５１及びロック部材５６０と配設位置が異なる点を除き、他の構成は実質的に同一であるので、同じ符号を付してその説明は省略する。
【０２９１】
次いで、第６実施形態における抑制機構の操作方法について、図４７から図５０を参照して説明する。
【０２９２】
図４７（ａ）は、スライド板６５４０及びロック部材５６０がそれぞれ遮蔽位置および第１位置にスライド操作された状態における前扉５の上面図であり、図４７（ｂ）はスライド板６５４０及びロック部材５６０がそれぞれ開放位置および第２位置にスライド操作された状態における前扉５の上面図である。
【０２９３】
また、図４８は、図４７（ａ）のＸＬＶＩＩＩ−ＸＬＶＩＩＩ線における前扉５の断面図であり、図４９は、図４８に示す状態からロック部材５６０が第２位置にスライド操作された状態における前扉５の断面図であり、図５０は、図４７（ｂ）のＬＩ−ＬＩ線における前扉５の断面図である。
【０２９４】
作業空間６５１１ａにおける所定の部材の交換またはメンテナンスを行うに際しては、ロック部材５６０のスライド操作（押し込み操作または引き出し操作）を可能とするべく、まず、内枠４に対して前扉５を開放する。
【０２９５】
図４７（ａ）及び図４８に示すように、ロック部材５６０が第１位置に押し込み操作された状態では、スライド板６５４０の挿通孔６５４２ａにロック部材５６０が挿通され、挿通孔６５４２ａの一端側から突出するロック部材５６０（基部材５６２）の基端が本体部材６５１０の保持部５１１ｅ内に保持されると共に、挿通孔６５４２ａの他端側から突出するロック部材５６０（先端部材５６１）の先端が背面部材６５５０の挿通孔５５１に保持される。よって、スライド板６５４０は、スライド操作が不能とされ、遮蔽位置（所定位置）に保持される。
【０２９６】
図４７（ａ）及び図４８に示す状態から、ロック部材５６０が背面部材６５５０の背面側へ引き出し操作され、第２位置に達すると、図４９に示すように、ロック部材５６０（基部材５６２）がスライド板６５４０の挿通孔６５４２ａから抜き取られる。これにより、スライド板６５４０を遮蔽位置から解放位置へスライド操作することが可能とされる。
【０２９７】
図４７（ｂ）及び図５０に示すように、スライド板６５４０が開放位置に配置されると、作業空間６５１１ａが開放されるので、かかる作業空間６５１１ａに収容される所定の部材の交換やメンテナンスなどの作業が可能とされる。
【０２９８】
このスライド板６５４０が開放位置に配置された状態では、ロック部材５６０が引き出し操作により第２位置に配置されており、かかるロック部材５６０が第２位置に配置された状態では、背面部材６５５０の背面からロック部材５６０（先端部材５６１）が突出される。
【０２９９】
そのため、上述したように、内枠４の正面と前扉５の背面との間にロック部材５６０が介在されることで、内枠４に対して前扉５を閉じることができない。これにより、作業者に対してスライド板６５４０の遮蔽位置（所定位置）への戻し忘れを認識させることができる。
【０３００】
また、本実施形態では、スライド板６５４０が開放位置に配置された状態では、かかるスライド板６５４０が前扉５から突出された状態を形成できる。これにより、作業者に対してスライド板６５４０の遮蔽位置への戻し忘れを認識させることができる。
【０３０１】
特に、スライド板６５４０は、前扉５の回動先端側（回転中心と反対側）の側方へ向けて突出され、かかるスライド板６５４０が、前扉５を開閉する作業者の動作を阻害することとなるため、作業者に対してスライド板６５４０の遮蔽位置への戻し忘れを認識させることができる。一方で、スライド板６５４０は前扉の側方へ突出されるので、かかるスライド板６５４０が突出された状態で作業者が不用意に前扉５を内枠４に対して閉じた場合でも、スライド板６５４０と内枠４との干渉を回避して、その破損を抑制できる。
【０３０２】
また、この状態（スライド板６５４０を遮蔽位置へ戻し忘れている状態）では、スライド板６５４０の箱状部６５４２の背面（後端面）が、ロック部材５６０の基部材６５２の基端に対面されることで、ロック部材５６０の第１位置への押し込み操作が規制される。ロック部材５６０を第１位置へ押し込み操作する（即ち、前扉５を内枠４に対して閉じることが可能な状態を形成する）ためには、スライド板６５４０を所定位置（遮蔽位置）へ配置する必要がある。即ち、スライド板６５４０を所定位置へ戻さない限り、ロック部材５６０を第１位置へ押し込み操作すること（前扉５を内枠４に対して閉じること）ができないので、スライド板６５４０の遮蔽位置への戻し忘れを抑制することができる。
【０３０３】
更に、本実施形態によれば、ロック部材５６０を第２位置に配置した後は、そのロック部材５６０の第１位置への押し込み操作を、スライド板６５４０の箱状部６５４２の背面（後端面）により規制することができる。即ち、第１実施形態の場合のように、レバー部材５７０を設ける必要がないので、その分、部品点数を削減して、製品コストの削減を図ることができる。
【０３０４】
次いで、図５１を参照して、第７実施形態について説明する。第２実施形態では、内枠４に対して前扉５を閉じた状態において、圧縮ばねＳＰ２が先端部材２５６１により軸方向に押し込まれて圧縮変形される場合を説明したが（図２３参照）、第７実施形態における圧縮ばねＳＰ２は、先端部材２５６１に加え、保持部５１１ｅの挿入片７５１１ｆによっても軸方向に押し込まれて圧縮変形される。なお、上記第１実施形態と同一の部分には同一の符号を付して、その説明は省略する。
【０３０５】
図５１は、第７実施形態における内枠４及び前扉５の部分拡大断面図であり、図２３に対応する。図５１に示すように、ロック部材７５６０の基部材７５６２の後端には、その基部材７５６２の少なくとも上面（図５１上側の面）及び後端面（図５１左側の面）を含む領域が切り欠かれることで開口が形成され、かかる開口が切り欠き部７５６２ｆとされる。
【０３０６】
一方、本体部材５１０の保持部５１１ｅには、その凹部の内壁面および底面から突出される挿入片７５１１ｆが、ロック部材７５６０の切り欠き部７５６２ｆに対応する位置に形成される。よって、保持部５１１ｅにロック部材７５６０（基部材７５６２）の基端が保持されると、基部材７５６２の切り欠き部７５６２ｆから摺動案内部２５６２ｂ内へ挿入片７５１１ｆが挿入され、圧縮ばねＳＰ２を圧縮変形させる。
【０３０７】
このように、本実施形態によれば、内枠４に対して前扉５を閉じた状態では、内枠４の正面に当接された棒状部２５６１ａが、上述した寸法Ｌ１（図１９参照）の分だけ摺動案内部２５６２ｂ内へ押し込まれることで、圧縮ばねＳＰ２を圧縮変形させることに加え、保持部５１１ｅの挿入片７５１１ｆが摺動案内部２５６２ｂ内へ挿入されることでも、圧縮ばねＳＰ２を更に圧縮変形させることができる。即ち、第２実施形態の場合（図２３参照）と比較して、圧縮ばねＳＰ２の圧縮変形量を大きくして、先端部材２５６１を突出方向（図５１右方向）へ付勢する付勢力を大きくできる。
【０３０８】
従って、内枠４に対して前扉５を開放する際に、圧縮ばねＳＰ２の付勢力により先端部材２５６１をより強い力で突出させることができるので、内枠４を開放方向（前扉５から離間する方向、図５１右方向）へ押し出す動作、及び、その反作用により前扉５を開放方向（内枠４から離間する方向、図５１左方向）へ押し出す動作を確実に行わせることができる。その結果、前扉５の重量が比較的大きな場合であっても、内枠４に対して前扉５を開放させやすくして、作業者の負担を軽減できる。
【０３０９】
一方で、ロック部材７５６０が第２位置にスライド操作（引き出し操作）された状態では（例えば、図２０及び図２１参照）、保持部５１１ｅの挿入片７５１１ｆが切り欠き部７５６２ｆから抜き取られた状態とされ、圧縮ばねＳＰ２を基部材７５６２（摺動案内部２５６２ｂ）の後端面と先端部材２５６１のピストン部２５６１ｂとの間で圧縮変形させることができる。
【０３１０】
即ち、挿入片７５１１ｆが挿入されていない分、先端部材２５６１の押し込み方向（図２０及び図２１の左方向）へのストローク可能量を確保できるので、ロック部材７５６０が第２位置にある状態（即ち、介設板５４０を戻し忘れた状態）で、内枠４に対して前扉５が閉じられる場合に（図２４及び図２５参照）、圧縮ばねＳＰ２の弾性的な圧縮変形による緩衝作用を発揮させやすくできる。その結果、衝突の勢いを弱めて、レバー部材５７０の破損を抑制できる。
【０３１１】
次いで、図５２から図５８を参照して、第８実施形態における抑制機構について説明する。
【０３１２】
まず、第８実施形態における遊技機主部８００３の全体構成について、図５２及び図５３を参照して説明する。図５２は、第８実施形態における遊技機主部８００３の分解正面斜視図である。図５３（ａ）は、内枠８００４の正面図であり、図５３（ｂ）は、図５３（ａ）のＬＩＩＩｂ−ＬＩＩＩｂ線における内枠８００４の断面図である。なお、上記各実施形態と同一の部分には同一の符号を付してその説明を省略する。
【０３１３】
図５２及び図５３に示すように、第８実施形態における内枠８００４には、後述するロック部材８５６０が挿通するための挿通孔８００４ａと、誘導レール７５の間に後述する突出部材８７１３が突出するための開口８００４ｂとが正面から背面に亘って貫通形成される。
【０３１４】
挿通孔８００４ａは、内枠８００４の回転軸側（図５３（ａ）左側）の上方に形成されると共に、ロック部材８５６０の正面視の外形と略同一もしくは大きく形成され、内側にロック部材８５６０が挿通される。
【０３１５】
開口８００４ｂは、誘導レール７５の間に形成されると共に、突出部材８７１３の正面視における外形と略同一もしくは大きく形成され、内側に突出部材８７１３が挿通される。
【０３１６】
内枠８００４の背面には、打出規制部材８７１０が配設される。打出規制部材８７１０は、貫通孔８００４ａの正面視右側に配設される押込部材８７１１と、押込み部材８７１１の下方に配置されるスライド片８７１２と、スライド片８７１２の下方に配置される突出部材８７１３とを主に備える。
【０３１７】
押込部材８７１１は、ロック部材８５６０に押圧されることで、前後方向に摺動する部材であり、ロック部材８５６０と少なくとも一部が左右方向（図５３（ａ）左右方向）に重なって配置される。また、押込部材８７１１は、側面視台形状に形成されると共に、先端に向かって上下方向の厚みが小さく（細く）なる先細りに形成される。即ち、押込部材８７１１には、下面側が先端（正面）へ向かうほど上方へ上昇傾斜する傾斜面８７１１ａが形成される。
【０３１８】
スライド片８７１２は、Ｌ字の短辺側の先端を点対称に２つ連結した側面視形状に形成されると共に、左右方向に所定の厚みを備えて形成される。また、スライド片８７１２の上下両端部には、中心に向かって傾斜する傾斜面８７１２ａと傾斜面８７１２ｂとが形成される。即ち、傾斜面８７１２ａ及び傾斜面８７１２ｂは、正面へ向かうに従って上方へ上昇傾斜される。
【０３１９】
傾斜面８７１２ａは、押込部材８７１１の傾斜面８７１１ａと当接する面であり、その傾斜角度は、押込部材８７１１の傾斜面８７１１ａの傾斜角度と合わせて略直角に設定される。また、傾斜面８７１２ｂは、下端側に形成される面であり、後述する突出部材８７１３の傾斜面８７１３ｃと当接して配置される。
【０３２０】
突出部材８７１３は、上述した開口８００４ｂから突出する部材であり、正面視における左右（図５３（ａ）左右側）の側面が誘導レール７５の円弧軸と同一の軸を備えた湾曲形状に形成される。また、突出部材８７１３は、側面視略台形に形成され、正面側の端面に遊技盤の平面と略平行に形成された突出面８７１３ａと、背面側に先端に向かって下方傾斜する傾斜面８７１３ｂと、傾斜面８７１３ｂの基部から連結すると共に、上方に突出した板状の突壁８７１３ｃとを主に備える。
【０３２１】
傾斜面８７１３ｂは、上述したスライド片８７１２の傾斜面８７１２ｂと当接する面であり、その傾斜角度はスライド片８７１２の傾斜面８７１２ｂの傾斜角度と合わせて略直角に形成される。
【０３２２】
突壁８７１３ｃの前方には、圧縮ばねＳＰ４が配置される。圧縮ばねＳＰ４は、突壁８７１３ｃと遊技盤１３との間に所定量縮まった様態で配置されており、圧縮ばねＳＰ４の付勢力により突出部材８７１３が常に後方に付勢された状態で配設される。また、突壁８７１３ｃは、突出部材８７１３が後方に位置する際に、スライド片８７１２の前面と当接した状態で配置される。これにより、突出部材８７１３が圧縮ばねＳＰ４により所定位置よりも引き込まれることを抑制できる。
【０３２３】
なお、突出部材８７１３ｃが圧縮ばねＳＰ４の付勢力により、後方に引き込まれた状態では、突出面８７１３ａが、遊技盤１３の前面と面一に配置される。これにより、突出面８７１３ａが、遊技領域ＰＥに発射される（誘導レール７５の間を通過する）遊技球に影響を与えない。
【０３２４】
次に、図５４を参照して、ロック部材８５６０について説明する。図５４（ａ）は、ロック部材８５６０の正面斜視分解図であり、図５４（ｂ）は、ロック部材８５６０の側面図であり、図５４（ｃ）は、図５４（ｂ）のＬＩＶｃ−ＬＩＶｃ線におけるロック部材８５６０の断面図である。
【０３２５】
図５４（ａ）から図５４（ｃ）に示すように、ロック部材８５６０は、先端部材８５６１と、その先端部材８５６１の基端側に連結される基部材８５６２とを主に備え、基部材８５６２の基端側には、複数の張出部５６２ａが張り出し形成される。
【０３２６】
先端部材８５６１は、その基端側の厚み寸法が小さくされ、その厚み寸法が小さくされた部分に軸支孔８５６１ａが穿設される。一方、基部材８５６２は、厚み方向に２分割され、一方の分割体の先端側に軸部８５６２ｂが突設される。軸部８５６２ｂをねじりバネＳＰ５と軸支孔８５６１ａに挿通した状態で、両分割体がボルトＢＴにより締結固定されて一体化されることで、先端部材８５６１の基端側に基部材８５６２が回転可能に連結される。即ち、ロック部材８５６０が屈曲可能に形成される。
【０３２７】
また、先端部材８５６１と基部材８５６２との延設方向が同一（一直線上）に配置された状態において、先端部材８５６１の基端側の一側（図５４（ｃ）上側）の面には、基部材８５６２と当接する当接面８５６１ｂが形成されると共に、他側（図５４（ｃ）下側）の面には、軸支孔８５６１ａの軸と同一の軸を有する円弧状に形成された湾曲面８５６１ｃを備える。
【０３２８】
これにより、基部材８５６２に対する先端部材８５６１の回転は、一方向（図５３（ｃ）時計回り）のみに規制される。即ち、先端部材８５６１と基部材８５６２との延設方向が同一に配置された状態では、先端部材８５６１の当接面８５６１ｂが基部材８５６２に当接する様態で配置される。よって、基部材８５６２に対して先端部材８５６１は、一側方向（図５３（ｃ）反時計回り）に回転不能となる。一方、他側方向の回転は、湾曲面８５６１ｃにより、先端部材８５６１の回転に必要なスペースが確保されるので、先端部材８５６１を回転させることができる。
【０３２９】
ここで、上述したように、基部材８５６２の軸部には、ねじりバネＳＰ５が配設される。図５４（ｂ）に示すように、ねじりバネＳＰ５は、一端側に延びる端部が、先端部材８５６１を一側方向に付勢し、他端側に延びる端部が、基部材８５６２を一側方向に付勢した様態で配置される。
【０３３０】
これにより、ロック部材８５６０は、先端部材８５６１と基部材８５６２との延設方向が、常に同一となるように、ねじりバネＳＰ５により付勢される。その結果、先端部材８５６１に他側方向の外力が作用し、先端部材８５６１が基部材８５６２に対して回転したとしても、他側方向の作用する外力を解除することで、先端部材８５６１がねじりバネＳＰ５の付勢により回転して、先端部材８５６１と基部材８５６２との延設方向を同一（外力が作用する前の状態）にすることができる。
【０３３１】
次に、図５５を参照して、外枠８００２について説明する。図５５（ａ）は、外枠８００２の正面斜視図であり、図５５（ｂ）は、外枠８００２の正面図であり、図５５（ｃ）は、図５５（ｂ）のＬＶｃ−ＬＶｃ線における折込部材８００２ａの断面図である。
【０３３２】
図５５（ａ）及び図５５（ｂ）に示すように、外枠８００２には、その内側に突出した折込部８００２ａが形成される。折込部８００２ａは、ロック部材８５６０が当接した際にロック部材８５６０の先端部材８５６１を基部材８５６２に対して回転させる部材であり、ロック部材８５６０の後方に配置される。
【０３３３】
また、図５５（ｃ）を参照すると、折込部８００２ａは、断面略三角形に形成されると共に前方側に突出する第１折込部８００２ａ１と、第１折込部８００２ａ１の基端側と連結する第２折込部８００２ａ２とを主に備えて形成される。
【０３３４】
次いで、図５６を参照して、ロック部材８５６０の動作について説明する。図５６（ａ）から図５６（ｄ）は、外枠８００２から開放された遊技機主部８００３を閉鎖する動作の各状態におけるパチンコ機１の上面図である。
【０３３５】
図５６（ａ）及び図５６（ｂ）に示すように、遊技機主部８００３を外枠８００２から一端を軸に回転させることで、内枠８００４の背面にロック部材８５６０が操作可能に露出される。
【０３３６】
遊技機主部８００３を外枠８００２から一端を軸に回転させた状態で、ロック部材８５６０が、内枠８００４から後方に引き抜かれると、第１実施形態と同様に、レバー部材５７０の先端側が上方へ跳ね上げられて、介設板５４０を上方へ押し上げる。また、レバー部材５７０の先端側が、背面部材８５５０の挿通孔８５５１に対面する位置に配置される。これにより、ロック部材８５６０の押込み方向への移動が規制される。
【０３３７】
次に、図５６（ｃ）及び図５６（ｄ）を参照して、介設板５４０を取り外した状態で遊技機主部８００３を外枠８００２に対して回転させて閉鎖した場合の説明をする。ロック部材８５６０は、内枠８００４から後方に引き抜かれると、先端部材８５６１が内枠８００４から突出した状態で配置される。この先端部材８５６１が内枠８００４から突出した状態で、遊技機主部８００３を外枠８００２に閉鎖すると、ロック部材８５６０の先端部材８５６１が外枠８００２の折込部８００２ａと当接する。
【０３３８】
この場合、先端部材８５６１は、折込部８００２ａの第１折込部８００２ａ１と初めに当接する。第１折込部８００２ａ１は、上述したように、断面略三角形状に傾斜して形成されるので、第１折込部８００２ａ１の傾斜により、ロック部材８５６０の後方への変位に従って、ロック部材８５６０に先端部材８５６１を回転させる外力を作用させることができる。
【０３３９】
更に、第１折込部８００２ａにより、先端部材８５６１が基部材８５６２に回転させられると、先端部材８５６１の端部が、第１折込部８００２ａ１と第２折込部８００２ａ２との連結部分に到達し、第２折込部８００２ａ２の側面をスライド変位する。これにより、先端部材８５６１が基部材８５６２に対して回転するための外力を作用させると共に、その回転距離を確保することができる。
【０３４０】
また、図５６（ｄ）を参照すると基部材８５６２に対して回転した先端部材８５６１は、その側面が、隣接して配設された押込部材８７１１の背面と当接する。よって、先端部材８５６１が基部材８５６２に対して回転するに従って、押込部材８７１１を前方に押し込むことができる。
【０３４１】
次に、図５７を参照して、打出規制部材８７１０の動作について説明する。図５７（ａ）及び図５７（ｂ）は、内枠８００４の断面図であり、図５３（ａ）のＬＩＩＩｂ−ＬＩＩＩｂ線における断面に対応する。
【０３４２】
上述したように、ロック部材８５６０の先端部材８５６１が基部材８５６２に対して回転させられると、その側面で、押込部材８７１１の背面を押圧する。これにより、押込部材８７１１を前方に変位させることができる。
【０３４３】
押込部材８７１１が前方に変位すると、押込部材８７１１の傾斜面８７１１ａがスライド片８７１２の傾斜面８７１２ａを摺動する。これにより、押込部材８７１１が押込まれた際の変位が、スライド片８７１２を下方に変位させる動作となる。更に、スライド片８７１２が、上述した押込部材８７１１の変位により、下方にスライド変位すると、スライド片８７１２の傾斜面８７１２ｂが突出部材８７１３の傾斜面８７１３ｂを摺動する。よって、押込部材８７１１により変位させられたスライド片８７１２の変位により、突出部材８７１３を前方に押し出すことができる。
【０３４４】
即ち、ロック部材８５６０を後方に引き抜いた（介設板５４０を取り外した）状態で遊技機主部８００３を回転させて、外枠８００２の内側に配置すると、押込部材８７１１が、先端部材８５６１の回転により押し込まれ、突出部材８７１３が前方に押し出される。
【０３４５】
これにより、作業者が、介設板５４０を戻し忘れ、介設板５４０が本体部材に配設されていない状態で、遊技機主部８００３を回転させて外枠８００２の内側に配置すると、突出部材８７１３が、誘導レール７５の間から突出する。これにより、作業者に対して、介設板５４０の取り付け忘れを認識させることができる。
【０３４６】
次に、図５８を参照して、突出部材８７１３と遊技球との関係について説明する。図５８（ａ）は、遊技機主部８００３の正面図であり、図５８（ｂ）は、図５８（ａ）のＬＶＩＩＩｂ−ＬＶＩＩＩｂ線における遊技機主部８００３の断面図である。なお、図５８（ｂ）には、ガラス８が、２点鎖線で図示される。
【０３４７】
突出部材８７１３と外レール７７（誘導レール７５）との間隔Ｌ１は、遊技球Ｔの直径Ｌ２よりも小さく、且つ、遊技球の直径Ｌ２の半分よりも大きく設定される（Ｌ２／２＜Ｌ１＜Ｌ２）。また、突出部材８７１３の突出面８７１３ａからガラス８までの距離Ｌ３は、遊技球Ｌ２の直径よりも小さく設定される（Ｌ３＜Ｌ２）。
【０３４８】
よって、間隔Ｌ１が遊技球Ｔの直径Ｌ２よりも小さく設定されるので、誘導レール７５に打出しされた球は、誘導レール７５の間を通過することができないため、遊技球Ｔが遊技領域ＰＥに発射（流入）されることを規制することができる。
【０３４９】
即ち、突出部材８７１３が誘導レール７５の間から突出して、遊技領域ＰＥに遊技球Ｔが流入することを規制することで、遊技が行われることを不能とするので、遊技球Ｔが遊技領域ＰＥの入球口に入球することを回避して、不正行為を伴った遊技が行われることを抑制できる。また、不正行為に関与しない遊技者が、意図せずに遊技を行う場合に、遊技を行うことが不能であることを認識させやすくすることができる。
【０３５０】
更に、突出部材８７１３は、遊技球Ｔが発射される誘導路７５の間に突出するので、遊技を行うことが不能であることを遊技者に認識させやすくできる。この場合、不正行為に関与しない遊技者が、遊技を行うことが不能であること認識できなかった際にも、発射された球が遊技領域ＰＥに発射されることが規制されるので、発射された球を下皿５０へ返却することができる。よって、遊技者に不利益を与えることを回避できる。
【０３５１】
なお、突出部材８５８３は、戻り防止部材６８の近傍に配設されることが好ましい。これにより、発射手段から発射された遊技球の行方を目視する遊技者に、突出部材８７１３の存在を認識させやすくすることができる。
【０３５２】
また、この場合、突出部材８７１３の引込動作は、介設板５４０を所定位置に取り付け、ロック部材８５６０を第１位置に戻すことで解除することができる。即ち、介設板５４０を所定の位置に戻さないと、突出部材８７１３が前方に位置して、遊技不能の状態とされるので、介設板５４０の戻し忘れを抑制できる。
【０３５３】
ここで、誘導路４２の間に、突出部材８７１３が突出して、遊技球Ｔを遊技領域ＰＥに発射できないようにするものであると、突出部材８７１３が没入された通常の遊技状態において、突出部材８７１３の引込み位置のばらつきや、突出部材８７１３と開口８００４ｂとの隙間により、誘導路４２を通過する遊技球に負荷を与えてしまい、遊技球Ｔを安定したスピードで遊技領域ＰＥに発射できないおそれがある。また、上述したばらつきや隙間に起因する段差により飛び跳ねた遊技球Ｔがガラス８に衝突して破損させるおそれがある。
【０３５４】
これに対し、本実施形態では、上述したように、突出部材８７１３と誘導レール７５との間隔Ｌ１は、遊技球Ｔの直径Ｌ２の半分よりも大きく形成される。よって、発射される遊技球Ｔは、発射した遠心力により外側の誘導レール７５に接触しながら遊技領域ＰＥまで誘導されるところ、通常の遊技状態では、遊技球Ｔが接触しない位置に突出部材８７１３が配置される（遊技球Ｔの半径よりも大きな間隔が突出部材８７１３と入口部分７５ｂとの間に形成される）ので、通常の遊技状態での遊技球Ｔの誘導に負荷を与えることがなく、安定したスピードで遊技球Ｔを遊技領域ＰＥに発射することができる。また、段差での遊技球Ｔの飛び跳ねを抑制して、ガラス８の破損を抑制できる。
【０３５５】
また、上述したように、突出部材８７１３の引込み位置のばらつきが発生したとしても、遊技球Ｔの誘導に負荷を与えなくすることができるので、突出部材８７１３の突出誤差および組み付け誤差を必要以上に考慮する必要がない。よって、部品の製造を簡易にすることができ、製造コストを削減することができる。
【０３５６】
次に、図５９から図６３を参照して、第９実施形態における抑制機構について説明する。
【０３５７】
図５９は、第９実施形態部における遊技機主部９００３の分解正面斜視図である。図６０（ａ）は、遊技機主部９００３の背面図であり、図６０（ｂ）は、図６０（ａ）のＬＸｂ−ＬＸｂ線における遊技機主部９００３の断面図である。なお、上記各実施形態と同一の部分には同一の符号を付してその説明を省略する。
【０３５８】
図５９及び図６０に示すように、第９実施形態における前扉９００５には、回転軸から遠方側（ハンドル側）にハンドル突出部材９７２０が配置される。ハンドル突出部材９７２０は、背面部材５５０の挿通孔５５１の背面視左側に隣接して配置されるスライド部材９７２１と、スライド部材９７２１の下方に一端が連結されて上下方向に延設された連結部材９７２２と、連結部材９７２２の他端に一端が連結された回転伝達部材９７２３と、操作ハンドル５１の中央に配置されると共に、背面側が回転伝達部材９７２３に連結される突出部材９７２４とを主に備える。
【０３５９】
スライド部材９７２１は、側面視台形に形成される。スライド部材９７２１は、背面側（図６０（ｂ）右側）の側面に、先端に延設すると共に下方傾斜した傾斜面９７２１ａが形成され、底面（図６０（ｂ）下側の面）に後述する連結部材９７２２の一端が挿入される所定の深さを有する穴状の連結穴９７２１ｂが形成される。
【０３６０】
傾斜面９７２１ａは、後述するロック部材９５６０の先端部材８５６１が当接して押圧される面である。スライド部材９７２１は、傾斜面９７２１ａが水平方向に押圧されることで、その押圧力により下方向に変位可能に配置される。
【０３６１】
連結穴９７２１ｂは、連結部材９７２２の一端が連結される穴であり、連結部材９７２２の直径と略同一、又は、小さく形成される。これにより、連結穴９７２１ｂに連結部材９５２の一端を圧入して、スライド部材９７２１と連結部材９７２２とが連結される。
【０３６２】
連結部材９７２２は金属部材から形成されると共に、所定の直径を有した丸棒から形成され前扉９００５の上下方向に延設される。連結部材９７２２の一端は、上述したように、スライド部材９７２１の連結穴９７２１ｂに挿入される。一方、連結部材９７２２の他端は、前扉９００５の回転軸と反対方向に屈曲した屈曲部９７２２ａを備える。
【０３６３】
回転伝達部材９７２３は、側面視楕円に形成されると共に、一端に、連結部材９７２２の屈曲部９７２２ａが挿入される孔状の貫通孔９７２３ａが形成される。また、回転伝達部材９７２３の他端には、前扉９００５の回転軸側（図２（ａ）左側）に突出する突起９７２３ｂが形成される。
【０３６４】
貫通孔９７２３ａは、上述したように、連結部材９７２２の屈曲部９７２２ａが挿入される孔であり、連結部材９７２２の直径と内径が略同一または、連結部材９７２２の直径よりも大きく形成される。これにより、回転伝達部材９７２３は、連結部材９７２２の屈曲部９７２２ａを軸にして回転可能に配置される。
【０３６５】
突起９７２３ｂは、前後方向に長穴形状に開口した摺動溝９００５ａに挿通されると共に、突出部材９７２４の一端側に形成された係合穴９７２４ａに挿通される。
【０３６６】
ここで、回転伝達部材９７２３は、貫通孔９７２３ａが突起９７２３ｂよりも上方に配置される。よって、回転伝達部材９７２３が、連結部材９７２２の屈曲部９７２２ａの軸を中心に回転すると、突起９７２３ｂが、摺動溝９００５ａの内部を摺動できる。
【０３６７】
また、連結部材９７２２の屈曲部９７２２ａと回転伝達部材９７２３の貫通孔９７２３ａとの間にねじりバネ（図示せず）が配設される。ねじりバネは、回転伝達部材９７２３の回転軸９５９３ａを中心に突起９７２３ｂ側を後方に付勢した状態（図６０（ｂ）では、貫通孔９７２３ａを中心に回転伝達部材９７２３を右回りに付勢した状態）で配設される。これにより、回転伝達部材９７２３がスライド部材９７２１及び連結部材９７２２の重力により回転することを抑制できる。
【０３６８】
突出部材９７２４は、円柱状に形成され、その延設方向を前後方向（図６０（ｂ）左右方向）として、操作ハンドル５１の中央部に配設される部材である。突出部材９７２４は、前後方向に摺動可能に配設され、後方に位置する際にその前面が操作ハンドル５１の前面と略同一となって配置される（図６０（ｂ）参照）。また、突出部材９７２４は、背面側の端部に正面視左右方向（図６０（ａ）左右方向）に貫通した孔状の係合穴９７２４ａを備える。
【０３６９】
係合穴９７２４ａは、上述した、回転伝達部材９７２３の突起９７２３ｂが挿入される。これにより、回転伝達部材９７２３が、連結部材９７２２の屈曲部９７２２ａの軸を中心に回転して、突起９７２３ｂが、摺動溝９００５ａの内部を摺動すると、突起９７２３ｂの摺動に連動して、突出部材９７２４を前後方向に摺動できる。
【０３７０】
ロック部材９５６０は、基部材９５６２が、第８実施形態の基部材８５６２と延設方向の長さ寸法が違うのみであり、その他の構成は、同一であるため詳しい説明は省略する。
【０３７１】
内枠９００４の遊技盤収容部１４１には、その内面に折込部８００２ａが形成される。折込部８００２ａは、ロック部材９５６０が当接した際に、ロック部材９５６０の先端部材８５６１を基部材９５６２に対して回転させる部材であり、ロック部材９５６０の後方に配置される。
【０３７２】
次いで、図６１を参照して、ロック部材９５６０の動作について説明する。図６１（ａ）から（ｄ）は、内枠９００４から開放された前扉９００５を閉鎖する動作の各状態における遊技機主部９００３の上面図である。なお、図６１（ａ）から図６１（ｄ）では、ロック部材９５６０及び折込部８００２ａが、破線で図示される。
【０３７３】
図６１（ａ）及び図６１（ｂ）に示すように、ロック部材９５６０は、前扉９００５を内枠９００４の一端を軸に回転させることで、内枠９００３の正面側から操作可能に配設される。
【０３７４】
前扉９００５を内枠９００４の一端を軸に回転させた状態で、ロック部材９５６０が、背面部材５５０から後方に引き抜かれると、第１実施形態と同様に、レバー部材５７０の先端側が、上方へ跳ね上げられて、介設板５４０を上方へ押し上げる。また、レバー部材５７０の先端側が、背面部材５５０の挿通孔５５１に対面する位置に配置される。これにより、ロック部材９５６０の押込み方向への移動が規制される。
【０３７５】
次に、図６１（ｃ）及び図６１（ｄ）を参照して、介設板５４０を取り外した（ロック部材９５６０を後方に引き抜いた）状態で、前扉９００５を内枠９００４に対して回転させて閉鎖した場合の説明をする。ロック部材９５６０は、背面部材５５０から後方に引き抜かれると、先端部材８５６１が内枠８００４から突出した状態で配設される。この（先端部材８５６１が背面部材５５０から突出した）状態で、前扉９００５を内枠９００４に閉鎖すると、ロック部材９５６０の先端部材８５６１が内枠９００４の折込部８００２ａに当接する。
【０３７６】
ここで、ロック部材９５６０の先端部材８５６１が折込部８００２ａと当接された後のロック部材９５６０の先端部材８５６１の動作は、第８実施形態と同様であるため、その詳しい説明は省略する。
【０３７７】
次に、図６２及び図６３を参照して、ハンドル突出部材９７２０について説明する。図６２（ａ）は、図６１（ｂ）の矢印ＶＸＩＩａ方向視における前扉９００５の背面図であり、図６２（ｂ）は、図６１（ｄ）の矢印ＶＸＩＩｂ方向視における前扉９００５の背面図である。図６３（ａ）は、図６２（ａ）のＬＸＩＩＩａ−ＬＸＩＩＩａ線における前扉９００５の断面模式図であり、図６３（ｂ）は、図６２（ｂ）のＬＸＩＩＩｂ−ＬＸＩＩＩｂ線における前扉９００５の断面模式図である。なお、図６２及び図６３は、内枠９００４の図示が省略される。
【０３７８】
ロック部材９５６０の先端部材８５６１が、基部材９５６２に対して回転させられると、その側面でスライド部材９７２１の傾斜面９７２１ａを押圧する。これにより、スライド部材９７２１を、下方にスライド変位させることができる。
【０３７９】
また、前扉９００５が内枠９００４に対して閉鎖された状態（図６１（ｄ）の状態）では、ロック部材９５６０の先端部材８５６１の底面の少なくとも一部が、スライド部材９７２１の上面と当接する。これにより、後述する突出部材９７２４が突出した状態に位置する際に、突出部材９７２４が押圧される力をロック部材９５６０の底面と先端部材８５６１の上面との面で受け止めることができる。その結果、ロック部材９５６０が破損することを抑制できる。
【０３８０】
スライド部材９７２１が下方に変位すると、スライド部材９７２１に連結された連結部材９７２２も同様に下方に変位させられる。これにより、連結部材９７２２が連結された回転伝達部材９７２３が下方に押し下げられる。
【０３８１】
回転伝達部材９７２３は、貫通孔９７２３ａを下方に押し下げられると、貫通孔９７２３ａを軸に回転しつつ前方にスライド変位する。よって、回転伝達部材９７２３の突起９７２３ｂと係合した突出部材９７２４が前方に押し出しされて、突出部材９７２４の前面が操作ハンドル５１の中央部から突出される。
【０３８２】
即ち、作業者が介設板５４０を戻し忘れ、介設板５４０が本体部材５１０に配設されていない状態で、前扉９００３を内枠９００４に閉鎖すると突出部材９７２４が操作ハンドル５１の中央部から突出する。これにより、作業者に対して、介設板５４０の取り付け忘れを認識させることができる。
【０３８３】
この場合、作業者が、突出部材９７２４の突出を認識できなかったとしても、突出部材９７２４がハンドル５１の前方に突出した状態となるので、遊技者が、ハンドル５１を操作できないので、遊技球Ｔを発射することが規制される。なお、突出部材９７２４の突出距離は、ハンドル５１に対してハンドル５１の半径よりも大きな寸法、より好ましくは、ハンドル５１の直径よりも大きな寸法に設定されることが好ましい。
【０３８４】
即ち、突出部材９７２４が、ハンドル５１に対してハンドル５１の半径よりも大きな寸法で突出することで、遊技者がハンドル５１を掴むことを抑制することができる。これにより、ロック部材９５６０が第１位置に配置されていない場合には、遊技が行われることを突出部材９７２４により、不能とすることができるので、不正行為を伴った遊技が行われることを抑制できる。
【０３８５】
また、操作ハンドル５１からの突出部材９７２４の突出は、前扉９００５を内枠９００４に閉鎖する動作中に開始されるので、その突出部材９７２４の突出を作業者に認識させやすくすることができる。例えば、内枠９００４に対して、前扉９００５を閉じた後に、突出部材９７２４が、操作ハンドル５１又は前扉９００５から突出する場合には、既にその際には作業者の意識が次の作業に向いているため、突出部材９７２４が操作ハンドル５１又は前扉９００３から突出されたことが認識し難い。これに対し、閉じる動作中であれば、作業者の意識が前扉９００３に向いている可能性が高いため、少なくとも突出部材９７２４の突出が開始されたことを作業者に認識させやすくできる。
【０３８６】
更に、操作ハンドル５１は、前扉９００５の回転軸と反対側に配置されているので、内枠９００４に対して前扉９００５を閉じる動作を作業者が行う際に、その作業者に接触させやすくすることができる。即ち、前扉９００５を閉じる場合、作業者は、内枠９００４の軸支される側と反対となる前扉９００５の幅方向他側を操作する（手で押し込む）ところ、かかる幅方向他側に突出部材９７２４が配設されることで、前扉９００５から突出する突出部材９７２４を作業者に認識しやすくすることができる。その結果、介設板５４０の所定位置への戻し忘れを作業者に認識しやすくすることができる。
【０３８７】
また、この場合、作業者は、操作ハンドル５１を掴んだ状態で、前扉９００５を内枠９００４に閉じる動作がしやすいところ、介設板５４０を所定位置に戻し忘れた状態では、操作ハンドル５１から、突出部材９７２４が突出するため、かかる作業者の手に突出部材９７２４の先端を押し当てやすくすることができる。その結果、介設板５４０の所定位置への戻し忘れを作業者に認識しやすくすることができる。
【０３８８】
次に、図６４を参照して、突出部材９７２４が操作ハンドル５１から突出した状態を説明する。図６４（ａ）は、突出部材９７２４の突出前における操作ハンドル５１の断面模式図であり、図６４（ｂ）は、突出部材９７２４の突出後における操作ハンドル５１の断面模式図である。
【０３８９】
操作ハンドル５１は、遊技者が遊技球Ｔを遊技領域に打出すために、回転操作する回転部材を備えて形成される。なお、回転部材については、その図示を省略する。
【０３９０】
図６４に示すように、操作ハンドル５１の中央に挿入された突出部材９７２４には、突起９７２４ｂが形成される。突起９７２４ｂは、突出部材９７２４から径方向外側に突出する部材であり、操作ハンドル５１の内部の空間に配置される。
【０３９１】
ここで、突出部材９７２４が前方に突出されると、突出部材９７２４に形成された突起９７２４ｂも同様に前方に変位する。突起９７２４ｂが前方に変位すると、操作ハンドル５１に配設される回転部材に係合する。これにより、突出部材９７２４が突出した状態では、操作ハンドル５１の回転部材の操作が不能となる。
【０３９２】
よって、操作ハンドル５１の回転部材の操作を不能として、遊技が行われることを不能とするので、遊技球Ｔが遊技領域ＰＥの入球口に入球することを回避して、不正行為を伴った遊技が行われることを抑制できる。また、不正行為に関与しない遊技者が、意図せずに遊技を行う場合に、遊技を行うことが不能であることを認識させやすくすることができる。
【０３９３】
また、この場合、不正行為に関与しない遊技者が、遊技を行うことが不能であること認識できなかった際にも、遊技球Ｔを発射することが規制されるので、遊技者に不利益を与えることを回避できる。
【０３９４】
次いで、図６５から図７０を参照して、第１０実施形態における抑制機構について説明する。
【０３９５】
まず、第１０実施形態における抑制機構の全体構成について、図６５から図６７を参照して説明する。図６５は、第１０実施形態における遊技機主部１０００３の分解正面斜視図である。図６６（ａ）は、遊技機主部１０００３の上面図であり、図６６（ｂ）は、遊技機主部１０００３の側面模式図である。図６７は、図６６（ａ）のＬＸＶＩＩ−ＬＸＶＩＩ線における断面模式図である。なお、上記各実施形態と同一の部分には同一の符号を付してその説明を省略する。
【０３９６】
図６５から図６７に示すように、第１０実施形態における前扉１０００５には、内枠９００４に対して回転する回転軸から遠方側の背面に回転規制部材１０７３０が配設される。一方、前扉１０００５の正面視右側の正面側には、下方に回転軸１０７５０を備えた装飾部材１０７４０が配設される。また、前扉１０００５には、装飾部材１０７４０の突出部１０７４２が挿入される開口１０００５ｂが、突出部１０７４２と対向する位置に貫通形成される。
【０３９７】
回転規制部材１０７３０は、背面部材５５０の挿通孔５５１の背面視左側に隣接して配置されるスライド部材９７２１とスライド部材９７２１の下方に一端が連結されて上下方向に延設された連結部材１０５９２と、連結部材１０５９２の他端に一端が連結された係合部材１０７３１とを主に備える。
【０３９８】
連結部材１０７２２は、第９実施形態における連結部材９７２２と延設長さ寸法が異なるのみであるため、その詳しい説明は省略する。なお、連結部材１０７２２は、第９実施形態の連結部材９７２２よりも長さ寸法が短く形成される。
【０３９９】
係合部材１０７３１は、側面視略Ｌ字状に形成されると共に、所定の厚みを備えて形成される。係合部材１０７３１は、側面視略Ｌ字状に形成された長辺側（一側）の端部に左右方向（図６６（ａ）左右方向）に貫通した孔の貫通孔１０７３１ｃが形成されると共に、長辺側（一側）の略中央部に左右方向両方向に突出した回転軸１０７３１ｂが形成される。一方、側面視略Ｌ字状に形成された短辺側（他側）は、後述する装飾部材１０７４０と係合する係合片１０７３１ａとして形成される。
【０４００】
回転軸１０７３１ｂは、係合部材１０７３１が前扉１０００５の背面に配置された際に、前扉１０００５に対して回転するための軸部であり、係合部材１０７３１の左右両方向に突出すると共に、円柱状に形成される。
【０４０１】
貫通孔１０７３１ｃは、連結部材１０７２２の屈曲部９７２２ａが挿入される孔であり、連結部材１０５９２の直径寸法よりも大きい孔径に設定される共に、係合部材１０７３１の一側の長手方向に長く開口した長穴形状に形成される。これにより、連結部材１０７２２が延設方向に変位した際に、連結部材１０７２２の屈曲部９７２２ａを貫通孔９７２３ａの内部で摺動させることができる。その結果、係合部材１０７３１は、回転軸１０７３１ｂの位置を変更することなく、連結部材１０７２２の変位に伴って回転軸１０７３１ｂを中心に回転変位できる。
【０４０２】
係合片１０７３１ａは、後述する装飾部材１０７４０の凹溝１０７４２ａの内側に嵌ることで、装飾部材１０７４０を変位不能とする部材であり、側面視略円弧状に形成され、その軸心は、回転軸１０７３１ｂの軸心と同一に設定される。これにより、係合部材１０７３１が回転軸１０７３１ｂを中心に回転変位する際に、装飾部材１０７４０の凹溝１０７４２ａの内側に嵌る断面積の面積を常に一定とできる。その結果、装飾部材１０７４０の凹溝１０７４２ａの形状を、係合部材１０７３１の回転変位と緩衝しないように考慮する必要がなく、凹溝１０７４２ａの溝幅を最小として形成することができる。
【０４０３】
また、係合部材１０７３１の回転軸１０７３１ｂには、ねじりバネ（図示せず）が配設される。ねじりバネは、係合部材１０７３１の回転軸１０７３１ｂを常に前方に回転する方向に付勢した状態で配設される。これにより、係合部材１０７３１が、スライド部材９７２１及び連結部材１０７２２の重力により回転することを抑制できる。
【０４０４】
次に、図６８を参照して、装飾部材１０７４０について詳しく説明する。図６８（ａ）は、装飾部材１０７４０の上面図であり、図６８（ｂ）は、装飾部材１０７４０の背面図であり、図６８（ｃ）は、図６８（ａ）のＬＸＶＩＩＩｃ−ＬＸＶＩＩＩｃにおける装飾部材１０７４０の断面図である。
【０４０５】
装飾部材１０７４０は、上面視略Ｕ字状に形成され、前扉１０００５の前面側に湾曲面が位置して前扉１０００５に配設される。また、装飾部材１０７４０は、透過性材料からなる部材であり、内部に設けられたＬＥＤ等の発光手段の点灯、又は点滅が遊技者に視認可能に構成され、前扉１０００５の回転軸と反対側（正面視右側）に配置される（図６５から図６７参照）。
【０４０６】
装飾部材１０７４０は、上面視略Ｕ字状に形成される本体部１０７４３と、回転するための回転軸１０７５０が挿通されるカバー部１０７４１と、係合部材１０７３１の係合片１０６０１ｂが係合する突出部１０７４２とを主に備える。
【０４０７】
本体部１０７４３は、所定の厚みを有する上面視略Ｕ字に形成されると共に、下側の背面側に、円弧状に切り欠かれた切欠き１０７４３ａを備える。切欠き１０７４３ａは、後述する軸孔１０７４１ａの軸と略同一の軸から形成される。
【０４０８】
カバー部１０７４１は、本体部１０７４３の切欠き１０７４３ａの外側の面から突出する部位であり、本体部１０７４３よりも厚みが小さく形成される。また、カバー部１０７４１には、左右方向に貫通した孔の軸孔１０７４１ａが形成される。軸孔１０７４１ａは、後述する回転軸１０７５０が挿通される孔であり、回転軸１０７５０の直径と略同一、若しくは、大きく形成される。よって、軸孔１０７４１ａが本体部１０７４３の背面側に形成されるので、装飾部材１０７４０を長手方向を垂直にして配置した場合、装飾部材１０７４０に前方に傾倒する方向に荷重を与えることができる。
【０４０９】
突出部１０７４２は、本体部１０７４３の背面から後方に突出した部位であり、装飾部材１０７４０が前扉１０００５に配設されると、前扉１０００５に形成された開口１０００５ｂに挿入される部位である。突出部１０７４２は、側面視扇状に形成され、その湾曲が、軸孔１０７４１ａの軸と略同一の軸から形成される。また、側面視扇状に形成された内側の湾曲面は、切欠き１０７４３ａの湾曲面と連なって形成される。
【０４１０】
これにより、装飾部材１０７４０が軸孔１０７４１ａの軸心を軸に前方に傾倒した際に、前扉１０００５の開口１０００５ａの内部を挿通する突出部１０７４２の断面を常に一定にすることができる。即ち、軸孔１０７４１ａの軸を中心とした径方向寸法Ｌ１を一定にすることができる。その結果、開口１０００５ａと装飾部材１０７４０との間に隙間ができることを抑制できる。
【０４１１】
更に、突出部１０７４２には、その先端から上方に軸方向外側に突出した突起１０７４２ｂが形成される。突起１０７４２ｂは、装飾部材１０７４０が軸孔１０７４１ａの軸心を軸に前方に傾倒した際に、ストッパとして機能する部材であり、突起１０７４２ｂと突出部１０７４２とを含む軸孔１０７４１ａの軸を中心とした径方向寸法Ｌ２が、開口１０００５ａよりも大きく形成される。これにより、装飾部材１０７４０が軸孔１０７４１ａの軸心を軸に前方に傾倒した際に、突起１０７４２ｂにより、傾倒する回転量を規制することができる。
【０４１２】
また、突出部１０７４２には、上述した、係合部材１０７３１の係合片１０７３１ａが挿入されるための凹溝１０７４２ａが形成される。凹溝１０７４２ａは、係合部材の回転軸１０７３１ｂの軸を軸心とした側面視扇状に湾曲形成された溝である。また、上述したように、凹溝１０７４２ａの内面には、係合片１０７３１ａが挿入されるため、凹溝１０７４２ａはその溝幅が、係合片１０７３１ａの外形よりも大きく形成される。
【０４１３】
図６７に戻って装飾部材１０７４０の配置について説明をする。図６７を参照すると、装飾部材１０７４０が配設される上皿１７には、上方に湾曲して突出した突部１７ａが形成される。
【０４１４】
突部１７ａは、その側面視中央部に回転軸１０７５０が挿入される軸支孔１７ｂが貫通形成される。装飾部材１０７４０は、突部１７ａの外周面を取り囲む状態で、前扉１０００５に配置されると共に、その配置された状態で、軸孔１０７４１ａに回転軸１０７５０を挿入されることで、前扉１０００５に取付られる。
【０４１５】
また、突部１７ａは、装飾部材１０７４０の切欠き１０７４３ａの湾曲形状と略同一の形状に形成されると共に、その円弧長さが、切欠き１０７４３ａよりも大きく設定される。これにより、装飾部材１０７４０が、軸孔１０７４１ａを軸に前方に傾倒することができる。
【０４１６】
よって、装飾部材１０７４０が前扉１０００５に配設された状態では、突部１７ａと切欠き１０７４３ａとの間形成される隙間を最小としつつ、装飾部材１０７４０が傾倒した際にも、その隙間が大きくなることを抑制できる。これにより、遊技機前面側に隙間ができることを抑制して、隙間に鋳物が挿入されて不正が行われることを抑制できる。
【０４１７】
次に、図６９を参照して、ロック部材９５６０の動作について説明する。図６９（ａ）から図６９（ｄ）は、内枠９００４から開放された前扉１０００５を閉鎖する動作の各状態における遊技機主部１０００３の上面図である。なお、図６９（ａ）から図６９（ｄ）では、ロック部材９５６０及び折込部８００２ａが破線で図示される。
【０４１８】
ここで、図６９に示す、内枠９００４から開放された前扉１０００５を閉鎖する動作の各状態の説明は、第９実施形態と前扉１０００５の形状が異なるのみであり、その他は同一であるため、その説明は省略する。
【０４１９】
次に、図７０を参照して、回転規制部材１０７３０の動作について説明をする。図７０（ａ）は、図６９（ｂ）のＬＸＸａ−ＬＸＸａ線における遊技機主部１０００３の断面図であり、図７０（ｂ）は、図６９（ｄ）のＬＸＸｂ−ＬＸＸｂ線における遊技機主部１０００３の断面図である。
【０４２０】
ロック部材９５６０の先端部材８５６１が、基部材９５６２に対して回転させられると、その側面でスライド部材９７２１の傾斜面９７２１ａを押圧する。これにより、スライド部材９７２１を下方にスライド変位させることができる。
【０４２１】
スライド部材９７２１が下方に変位すると、スライド部材９７２１に連結された連結部材１０７２２も同様に下方に変位させられる。これにより、連結部材１０７２２が連結された係合部材１０７３１が回転軸１０７３１ｂを中心に回転変位する。
【０４２２】
係合部材１０７３１の貫通孔１０７３１ｃ側が下方に変位すると、係合片１０７３１ａ側が上方に変位する。これにより、装飾部材１０７４０の凹溝１０７４２ａの内面から係合片１０７３１ａが抜け出る。よって、装飾部材１０７４０と係合部材１０７３１との係合が解除されて、装飾部材１０７４０が、軸孔１０７４１ａを軸にして前方に傾倒する。これにより、作業者が介設板５４０を取り外したあとで、介設板５４０を戻し忘れたとしても、前扉１０００５の前面に配設される装飾部材１０７４０を前方に傾倒させることができるので、作業者に介設板５４０の取り付け忘れを認識させることができる。
【０４２３】
また、装飾部材１０７４０の傾倒は、前扉１０００５を内枠９００４に閉鎖する動作中に開始されるので、装飾部材１０７４０の傾倒を作業者に認識させやすくすることができる。
【０４２４】
更に、装飾部材１０７４０は、前扉１０００５の回転軸と反対側に配置されるので、内枠９００４に対して前扉１０００５を閉じる動作を作業者が行う際に、その作業者に接触させやすくすることができる。その結果、介設板５４０の所定位置への戻し忘れを作業者に認識させやすくすることができる。
【０４２５】
また、第１０実施形態の場合、前扉１０００５から傾倒する装飾部材１０７４０は、上下方向に延設された部材であるので、装飾部材１０７４０が傾倒した際に、前扉１０００５から、装飾部材１０７４０の傾倒した距離を十分に確保することができる。これにより、前扉１０００５の前方で作業する作業者に確実に装飾部材１０７４０を接触させることができる。その結果、介設板５４０の所定位置への戻し忘れを作業者に認識させやすくすることができる。
【０４２６】
次いで、図７１から図７７を参照して、第１１実施形態について説明する。上記第１実施形態では、ロック部材５６０が第２位置（挿通筒部５４１から抜き取られた位置）に配置された状態とされる際に、内枠４に対して前扉５を閉じることが規制される場合について説明したが、第１１実施形態では、ロック部材５６０が第２位置に配置された状態で内枠４に対して前扉１１００５を閉じると、パネル部材５２０が変位する。なお、上記各実施形態と同一の部分には同一の符号を付してその詳しい説明は省略する。
【０４２７】
また、以下で説明するロック部材５６０の第１位置とは、第１実施形態と同様に、介設板５４０の挿通筒部５４１にロック部材５６０が挿通され、挿通筒部５４１の一端側から突出するロック部材５６０（基部材５６２）の基端が本体部材１１５１０の保持部５１１ｅ内に保持されると共に、挿通筒部５４１の他端側から突出するロック部材５６０（先端部材５６１）の先端が背面部材５５０の挿通孔５５１に保持された状態であり、第２位置とは、ロック部材５６０が背面部材５５０の背面側へ引き出し操作され、張出部５６２ａが背面部材５５０の正面に係合された状態である。
【０４２８】
さらに、以下の説明では、第１実施形態と同様に、図１に示すパチンコ機１の紙面手前側を正面側（前方）として、図１に示すパチンコ機１の紙面奥側を背面側（後方）として、図１に示すパチンコ機１の左右方向を左右方向として、図１に示すパチンコ機１の上下方向を重力方向（上下方向）として、説明する。
【０４２９】
初めに、図７１から図７４を参照して、前扉１１００５の上側部分の全体構成について説明する。図７１は、第１１実施形態における前扉１１００５の上側部分の正面図である。図７２は、前扉１１００５の上側部分の分解斜視図である。図７３は、遊技機主部１１００３の上面図である。図７４（ａ）及び図７４（ｂ）は、図７３のＬＸＸＩＶａ−ＬＸＸＩＶａ線における遊技機主部１１００３の断面模式図である。
【０４３０】
なお、図７１では、後述する透明領域Ｒ１及び不透明領域Ｒ２が２点鎖線で囲われて図示されると共に、透明領域Ｒ１の背面側に配置された状態のパネル部材１１５２０の外形が鎖線で図示される。また、図７３では、天板５３０及び介設板５４０が取り外された状態が（透明視されて）図示され、図７４（ａ）及び図７４（ｂ）では、それら天板５３０及び介設板５４０が取り付けられた状態が図示される。さらに、図７４（ａ）では内枠４に対して前扉１１００５が閉じられた状態が、図７４（ｂ）では内枠４に対して前扉１１００５が開けられて、ロック部材５６０が第２位置に配置された状態が、それぞれ図示される。
【０４３１】
図７１から図７４に示すように、第１１実施形態における前扉１１００５の上側部分は、正面側に配設される本体部材１１５１０と、その本体部材１１５１０に収容されるパネル部材１１５２０と、本体部材１１５１０に収容されると共に回転可能な状態で配設される回転部材１１８１０と、その回転部材１１８１０に連結される連結部材１１８２０と、本体部材１１５１０の上面に配設される天板５３０及び介設板５４０と、本体部材１１５１０の背面側に締結される背面部材１１５５０と、その背面部材１１５５０に配設されるロック部材５６０及びレバー部材５７０とを主に備える。
【０４３２】
本体部材１１５１０は、パチンコ機１の正面上部における電飾部を構成するための光透過性材料からなる部材であり、内部に設けられたＬＥＤ等の発光手段が、大当たり時や所定のリーチ等における遊技状態の変化に応じて、点灯または点滅することにより、遊技中の演出効果を高める役割を果たす。また、本体部材１１５１０は、正面側に後述するパネル部材１１５２０に対応する領域に透明材料から形成される透明領域Ｒ１（図７４（ａ）参照）を備え、その透明領域Ｒ１を介してパネル部材１１５２０に表示される機種情報等が視認可能とされる。
【０４３３】
また、パネル部材１１５２０の背面側には、パネル部材１１５２０と若干の間隔を隔てる位置に、透明材料から形成される異常表示部材１１５１８が配設される。異常表示部材１１５１８の背面側には、光を発光可能なＬＥＤが搭載されたＬＥＤ基盤１１５１９が配設される。これにより、ＬＥＤ基盤１１５１９から発光される光は、異常表示部材１１５１８を介してパネル部材１１５２０に入射した後に、パネル部材１１５２０から出射されて透明領域Ｒ１に発光（出射）される。
【０４３４】
異常表示装置１１５１８は、後述する内枠４に対する前扉１１００５の閉鎖動作に異常があった場合に、正面側に異常があることを表示する部材であり、部分的に透明な樹脂材料により文字や図形といった形状が形成される。従って、異常表示装置１１５１８の前方（正面側）にパネル部材１１５２０が配置されない場合には、上述した異常表示装置１１５１８の透明な領域を介してＬＥＤ基盤１１５２０から照射される光を前扉１１００５を閉鎖動作した作業者に視認させることができる。これにより、作業者は、異常表示装置１１５１８の透明な領域で形成される文字や図形を認識することができ、パチンコ機１に異常があることを把握できる。
【０４３５】
なお、本実施形態では、パネル部材１１５２０の背面側（異常表示装置１１５１８側）の側面に複数の凹凸からなる加工が施される。これにより、異常表示装置１１５１８の透明な領域を介して部分的にパネル部材１１５２０へ入射する光を拡散しやすくすることができる。従って、パネル部材１１５２０の正面側全域から光を出射し易くできる。
【０４３６】
さらに、本体部材１１５１０は、透明領域Ｒ１の下方に不透明材料から形成される不透明領域Ｒ２（図７４（ａ）参照）を備える。これにより、本体部材１１５１０の内部に配設される発光部材やスピーカー等の構成材料が遊技者に視認されることを抑制できる。即ち、不透明領域Ｒ２を利用して、発光部材やスピーカー等の構成材料を配設することができるので、透明領域Ｒ１の背面側の空間を確保してパネル部材１１５２０を配設し易くできると共に、本体部材１１５１０に配設される発光部材やスピーカー等の構成材料を配設する空間を確保できる。
【０４３７】
また、本体部１１５１０の正面側（透明領域Ｒ１及び不透明領域Ｒ２が形成される側）は、側面視において下方に向かって背面側に湾曲する湾曲面に形成される（図７４（ａ）参照）。これにより、パチンコ機１の正面側から本体部１１５１０を視認する場合に、透明領域Ｒ１の上下方向（図７４（ａ）上下方向）の可視領域を大きくすることができると共に、不透明領域Ｒ２の上下方向の可視領域を小さくすることができる。よって、遊技者側（正面側）から、透明領域Ｒ１を介して本体部１１５１０の内部空間を視認できる領域を大きくすることができる。その結果、透明領域Ｒ１を介して遊技者にパネル部材１１５２０を視認させやすくすることができる。
【０４３８】
さらに、本体部１１５１０の正面側は、上面視において左右の両端から中央部にかけて正面側に張り出す湾曲状に形成される（図７３参照）。また、パネル部材１１５２０は、後述するように、本体部１１５１０の内部空間に沿って湾曲形成されるので、本体部１１５１０の左右方向外側から、透明領域Ｒ１を介してパネル部材１１５２０を視認できる領域を大きくすることができる。
【０４３９】
本体部材１１５１０の上面には、天板５３０及び介設板５４０を配設するための収容部５１１が凹設される。収容部５１１は、その収容部５１１の内周縁（内壁面）のうちの互いに対向する左右（図７３左右）の内壁面に形成されるスライド溝５１１ａと、底面から下方へ向けて凹設される凹部５１１ｃ及び逃げ部５１１ｄと、その逃げ部５１１ｄの正面側に形成される保持部５１１ｅと、底面から下方に凹設され一端が凹部５１１ｃに連結されると共に他端が背面側（背面部材１１５５０側）に開放する収容溝１１５１３と、その収容溝１１５１３の両側面に凹設される第２収容溝１１５１４とを備える。
【０４４０】
収容溝１１５１３は、後述する回転部材１１８１０を収容するための空間であり、かかる回転部材１１８１０が回転可能な大きさに形成される。また、収容溝１１５１３は、収容部５１１の内周縁のうちの対向する左右の内壁面と離間した位置に一対形成され、後述する一対の回転部材１１８１０がそれぞれの収容溝１１５１３に配設される。
【０４４１】
第２収容溝１１５１４は、回転部材１１８１０に連結される連結部材１１８２０を収容する空間であり、連結部材１１８２０が配設される側（本実施形態では、一対の回転部材１１８１０の対向方向内側）の収容溝１１５１３の側面に連なって形成される。これにより、後述する連結部材１１８２０を本体部材１１５１０の内側に配設できる。
【０４４２】
また、収容溝１１５１３及び第２収容溝１１５１４には、凹溝１１５１３ａが収容部５１１の底面および第２収容溝１１５１４の底面から下方に向けて凹設される。凹溝１１５１３ａは、回転部材１１８１０の軸部１１８１１が配設される空間であり、対向する側面の離間距離（溝幅）が軸部１１８１１の外径よりも若干大きく設定される。これにより、凹溝１１５１３ａの内側に軸部１１８１１を配設して回転部材１１８１０を回転可能な状態で保持することができる。
【０４４３】
なお、本実施形態では、凹溝１１５１３ａに軸部１１８１１を配設した状態において、軸部１１８１１の上方に空間が形成された状態とされるが、軸部１１８１１が凹溝１１５１３ａから上方に抜け出ない（移動しない）ように、軸部１１８１１の上方の空間を塞ぐ部材を凹溝１１５１３ａに配設してもよい。
【０４４４】
回転部材１１８１０は、樹脂材料から形成されると共に、側面視略Ｌ字に屈曲する板状体から形成される。また、回転部材１１８１０は、側面視における屈曲部分に板圧方向に貫通する貫通孔が形成され、その貫通孔に金属材料からなる円柱状の軸部１１８１１が内嵌される。
【０４４５】
回転部材１１８１０は、一端側の外周面に被締結部１１８１２が円形状に凹設される。被締結部１１８１２は、後述するパネル部材１１５２０を締結固定するための雌ねじであり、かかるパネル部材１１５２０に挿通するネジを被締結部１１８１２に螺合することで、パネル部材１１５２０を被締結部１１８１２に締結固定できる。
【０４４６】
また、一対に形成される回転部材１１８１０の一方（連結部材１１８２０が配設される側）には、後述する連結部材１１８２０の挿通部１１８２１が挿通される長孔形状の摺動溝１１８１３が貫通形成される。これにより、連結部材１１８２０が変位された場合に、連結部材１１８２０の変位が摺動溝１１８１３を介して回転部材１１８１０に伝達され、回転部材１１８１０が軸部１１８１１を軸に回転変位される。
【０４４７】
なお、摺動溝１１８１３は、一対に形成される回転部材１１８１０の一方に形成される場合を説明したが、一対に形成される回転部材１１８１０の両方に形成されていても良い。この場合、回転部材１１８１０の部品を共通にすることができ、製造コストを削減できる。また、店舗に導入された後に、摺動溝１１８１３が破損した場合に、一対の回転部材１１８１０の配置を反対にすることで、新しい摺動溝１１８１３を使用することができ、部品交換にかかるコストを削減できる。
【０４４８】
連結部材１１８２０は、樹脂材料から形成されると共に、側面視矩形状の板状態から形成される。また、連結部材１１８２０は、本体部材１１５１０側の一端側から背面部材１１５５０側の他端側に延設して形成されると共に、一端側に板厚方向に貫通された貫通孔に内嵌される挿通部１１８２１を備え、他端側に板厚方向両側に膨出する膨出部１１８２２を備える。
【０４４９】
膨出部１１８２２は、本体部材１１５１０側（連結部材１１８２０の他端側）の側面の他側当接面１１８２２ｂと背面部材１１５５０側（連結部材１１８２０の一端側）の側面の一側当接面１１８２２ａとを備える。
【０４５０】
一側当接面１１８２２ａは、ロック部材５６０が第２位置に配置された状態で内枠４に対して前扉１１００５を閉じた場合に、ロック部材５６０が当接される面であり、かかるロック部材５６０の幅方向（ロック部材５６０の回転軸方向）寸法と略同一の幅方向（図７３左右方向）寸法に設定される。これにより、一側当接面１１８２２ａにロック部材５６０が当接した場合の当接面積を最大とすることができるので、連結部材１１８２０にロック部材５６０が当接した際の衝撃を分散することができ、一側当接面１１８２２ａ（連結部材１１８２０）が破損することを抑制できる。
【０４５１】
また、一側当接面１１８２２ａの下方には、他側当接面１１８２２ｂ側に凹設される規制部１１８２２ｃが凹設される。規制部１１８２２ｃは、連結部材１１８２０の背面部材１１５５０（背面側）側への変位を規制する部材であり、後述する当接部１１５５８ａと対向する位置に形成され、かかる当接部１１５５８ａと当接して連結部材１１８２０の背面側への変位が規制される。
【０４５２】
他側当接面１１８２２ｂは、後述するコイルばねＳＰ６が当接され、コイルばねＳＰ６の付勢力が作用される面である。これにより、連結部材１１８２０は、コイルばねＳＰ６の付勢力が作用されて、規制部１１８２２ｃが当接部１１５５８ａ側に近づく方向に付勢される。
【０４５３】
コイルばねＳＰ６は、螺旋状に複数回旋回されるバネ部材であり、その軸方向（旋回方向）がロック部材５６０の引き抜き方向（図７４（ａ）左右方向）に設定される。また、コイルばねＳＰ６は、背面部材１１５５０に締結固定される覆設部材１１８３０と、他側当接面１１８２２ｂとの対向間に若干圧縮された状態で配設される。従って、コイルばねＳＰ６の付勢力により、他側当接面１１８２２ｂ（連結部材１１８２０）を背面部材１１５５０に対して背面側に常時付勢することができる。
【０４５４】
覆設部材１１８３０は、上方側および背面部材１１５５０が開放する略箱形状に形成されており、対向する２面の背面部材１１５５０側の端部に外側に向かって立設される立設壁１１８３１が形成される。立設壁１１８３１には、円形状に貫通する貫通孔が複数個形成されており、その貫通孔を介してネジが背面部材１１５５０に締結されることで、覆設部材１１８３０が背面部材１１５５０に締結固定される。
【０４５５】
背面部材１１５５０には、介設板５４０の挿通筒部５４１に対応する位置に挿通孔５５１が穿設されると共に、その挿通孔５５１と後述する中間板１１５５９を挟んだ下方に第２挿通孔１１５５８が穿設される。
【０４５６】
第２挿通孔１１５５８は、内部に連結部材１１８２０の膨出部１１８２２が配設される孔であり、膨出部１１８２２の外形寸法（幅寸法及び高さ寸法）よりも若干大きな内縁形状に形成される。また、第２挿通孔１１５５８は、背面部材１１５５０の背面側（内枠４側）の端部の下面に上方に向かって突出する当接部１１５５８ａを備える。
【０４５７】
当接部１１５５８ａは、上述したように連結部材１１８２０の規制部１１８２２ｃが当接される部分であり、その突出寸法が、規制部１１８２２ｃの上下方向（図７４（ａ）上下方向）の凹設幅よりも小さく設定される。これにより、当接部１１５５８ａに規制部１１８２２ｃを当接させることができる。
【０４５８】
また、当接部１１５５８ａは、その厚み方向（前面から背面の方向（図７４（ａ）左右方向））の寸法が、規制部１１８２２ｃの凹設寸法（図７４（ａ）左右方向の寸法）と略同一に設定される。これにより、連結部材１１８２０がコイルばねＳＰ６により付勢され、規制部１１８２２ｃが当接部１１５５８ａに当接された状態では、一側当接面１１８２２ａを背面部材１１５５０の内枠４側の背面（図７４（ａ）右側側面）と面一にすることができる。これにより、ロック部材５６０が第２位置とされる場合に、ロック部材５６０の基部材５６２を一側当接面１１８２２ａに当接させることができる。
【０４５９】
さらに、当接部１１５５８ａは、その突出先端から挿通孔５５１の上端面までの離間距離が、ロック部材５６０の先端部材５６１の延設方向（図７４（ａ）左右方向）の寸法よりも大きくされる位置に設定される。これにより、ロック部材５６０が第２位置とされる場合に、ロック部材５６０の先端部材５６１が当接する部分を一側当接面１１８２２ａのみとすることができる。即ち、先端部材５６１が当接部１１５５８ａに当接することを抑制できる。
【０４６０】
中間板１１５５９は、上面が挿通孔５５１の内面の一部から形成されると共に、下面が第２挿通孔１１５５８の一部から形成される。また、中間板１１５５９は、背面部材１１５５０の正面側（本体部材１１５１０側）の側面（前面）に連なって形成されると共に、背面部材１１５５０の背面側（内枠４側）の側面（背面）から、ロック部材５６０の先端部材５６１の厚み方向（図７４（ａ）上下方向）の幅よりも大きい距離離間する位置に形成される。
【０４６１】
上述したように、ロック部材５６０が第２位置とされる場合には、先端部材５６１が当接部１１５５８ａに当接することが抑制されるので、ロック部材５６０を第２位置に維持したまま、先端部材５６１を挿通孔５５１及び第２挿通孔１１５５８の内側に挿入することができる。従って、ロック部材５６０が第２位置とされる場合に、内枠４に対して前扉１１００５を閉じると、先端部材５６１の背面側（内枠４側）が内枠４に当接して正面側（本体部材１１５１０側）に押し出され、先端部材５６１が挿通孔５５１及び第２挿通孔１１５５８の内側に挿入される。
【０４６２】
パネル部材１１５２０は、本体部材１１５１０の凹部５１１ｃの内部空間に沿った湾曲形状に樹脂材料から形成されると共に、軸部１１８１１の軸方向視において湾曲軸が軸部１１８１１の軸と略同一の位置に設定される。これにより、回転部材１１８１０を回転させてパネル部材１１５２０を変位させた場合の、パネル部材１１５２０の変位軌跡の領域を最小とすることができる。その結果、凹部５１１ｃの内部空間に他の部材を配置するスペースとして利用しやすくできる。
【０４６３】
また、パネル部材１１５２０は、左右方向（図７３左右方向）の両端部の下方に、左右方向に突出する締結部１１５２１が形成されており、その締結部１１５２１に形成される貫通孔に挿通されるネジが、回転部材１１８１０の被締結部１１８１２に螺合されることで、回転部材１１８１０に締結される。
【０４６４】
次いで、図７４及び図７５を参照して、パネル部材１１５２０を交換する手順について説明する。図７５（ａ）及び図７５（ｂ）は、遊技機主部１１００３の断面模式図である。なお、図７４（ａ）から図７５（ａ）は、パネル部材１１５２０を交換する場合の順番に、図７４（ａ）、図７４（ｂ）、図７５（ａ）が図示される。また、図７５（ｂ）では、ロック部材５６０が第１位置に戻されずに（第２位置のまま）内枠４に対して前扉１１００５が閉鎖された状態が図示される。さらに、図７５（ａ）及び図７５（ｂ）は、図７４（ａ）に対応する。
【０４６５】
図７４（ａ）に示すように、ロック部材５６０が第１位置に押込み操作された状態では、第１実施形態と同様に、介設板５４０の挿通筒部５４１にロック部材５６０が挿通され、挿通筒部５４１の一端側から突出するロック部材５６０（基部材５６２）の基端が本体部材１１５１０の保持部５１１ｅ内側に保持されると共に、挿通筒部５４１の他端側から突出するロック部材５６０（先端部材５６１）の先端が背面部材１１５５０の挿通孔５５１に保持される。よって、介設板５４０が本体部材１１５１０の収容部５１１から取り外し不能とされる。
【０４６６】
図７４（ｂ）に示すように、図７４（ａ）に示す状態から、ロック部材５６０が背面部材１１５５０の背面側（後方）へ引き出し操作され、張出部５６２ａが背面部材１１５５０の正面に係合される第２位置に達すると、ロック部材５６０のそれ以上の引出し操作が不能とされる。
【０４６７】
この引き出し操作により、ロック部材５６０（基部材５６２）が介設板５４０の挿通筒部５４１から抜き取られると共に、ロック部材５６０（基部材５６２）の基端の端面がレバー部材５７０を超える位置まで後退される。即ち、レバー部材５７０の上方に空間が形成される。これにより、レバー部材５７０がねじりバネＳＰ１の弾性回復力により回転され、その先端側が上方へ跳ね上げられる。この場合、レバー部材５７０の先端側の上面には介設板５４０の被当接部５４３が当接されているので、かかる被当接部５４３がレバー部材５７０によって上方へ押し上げられることで、介設板５４０の長手方向一端側（レバー部材５７０が配置された側）が上方に持ち上げられる。これにより、パネル部材１１５２０を交換する作業者は、介設板５４０の長手方向一端側（図７３左右方向左側）を手で掴んで、介設板５４０を取り外すことができる。
【０４６８】
図７５（ａ）に示すように、図７４（ｂ）に示す状態から、介設板５４０が、本体部材１１５１０から取り外されることで、天板５３０の後方（背面側、背面部材１１５５０側）に空間が形成されるので、かかる空間を利用して、天板５３０を後方にスライド変位（後退）させることができる。その結果、天板５３０の前方が開放され、パネル部材１１５２０の交換が可能とされる。なお、パネル部材１１５２０の交換は、天板５３０の前方の開放された空間からドライバー等を挿入して、パネル部材１１５２０と回転部材１１８１０とを締結しているネジを取り外すことで行われる。一方、パネル部材１１５２０を交換した後は、取り外しと反対の手順の作業を行うことで、パネル部材１１５２０を図７４（ａ）に示す状態に戻すことができる。
【０４６９】
次いで、図７５（ｂ）を参照して、作業者がパネル部材１１５２０を交換した後に、ロック部材５６０を第２位置から第１位置に戻し忘れた状態で、前扉１１００５を内枠４に対して閉めた場合について説明する。
【０４７０】
図７５（ｂ）に示すように、ロック部材５６０を第２位置に配置した状態で、作業者が介設板５４０を下方に押し込んで前扉１１００５を内枠４に対して閉めた場合には、ロック部材５６０の先端部材５６１が内枠４の前面（正面）により前方に押し出される。即ち、ロック部材５６０の先端部材５６１が、背面部材１１５５０の挿通孔５５１及び第２挿通孔１１５５８の内側に挿入される。
【０４７１】
上述したように、ロック部材５６０が第２位置に配置される場合には、ロック部材５６０の先端部材５６１が連結部材１１８２０の一側当接面１１８２２ａと当接した状態とされる。従って、ロック部材５６０が内枠４により前方に押し出されることで、連結部材１１８２０がロック部材５６０の変位分前方にスライド変位される。
【０４７２】
また、連結部材１１８２０が前方にスライド変位されると、連結部材１１８２０の挿通部１１８２１により摺動溝１１８１３の内面が前方に押し出される。これにより、回転部材１１８１０を、軸部１１８１１を中心に回転させることができる。その結果、回転部材１１８１０の被締結部１１８１２側を下方に変位させることができる。その結果、被締結部１１８１２に締結されるパネル部材１１５２０が下方に変位される。
【０４７３】
ここで、上述したように、透明領域Ｒ１の背面側（後方）には、異常表示部材１１５１８が配設される。従って、パネル部材１１５２０が下方（不透明領域Ｒ２の背面側）に変位されることで、異常表示部材１１５１８の表示が前方側から視認可能とされる。これにより、パネル部材１１５２０を交換した作業者にパチンコ機１に異常がある（ロック部材５６０を戻し忘れた）ことを作業者に認識させやすくできる。なお、異常表示部材１１５１８の表示内容としては、例えば、「異常あり」や「係員（作業者）をお呼び下さい」等の文字表示、若しくは、「×」等の図形表示が例示される。
【０４７４】
また、第１１実施形態では、本体部材１１５１０の正面側は、移動前の状態とされるパネル部材１１５２０に対応する領域（透明領域Ｒ１）が透明材料から形成されており、移動後の状態とされるパネル部材１１５２０に対応する領域（不透明領域Ｒ２）が不透明材料から形成される。従って、パネル部材１１５２０が移動された状態とされる場合に本体部材１１５１０を介してパネル部材１１５２０を視認しにくくさせることができる。その結果、作業者に対してロック部材５６０の戻し忘れを認識させることができる。
【０４７５】
さらに、上述したように、内枠4と前扉１１００５とは、ヒンジ１８により連結されており、ヒンジ１８を回転軸として内枠４に対する前扉１１００５の開閉が行われる。従って、前扉１１００５を内枠４に対して開閉動作させる作業者は、ヒンジ１８側と反対側に位置する場合が多い。上述したように、本体部１１５１０の正面側は、上面視において左右の両端から中央部にかけて正面側に張り出す湾曲状に形成されることで、透明領域Ｒ１を介してパネル部材１１５２０を視認できる領域が大きくされる。従って、内枠４に対して前扉１１００５を閉鎖する作業者からパネル部材１１５２０を視認させやすくすることができる。よって、内枠４に対して前扉１１００５を閉鎖する作業者にパネルｂ図愛１１５２０が移動する変位を視認させやすくすることができる。その結果、作業者に対してロック部材５６０の戻し忘れを認識させることができる。
【０４７６】
ここで、上述した第８から第１０実施形態では、ロック部材８５６０，９５６０，１０５６０を作業者が戻し忘れて、内枠４に対して前扉１１００５を閉じた際に、パネル部材５２０以外の部材を変位させて、作業者にロック部材８５６０，９５６０，１０５６０の戻し忘れを認識させる場合について説明した。
【０４７７】
しかしながら、上述した第８から第１０実施形態では、作業者にロック部材８５６０，９５６０，１０５６０の戻し忘れを認識させる必要があるために、変位させる部材が遊技者の遊技にとって邪魔となる位置（例えば、ハンドル５１）に変位される。そのため、作業者が変位された部材の変位に気が付かなかった場合に、遊技者には、遊技しにくい状態または、一見すると遊技可能に見えるが実際には遊技不可能な状態とされる。従って、遊技者の興趣を大きく損なう恐れがあった。
【０４７８】
これに対し、本実施形態では、遊技者がパチンコ機１を遊技する場合に、遊技に直接関わることがないパネル部材１１５２０を変位させるので、作業者が、ロック部材５６０を戻し忘れたことに気が付かず、内枠４に対して前扉１１００５を閉じた場合に作業者がパネル部材１１５２０の変位に気が付かなかったとしても、遊技者の遊技に支障が出る（遊技しにくい状態になる）ことを抑制できる。その結果、遊技者の興趣が損なわれることを抑制できる。
【０４７９】
また、第１１実施形態では、作業者が交換する交換対象のパネル部材１１５２０が変位される。従って、作業者は、通常その交換の作業の後に交換対象（パネル部材１１５２０）が適切な状態および位置に配置されているか確認するところ、かかる交換対象が変位されることでパチンコ機１に異常がある（ロック部材５６０を戻し忘れた）ことを作業者に認識させやすくできる。
【０４８０】
さらに、交換対象（パネル部材１１５２０）は、移動後に本体部材１１５１０の不透明領域の背面側に配置されるので、作業者が交換対象のパネル部材１１５２０を交換後に確認した際に、作業者からパネル部材１１５２０を視認しにくくすることができる。従って、作業者にパネル部材１１５２０の交換後の異常をその配置位置で判断させる必要がなくなり、作業者に交換対象が適切な位置でないことを認識させやすくできる。その結果、パチンコ機１に異常がある（ロック部材５６０を戻し忘れた）ことを作業者に認識させやすくできる。
【０４８１】
また、上述したように、コイルばねＳＰ６は、ロック部材５６０の移動方向に伸縮可能に配設される。従って、ロック部材５６０の先端部材５６１が、内枠４により前方に変位させる際に、コイルばねＳＰ６の付勢力によりロック部材５６０にブレーキをかけることができる。その結果、ロック部材５６０が早い速度で変化することを抑制でき、ロック部材５６０が破損することを抑制できる。
【０４８２】
なお、作業者が、介設板５４０を取り付けずに（戻し忘れて）また、介設板５４０を下方に押し込まずに前扉１１００５を内枠４に対して閉めた場合には、ロック部材５６０の基部材５６２の先端がレバー部材５７０の側面と当接することにより、ロック部材５６０のスライド変位が規制される。その結果、内枠４の正面と前扉１１００５の背面との間にロック部材５６０の先端部材５６１が介在されることで、内枠４に対して前扉１１００５を閉じることが規制される。その結果、作業者に対して介設板５４０の戻し忘れを認識させることができる。
【０４８３】
次いで、図７６及び図７７を参照して、図７５（ｂ）に示す状態からロック部材５６０の位置を第１位置に戻す場合の説明をする。図７６（ａ）は、図７５（ａ）のＬＸＸＶＩａ−ＬＸＸＶＩａ線における遊技機主部１１００３の断面模式図である。図７６（ｂ）は、図７５（ｂ）のＬＸＸＶＩｂ−ＬＸＸＶＩｂ線における遊技機主部１１００３の断面模式図である。図７７（ａ）及び図７７（ｂ）は遊技機主部１１００３の断面模式図である。
【０４８４】
なお、図７６（ａ）及び図７６（ｂ）では、ロック部材５６０、内枠４及び背面部材１１５５０以外の図示が省略される。また、図７７（ａ）では、図７５（ｂ）に示した状態から内枠４に対して前扉１１００５が開けられた状態が、図７７（ｂ）では、図７７（ａ）に示す状態から内枠４に対して前扉１１００５が閉じられた状態が、それぞれ図示される。
【０４８５】
初めに、図７６を参照して第１１実施形態におけるロック部材５６０の基部材５６２について説明する。第１１実施形態における基部材５６２には、軸部５６２ｂの軸方向両側の側面に周囲がコの字状に開口された突出部１１５６２ｃが形成される。
【０４８６】
突出部１１５６２ｃは、軸部５６２ｂ側が外面に連結して形成されており、基部材５６１の基端側（前面側（図７６（ａ）左側））に向かって延設される。また、突出部１１５６２ｃには、その先端側から突出部１１５６２ｃの軸部５６２ｂの軸方向（図７６（ａ）上下方向）外側に半円状に膨出する係合部１１５６２ｃ１が形成される。
【０４８７】
一対の突出部１１５６２ｃの互いの係合部１１５６２ｃ１の最大の離間距離Ｌ４（図７６（ｂ）参照）は、挿通孔５５１の水平方向の対向間の寸法Ｌ５（図７６（ｂ）参照）よりも大きく設定される（Ｌ４＞Ｌ５）。また、第２位置とされるロック部材５６０（図７６（ｂ）参照）の係合部１１５６２ｃ１の基端からの背面までの離間距離Ｌ６（図７６（ｂ）参照）は、背面部材１１５５０の厚み寸法Ｌ７（図７６（ｂ）参照）と略同一に設定される（Ｌ６＝Ｌ７）。
【０４８８】
これにより、図７６（ａ）に示すように、パネル部材１１５２０を交換する（ロック部材１１５６１を背面側に引き抜いた）際には、ロック部材５６０の係合部１１５６２ｃ１が背面部材１１５５０の挿通孔５５１の内側に挿入される。この場合、突出部１１５６２ｃは、周囲がコの字状に開口されるので、軸支孔５６１ａの軸方向に撓むことが許容される。従って、対向間の寸法Ｌ５よりも大きい寸法の離間距離Ｌ４に設定される係合部１１５６２ｃ１は、撓んだ状態で挿通孔５５１の内側に配置される。
【０４８９】
一方、図７６（ｂ）に示すように、ロック部材５６０を第１位置に戻し忘れて内枠４に対して前扉１１００５を閉じた際には、上述したように内枠４の前面にロック部材５６０の基部材５６２が押し出される。これにより、係合部１１５６２ｃ１が、挿通孔５５１から背面部材１１５５０の前方に突出される。よって、ロック部材５６０が背面側に変位される場合には、係合部１１５６２ｃ１を挿通孔５５１の前面端部に当接させることができるので、ロック部材５６０を背面側にスライド変位しにくくできる。
【０４９０】
また、作業者がロック部材５６０を第１位置から後方に引き抜く場合には、ロック部材５６０の変位の終端位置で係合部１１５６２ｃ１を挿通孔５５１の内面に当接させることができる。よって、ロック部材５６０の変位の終端位置で摺動抵抗を大きくしてロック部材５６０の変位にブレーキをかけることができる。その結果、作業者が勢いよくロック部材５６０を引き抜き抜いた場合に、停止の際の速度を遅くすることができるので、ロック部材５６０が破損することを抑制できる。また、ロック部材５６０の抵抗が大きくされることで、作業者に変位の終端位置を認識させやすくすることができる。その結果、作業者は、変位の終端位置で変位速度を落とすことができるので、ロック部材５６０が破損することを抑制できる。
【０４９１】
次いで、図７７を参照して説明する。図７７（ａ）に示すように、ロック部材５６０が第２位置に配置された状態で内枠４に対して初めて前扉１１００５が閉じられた状態から前扉１１００５が開放されると、連結部材１１８２０が、コイルばねＳＰ６の付勢力により背面側に変位される。これにより、連結部材１１８２０の一側当接面１１８２２ａにロック部材５６０の基部材５６２が背面側に押し出される。その結果、基部材５６２が軸部５６２ｂを軸に回転され、軸部５６２ｂと反対側の端部が上方に跳ね上げられる。
【０４９２】
ここで、ロック部材５６０は、スライド変位可能に形成されるので、連結部材１１８２０のスライド変位により、ロック部材５６０全体が背面側に押し出される可能性がある。これに対し、上述したように、ロック部材５６０の先端部材５６１が挿通孔５５１の内部に配置される場合には、係合部１１５６２ｃ１が挿通孔５５１の前方に位置した（挿通孔５５１から出された）状態とされるので、ロック部材５６０の基部材５６２を背面側にスライド変位しにくくでき、先端部材５６１のみを変位させやすくできる。その結果、連結部材１１８２０は、先端部材５６１を押し出す動作によって先端部材５６１のみを回転変位させることができる。なお、この場合の、先端部材５６１の回転角度は、４５°以上が好ましく、本実施形態では、約７０度に設定される。これにより、後述する内枠４の閉鎖動作により、ロック部材５６０を第１位置に配置しやすくできる。
【０４９３】
次いで、図７７（ａ）及び図７７（ｂ）に示すように、内枠４に対して前扉１１００５が開けられた状態から、再び前扉１１００５が閉じられた場合には、連結部材１１８２０の一側当接面１１８２２ａにより回転された先端部材５６１の軸部５６２ｂと反対側（背面側）の端面に内枠４の前面が当接される。これにより、先端部材５６１及び基部材５６２（ロック部材５６０）が前方にスライド変位される。その結果、ロック部材５６０が第１位置へ配置される。
【０４９４】
即ち、第１１実施形態では、作業者がパネル部材１１５２０を交換した後にロック部材５６０の第１位置への配置を忘れた場合に、作業者に再び前扉１１００５を内枠４に対して開けさせてから閉じさせることで、ロック部材５６０を第１位置へ配置することができると共に、本体部材の不透明領域Ｒ２の背面に配置されたパネル部材１１５２０を透明領域Ｒ１の背面に配置することができる。
【０４９５】
よって、例えば、作業者がパネル部材１１５２０を交換した後に初めて前扉１１００５を内枠４に対して閉じた後に異常に気が付いて再び前扉１１００５を開けた場合に、異常の原因が分からなかったとしても、再び前扉１１００５を内枠４に対して閉じさせることでロック部材５６０及びパネル部材１１５２０を正常な位置に配置させることができる。
【０４９６】
さらに、作業者がロック部材５６０を操作することなく、ロック部材５６０及びパネル部材１１５２０を正常な位置に配置することができるので、ロック部材５６０を戻し忘れた場合の作業者の作業工程を減らすことができる。
【０４９７】
次いで、図７８及び図７９を参照して、第１２実施形態について説明する。上記第１１実施形態では、パネル部材１１５２０全体が一体の樹脂材料で形成される場合について説明したが、第１２実施形態では、パネル部材１２５２０が複数の分割板から形成される。なお、上記各実施形態と同一の部分には同一の符号を付してその詳しい説明は省略する。
【０４９８】
図７８（ａ）及び図７８（ｂ）は、第１２実施形態における遊技機主部１２００３の断面模式図である。図７９は、図７８（ｂ）のＬＸＸＩＸ−ＬＸＸＩＸ線における遊技機主部１２００３の断面模式図である。なお、図７８（ａ）は、図７４（ａ）に、図７８（ｂ）は図７５（ｂ）にそれぞれ対応する。
【０４９９】
図７８（ａ）に示すように、第１２実施形態におけるパネル部材１２５２０は、複数に分割された板部材から形成され、それぞれの板部材が上下方向にずれて配置される。なお、本実施形態では、パネル部材１２５２０が４枚の板部材から形成されており、それぞれ上から順に第１分割板１２５２０ａ，第２分割板１２５２０ｂ，第２分割板１２５２０ｃ及び第４分割板１２５２０ｄの符号が付与される。
【０５００】
また、第１２実施形態における回転部材１２８１０は、樹脂材料から形成されると共に、側面視略Ｌ字に屈曲する板状体から形成される。また、回転部材１２８１０は、その屈曲部分に軸部１１８１１を備える。なお、回転部材１２８１０に連結される連結部材１２８２０は、第１１実施形態における連結部材１１８２０（第１２実施形態では、連結部材１２８２０）と、回転部材１１８１０（第１２実施形態では、回転部材１２８１０）との連結位置が異なるのみであるので、その詳しい説明は省略する。
【０５０１】
回転部材１２８１０は、一端側の外周面に被締結部１１８１２が円形状に凹設される。なお、第１２実施形態では、パネル部材１２５２０は、回転部材１２８１０の先端側の下面に連結される。従って、第１２実施形態では、被締結部１１８１２は、回転部材１２８１０の先端側の下面に形成される。
【０５０２】
第１分割板１２５２０ａから第４分割板１２５２０ｄは、回転部材１２８１０の回転軸（軸部１１８１１）を中心とする湾曲形状に形成されると共に、前後方向にずれて配置される。また、第１分割板１２５２０ａから第４分割板１２５２０ｄは、上下方向にずれて配設される（図７８（ａ）の状態の）際に、それぞれの前面の装飾を連ねて視認することで１の装飾（模様やキャラクタ−）が表示される。なお、第１２実施形態では、パネル部材１２５２０が１の装飾を表示する（第１分割板１２５２０ａから第４分割板１２５２０ｄが、上下方向にずれて配設される）場合に、第４分割板１２５２０ｄは、本体部材１１５１０の不透明領域Ｒ２の背面側に配設され、第３分割板１２５２０ｃは、透明領域Ｒ１の背面側に配設される。
【０５０３】
さらに、第１分割板１２５２０ａから第４分割板１２５２０ｄは、それぞれ回転軸（軸部１１８１１）を中心に回転可能に構成される。なお、第１分割板１２５２０ａから第４分割板１２５２０ｄの変位態様については後述する。
【０５０４】
第１分割板１２５２０ａから第３分割板１２５２０ｃには、それぞれ下方の端面から下側壁部１２５２２が背面側に突設される。また、第２分割板１２５２０ｂから第４分割板１２５２０ｄには、それぞれ上方の端面から上側壁部１２５２３が正面側に突設される。
【０５０５】
下側壁部１２５２２及び上側壁部１２５２３は、第１分割板１２５２０ａから第４分割板１２５２０ｄの周方向への変位量を規制する部分であり、第１分割板１２５２０ａの下側壁部１２５２２に第２分割板１２５２０ｂの上側壁部１２５２３が当接することで第２分割板１２５２０ｂの変位が規制され、第２分割板１２５２０ｂの下側壁部１２５２２に第３分割板１２５２０ｃの上側壁部１２５２３が当接することで第３分割板１２５２０ｃの変位が規制され、第３分割板１２５２０ｃの下側壁部１２５２２に第４分割板１２５２０ｄの上側壁部１２５２３が当接することで第４分割板１２５２０ｄの変位が規制される。
【０５０６】
また、図７９に示すように、第１分割板１２５２０ａから第３分割板１２５２０ｃには、背面に断面略Ｌ字状の係止部１２５２４が突設される。係止部１２５２４は、背面側に突出する第１係止部１２５２４ａと第１分割板１２５２０ａから第３分割板１２５２０ｃの延設方向中央側に向かって屈曲する第２係止部１２５２４ｂとから形成される。
【０５０７】
第１係止部１２５２４ａは、１の分割板（第１分割板１２５２０ａから第３分割板１２５２０ｃ）の後方に配設される分割板（第２分割板１２５２０ｂから第４分割板１２５２０ｄのいずれか）の延設方向（図７９左右方向）外側に形成される。また、第１係止部１２５２４ａは、その突設先端が、後方に配設される分割板よりも後方（図７９下側）に位置される。これにより、１の分割板の後方に配設される分割板が、その延設方向に位置ずれすることを抑制できる。
【０５０８】
第２係止部１２５２４ｂは、第１係止部１２５２４ａの突設先端部から各分割板（第１分割板１２５２０ａから第３分割板１２５２０ｃ）の延設方向中央側に屈曲して形成される。これにより、１の分割板の後方に配設される分割板が、１の分割板に対して背面側に位置ずれすることを抑制できる。
【０５０９】
以上のように構成される第１２実施形態のパネル部材１２５２０によれば、図７８（ｂ）に示すように、作業者がパネル部材１２５２０を交換した後に、ロック部材５６０を第２位置から第１位置に戻し忘れた場合に、各分割板を前後方向に重ねて配置することができる。
【０５１０】
詳しく説明すると、第１１実施形態と同様に、第２位置に配置されたロック部材５６０が背面部材１１５６０により前方に押し出されると、連結部材１２８２０が前方にスライド変位されることで、回転部材１２５１０が軸部１１５１１を中心に回転される。これにより、回転部材１２８１０の先端側（被締結部１１８１２側）が下方に変位され、回転部材１２５１０の先端側に締結されるパネル部材１２５２０が下方に変位される。
【０５１１】
パネル部材１２５２０が下方に変位されると、パネル部材１２５２０の第４分割板１２５２０ｄが、凹部５１１ｃの凹設底面の当接面１２５１１ｃ１に当接して、第４分割板１２５２０ｄのそれ以上の変位が規制される。よって、引き続き回転部材１２５１０に回転変位が継続されると、第４分割板１２５２０ｄに対して、他の分割板（第１分割板１２５２０ａから第３分割板１２５２０ｃ）が変位する状態とされ、次に第３分割板１２５２０ｃが、第４分割板１２５２０ｄの前方に配置されると共に、当接面１２５１１ｃに当接される。このように、下方に配置される各分割板から順に当接面１２５１１ｃに当接されることで、各分割板を前後方向に重ねた状態に配置することができる。
【０５１２】
前後方向に重ねた状態のパネル部材１２５２０は、本体部材１１５１０の不透明領域Ｒ２の背面側に配置される。これにより、作業者が交換対象のパネル部材１２５２０を交換後に確認した際に、作業者からパネル部材１２５２０を視認しにくくすることができる。従って、作業者にパネル部材１２５２０の交換後の異常をその配置位置で判断させる必要がなくなり、作業者に交換対象が適切な位置でないことを認識させやすくできる。その結果、パチンコ機１に異常がある（ロック部材５６０を戻し忘れた）ことを作業者に認識させやすくできる。
【０５１３】
また、作業者が交換する交換対象のパネル部材１２５２０が変位される。従って、作業者は、通常その交換の作業の後に交換対象（パネル部材１２５２０）が適切な状態および位置に配置されているか確認するところ、かかる交換対象が変位されることでパチンコ機１に異常がある（ロック部材５６０を戻し忘れた）ことを作業者に認識させやすくできる。
【０５１４】
さらに、第１２実施形態では、パネル部材１２５２０を前後方向に重ねた状態で本体部材１１５１０の内部に配置されるので、第１１実施形態のように、パネル部材１２５２０が変位するための空間を本体部材１１５１０の内部に設ける必要がない。その結果、本体部材１１５１０の内部空間を他の部材（例えば、ＬＥＤなどの発光装置）を配設する空間として利用することができ、本体部材１１５１０の内部空間を効率良く利用することができる。
【０５１５】
また、パネル部材１２５２０は、前後方向に重ねることができるので、パネル部材１２５２０のみを販売した際に、その梱包に必要な体積を小さくすることができる。従って、パネル部材１２５２０を梱包しやすくできる。その結果、梱包にかかるコストを抑えることができる。
【０５１６】
次いで、図８０から図８４を参照して、第１３実施形態について説明する。上記第１実施形態では、ロック部材５６０が第２位置（挿通筒部５４１から抜き取られた位置）に配置された状態とされる際に、内枠４に対して前扉５を閉じることが規制される場合について説明したが、第１３実施形態では、ロック部材１３５６０が第２位置に配置された状態で内枠４に対して前扉１３００５を閉じると、パネル部材１３５２０が変位する。なお、上記各実施形態と同一の部分には同一の符号を付してその詳しい説明は省略する。
【０５１７】
初めに、図８０から図８２を参照して、前扉１３００５の上側部分の全体構成ついて説明する。図８０は、第１３実施形態における前扉１３００５の上側部分の分解斜視図である。図８１は、遊技機主部１３００３の上面図である。図８２（ａ）は、図８１のＬＸＸＸＩＩａ−ＬＸＸＸＩＩａ線における遊技機主部１３００３の断面模式図であり、図８２（ｂ）は、図８２（ａ）のＬＸＸＸＩＩｂ−ＬＸＸＸＩＩｂ線における遊技機主部１３００３の断面模式図であり、図８２（ｃ）は、図８２（ｂ）のＬＸＸＸＩＩｃ−ＬＸＸＸＩＩｃ線における遊技機主部１３００３の断面模式図である。
【０５１８】
なお、図８１では、天板１３５３０及び介設板５４０が取り外された（透明視されて）状態が図示され、図８２（ａ）では、天板１３５３０及び介設板５４０が取付られた状態が図示される。
【０５１９】
図８０から図８２に示すように、第１３実施形態における前扉１３００５の上側部分は、正面側に配設される本体部材１３５１０と、その本体部材１３５１０に収容されるパネル部材１３５２０と、本体部材１３５１０に収容されると共に回転可能な状態で配設される回転部材１３８１０と、その回転部材１３８１０の隣合う位置に配置される係合部材１３８５０と、本体部材１３５１０の上面に配設される天板５３０及び介設板１３５４０と、本体部材１３５１０の背面側に固定される背面部材１１５５０と、その背面部材１１５５０に配設されるロック部材１３５６０及びレバー部材５７０とを主に備える。
【０５２０】
本体部材１３５１０は、パチンコ機１の正面上部における電飾部を構成するための光透過性材料からなる部材であり、内部に設けられたＬＥＤ等の発光手段が、大当たり時や所定のリーチ等における遊技状態の変化に応じて、点灯または点滅することにより、遊技中の演出効果を高める役割を果たす。また、本体部材１３５１０の正面側には、パネル部材１３５２０に対応する領域が透明材料から形成され、その透明材料の部分を介してパネル部材１３５２０に表示される機種情報等が視認可能とされる。
【０５２１】
本体部材１３５１０の上面には、天板５３０及び介設板５４０を配設するための収容部５１１が凹設される。収容部５１１は、その収容部５１１の内周縁（内壁面）のうちの互いに対向する左右の内壁面に形成されるスライド溝５１１ａと、底面から下方へ向けて凹設される凹部５１１ｃ及び逃げ部５１１ｄと、その逃げ部５１１ｄの正面側に形成される保持部５１１ｅと、底面から下方へ向けて凹設され一端が凹部５１１ｃに連結されると共に他端が背面側（背面部材１１５５０側）に開放する収容溝１３５１３と、その収容溝１３５１３の両側面に凹設される第２収容溝１３５１４とを備える。
【０５２２】
収容溝１３５１３は、後述する回転部材１３８１０を収容するための空間であり、かかる回転部材１３８１０が回転可能な大きさに形成される。また、収容溝１３５１３は、収容部５１１の内周縁のうちの対向する左右の内壁面と離間した位置に一対形成され、後述する一対の回転部材１３８１０がそれぞれの収容溝１３５１３に配設される。
【０５２３】
第２収容溝１３５１４は、回転部材１３８１０の隣に配置される係合部材１３８５０を収容する空間であり、係合部材１３８５０が配設される側（本実施形態では、一対の回転部材１３８１０の対向方向外側）の収容溝１３５１３の側面に連なって形成される。これにより、後述する係合部材１３８５０を変位させて回転部材１３８１０に当接させることができる。
【０５２４】
また、収容溝１３５１３及び第２収容溝１３５１４には、凹溝１１５１３ａが収容部５１１の底面から下方に向けて凹設される。凹溝１１５１３ａは、回転部材１３８１０の軸部１１８１１が配設される空間であり、対向する側面の離間距離（溝幅）が軸部１１８１１の外径よりも若干大きく設定される。これにより、凹溝１１５１３ａの内側に軸部１１８１１を配設して回転部材１３８１０を回転可能な状態で保持することができる。
【０５２５】
回転部材１３８１０は、樹脂材料から形成されると共に、側面視において矩形状の板状体から形成される。また、回転部材１３８１０は、長手方向の一端側の外周面に被締結部１１８１２が凹設されると共に、長手方向の他端側の外周面に半円形に膨出する当接部１３８１４と、後述する係合部材１３８５０が配置される側の面に凹設される凹部１３８１５と、板厚方向に貫通する貫通孔に内嵌される円柱状の軸部１１８１１とを備える。
【０５２６】
また、回転部材１３８１０は、本体部材１３５１０との間に付勢手段（バネ等）が介設される。これにより、回転部材１３８１０には、長手方向他端側（被締結部１１８１２側）を上方に変位させる付勢力が作用される。従って、回転部材１３８１０に外力が作用しない状態とされる場合には、軸部１１８１１を中心に長手方向他端側が上方に回転変位される。
【０５２７】
凹部１３８１５は、後述する係合部材１３８５０の突起１３８５３が挿入される部分であり、突起１３８５３が挿入された状態とされることで、回転部材１３８１０が変位（回転）することを規制できる。なお、凹部１３８１５と突起１３８５３との係合状態についての詳しい説明は後述する。
【０５２８】
当接部１３８１４は、係合部材１３８５０の突起１３８５３が凹部１３８１５から抜き出された場合に、係合部材１３８５０が回転部材１３８１０と上面視において交わること（係合部材１３８５０が回転部材１３８１０を超える位置に回転すること）を規制する部分であり、回転部材１３８１０の軸部１１８１１の軸と同軸からなる扇状に形成される。
【０５２９】
パネル部材１３５２０は、本体部材１３５１０の凹部５１１ｃの内部空間に沿った湾曲形状に形成される。また、パネル部材１３５２０は、軸部１１８１１の軸方向視において湾曲軸が軸部１１８１１の軸と略同一の位置に設定される。これにより、回転部材１３８１０を回転させてパネル部材１３５２０を変位させた場合のパネル部材１３５２０の変位軌跡の領域を最小とすることができる。その結果、凹部５１１ｃの内部空間を、他部部材を配置するスペースとして利用しやすくできる。
【０５３０】
また、パネル部材１３５２０は、左右方向の両端部の下方に締結部１１５２１と、上方の端部に前後方向に膨出する膨出部１３５２２とを備える。また、パネル部材１３５２０は、上端（膨出部１３５２２）が天板１３５３０と本体部材１３５１０との間に配置される。
【０５３１】
膨出部１３５２２は、上方の端部に向かうに従って前後方向に膨出して形成される。これにより、膨出部１３５２２が遊技機主部１３００３の外部から押し込まれた場合に、膨出部１３５２２を天板１３５３０の前方端面もしくは、膨出部１３５２２を本体部材１３５１０の端部に当接させることができる。その結果、パネル部材１３５２０が遊技機主部１３００３の外部から操作されることを抑制できる。
【０５３２】
また、膨出部１３５２２と当接される本体部材１３５１０の端部および天板１３５３０の前方端面は、膨出部１３５２２の外形に沿った傾斜面に形成される。これにより、遊技者が、膨出部１３５２２と本体部材１３５１０又は天板１３５３０との隙間から不正物を挿入することを防止できる。
【０５３３】
係合部材１３８５０は、上面視において、円環状に形成される円環部１３８５１と、その円環部１３８５１の外縁から回転部材１３８１０の凹部１３８１５（前方）に向かって突設される係合部１３８５２とを備える。
【０５３４】
係合部１３８５２は、その突出先端側（円環部１３８５１側の反対側）が、上面視において回転部材１３８１０と隣合う位置に配置されると共に、突出先端から回転部材１３８１０側に向かって突起１３８５３が突設される。
【０５３５】
円環部１３８５１は、その外周面から径方向外側に突出する解除部材１３５５４と、円環部１３８５１の上面から下方に凹設される収容部１３８５６と、その収容部１３８５６の内側に回転可能な状態で配設される第２解除部材１３８５５とを備える。
【０５３６】
また、円環部１３８５１は、その内縁部に円柱状の軸部材１３８５７が内嵌されており、軸部材１３８５７が、本体部材１３５１０の第２収容溝１１５１４の凹設底面に凹設される円柱状の凹部（図示しない）に挿入されることで、係合部材１３８５０が、本体部材１３５１０に対して回転可能な状態で保持される。また、係合部材１３８５０及び本体部材１３５１０には、付勢手段（バネ等）が介在されており、係合部材１３８５０の係合部１３８５２が回転部材１３８１０側に近づく方向に常に付勢される。これにより、係合部１３８５２の突起１３８５３と回転部材１３８１０の凹部１３８１５とが対向する場合に、突起１３８５３を凹部１３８１５の内側に挿入することができる。その結果、係合部材１３８５０により回転部材１３８１０の回転を規制することができる。
【０５３７】
解除部材１３５５４は、後述する天板１３５３０が、前後方向にスライド変位された場合の突起１３５３３の変位領域に配置される。これにより、天板１３５３０をスライド変位させた場合に、天板１３５３０の突起１３５３３を当接させて、係合部材１３８５０を回転変位させることができる。
【０５３８】
なお、詳しい説明は後述するが、突起１３５３３は、天板１３５３０を後方にスライド変位した場合に、係合部材１３８５０の解除部材１３５５４と当接する位置に形成される。これにより、天板１３５３０をスライド変位させることに連動して、解除部材１３５５４と係合部材１３８５０とを当接させることができる。
【０５３９】
収容部１３８５６は、後述する第２解除部材１３８５５が、回転変位された場合に、その第２解除部材１３８５５を収容する空間であり、第２解除部材１３８５５の変位方向に向かって凹設される。
【０５４０】
第２解除部材１３８５５は、円環部１３８５１の軸方向上方に突出する長方体に形成されると共に、下方の端部に円形に貫通形成される貫通孔１３８５５ａを備える。また、第２解除部材１３８５５は、後述するロック部材１３５６０の係合凹部１３５６３ａの内側に配置される。
【０５４１】
貫通孔１３８５５ａは、その内側にカラー（図示しない）を配置した状態でネジが挿通される。従って、第２解除部材１３８５５は、貫通孔１３８５５ａを挿通するネジを収容部１３８５６に螺合することで係合部材１３８５０に対して回転可能な状態とされる。
【０５４２】
また、第２解除部材１３８５５は、正面側の下端に湾曲する非当接部１３８５５ｂを備える。非当接部１３８５５ｂは、第２解除部材１３８５５が回転される場合に、収容部１３８５６の内面と第２解除部材１３８５５とが接触することを防止する部分であり、貫通孔１３８５５ａの軸を中心とする湾曲状に形成される。
【０５４３】
これにより、第２解除部材１３８５５の貫通孔１３８５５ａから遠方側の端部（図８２（ｃ）上端部）が背面側（図８２（ｃ）右側）に変位する場合に、第２解除部材１３８５５と収容部１３８５６の内面とが接触することを防止して、第２解除部材１３８５５を回転変位させることができる。従って、後述するロック部材１３５６０が背面側に変位されて、係合凹部１３５６３ａの内面と第２解除部材１３８５５とが接触されることで、第２解除部材１３８５５を回転させることができる。
【０５４４】
なお、非当接部１３８５５ｂは、第２解除部材１３８５５の前面側のみに形成される。従って、後述するロック部材１３５６０が正面側に変位されて、係合凹部１３５６３ａの内面と第２解除部材１３８５５とが接触される場合には、第２解除部材１３８５５の外面を収容部１３８５６の内面に当接させることができる。即ち、ロック部材１３５６０が正面側に変位される場合には、第２解除部材１３８５５の回転が規制され、ロック部材１３５６０の変位を第２解除部材１３８５５を介して、係合部材１３８５０の円環部１３８５１に伝達させることができる。
【０５４５】
また、第２解除部材１３８５５と収容部１３８５６との間には、付勢手段（ねじりバネ等）が配設されており、これにより、第２解除部材１３８５５の貫通孔１３８５５ａから遠方側の端部が上方に変位され、第２解除部材１３８５５の外面を収容部１３８５６の内面に接触させた状態とされる。また、後述するロック部材１３５６０の操作により第２解除部材１３８５５が回転変位された場合に、付勢手段の付勢力で変位前の位置に戻すことができる。
【０５４６】
ロック部材１３５６０は、先端部材５６１と、その先端部材５６１の基端側に連結される基部材５６２と、基部材５６２の先端側から先端側（前面側）に突設される突設部１３５６３とを主に備える。
【０５４７】
突設部１３５６３は、上述した係合部材１３８５０の上方に配置されると共に、係合部材１３８５０の第２解除部材１３８５５と水平方向に略同一にの位置（図８２（ｂ）上下方向に重なる位置）に配置される。また、突設部１３５６３の先端側への突設距離は、第２解除部材１３８５５を超える長さに設定される。
【０５４８】
突設部１３５６３には、第２解除部材１３８５５と対応する位置に係合凹部１３５６３ａが凹設される。係合凹部１３５６３ａは、突設部１３５６３の突設方向（図８２（ａ）左右方向）の幅寸法が、第２解除部材１３８５５の幅寸法よりも長く設定されており、内側に第２解除部材１３８５５を収容した状態で配設される。
【０５４９】
ロック部材１３５６０の下方には、付勢部材１３８４０が配設される。付勢部材１３８４０は、背面視において第２位置に配置されるロック部材１３５６０の先端部材５６１の外形よりも大きい矩形状に形成されると共に、先端部材５６１の前方に配置される。また、付勢部材１３８４０の前面には、圧縮状態の付勢ばねＳＰ６が接触する状態で配設されており、付勢部材１３８４０が後方（背面側）に付勢される。
【０５５０】
さらに、付勢部材１３８４０は、背面に一側被当接面１３８４２を備え、その一側被当接面１３８４２の下方に本体部材１３５１０側に向かって（前方）凹設される規制部１３８４１を備える。規制部１３８４１は、当接部１１５５８ａに当接されて付勢部材１３８４０の後方への移動を規制する部材であり、背面部材１１５５０の当接部１１５５８ａの前面側に形成されると共に、付勢部材１３８４０の背面から当接部１１５５８ａの板厚分隔てた位置に形成される。これにより、付勢部材１３８４０は、付勢ばねＳＰ６に付勢された状態とされる場合に、背面部材１１５５０の背面と面一に配設される。
【０５５１】
次いで、図８２から図８４を参照して、パネル部材１３５２０を交換する手順について説明する。図８３（ａ）、図８３（ｂ）、図８４（ａ）及び図８４（ｂ）は、遊技機主部１１００３の断面模式図である。なお、図８３（ａ）及び図８４（ａ）は、図８２（ａ）に、図８３（ｂ）及び図８４（ｂ）は、図８２（ｂ）にそれぞれ対応する。また、図８２から図８４は、パネル部材１３５２０を交換する場合の順番に、図８２（ａ）、図８３（ａ）、図８４（ａ）及び図８２（ｂ）、図８３（ｂ）、図８４（ｂ）が図示される。
【０５５２】
図８２（ａ）及び図８２（ｂ）に示すように、ロック部材１３５６０が第１位置に押込み操作された状態では、第１実施形態と同様に、介設板５４０の挿通筒部５４１にロック部材５６０が挿通され、挿通筒部５４１の一端側から突出するロック部材１３５６０の基端（基部材５６２）が本体部材１３５１０の保持部５１１ｅの内側に保持されると共に、挿通筒部５４１の他端側から突出するロック部材１３５６０の先端（先端部材５６１）が背面部材１１５５０の挿通孔５５１に保持される。よって、介設板５４０が本体部材１１５１０の収容部５１１から取り外し不能とされる。
【０５５３】
また、この場合、回転部材１３８１０の凹部１３８１５の内側に係合部材１３８５０の突起１３８５３が挿入された状態とされる。これにより、回転部材１３８１０が、回転部材１３８１０及び本体部材１３５１０の間に介設される付勢手段（ねじりバネ）の付勢力で回転されることを規制できる。
【０５５４】
さらに、回転部材１３８１０の回転が係合部材１３８５０により規制された状態では、回転部材１３８１０に締結固定されるパネル部材１３５２０は、上端面の位置が、天板５３０の上端面の位置と面一の位置に配置される。即ち、パネル部材１３５２０が、本体部材１１５１０の凹部５１１ｃの内部空間に配設された状態とされる。
【０５５５】
また、ロック部材１３５６０の先端（基部材５６２）が背面部材１１５５０の挿通孔５５１の内側に挿入され保持された状態では、ロック部材１３５６０の係合凹部１３５６３ａの内側に、係合部材１３８５０の第２解除部材１３８５５が配置された状態とされる。
【０５５６】
図８３（ａ）及び図８３（ｂ）に示すように、図８２（ａ）及び図８２（ｂ）に示す状態から、ロック部材１３５６０が背面部材１１５５０の背面側へ引出し操作され、張出部５６２ａが背面部材１１５５０の正面に係合される第２位置に達すると、ロック部材５６０のそれ以上の引出し操作が不能とされる。
【０５５７】
この引出し操作により、ロック部材１３５６０（基部材５６２）が介設板５４０の挿通筒部５４１から抜き取られると共に、ロック部材１３５６０（基部材５６２）の基端の端面がレバー部材５７０を超える位置まで後退される。即ち、レバー部材５７０の上方に空間が形成される。これにより、レバー部材５７０がねじりバネＳＰ１の弾性回復力により回転され、その先端側が上方へ押し上げられる。これにより、パネル部材１３５２０を交換する作業者は、介設板５４０の長手方向一端側を手で掴んで、介設板５４０を取り外すことができる。
【０５５８】
なお、第１３実施形態では、介設板５４０に形成される挿通筒部５４１の内側にロック部材１３５６０の突設部１３５６３が挿通された状態とされるが、挿通筒部５４１は、下方の壁部の一部に、ロック部材１３５６０の引き抜き方向に切り欠かれる切欠き部１３５４１ａを備えており、かかる切欠き部１３５４１ａを介して突設部１３５６３を挿通筒部５４１の内側から抜き出すことができる。これにより、介設板５４０を作業者が取り外すことができる。
【０５５９】
また、図８２（ｂ）に示すように、ロック部材１３５６０の先端（先端部材５６１）が背面部材１１５５０の挿通孔５５１の内側に挿入され保持された状態では、ロック部材１３５６０の係合凹部１３５６３ａの内側に、係合部材１３８５０の第２解除部材１３８５５が配置された状態とされる。そのため、ロック部材１３５６０を引き出すことで、係合凹部１３５６３ａの内側と第２解除部材１３８５５とが接触される。
【０５６０】
この場合、第２解除部材１３８５５は、非当接部１３８５５ｂにより、収容部１３８５６の内面と接触することが防止される方向に回転される。よって、ロック部材１３５６０が引き抜き動作にされる場合には、第２解除部材１３８５５を回転させて、第２解除部材１３８５５を係合凹部１３５６３ａの外側に配置することができる。即ち、ロック部材１３５６０の引き抜き動作は、円環部１３８５１への力の伝達が遮断された状態とされる。
【０５６１】
図８４（ａ）及び図８４（ｂ）に示すように、図８３（ａ）及び図８３（ｂ）に示す状態から、介設板５４０が、本体部材１３５１０から取り外されることで、天板５３０の後方（背面側、背面部材１１５５０）側に空間が形成されるので、かかる空間を利用して、天板５３０を後方にスライド変位（後退）させることができる。
【０５６２】
この場合、天板１３５３０に形成される突起１３５３３が、係合部材１３８５０の解除部材１３５５４と当接する。これにより、係合部材１３８５０が後方に押し出され、円環部１３８５１の軸を中心に係合部材１３８５０を回転させることができる。
【０５６３】
係合部材１３８５０が回転されると、回転部材１３８１０の凹部１３８１５の内側に係合部材１３８５０の突起１３８５３が挿入された状態が解除される（凹部１３８１５の内側から突起１３８５３が引き抜かれる）。回転部材１３８１０は、本体部材１３５１０との間に介設される付勢手段（ねじりバネ）により付勢されるので、その付勢手段により回転部材１３８１０を回転させることができる。その結果、回転部材１３８１０の前方側（被締結部１１８１２側）が上方に跳ね上げられて、パネル部材１１５２０が凹部５１１ｃの内側から外側に排出される。
【０５６４】
従って、天板１３５３０をスライド変位させることで、パネル部材１１５２０を変位させることができるので、パネル部材１１５２０を交換する作業者に次の交換作業手順を認識させやすくできる。即ち、天板１３５３０の動作の次にパネル部材１１５２０を交換することを認識させやすくできる。
【０５６５】
また、パネル部材１３５２０と回転部材１３８１０との締結部分（回転部材１３８１０の被締結部１１８１２）が、天板１３５３０のスライド変位により形成された開口側に変位されるので、作業者にパネル部材１３５２０の交換作業をさせやすくすることができる。即ち、パネル部材１１５２０を交換する場合には、天板１３５３０及び本体部材１３５１０との間に形成される開口からドライバー等を挿入して、回転部材１３８１０の被締結部１１８１２に締結されるネジを取り外す必要があるため、締結部分（被締結部１１８１２）が開口から離れた位置にあるとネジが取り外し難くなる。これに対し、第１３実施形態では、締結部分が開口側に近づくので螺合されるネジを取り外し易くできる。
【０５６６】
パネル部材１３５２０を交換した後は、取り外しと反対の手順の作業を行って、図８２（ａ）に示す位置に天板１３５３０、介設板５４０及びロック部材１３５６０を戻した後に、パネル部材１３５２０を本体部材１３５１０の凹部５１１ｃの内側に押し入れることで、回転部材１３８１０が回転され、回転部材１３８１０の凹部１３８１５が係合部材１３８５０の突起１３８５３と対向する位置に移動されることで、凹部１３８１５に突起１３８５３が挿入される。これにより、パネル部材１３５２０及び回転部材１３８１０を図８２（ａ）に示す位置に戻すことができる。
【０５６７】
次いで、図８５を参照して、作業者がパネル部材１３５２０を交換した後に、ロック部材１３５６０を第２位置から第１位置に戻し忘れた状態で、前扉１３００５を内枠４に対して閉めた場合について説明する。
【０５６８】
図８５（ａ）及び図８５（ｂ）は、遊技機主部１３００３の断面模式図である。なお、図８５（ａ）は図８２（ａ）に、図８５（ｂ）は図８２（ｂ）にそれぞれ対応する。なお、図８５（ａ）では、ロック部材１３５６０を第２位置から第１位置に戻し忘れた状態（図８３（ａ）の状態）で、前扉１３００５を内枠４に対して閉めた場合の状態が図示される。
【０５６９】
図８５に示すように、ロック部材１３５６０を第２位置に配置した状態で、作業者が介設板５４０を下方に押し込んで前扉１３００５を内枠４に対して閉めた場合には、ロック部材１３５６０の先端部材５６１が、内枠４の前面（正面）により前方に押し出される。即ち、ロック部材１３５６０の先端部材５６１が、背面部材１１５５０の挿通孔５５１及び第２挿通孔１１５５８の内側に挿入される。
【０５７０】
ロック部材５６０が第２位置に配置される場合には、ロック部材５６０の先端部材１３５６１が、付勢部材１３８４０の一側被当接面１３８４２と当接した状態とされる。従って、ロック部材１３５６０が内枠４により前方に押し出されることで、付勢部材１３８４０がロック部材１３５６０の変位分前方（図８５（ａ）左方向）にスライド変位され、先端部材５６１を第２挿通孔１１５５８の内側に挿入できる。
【０５７１】
また、ロック部材１３５６０は、第２位置に配置された状態（図８３（ａ）及び図８３（ｂ）の状態）における突設部１３５６３の先端端から、係合部材１３８５０の第２解除部材１３８５５の端部までの離間距離Ｓ１（図８３（ｂ）参照）が、第２位置に配置されるロック部材１３５６０の先端部材５６１の厚み寸法Ｓ２（図８３（ａ）参照）よりも小さく設定される。
【０５７２】
よって、ロック部材１３５６０を第２位置に配置した状態で、作業者が介設板５４０を下方に押し込んで前扉１３００５を内枠４に対して閉めた場合には、ロック部材１３５６０が先端部材５６１の厚み寸法Ｓ２（図８３（ａ）参照）分、前方にスライド変位される。これにより、突設部１３５６３の先端と第２解除部材１３８５５とを当接させることができる。
【０５７３】
上述したように、ロック部材１３５６０が正面側に変位される場合には、第２解除部材１３８５５の回転が規制され、ロック部材１３５６０の変位が第２解除部材１３８５５を介して、係合部材１３８５０の円環部１３８５１に伝達される。これにより、係合部材１３８５０が、円環部１３８５１の軸を中心に回転され、回転部材１３８１０の凹部１３８１５の内側に係合部材１３８５０の突起１３８５３が挿入された状態が解除される（凹部１３８１５の内側から突起１３８５３が引き抜かれる）。その結果、回転部材１３８１０の前方側（被締結部１１８１２側）を上方に跳ね上げられて、パネル部材１１５２０が凹部５１１ｃの内側から外側に排出される。
【０５７４】
これにより、作業者がロック部材１３５６０を戻し忘れた場合には、交換対象のパネル部材１３５２０が変位される。従って、作業者は、通常その交換の作業の後に交換対象（パネル部材１３５２０）が適切な状態および位置に配置されているか確認するところ、かかる交換対象が変位されることで、パチンコ機１に異常がある（ロック部材１３５６０を戻し忘れた）ことを作業者に認識させやすくできる。
【０５７５】
さらに、交換対象（パネル部材１３５２０）は、本体部材１１５１０の内部から外側に張り出した状態（配設空間から飛び出た）状態とされるので、パチンコ機１に異常がある（ロック部材５６０を戻し忘れた）ことを作業者に認識させやすくできる。即ち、パチンコ１の外観を変更することができるので、パチンコ機１に異常がある（ロック部材５６０を戻し忘れた）ことを作業者に認識させやすくできる。
【０５７６】
なお、作業者が、介設板５４０を取り付けずに（戻し忘れて）また、介設板５４０を下方に押し込まずに前扉１３００５を内枠４に対して閉めた場合には、ロック部材１３５６０の基部材５６２の先端がレバー部材５７０の側面と当接することにより、ロック部材１３５６０のスライド変位が規制される。その結果、内枠４の正面と前扉１３００５の背面との間にロック部材１３５６０の先端部材５６１が介在されることで、内枠４に対して前扉１３００５を閉じることが規制される。その結果、作業者に対して介設板５４０の戻し忘れを認識させることができる。
【０５７７】
また、ロック部材１３５６０の先端部材５６１が、背面部材１１５５０の挿通孔５５１及び第２挿通孔１１５５８の内側に挿入された状態（図８５（ａ）に示す状態）から、ロック部材１３５６０を第１位置に戻す場合は、第１１実施形態と同様であるので、その詳しい説明は省略する。
【０５７８】
次いで、図８６から図８８を参照して、第１４実施形態について説明する。上記第１実施形態では、内枠４に対して前扉５を開放した後に、ロック部材５６０を引き抜くことで、天板５３０がスライド変位可能にされる場合を説明したが、第１４実施形態では、内枠４に対して前扉１４００５を開放することで、天板１４５３０がスライド変位可能とされる。なお、上記各実施形態と同一の部分には同一の符号を付してその詳しい説明は省略する。
【０５７９】
初めに、図８６及び図８７を参照して、第１４実施形態における前扉１４００５の上側部分の全体構成について説明する。図８６は、第１４実施形態における前扉１４００５の上側部分の分解斜視図である。図８７（ａ）は、遊技機主部１４００３の上面図であり、図８７（ｂ）は、図８７（ａ）のＬＸＸＸＶＩＩｂ−ＬＸＸＸＶＩＩｂ線における遊技機主部１４００３の断面模式図である。
【０５８０】
図８６及び図８７に示すように、第１４実施形態における前扉１４００５の上側部分は、正面側に配設される本体部材１４５１０と、その本体部材１４５１０に収容されるパネル部材５２０と、本体部材１４５１０に収容されると共に上下方向に摺動可能な状態で配設される係合部材１４８６０と、本体部材１４５１０の上面に配設される天板１４５３０と、本体部材１４５１０の背面側に固定される背面部材１４５５０とを備える。
【０５８１】
本体部材１４５１０は、パチンコ機１の正面上部における電飾部を構成するための光透過性材料からなる部材であり、内部に設けられたＬＥＤ等の発光手段が、大当たり時や小堤のリーチ等における遊技状態の変化に応じて、点灯または点滅することにより、遊技中の演出効果を高める役割を果たす。また、本体部材１４５１０の正面側には、パネル部材５２０に対応する領域が透明材料から形成され、その透明材料の部分を介して、パネル部材５２０に表示される機種情報等が視認可能とされる。
【０５８２】
本体部材１４５１０の上面には、天板５３０及び介設板５４０を配設するための収容部５１１が凹設される。収容部５１１は、その収容部５１１の内周縁（内壁面）のうちの互いに対向する左右の内壁面に形成されるスライド溝５１１ａと、底面から下方に向けて凹設される凹部５１１ｃ及び逃げ部５１１ｄと、その逃げ部５１１１ｄの正面側に形成される保持部５１１ｅと、上面側から凹設されると共に背面側が開放される収容部１４５１５とを備える。
【０５８３】
収容部１４５１５は、後述する係合部材１４８６０を収容するための空間であり、上面視において係合部材１４８６０の外形よりも大きい内縁形状に形成される。また、収容部１４５１５の下方への凹設寸法は、係合部材１４８６０の厚み寸法（図８７（ｂ）上下方向の寸法）よりも大きく設定される。これにより、係合部材１４８６０が厚み方向へ摺動可能とされる。
【０５８４】
係合部材１４８６０は、上面視矩形状の板状体に形成される。係合部材１４８６０は、上面に円柱状の突起１４８６１が突設されると共に、下面にコイルばねＳＰ７が連結される。
【０５８５】
突起１４８６１は、後述する天板１４５３０に凹設される被係合部１４５３４に挿入可能な外径に形成されると共に、前扉１４００５が内枠４に対して閉じられる場合に天板１４５３０の被係合部１４５３４と対応する位置に形成される。これにより、前扉１４００５が内枠４に対して閉じられる場合には、突起１４８６１を被係合部１４５３４に挿入して、天板１４５３０と係合部材１４８６０とを係合させることができる。
【０５８６】
コイルばねＳＰ７は、螺旋状に複数回旋回されるバネ部材であり、上方の端部が係合部材１４８６０の下面に連結されると共に、下方の端部が本体部材１４５１０の収容部１４５１５の凹設底面に連結される。また、コイルばねＳＰ７は自由長（負荷をかけていない状態の上下方向の長さ）が、収容部１４５１５の凹設底面から収容部５１１の凹設底面までの距離寸法から係合部材１４８６０の厚み寸法を引いた距離寸法Ｓ３（図８７（ｂ）参照）よりも小さく設定される。従って、コイルばねＳＰ７に連結される係合部材１４８６０は、コイルばねＳＰ７に負荷がかかっていない状態では、収容部５１１の凹設底面よりも下方（収容部１４５１５の内側）に配置される。
【０５８７】
天板１４５３０は、上面視において本体部材１４５１０の収容部５１１及び後述する背面部材１４５５０の上面凹部１４５５０ｂに対応する大きさに形成される。また、天板１４５３０は、その厚み寸法が収容部５１１及び背面部材１４５５０の上面凹部の下方への凹設寸法と略同一に設定される。これにより、天板１４５３０を本体部材１４５１０及び背面部材１４５５０に配設した場合に、天板１４５３０、本体部材１４５１０及び背面部材１４５５０の上面と面一に配設できる。
【０５８８】
また、天板１４５３０は、左右の縁部から突設される突変部５３１が突設されると共に、下面に被係合部１４５３４が上方に向かって凹設される。これにより、突片部５３１をスライド溝５１１ａに挿入して天板１４５３０を本体部材１４５１０に対してスライド変位可能にできると共に、被係合部１４５３４に突起１４８６１を挿入して係合させることができる。
【０５８９】
背面部材１４５５０は、上端面が本体部材１４５１０の上面と同一の高さに設定され、本体部材１４５１０の背面側に配設される。また、背面部材１４５５０は、上端面から下方に向かって上面凹部１４５５０ｂが凹設され、その上面凹部１４５５０ｂと凹設底面から係合部材１４８６０の板厚分離間した位置に挿通孔１４５５０ｃが貫通形成される。
【０５９０】
上面凹部１４５５０ｂは、前面側に配設される本体部材１４５１０の収容部５１１の背面側に凹設されると共に、凹設寸法が収容部５１１の凹設寸法と略同一に設定される。これにより、上面凹部１４５５０ｂの内側に天板１４５３０を配設できる。
【０５９１】
挿通孔１４５５０ｃは、後述する内枠４に配設されるロック部材１４５６０が挿通される孔であり、ロック部材１４５６０の先端を挿通させて本体部材１４５１０側に張り出させることができる。
【０５９２】
ロック部材１４５６０は、内枠４の前面側から本体部材１４５１０側に突設されて形成されると共に、突設寸法が背面部材１４５５０の厚み寸法よりも大きく設定される。また、ロック部材１４５６０は、上下方向の寸法が距離寸法Ｓ３（図８７（ｂ）参照）と略同一に設定される。これにより、背面部材１４５５０の前面から張り出すロック部材１４５６０の先端側が、係合部材１４８６０の下面側に配置されることで、係合部材１４８６０の上面を本体部材１４５１０の収容部５１１の凹設底面と略同一の高さに配置することができる。
【０５９３】
ロック部材１４５６０には、突出先端の上部に基端側に向かって上方傾斜する傾斜面１４５６４が形成される。傾斜面１３５６４は、内枠４に対して前扉１４００５を閉鎖した場合に、係合部材１４８６０と当接する面であり、これにより、係合部材１４８６０を上方に変位させることができる。なお、傾斜面１４５６４と係合部材１４８６０との当接状態についての詳しい説明は後述する。
【０５９４】
次いで、図８７及び図８８を参照して、パネル部材１１５２０を交換する手順について説明する。図８８（ａ）及び図８８（ｂ）は、遊技機主部１４００３の断面模式図である。なお、図８８（ａ）及び図８８（ｂ）は、図８７（ｂ）と対応する。また、図８７（ｂ）、図８８（ａ）及び図８８（ｂ）は、パネル部材５２０を交換する場合の順番に図８７（ｂ）、図８８（ａ）及び図８８（ｂ）が図示される。
【０５９５】
図８７（ｂ）に示すように、前扉１４００５が内枠４に対して閉じられた状態では、係合部材１４８６０が収容部１４５１５の内側に配置されるロック部材１４５６０の上面に載置された状態とされる。これにより、コイルばねＳＰ７が引き伸ばされた状態とされると共に、係合部材１４８６０の突起１４８６１が被係合部１４５３４の内側に挿入される。その結果、天板１４５３０のスライド変位が規制される。
【０５９６】
図８８（ａ）に示すように、図８７（ｂ）に示す状態から、前扉１４００５が内枠４に対して開放されると、背面部材１４５５０の挿通孔１４５５０ｃの内側からロック部材１４５６０が引き抜かれた状態とされる。これにより、係合部材１４８６０の下側には、ロック部材１４５６０が配置された状態から空間が形成された状態とされる。
【０５９７】
上述したように、係合部材１４８６０は、コイルばねＳＰ７が連結されるので、下側に空間が形成される分、コイルばねＳＰ７により下方に引き込まれる。これにより、係合部材１４８６０の突起１４８６１が天板１４５３０の被係合部１４５３４の内部から引き抜かれ、係合部材１４８６０と天板１４５３０との係合が解除される。その結果、天板１４５３０のスライド変位の規制が解除される。
【０５９８】
図８８（ｂ）に示すように、図８８（ａ）に示す状態から、天板１４５３０を背面側（内枠４側）にスライド変位させることで、本体部材１４５１０の前方に開口を形成することができる。これにより、本体部材１４５１０の開口を介して、本体部材１４５１０に配設されるパネル部材５２０を交換することができる。
【０５９９】
パネル部材５２０を交換した後に遊技機主部１４００３を元の位置（図Ｃ２（ｂ）に示す位置）に戻す場合は、天板１４５３０を前方にスライド変位させて、本体部材１４５１０の前方の開口を封鎖した後に、内枠４に対して前扉１４００５を閉める。これにより、ロック部材１４５６０の先端が背面部材１４５５０の挿通孔１４５５０ｃを介して本体部材１４５１０の収容部１４５１５の内側に張り出される。この場合、ロック部材１４５６０の先端に形成される傾斜面１４５６４に係合部材１４８６０が当接される。これにより、係合部材１４８６０が傾斜面１４５６４の傾斜に沿って上方に案内（変位）され、係合部材１４８６０の突起１４８６１が天板１４５３０の被係合部１４５３４に挿入される。その結果、天板１４５３０のスライド変位が規制される。
【０６００】
よって、第１４実施形態では、内枠４に対して前扉１４００５を閉鎖する動作のみで、天板１４５３０のスライド変位を規制することができ、パネル部材５２０を遊技機主部１４００３の外部から取り外し不能にすることができるので、作業者の作業を簡易にできる。
【０６０１】
即ち、第１実施形態では、介設板５４０を元の位置に戻した後に、ロック部材５６０を第２位置から第１位置に戻すことで、天板５３０のスライド変位を規制することができるが、作業者に介設板５４０を元の位置に戻す作業とロック部材５６０を第１位置に戻す作業とをさせる必要があるため、作業者の作業が複雑となる。これに対し、第１４実施形態では、内枠４に対して前扉１４００５を閉鎖する動作のみで、天板１４５３０のスライド変位を規制することができる。そのため、作業者の作業を簡易にできる。
【０６０２】
次いで、図８８（ｂ）を参照して天板１４５３０を背面側（内枠４側）にスライド変位させた状態で、内枠４に対して前扉１４００５を閉めた場合について説明する。
【０６０３】
図８８（ｂ）に示すように、ロック部材１４５６０の傾斜面１４５６４の基端側の端部までの突出距離Ｓ４（図８８（ｂ）参照）は、天板１４５３０を背面側にスライド変位させた場合の係合部材１４８６０の背面側の端部から天板１４５３０の背面部材１４５５０から張り出した側（背面側）の端部までの距離寸法Ｓ５（図８８（ｂ）参照）よりも大きく設定される（Ｓ４＞Ｓ５）。これにより、天板１４５３０が背面側にスライド変位された（天板１４５３０の前方が開放された）状態で、内枠４に対して前扉１４００５が閉められた場合に、天板１４５３０の背面側の端部が内枠４の前面に当接して天板１４５３０が破損することを抑制できる。
【０６０４】
詳しく説明すると、天板１４５３０が背面側にスライド変位された（天板１４５３０の前方が開放された）状態で、内枠４に対して前扉１４００５が閉められた場合に、天板１４５３０が背面部材１４５５０の前面に当接する前に、ロック部材１４５６０を係合部材１４８６０に当接させることができる。従って、係合部材１４８６０が上方に変位される。
【０６０５】
天板１４５３０が背面側にスライド変位された状態では、係合部材１４８６０の突起１４８６１が被係合部１４５３４に挿入されず、天板１４５３０の下面に当接する状態とされる。よって、係合部材１４８６０の下面と収容部１４５１５の凹設底面との対向間にロック部材１４５６０を挿入できる隙間が形成されず、ロック部材１４５６０の挿入が規制される。その結果、内枠４に対して前扉１４００５が閉められることを規制でき、天板１４５３０の背面側の端部が内枠４の前面に当接して天板１４５３０が破損することを抑制できる。
【０６０６】
また、天板１４５３０の後方へのスライド変位量は、係合部材１４８６０の突起１４８６１の外縁部から背面部材１４５５０の背面側の端部までの距離寸法Ｓ６（図８８（ｂ）参照）よりも小さく設定される。これにより、天板１４５３０が背面側にスライド変位された場合に、天板１４５３０の被係合部１４５３４が背面部材１４５５０の背面側に配置されることを抑制できる。その結果、被係合部１４５３４が改造されることを抑制できる。
【０６０７】
なお、被係合部１４５３４が改造されるとは、例えば、被係合部１４５３４の外径を大きくして、係合部材１４８６０の突起１４５６１を被係合部１４５３４に挿入しやすくする改造などが例示される。
【０６０８】
以上、上記実施形態に基づき本発明を説明したが、本発明は上記形態に何ら限定されるものではなく、本発明の趣旨を逸脱しない範囲内で種々の変形改良が可能であることは容易に推察できるものである。
【０６０９】
上記各実施形態において、１の実施形態の一部または全部を他の１又は複数の実施形態の一部または全部と入れ替えて又は組み合わせて、遊技機を構成しても良い。
【０６１０】
上記第４実施形態では、パネル部材４５２０を天板４５３０の底面に締結固定する場合を説明したが、必ずしもこれに限られるものではなく、他の固定方法であっても良い。例えば、他の固定方法として、弾性的な変形を利用した係合・嵌合・圧入、弾性的に変形させない係合・嵌合、接着剤や接着テープを利用した接着などが例示される。
【０６１１】
上記第４実施形態では、凹部５１１ｃの凹設寸法（深さ寸法）が、パネル部材４５２０の高さ寸法よりも十分に大きな寸法に設定され、パネル部材４５２０が天板４５３０に締結固定されずに凹部５１１ｃに収容された場合には、当接部材４５３２の長手方向他端側がパネル部材４５２０によって凹溝４５３４内に押し込まれず、当接部材４５３２の長手方向一端側によるレバー部材５７０の下方への押し下げが不能とされる場合を説明したが、必ずしもこれに限られるものではなく、凹部５１１ｃの凹設寸法（深さ寸法）を、パネル部材４５２０の高さ寸法に対応（略一致）する寸法に設定しても良い。
【０６１２】
この場合には、パネル部材４５２０を天板４５３０に締結固定せずに凹部５１１ｃに収容した場合でも、天板４５３０を収容部５１１に取り付けると、当接部材４５３２の長手方向他端側をパネル部材４５２０によって凹溝４５３４内に押し込ませ、当接部材４５３２の長手方向一端側によるレバー部材５７０の下方への押し下げが可能となる。
【０６１３】
よって、パネル部材４５２０を天板４５３０に締結固定する作業を不要として、その分、作業の簡素化を図ることができる。また、パネル部材４５２０が凹部５１１ｃに収納されていなければ、レバー部材５７０を下方へ押し下げられない（即ち、内枠４に対して前扉５を閉じることができない）ので、パネル部材４５２０の取り付け忘れを作業者に認識させることができる。
【０６１４】
上記各実施形態では、介設板５４０，３５４０、天板４５３０、スライド板６５４０及びパネル部材４５２０（第３部材、対象部材）が所定位置に取り付けられていない場合に、内枠４（第１枠部材または第２枠部材）に対して前扉５（第２枠部材または第１枠部材）を閉じることが規制される場合を説明したが、所定位置への取り付け忘れを抑制する対象となる部材（第３部材）、及び、取り付け忘れ時に閉じることが規制される部材（第１枠部材および第２枠部材）は、上記実施形態で例示した部材には限定されない。
【０６１５】
例えば、第３部材または対象部材の取り付け忘れ時に閉じることが規制される部材（第１枠部材および第２枠部材）の組み合せとしては、例えば、外枠２及び内枠４、前扉５と下皿ユニット１５、前扉５及び外枠２、内枠４及び裏パックユニット６、前扉５及び通路形成ユニット１６０、樹脂ベース１４０及び遊技球発射機構１４２、或いは、内枠４及びファール球通路１６５などが例示される。即ち、一方に対して他方が開閉可能（回動可能）とされる部材どうしの組み合せであればどのような部材に適用しても良い。
【０６１６】
上記各実施形態では、介設板５４０，３５４０、天板４５３０或いはスライド板６５４０が所定位置に取り付けられていない場合に、内枠４に対して前扉５を閉じることが規制される場合を説明したが、必ずしもこれに限られるものではなく、例えば、介設板５４０，３５４０、天板４５３０或いはスライド板６５４０が所定位置に取り付けられていない状態で、内枠４に対して前扉５を閉じる動作が少なくとも行われた場合に、（内枠４に対して前扉５を閉じた状態が形成可能か否かに関わらず、）パネル部材５２０，４５２０を所定の状態とするように形成しても良い。所定の状態としては、例えば、パネル部材５２０，４５２０が、折れ曲がる、凹部５１１ｃから飛び出す（脱落する）、凹部５１１ｃ内で傾斜する等が例示される。パネル部材５２０，４５２０の交換等の作業を行った後は、作業者は、パネル部材５２０，４５２０の状態を確認するのが通常であるので、作業者に介設板５４０等の取り付け忘れを認識させやすくできる。
【０６１７】
上記各実施形態では、介設板５４０，３５４０、天板４５３０或いはスライド板６５４０が所定位置に取り付けられていない場合に、内枠４に対して前扉５を閉じることが規制される場合を説明したが、必ずしもこれに限られるものではなく、これに代えて、或いは、これに加えて、パチンコ機１の電源がオンの状態で、介設板５４０，３５４０、天板４５３０或いはスライド板６５４０が所定位置に取り付けられずに、内枠４に対して前扉５を閉じる動作が少なくとも行われると、パチンコ機１の電源がオフされるように形成しても良い。この場合、パチンコ機１の電源のオフは、全体（全構成ユニット）の電源をオフしても良く、取り付け忘れに対応する部分（例えば、パネル部材５２０を照射するＬＥＤ等の発光手段）のみをオフするようにしても良い。介設板５４０等の取り付け忘れを作業者や遊技者に認識させやすくできる。
【０６１８】
一方、パチンコ機１の電源がオフの状態で、介設板５４０，３５４０、天板４５３０或いはスライド板６５４０が所定位置に取り付けられずに、内枠４に対して前扉５を閉じる動作が少なくとも行われると、パチンコ機１の電源がオンされるように形成しても良い。この場合、パチンコ機１の電源のオンは、全体（全構成ユニット）の電源をオンしても良く、取り付け忘れに対応する部分（例えば、パネル部材５２０を照射するＬＥＤ等の発光手段）のみをオンするようにしても良い。介設板５４０等の取り付け忘れを作業者や遊技者に認識させやすくできる。
【０６１９】
上記各実施形態では、パチンコ機１を例に説明したが、必ずしもこれに限られるものでなく、本発明を異なるタイプの遊技機に適用しても良い。異なるタイプの遊技機としては、例えば、スロットマシンが例示される。この場合、例えば、上記第８実施形態では、突出部材８７１３が遊技領域ＰＥへ突出することで遊技を不能とする場合を説明したが、スロットマシンの場合には、突出部材８７１３に対応する部材の変位を利用することで、セレクターを操作して、コインの投入を不能（投入ができない又は投入しても排出される）としても良い。また、例えば、上記第９実施形態では、突出部材９７２４が変位されることで、操作ハンドル５１の回転部材の操作が不能とされる場合を説明したが、スロットマシンの場合には、突出部材９７２４に対応する部材の変位を利用することで、操作レバーの操作を不能としても良い。こられの場合にも、第８及び第９実施形態と同様の効果を奏することができる。
【０６２０】
上記第１１実施形態では、異常表示装置１１５１８の一部を透明な材料で形成する場合を説明したが、必ずしもこれに限るものではない。例えば、全体（一体）が透明な材量から形成される異常表示装置１１５１８に光を透過させる領域のみ開口されたシール等を添付してもよい。また、シールに限らず、異常表示装置１１５１８に光を透過させる領域以外を塗装しても良い。
【０６２１】
この場合、異表示装置１１５１８を一体の部品として形成することができるので、異常表示装置１１５１８の形成を簡易にすることができる。その結果、異常表示装置１１５１８の製造コストを削減することができる。
【０６２２】
上記第１１実施形態では、パネル部材１１５２０を不透明領域Ｒ２の背面側に配置することで、作業者に異常を気が付かせる場合を説明したが必ずしもこれに限られるものではない。例えば、作業者がロック部材５６０を戻し忘れて前扉１１００５を内枠４に対して閉鎖した場合に、回転部材１１８１０を第１１実施形態と反対方向に回転させても良い。
【０６２３】
この場合、パネル部材１１５２０を可撓性の樹脂材料から形成することで、パネル部材１１５２０を天板５３０と回転部材１１８１０との間に挟んで変形させることができる。その結果、パネル部材１１５２０に異常があることをパネル部材１１５２０の状態を作業者に視認させることができる。その結果、作業際にパチンコ機１が異常であることを判断させやすくできる。
【０６２４】
上記第１２実施形態では、パネル部材１２５２０が１の装飾を表示する（第１分割板１２５２０ａから第４分割板１２５２０ｄが、上下方向にずれて配設される）場合に、第４分割板１２５２０ｄは、本体部材１１５１０の不透明領域Ｒ２の背面側に配設され、第３分割板１２５２０ｃは、透明領域Ｒ１の背面側に配設される場合を説明したが必ずしもこれに限られるものではない。例えば、本体部材１１５１０の前面全域を透明領域Ｒ１で形成しても良いし、第４分割板１２５２０ｄの前方側まで透明領域Ｒ１が形成されていても良い。
【０６２５】
この場合、作業者がパネル部材１２５２０を交換した後に、ロック部材５６０を第２位置から第１位置に戻し忘れた場合に、各分割板が前後方向に重ねて配置された態様を作業者に視認させやすくできる。よって、作業者に、パネル部材１２５２０の異常を認識しやすくできる。その結果、パチンコ機１に異常がある（ロック部材５６０を戻し忘れた）ことを作業者に認識させやすくできる。
【０６２６】
上記第１２実施形態では、回転部材１２８１０が変位（回転）されると、パネル部材１２５２０の複数の分割板が前後方向に重なり、回転部材１２８１０の変位（回転）を戻すことで、パネル部材１２５２０の複数の分割板が上下方向にずれた位置に配置される場合について説明したが、必ずしもこれに限られるものではない。例えば、パネル部材１２５２０の複数の分割板は、一度前後方向に重なった状態とされるとその状態で固定され、回転部材１２８１０の変位を戻しても、元（回転部材１２８１０が変位前）の形状に戻らないようにしても良い。
【０６２７】
この場合、遊技者が不正を行った後に内枠４に対して前扉１２００４を閉める場合に、ロック部材５６０の操作を間違えることで、パネル部材１２５２０が変形した状態とされるので、店員にパチンコ機１に不正な操作がされたことを認識させやすくできる。
【０６２８】
上記第１３実施形態では、回転部材１３８１０が回転した後に先端側（被締結部１１８１２側）が本体部材１３５１０及び天板１３５３０との間の開口部分に近づく場合を説明したが、必ずしもこれに限られるものでない。例えば、回転部材１３８１０が回転した後に先端側（被締結部１１８１２側）が本体部材１３５１０及び天板１３５３０との間の開口から張り出す状態とされても良い。
【０６２９】
この場合、パネル部材１３５２０及び回転部材１３８１０の締結（螺合）部分を遊技機主部１３００３の外側に張り出させることができるので、回転部材１３８１０からパネル部材１３５２０を外しやすくできる。
【０６３０】
上記第１３実施形態では、パネル部材１３５２０が回転部材１３８１０に締結された状態とされ、回転部材１３８１０が回転されることで、パネル部材１３５２０が遊技機主部１３００３の外方に張り出される場合を説明したが、必ずしもこれに限られるものではない。例えば、パネル部材１３５２０は、回転部材１３８１０の先端に係合される状態とされ、回転部材１３８１０が回転されることで、遊技機主部の外方に張り出されると共に、回転部材１３８１０との係合が解除されても良い。
【０６３１】
この場合、パネル部材１３５２０の交換作業に問題がある（ロック部材１３５６０を第２位置から第１位置に戻し忘れる）と、パネル部材１３５２０を遊技機主部１３００３から脱落させることができるので、パネル部材１３５２０を交換する作業者に、パチンコ機１に異常がある（ロック部材１３５６０を戻し忘れた）ことを認識させやすくできる。
【０６３２】
上記第１３実施形態では、作業者がロック部材１３５６０を戻し忘れた場合に、パネル部材１３５２０が、本体部材１３５１０の上方背面側に向かって張り出す（飛び出す）場合を説明したが、必ずしもこれに限られるものではない。例えば、本体部材１３５１０の上方正面側に向かって張り出すように回転部材１３８１０を構成しても良い。
【０６３３】
この場合、本体部材１３５１０の正面側にパネル部材１３５２０が張り出すので、内枠４に対して前扉１３００５を閉鎖した際に、作業者がパネル部材１３５２０の張り出しに気が付かなかった場合に、作業者にパチンコ機１を左右横方向から視認させることで、一部（パネル部材１３５２０）が正面側に張り出していることを認識させやすくできる。その結果、パネル部材１３５２０を交換する作業者または他の作業者に、パチンコ機１に異常がある（ロック部材１３５６０を戻し忘れた）ことを認識させやすくできる。
【０６３４】
さらに、この場合、本体部材１３５１０から張り出すパネル部材１３５２０が、パチンコ機１を正面視した際に、本体部材１３５１０と重なる位置にパネル部材１３５２０の張り出し先端の少なくとも一部が重なる位置に配置されることが好ましい。これによれば、本体部材１３５１０がパネル部材１３５２０に隠れる（重なる）ことで、本体部材１３５１０の一部が視認し難くされる。その結果、パネル部材１３５２０を交換する作業者または他の作業者に、パチンコ機１に異常がある（ロック部材１３５６０を戻し忘れた）ことを認識させやすくできる。
【０６３５】
上記第１１から第１３実施形態では、回転部材１１８１０，１２８１０，１３８１０を回転させることで、その回転部材１１８１０，１２８１０，１３８１０に締結されるパネル部材１１５２０，１２５２０，１３５２０の位置を変位させる場合について説明したが、必ずしもこれに限られるものではない。
【０６３６】
例えば、パネル部材１１５２０，１２５２０，１３５２０が締結される部材をスライド変位させてパネル部材１１５２０，１２５２０，１３５２０の位置を変位させるものであって良い。
【０６３７】
本発明を上記各実施形態とは異なるタイプのパチンコ機等に実施してもよい。例えば、一度大当たりすると、それを含めて複数回（例えば２回、３回）大当たり状態が発生するまで、大当たり期待値が高められるようなパチンコ機（通称、２回権利物、３回権利物と称される）として実施してもよい。また、大当たり図柄が表示された後に、所定の領域に球を入賞させることを必要条件として遊技者に所定の遊技価値を付与する特別遊技を発生させるパチンコ機として実施してもよい。また、Ｖゾーン等の特別領域を有する入賞装置を有し、その特別領域に球を入賞させることを必要条件として特別遊技状態となるパチンコ機に実施してもよい。更に、パチンコ機以外にも、アレパチ、雀球、スロットマシン、いわゆるパチンコ機とスロットマシンとが融合した遊技機などの各種遊技機として実施するようにしても良い。
【０６３８】
なお、スロットマシンは、例えばコインを投入して図柄有効ラインを決定させた状態で操作レバーを操作することにより図柄が変動され、ストップボタンを操作することにより図柄が停止されて確定される周知のものである。従って、スロットマシンの基本概念としては、「複数の識別情報からなる識別情報列を変動表示した後に識別情報を確定表示する表示装置を備え、始動用操作手段（例えば操作レバー）の操作に起因して識別情報の変動表示が開始され、停止用操作手段（例えばストップボタン）の操作に起因して、或いは、所定時間経過することにより、識別情報の変動表示が停止して確定表示され、その停止時の識別情報の組合せが特定のものであることを必要条件として、遊技者に所定の遊技価値を付与する特別遊技を発生させるスロットマシン」となり、この場合、遊技媒体はコイン、メダル等が代表例として挙げられる。
【０６３９】
また、パチンコ機とスロットマシンとが融合した遊技機の具体例としては、複数の図柄からなる図柄列を変動表示した後に図柄を確定表示する表示装置を備えており、球打出用のハンドルを備えていないものが挙げられる。この場合、所定の操作（ボタン操作）に基づく所定量の球の投入の後、例えば操作レバーの操作に起因して図柄の変動が開始され、例えばストップボタンの操作に起因して、或いは、所定時間経過することにより、図柄の変動が停止され、その停止時の確定図柄がいわゆる大当たり図柄であることを必要条件として遊技者に所定の遊技価値を付与する特別遊技が発生させられ、遊技者には、下部の受皿に多量の球が払い出されるものである。かかる遊技機をスロットマシンに代えて使用すれば、遊技ホールでは球のみを遊技価値として取り扱うことができるため、パチンコ機とスロットマシンとが混在している現在の遊技ホールにおいてみられる、遊技価値たるメダルと球との別個の取扱による設備上の負担や遊技機設置個所の制約といった問題を解消し得る。
【０６４０】
以下に、本発明の遊技機に加えて上述した実施形態に含まれる各種発明の概念を示す。
【０６４１】
＜ワンウェイクラッチ３５８０を一例とする発明の概念について＞
第１枠部材と、その第１枠部材に開閉可能に取着される第２枠部材と、前記第１枠部材または第２枠部材の一方の所定位置に配設される第３部材と、を備え、前記第３部材が前記所定位置から少なくとも変位可能に形成された遊技機において、前記第１枠部材に対して第２枠部材が開放されることで、前記第３部材が前記所定位置から少なくとも変位することが許容されると共に、前記第３部材が前記所定位置に配置されていない状態では、前記第１枠部材に対して第２枠部材を閉じることが規制されることを特徴とする遊技機Ａ１。
【０６４２】
ここで、第１枠と、その第１枠に開閉可能に取着される第２枠と、第１枠または第２枠の一方に配設される第３部材（デコレーションパネル２５）とを備え、その第３部材が所定位置から少なくとも変位可能に形成された遊技機が知られている（特開２００１−１０４５４６号）。
【０６４３】
この遊技機によれば、第３部材が所定位置から少なくとも変位される（又は、取り外される）ことで、作業者による所定の操作（例えば、点検や調整、部品の交換など）が可能とされる。一方、第３部材を所定位置に戻すことで、作業者や遊技者によって所定の操作が行われることを規制できる。
【０６４４】
しかしながら、上述した従来の遊技機では、第３部材を所定位置に戻し忘れるおそれがあるという問題点があった。第３部材を所定位置に戻し忘れると、第３部材が配置されるべき部分が開放されるので、その開放された部分を利用して不正が行われるおそれがある。
【０６４５】
これに対し、遊技機Ａ１によれば、第１枠部材に対して第２枠部材が開放されることで、第３部材が所定位置から少なくとも変位することが許容されると共に、第３部材が所定位置に配置されていない状態では、第１枠部材に対して第２枠部材を閉じることが規制されるので、第３部材を所定位置に戻し忘れることを抑制できる。
【０６４６】
即ち、遊技機Ａ１によれば、第３部材を所定位置から少なくとも変位させるためには、第１枠部材に対して第２枠部材を開放させることが必要とされるので、第３部材を所定位置から少なくとも変位させた場合には、第１枠部材に対して第２枠部材を閉じる動作を必須の作業として作業者に必ず行わせることができる。この場合、第３部材を所定位置に戻さなければ、第１枠部材に対して第２枠部材を閉じることができず、遊技可能な状態を形成できないため、第３部材を所定位置に戻し忘れることを確実に抑制できる。
【０６４７】
なお、第３部材を少なくとも変位させるとは、第１枠部材または第２枠部材の一方に第３部材が配設された状態のまま変位される場合だけでなく、第１枠部材または第２枠部材の一方から第３部材が取り外される形態も含む。また、第３部材を少なくとも変位させて行われる所定の操作としては、対象となる部品または機器を、取り外して交換する場合、その配設方向を調整する場合、スイッチを操作する場合などが例示される。
【０６４８】
遊技機Ａ１において、前記第１枠部材に対して第２枠部材が開放され、前記第３部材が前記所定位置から少なくとも変位されると、前記第１枠部材に対して第２枠部材が、前記開放されている位置から少なくとも閉じる方向へ変位することを禁止する禁止手段を備えることを特徴とする遊技機Ａ２。
【０６４９】
遊技機Ａ２によれば、遊技機Ａ１の奏する効果に加え、第１枠部材に対して第２枠部材が開放され、第３部材が所定位置から少なくとも変位されると、第１枠部材に対して第２枠部材が、その開放されている位置から少なくとも閉じる方向へ変位することを禁止する禁止手段を備えるので、第３部材を所定位置に戻し忘れることを抑制できる。
【０６５０】
即ち、第３部材を所定位置に戻さなければ、第１枠部材に対して第２枠部材を閉じることができないようにすることで、第３部材の戻し忘れを抑制することができる。しかしながら、この場合、例えば、第１枠部材に第２枠部材が重なった状態で、両者の間に所定の部材を介在させることで、閉じた状態を形成できなくさせる構造（即ち、第１枠部材に対する第２枠部材の閉じる方向への変位は許容される構造）では、実際に閉じた状態が形成されていなくても、第１枠部材に対して第２枠部材が閉じる方向へ変位され、両者が重なっていることで、閉じた状態が形成されたと作業者が誤認識する恐れがある。また、閉じる動作が大きな力で行われると、第１枠部材に対して第２枠部材が所定の部材を挟み込みつつ衝突して、破損する恐れがある。
【０６５１】
これに対し、遊技機Ａ２によれば、第３部材が所定位置から少なくとも変位されると、第１枠部材に対して第２枠部材が少なくとも閉じる方向へ変位することを禁止手段により禁止させることができるので、閉じた状態が形成されたと作業者が誤認識することを抑制しやすくできる。また、閉じる方向への変位が禁止されることで、その閉じる動作に伴う衝突により破損することを回避できる。
【０６５２】
遊技機Ａ２において、前記禁止手段は、前記第１枠部材に対して第２枠部材が開放方向へ変位することは許容することを特徴とする遊技機Ａ３。
【０６５３】
遊技機Ａ３によれば、遊技機Ａ２の奏する効果に加え、禁止手段は、第１枠部材に対して第２枠部材が開放方向へ変位することは許容するので、第１枠部材と第２枠部材との連結部分の故障や異物噛み込みとは異なる動作を形成して、第３部材の所定位置への戻し忘れであることを作業者に認識させやすくできる。
【０６５４】
遊技機Ａ３において、前記禁止手段は、ワンウェイクラッチを備え、そのワンウェイクラッチの動作により、前記第１枠部材に対して第２枠部材が閉じる方向へ変位することを禁止すると共に、前記第１枠部材に対して第２枠部材が開放方向へ変位することを許容するように形成されることを特徴とする遊技機Ａ４。
【０６５５】
遊技機Ａ４によれば、遊技機Ａ３の奏する効果に加え、第１枠部材に対する第２枠部材の閉じる方向への変位の禁止と第１枠部材に対する第２枠部材の開放方向への変位の許容とをワンウェイクラッチの動作により形成するので、開放方向へ変位されると、その位置からの閉じる方向への変位を禁止できるので、作業者が第２枠部材を変位させる度に、第１枠部材に対する第２枠部材の開放の角度を大きくすることができる。よって、第３部材の所定位置への戻し忘れであることを作業者に認識させやすくでき、その結果、第２枠部材を閉じる方向へ無理に押し込んで破損することを抑制できる。
【０６５６】
遊技機Ａ１において、前記第１枠部材に対して第２枠部材を施錠する施錠装置を備え、前記第３部材が前記所定位置に配置されていない状態では、前記施錠装置が開錠状態とされることを特徴とする遊技機Ａ５。
【０６５７】
遊技機Ａ５によれば、遊技機Ａ１の奏する効果に加え、第１枠部材に対して第２枠部材を施錠する施錠装置を備え、第３部材が所定位置に配置されていない状態では、施錠装置が開錠状態とされるので、第１枠部材に対して第２枠部材を閉じる方向へ変位させても、施錠が行なわれない状態を形成できる。よって、第３部材が所定位置に配置されていないことを作業者へ認識させることができ、第３部材を所定位置に戻し忘れることを抑制できる。
【０６５８】
遊技機Ａ５において、前記第３部材が前記所定位置に配置されていない状態で前記第１枠部材に対して第２枠部材が閉じる方向へ変位された場合に、前記第２枠部材を開放方向へ付勢する付勢部材を備えることを特徴とする遊技機Ａ６。
【０６５９】
遊技機Ａ６によれば、遊技機Ａ５の奏する効果に加え、第３部材が所定位置に配置されていない状態で第１枠部材に対して第２枠部材が閉じる方向へ変位された場合に、第２枠部材を開放方向へ付勢する付勢部材を備えるので、第３部材が所定位置に配置されていないことを作業者へ認識させやすくできる。
【０６６０】
即ち、例えば、第１枠部材に対して第２枠部材を閉じる方向へ変位させた場合に、施錠が行なわれないだけでは、第１枠部材に第２枠部材が重なっていることで、閉じた状態が形成されたと作業者が誤認識する恐れがある。これに対し、遊技機Ａ６によれば、第１枠部材に対して第２枠部材を閉じる方向へ変位させた場合には、付勢部材の付勢力により第２枠部材を開放方向へ押し返して、開放された状態を形成することができる。よって、第３部材が所定位置に配置されていないことを作業者へ認識させやすくできる。
【０６６１】
また、閉じる動作が大きな力で行われると、第１枠部材に対して第２枠部材が衝突して、破損する恐れがあるところ、かかる衝突を付勢部材の付勢力で緩衝することができるので、破損を抑制することができる。
【０６６２】
遊技機Ａ６において、前記付勢部材は、前記第１枠部材に対して第２枠部材が閉じた状態において、前記第２枠部材を開放方向へ付勢可能に形成されることを特徴とする遊技機Ａ７。
【０６６３】
遊技機Ａ７によれば、遊技機Ａ６の奏する効果に加え、付勢部材は、第１枠部材に対して第２枠部材が閉じた状態において、第２枠部材を開放方向へ付勢可能に形成されるので、第１枠部材に対して第２枠部材を閉じた状態から開放する際に、開放に要する力を付勢部材の付勢力により補助することができる。よって、第１枠部材に対して第２枠部材を開放させる際の作業者の作業性の向上を図ることができる。
【０６６４】
遊技機Ａ１からＡ７において、前記第３部材が前記所定位置から少なくとも変位された状態で前記第１枠部材に対して第２枠部材が閉じられた場合に前記第１枠部材および第２枠部材の間に介在され弾性変形される付勢部材を備えることを特徴とする遊技機Ａ８。
【０６６５】
遊技機Ａ８によれば、遊技機Ａ１からＡ７の奏する効果に加え、第３部材が所定位置から少なくとも変位された状態で第１枠部材に対して第２枠部材が閉じられた場合に第１枠部材および第２枠部材の間に介在され弾性変形される付勢部材を備えるので、かかる付勢部材の弾性変形に伴う緩衝作用により第１枠部材および第２枠部材の衝突の勢いを弱めることができる。その結果、衝突に伴う破損や損傷を抑制できる。
【０６６６】
遊技機Ａ８において、前記第１枠部材に対して第２枠部材が開放された状態で少なくとも第１位置または第２位置に操作可能に形成される操作部材を備えると共に前記第２位置に操作された前記操作部材が前記第１枠部材および第２枠部材の間に介在されることで前記第１枠部材に対して第２枠部材を閉じることが規制され、前記付勢部材は、前記操作部材に収容されることを特徴とする遊技機Ａ９。
【０６６７】
遊技機Ａ９によれば、遊技機Ａ８の奏する効果に加え、第１枠部材に対して第２枠部材が開放された状態で少なくとも第１位置または第２位置に操作可能に形成される操作部材を備えると共に第２位置に操作された操作部材が第１枠部材および第２枠部材の間に介在されることで第１枠部材に対して第２枠部材を閉じることが規制され、付勢部材は、操作部材に収容されるので、付勢部材を第１枠部材および第２枠部材の間で弾性変形させやすくすることができると共に、スペース効率の向上を図ることができる。
【０６６８】
遊技機Ａ９において、前記付勢部材は、前記第１枠部材に第２枠部材を閉じた状態では、前記第１枠部材および第２枠部材の間で弾性変形されていることを特徴とする遊技機Ａ１０。
【０６６９】
遊技機Ａ１０によれば、遊技機Ａ９の奏する効果に加え、付勢部材は、第１枠部材に対して第２枠部材を閉じた状態では、第１枠部材および第２枠部材の間で弾性変形されているので、第１枠部材に対して第２枠部材を開放する場合には、付勢部材の弾性回復力を開放の動作に補助する力として利用して、作業者による開放動作を補助することができる。
【０６７０】
遊技機Ａ１０において、前記第１枠部材に対して第２枠部材を閉じた状態において、前記付勢部材を弾性変形させる変形付与部を備え、前記第１枠部材に対して第２枠部材が開放された状態では、前記変形付与部による前記付勢部材の弾性変形が解除されることを特徴とする遊技機Ａ１１。
【０６７１】
遊技機Ａ１１によれば、遊技機Ａ１０の奏する効果に加え、第１枠部材に対して第２枠部材を閉じた状態において、付勢部材を弾性変形させる変形付与部を備え、第１枠部材に対して第２枠部材が開放された状態では、変形付与部による付勢部材の弾性変形が解除されるので、第１枠部材に対して第２枠部材を開放する場合には、付勢部材の弾性回復力を大きくして、開放の動作を補助しやすくできる一方、第１枠部材に対して第２枠部材を閉じる場合には、付勢部材の弾性変形可能量を確保して、第１枠部材および第２枠部材の衝突の勢いを弱めやすくできる。
【０６７２】
＜ロック部材５６０を一例とする発明の概念について＞
第１枠部材と、その第１枠部材に開閉可能に取着される第２枠部材と、前記第１枠部材または第２枠部材の一方の所定位置に配設される第３部材と、を備え、前記第３部材が前記所定位置から少なくとも変位可能に形成された遊技機において、前記第１枠部材に対して第２枠部材が開放された状態で少なくとも第１位置または第２位置に操作可能に形成される操作部材を備え、前記操作部材が前記第１位置から第２位置へ操作されることで、前記第３部材が前記所定位置から少なくとも変位することが許容され、前記第３部材が前記所定位置に配置されることで、前記操作部材の前記第２位置から第１位置への操作が可能とされ、前記操作部材が少なくとも前記第１位置に操作されていない状態では、前記第１枠部材に対して第２枠部材を閉じることが規制されることを特徴とする遊技機Ｂ１。
【０６７３】
ここで、第１枠と、その第１枠に開閉可能に取着される第２枠と、第１枠または第２枠の一方に配設される第３部材（デコレーションパネル２５）とを備え、その第３部材が所定位置から少なくとも変位可能に形成された遊技機が知られている（特開２００１−１０４５４６号）。
【０６７４】
この遊技機によれば、第３部材が所定位置から少なくとも変位される（又は、取り外される）ことで、作業者による所定の操作（例えば、点検や調整、部品の交換など）が可能とされる。一方、第３部材を所定位置に戻すことで、作業者や遊技者によって所定の操作が行われることを規制できる。
【０６７５】
しかしながら、上述した従来の遊技機では、第３部材を所定位置に戻し忘れるおそれがあるという問題点があった。第３部材を所定位置に戻し忘れると、第３部材が配置されるべき部分が開放されるため、その開放された部分を利用して不正が行われるおそれがある。
【０６７６】
これに対し、遊技機Ｂ１によれば、操作部材を第１位置から第２位置へ操作することで、第３部材が前記所定位置から少なくとも変位することが許容されるところ、操作部材が少なくとも第１位置に配置されていない状態では、第１枠部材に対して第２枠部材を閉じることが規制され、かかる操作部材を第２位置から第１位置へ操作するためには、第３部材を所定位置に配置することが必要とされるので、第３部材を所定位置に戻し忘れることを抑制できる。
【０６７７】
即ち、遊技機Ｂ１によれば、第３部材を所定位置から少なくとも変位させるためには、操作部材を第１位置から第２位置へ操作することが必要とされると共に、操作部材が第１位置に操作されていない状態では、第１枠部材に対して第２枠部材を閉じることが規制されるので、操作部材を第２位置から第１位置へ操作する動作を必須の作業として作業者に必ず行わせることができる。この場合、第３部材を所定位置に戻さなければ、操作部材を第２位置から第１位置へ操作することができないため、第３部材を所定位置に戻し忘れることを確実に抑制できる。
【０６７８】
遊技機Ｂ１において、前記操作部材が前記第２位置に操作された状態では、その操作部材が前記第１枠部材および第２枠部材の間に介在されることで、前記第１枠部材に対して第２枠部材を閉じることが規制されることを特徴とする遊技機Ｂ２。
【０６７９】
遊技機Ｂ２によれば、遊技機Ｂ１の奏する効果に加え、操作部材が少なくとも第２位置に操作された状態では、その操作部材が第１枠部材および第２枠部材の間に介在されることで、第１枠部材に対して第２枠部材を閉じることが規制されるので、製品コストの削減を図ることができる。即ち、操作部材に、第３部材の変位の規制および許容を切り替える役割と、第１枠部材に対して第２枠部材を閉じることを規制する役割とを兼用させることができ、後者の役割のための部材を別途設けることを不要とできる。よって、部品点数を削減して、その分、製品コストの削減を図ることができる。
【０６８０】
遊技機Ｂ２において、前記第１枠部材または第２枠部材の一方に変位可能に配設される変位部材と、その変位部材に付勢力を付与する付勢部材と、を備え、前記操作部材が前記第１位置から第２位置へ操作されると、その操作部材の前記第２位置から第１位置への移動を規制する位置へ前記変位部材が前記付勢部材の付勢力により変位されることを特徴とする遊技機Ｂ３。
【０６８１】
遊技機Ｂ３によれば、遊技機Ｂ２の奏する効果に加え、第１枠部材または第２枠部材の一方に変位可能に配設される変位部材と、その変位部材に付勢力を付与する付勢部材と、を備え、操作部材が第１位置から第２位置に操作されると、その操作部材の第２位置から第１位置への移動を規制する位置へ変位部材が付勢部材の付勢力により変位されるので、操作部材が第２位置に位置する状態のままで第１枠部材に対して第２枠部材が閉じられた場合に、操作部材が第２位置から第１位置へ移動することを確実に抑制できる。即ち、第３部材が所定位置に戻されていない状態で、第１枠部材に対して第２枠部材を閉じた状態が形成されることを抑制できる。
【０６８２】
遊技機Ｂ３において、前記変位部材は、前記第３部材が前記所定位置に配置された場合に、前記操作部材の前記第２位置から第１位置への移動を許容する位置へ変位可能とされることを特徴とする遊技機Ｂ４。
【０６８３】
遊技機Ｂ４によれば、遊技機Ｂ３の奏する効果に加え、第３部材を所定位置へ戻し忘れることを抑制できる。即ち、第１枠部材に対して第２枠部材を閉じるためには、操作部材を第２位置から第１位置へ操作する必要があるところ、かかる操作のためには、変位部材を、操作部材の第２位置から第１位置への移動を許容する位置へ変位させる必要があり、この変位部材の変位のためには、第３部材を所定位置へ配置することが必要とされる。よって、第３部材を所定位置に戻さなければ、操作部材を第２位置から第１位置へ操作することができず、第１枠部材に対して第２枠部材を閉じること（即ち、遊技可能な状態を形成すること）ができないため、第３部材を所定位置に戻し忘れることをより確実に抑制できる。
【０６８４】
遊技機Ｂ４において、前記変位部材は、前記第３部材が前記所定位置に配置される際にその第３部材が直接的または間接的に作用されることで、前記操作部材の前記第２位置から第１位置への移動を許容する位置へ変位されることを特徴とする遊技機Ｂ５。
【０６８５】
遊技機Ｂ５によれば、遊技機Ｂ４の奏する効果に加え、第３部材が所定位置に配置される際にその第３部材が直接的または間接的に作用されることで、変位部材が、操作部材の第２位置から第１位置への移動を許容する位置（変位許容位置と称す）へ変位されるので、作業性の向上を図ることができる。即ち、第３部材を所定位置に配置すれば、その動作に伴って、変位部材を変位許容位置へ変位させることができ、かかる変位部材を変位許容位置へ変位させる動作を別途行うことを不要とできる。これにより、作業性の向上を図ることができる。
【０６８６】
また、変位部材を変位許容位置へ変位させる動作が別途必要な構造では、かかる変位部材の変位許容位置への変位を行っていない状態で、第１枠部材に対して第２枠部材を閉じると、操作部材の移動を変位部材が規制して、これら操作部材や変位部材などの破損を招くところ、遊技機Ｂ５によれば、第３部材を所定位置に配置すれば、これに伴って、変位部材が変位許容位置へ変位されるので、第１枠部材に対して第２枠部材を閉じた際に、操作部材や変位部材などが破損することを抑制できる。
【０６８７】
遊技機Ｂ３からＢ５のいずれかにおいて、前記操作部材が前記第１位置から第２位置へ操作され、その操作部材の前記第２位置から第１位置への移動を規制する位置へ前記変位部材が前記付勢部材の付勢力により変位されると、その変位部材が前記第３部材に直接的または間接的に作用して、前記第３部材を所定量だけ変位させることを特徴とする遊技機Ｂ６。
【０６８８】
遊技機Ｂ６によれば、遊技機Ｂ３からＢ５のいずれかの奏する効果に加え、操作部材が第１位置から第２位置へ操作され、その操作部材の第２位置から第１位置への移動を規制する位置へ変位部材が付勢部材の付勢力により変位されると、その変位部材が第３部材に直接的または間接的に作用して、第３部材を所定量だけ変位させる（例えば、浮き上がらせる）ので、かかる第３部材を変位または取り外しやすくすることができ、作業性の向上を図ることができる。
【０６８９】
遊技機Ｂ３からＢ５のいずれかにおいて、前記操作部材は、先端側が屈曲可能に形成され、その屈曲された先端側が前記第１枠部材および第２枠部材の間に挟持されることで、前記第１枠部材に対して第２枠部材を閉じることが規制されることを特徴とする遊技機Ｂ７。
【０６９０】
遊技機Ｂ７によれば、遊技機Ｂ３からＢ５のいずれかの奏する効果に加え、操作部材は、先端側が屈曲可能に形成され、その屈曲された先端側が第１枠部材および第２枠部材の間に挟持されることで、第１枠部材に対して第２枠部材を閉じることが規制されるので、操作部材が第２位置に操作された状態で、第１枠部材に対して第２枠部材が閉じられた場合でも、操作部材が変位部材へ向けて押し込まれることを抑制でき、これにより、これら操作部材や変位部材が破損することを抑制できる。
【０６９１】
遊技機Ｂ７において、前記操作部材は、前記先端側が屈曲される際の回転軸を水平方向に沿わせた姿勢で配設されることを特徴とする遊技機Ｂ８。
【０６９２】
遊技機Ｂ８によれば、遊技機ｂ７の奏する効果に加え、操作部材は、先端側が屈曲される際の回転軸を水平方向に沿わせた姿勢で配設されるので、かかる先端側をその自重により下方へ傾倒させることができる。よって、例えば、作業者が操作部材を屈曲させる操作を行わなくても、操作部材を重力の作用により屈曲した姿勢とすることができ、第１枠部材に対して第２枠部材が閉じられた場合には、それらの間に操作部材の先端側を確実に挟持させることができる。その結果、かかる操作部材が押し込まれることを抑制して、操作部材や変位部材が破損することを抑制できる。
【０６９３】
遊技機Ｂ１からＢ８において、前記第３部材を前記所定位置から少なくとも変位させることで前記第１枠部材または第２枠部材の一方から取り外し可能となる対象部材を備え、前記対象部材が前記第１枠部材または第２枠部材の一方に配設されていない状態では、前記第１枠部材に対して第２枠部材を閉じることが規制されることを特徴とする遊技機Ｂ９。
【０６９４】
遊技機Ｂ９によれば、遊技機Ｂ１からＢ８のいずれかの奏する効果に加え、第３部材を所定位置から少なくとも変位させることで第１枠部材または第２枠部材の一方から取り外し可能となる対象部材を備え、対象部材が第１枠部材または第２枠部材の一方に配設されていない状態では、第１枠部材に対して第２枠部材を閉じることが規制されるので、対象部材を戻し忘れることを抑制することができる。
【０６９５】
遊技機Ｂ９において、前記対象部材は、前記第３部材に取り付け可能に形成され、前記対象部材が前記第３部材に取り付けられた状態で、前記第３部材が前記所定位置に配設されていない状態では、前記第１枠部材に対して第２枠部材を閉じることが規制されることを特徴とする遊技機Ｂ１０。
【０６９６】
遊技機Ｂ１０によれば、遊技機Ｂ９の奏する効果に加え、対象部材が第３部材に取り付け可能に形成され、対象部材が第３部材に取り付けられた状態で、第３部材が所定位置に配設されていない状態では、第１枠部材に対して第２枠部材を閉じることが規制されるので、対象部材のみを配設し、第３部材を配設し忘れた場合にも、第１枠部材に対して第２枠部材を閉じることができない状態を形成できる。これにより、第３部材を戻し忘れることを抑制できる。
【０６９７】
遊技機Ｂ１又はＢ２において、前記第３部材は、前記第１枠部材または第２枠部材の一方に前記所定位置および開放位置の間で変位可能に配設され、前記第１枠部材に対して第２枠部材が開放され且つ前記第３部材が前記所定位置に変位された状態では、前記操作部材が第１位置または第２位置に操作可能とされ、前記第３部材が前記開放位置に配置された状態では、前記操作部材が前記第２位置から第１位置へ操作されることが前記第３部材により規制されることを特徴とする遊技機Ｂ１１。
【０６９８】
遊技機Ｂ１１によれば、遊技機Ｂ１又はＢ２の奏する効果に加え、第３部材は、第１枠部材または第２枠部材の一方に所定位置および開放位置の間で変位可能に配設され、第１枠部材に対して第２枠部材が開放され且つ第３部材が所定位置に変位された状態では、操作部材が第１位置または第２位置に操作可能とされ、第３部材が開放位置に配置された状態では、操作部材が第２位置から第１位置へ操作されることが第３部材により規制されるので、操作部材が第２位置から第１位置へ移動することを規制するための部材を別途設ける必要がなく、かかる部材の役割を第３部材に兼用させることができる。これにより、部品点数を削減して、製品コストの低減を図ることができる。
【０６９９】
遊技機Ｂ１１において、前記第３部材は、開放位置に変位されると、前記第１枠部材または第２枠部材の一方から外方へ突出されることを特徴とする遊技機Ｂ１２。
【０７００】
遊技機Ｂ１２によれば、遊技機Ｂ１１の奏する効果に加え、第３部材は、開放位置に変位されると、第１枠部材または第２枠部材の一方から外方へ突出されるので、第３部材を作業者に認識させやすくできる。即ち、第３部材がと第１枠部材または第２枠部材の一方から外方へ突出されていることで、第３部材を所定位置へ戻し忘れた状態で、第１枠部材に対して第２枠部材が閉じられることを抑制できる。
【０７０１】
＜打出規制部材８７１０を一例とする発明の概念について＞
所定位置から少なくとも変位可能に形成される所定位置配設部材を備え、その所定位置配設部材が少なくとも変位されると、前記所定位置において所定の作業が可能となる遊技機において、前記所定位置配設部材が前記所定位置に配置されていない場合には遊技を行えない状態が形成されることを特徴とする遊技機Ｃ１。
【０７０２】
ここで、所定位置から少なくとも変位可能（又は取り外し可能）に形成される所定位置配設部材（デコレーションパネル２５）を備えた遊技機が知られている（特開２００１−１０４５４６号）。
【０７０３】
この遊技機によれば、所定位置配設部材が所定位置から少なくとも変位される（又は、取り外される）ことで、作業者による所定の操作（例えば、点検や調整、部品の交換など）が可能とされる。一方、所定位置配設部材を所定位置に戻すことで、作業者や遊技者によって所定の操作が行われることを規制できる。
【０７０４】
しかしながら、上述した従来の遊技機では、所定位置配設部材を所定位置に戻し忘れるおそれがある。所定位置配設部材を所定位置に戻し忘れると、その所定位置配設部材が本来配置されるべき部分が開放されるため、これに起因して、不正行為を伴った遊技が行われるおそれがあるという問題点があった。
【０７０５】
これに対し、遊技機Ｃ１によれば、所定位置配設部材が所定位置に配置されていない場合には遊技が行えない状態が形成されるので、不正行為を伴った遊技が行われることを抑制できる。
【０７０６】
なお、遊技機が行えない状態とは、例えば、パチンコ機１であれば、少なくとも遊技球が遊技領域へ流入されない状態を意味する。よって、遊技球を発射可能な状態であっても、その発射された遊技球が遊技領域に流入されない状態であれば、遊技が行われない状態に該当する。また、例えば、スロットマシンであれば、コインが投入できない状態、或いは、コインの投入の可否に関わらず、操作レバーの操作が不能とされる状態を意味する。
【０７０７】
遊技機Ｃ１において、前記遊技不能化手段は、遊技領域へ遊技球が流入されることを規制することで、遊技が行われることを不能とすることを特徴とする遊技機Ｃ２。
【０７０８】
遊技機Ｃ２によれば、遊技機Ｃ１の奏する効果に加え、遊技不能化手段は、遊技領域へ遊技球が流入されることを規制することで、遊技が行われることを不能とするので、遊技球が遊技領域の入球口に入球することを回避して、不正行為を伴った遊技が行われることを抑制できる。また、不正行為に関与しない遊技者が意図せず遊技を行う場合に、遊技を行うことが不能であることを認識させやすくすることができる。
【０７０９】
遊技機Ｃ２において、遊技者の操作に伴って遊技球を発射する発射手段と、その発射手段により発射された遊技球を前記遊技領域まで誘導する誘導路とを備え、前記遊技不能化手段は、前記所定位置配設部材が前記所定位置に配置されていない場合に、前記誘導路を遊技球が通過することを規制することで、遊技が行われることを不能とすることを特徴とする遊技機Ｃ３。
【０７１０】
遊技機Ｃ３によれば、遊技機Ｃ２の奏する効果に加え、遊技不能化手段は、所定位置配設部材が所定位置に配置されていない場合に、誘導路を遊技球が通過することを規制することで、遊技が行われることを不能とするので、発射された遊技球を発射装置または下皿へ返球することができる。即ち、不正行為に関与しない遊技者が意図せず遊技を行う場合に、遊技を行うことが不能であることを認識させやすくすることができると共に、かかる遊技者に不利益を与えることを回避できる。
【０７１１】
遊技機Ｃ３において、前記遊技不能化手段は、前記所定位置配設部材が前記所定位置に配置されていない場合に前記誘導路に視認可能に突出される突出部材を備え、前記誘導路に突出された突出部材が、前記誘導路における遊技球の通過を規制することで、遊技が行われることを不能とすることを特徴とする遊技機Ｃ４。
【０７１２】
遊技機Ｃ４によれば、遊技機Ｃ３の奏する効果に加え、遊技不能化手段は、所定位置配設部材が所定位置に配置されていない場合に誘導路に視認可能に突出される突出部材を備え、かかる誘導路に突出された突出部材によって、誘導路における遊技球の通過を規制するので、遊技を行うことが不能であることを遊技者に認識させやすくすることができる。
【０７１３】
なお、突出部材は、戻り球防止部材（遊技領域へ放出された遊技球が誘導路へ戻ることを防止するために誘導路の終端に配設される部材）の近傍（遊技球の直径の１０倍以下の距離）に配設されることが好ましい。これにより、発射手段から発射された遊技球の行方を目視する遊技者に、突出部材の存在を認識させやすくすることができる。
【０７１４】
遊技機Ｃ４において、前記誘導路は、円弧状に湾曲して形成され、前記突出部材は、前記円弧状に湾曲した前記誘導路の湾曲内側に配設されると共に前記誘導路の湾曲外側には前記突出部材の非形成領域が形成されることを特徴とする遊技機Ｃ５。
【０７１５】
遊技機Ｃ５によれば、遊技機Ｃ４の奏する効果に加え、誘導路は、円弧状に湾曲して形成され、突出部材は、円弧状に湾曲した誘導路の湾曲内側に配設されると共に誘導路の湾曲外側には突出部材の非形成領域が形成されるので、誘導路に誘導される遊技球を遠心力により湾曲外側、即ち、突出部材の非形成領域を通過させることができる。よって、遊技球が飛び跳ねることを抑制できる。
【０７１６】
即ち、突出部材が後退されている状態（突出されていない状態）であっても、部品の組立公差や寸法公差に起因して、誘導路と突出部材との間には段差が形成される。そのため、誘導路に誘導される遊技球が段差を通過すると、飛び跳ねるおそれがある。この場合、遊技球の遊技領域への安定した流入が阻害されるだけでなく、飛び跳ねた遊技球がガラス枠のガラスに衝突して破損させるおそれがある。これに対し、突出部材の非形成領域を通過させることができれば、段差による影響を抑制して、遊技球が飛び跳ねることを抑制できる。
【０７１７】
遊技機Ｃ１において、遊技球を発射するために遊技者に操作される操作ハンドルを備え、前記遊技不能化手段は、前記所定位置配設部材が前記所定位置に配置されていない場合に、前記操作ハンドルの操作を規制することで、遊技が行われることを不能とすることを特徴とする遊技機Ｃ６。
【０７１８】
遊技機Ｃ６によれば、遊技機Ｃ１の奏する効果に加え、遊技不能化手段は、所定位置配設部材が所定位置に配置されていない場合に、操作ハンドルの操作を規制することで、遊技が行われることを不能とするので、遊技球が遊技領域の入球口に入球することを回避して、不正行為を伴った遊技が行われることを抑制できる。また、不正行為に関与しない遊技者が意図せず遊技を行う場合に、遊技を行うことが不能であることを認識させやすくすることができる。
【０７１９】
遊技機Ｃ４において、第１枠部材と、その第１枠部材に開閉可能に取着される第２枠部材とを備え、前記所定位置配設部材は、前記第１枠部材または第２枠部材の一方における前記所定位置に配設され、前記第１枠部材に対して第２枠部材が開放されることで、前記所定位置配設部材が所定位置から少なくとも変位することが許容され、前記遊技不能化手段は、前記所定位置配設部材が所定位置に配置されていない場合に、前記第１枠部材に対して第２枠部材が閉じられる際の作用によって、前記突出部材の突出が行われることを特徴とする遊技機Ｃ７。
【０７２０】
遊技機Ｃ６において、第１枠部材と、その第１枠部材に開閉可能に取着される第２枠部材とを備え、前記所定位置配設部材は、前記第１枠部材または第２枠部材の一方における前記所定位置に配設され、前記第１枠部材に対して第２枠部材が開放されることで、前記所定位置配設部材が所定位置から少なくとも変位することが許容され、前記遊技不能化手段は、前記所定位置配設部材が所定位置に配置されていない場合に、前記第１枠部材に対して第２枠部材が閉じられる際の作用によって、前記操作ハンドルの操作の規制が行われることを特徴とする遊技機Ｃ８。
【０７２１】
遊技機Ｃ７又はＣ８によれば、遊技機Ｃ５又はＣ６の奏する効果に加え、突出部材の突出または操作ハンドルの操作の規制が、第１枠部材に対して第２枠部材が閉じられる際の作用によって行われるので、かかる突出部材の突出または操作ハンドルの操作の規制のための駆動源を別途設けることを不要として、その分、製品コストを削減できる。
【０７２２】
また、所定位置配設部材を所定位置から少なくとも変位させるためには、第１枠部材に対して第２枠部材を開放させることが必要とされるので、所定位置配設部材を所定位置から少なくとも変位させた場合には、第１枠部材に対して第２枠部材を閉じる動作が必ず行われるようにすることができる。よって、所定位置配設部材を所定位置に戻し忘れて、第１枠部材に対して第２枠部材を閉じた場合に、遊技が行われることを不能とする状態を確実に形成できる。
【０７２３】
＜ハンドル突出部材９７２０を一例とする発明の概念について＞
第１枠部材と、その第１枠部材に開閉可能に取着される第２枠部材と、前記第１枠部材または第２枠部材の一方の所定位置に配設される第３部材と、を備え、前記第３部材が前記所定位置から少なくとも変位可能に形成された遊技機において、前記第１枠部材に対して第２枠部材が開放されることで、前記第３部材が前記所定位置から少なくとも変位することが許容されると共に、前記第３部材が前記所定位置に配置されていない状態で前記第１枠部材に対して第２枠部材が閉じられると、所定の報知が行われることを特徴とする遊技機Ｄ１。
【０７２４】
ここで、第１枠と、その第１枠に開閉可能に取着される第２枠と、第１枠または第２枠の一方に配設される第３部材（デコレーションパネル２５）とを備え、その第３部材が所定位置から少なくとも変位可能に形成された遊技機が知られている（特開２００１−１０４５４６号）。
【０７２５】
この遊技機によれば、第３部材が所定位置から少なくとも変位される（又は、取り外される）ことで、作業者による所定の操作（例えば、点検や調整、部品の交換など）が可能とされる。一方、第３部材を所定位置に戻すことで、作業者や遊技者によって所定の操作が行われることを規制できる。
【０７２６】
しかしながら、上述した従来の遊技機では、第３部材を所定位置に戻し忘れるおそれがあるという問題点があった。第３部材を所定位置に戻し忘れると、第３部材が配置されるべき部分が開放されるので、その開放された部分を利用して不正が行われるおそれがある。
【０７２７】
これに対し、遊技機Ｄ１によれば、第１枠部材に対して第２枠部材が開放されることで、第３部材が所定位置から少なくとも変位することが許容されると共に、第３部材が所定位置に配置されていない状態で第１枠部材に対して第２枠部材が閉じられると、所定の報知が行われるので、その所定の報知に基づいて、作業者に第３部材の所定位置への戻し忘れを認識させることができる。その結果、第３部材の所定位置への戻し忘れを抑制することができる。
【０７２８】
即ち、遊技機Ｄ１によれば、第３部材を所定位置から少なくとも変位させるためには、第１枠部材に対して第２枠部材を開放させることが必要とされるので、第３部材を所定位置から少なくとも変位させた場合には、第１枠部材に対して第２枠部材を閉じる動作を必須の作業として作業者に必ず行わせることができる。よって、第２枠部材を閉じるという作業者が必ず行う手順の一つにおいて、所定の報知が行われることで、第３部材の所定位置への戻し忘れを作業者に認識させやすくすることができる。
【０７２９】
遊技機Ｄ１において、前記所定の報知は、所定の部材を前記第１枠部材または第２枠部材から外方へ向けて突出させることで行われることを特徴とする遊技機Ｄ２。
【０７３０】
遊技機Ｄ２によれば、遊技機Ｄ１の奏する効果に加え、所定の報知は、所定の部材を第１枠部材または第２枠部材の一方から外方へ向けて突出させることで行われるので、その所定の部材の突出に関連させて、作業者に第３部材の所定位置への戻し忘れを認識させることができる。
【０７３１】
遊技機Ｄ２において、前記所定の部材の前記第２枠部材からの突出は、少なくとも前記第１枠部材に対して第２枠部材を閉じる動作中に開始されることを特徴とする遊技機Ｄ３。
【０７３２】
遊技機Ｄ３によれば、遊技機Ｄ２の奏する効果に加え、所定の部材の第２枠部材からの突出は、少なくとも第１枠部材に対して第２枠部材を閉じる動作中に開始されるので、その所定の部材の突出を作業者に認識させやすくすることができる。例えば、第１枠部材に対して第２枠部材を閉じた後に、所定の部材が第２枠部材から突出される場合には、既にその際には、作業者の意識が次の作業に向いているため、所定の部材が第２枠部材から突出されたことが認識され難い。これに対し、閉じる動作中であれば、作業者の意識が第２枠部材に向いている可能性が高いため、少なくとも所定の部材の突出が開始されたことを作業者に認識させやすくできる。
【０７３３】
遊技機Ｄ２又はＤ３において、前記所定の部材は、前記第２枠部材の前面に配設され、下方側を支点として上方側を前方へ傾倒させることで、前記第２枠部材から突出されることを特徴とする遊技機Ｄ４。
【０７３４】
遊技機Ｄ４によれば、遊技機Ｄ２又はＤ３の奏する効果に加え、所定の部材は、第２枠部材の前面に配設され、下方側を支点として上方側を前方へ傾倒させることで、第２枠部材から突出されるので、かかる所定の部材の第２枠部材の前面からの突出を、第２枠部材を閉じる作業者に認識させやすくすることができる。
【０７３５】
遊技機Ｄ４において、前記第２枠部材は、前記第１枠部材に対して幅方向一側が開閉可能に軸支され、前記所定の部材は、前記第２枠部材の幅方向他側に配設されることを特徴とする遊技機Ｄ５。
【０７３６】
遊技機Ｄ４によれば、遊技機Ｄ３の奏する効果に加え、第２枠部材は、第１枠部材に対して幅方向一側が開閉可能に軸支され、所定の部材は、第２枠部材の幅方向他側に配設されるので、第１枠部材に対して第２枠部材を閉じる動作を作業者が行う際に、その作業者に所定の部材を接触させやすくすることができる。即ち、第２枠部材を閉じる場合、作業者は、第１枠部材に軸支される側と反対となる第２枠部材の幅方向他側を操作する（手で押し込む）ところ、かかる幅方向他側に所定の部材が配設されることで、前方へ傾倒して第２枠部材の前面に突出される所定の部材を作業者に接触させやすくできる。その結果、第３部材の所定位置への戻し忘れを作業者に認識させやすくすることができる。
【０７３７】
遊技機Ｄ３において、前記第２枠部材は、前記第１枠部材に対して幅方向一側が開閉可能に軸支され、前記所定の部材は、前記第２枠部材の幅方向他側に配設されることを特徴とする遊技機Ｄ６。
【０７３８】
遊技機Ｄ６によれば、遊技機Ｄ３の奏する効果に加え、第２枠部材は、第１枠部材に対して幅方向一側が開閉可能に軸支され、所定の部材は、第２枠部材の幅方向他側に配設されるので、第１枠部材に対して第２枠部材を閉じる動作を作業者が行う際に、その作業者に所定の部材が突出されていることを認識させやすくすることができる。即ち、第２枠部材を閉じる場合、作業者は、第１枠部材に軸支される側と反対となる第２枠部材の幅方向他側を操作する（手で押し込む）ところ、かかる幅方向他側に所定の部材が配設されることで、操作する作業者の手に所定の部材の突出先端を押し当てやすくすることができる。その結果、第３部材の所定位置への戻し忘れを作業者に認識させやすくすることができる。
【０７３９】
なお、所定の部材は、遊技球の発射の強度を調整するための操作ハンドルから突出されるようにしても良い。第１枠部材に対して第２枠部材を閉じる動作を行う場合、作業者が操作ハンドルを操作する（手で押し込む）ことが多いため、かかる作業者の手に所定の部材の突出先端を押し当てやすくすることができる。
【０７４０】
遊技機Ｄ２又はＤ３において、遊技球を発射するために遊技者に操作される操作ハンドルを備え、前記所定の部材は、操作ハンドルから突出されることを特徴とする遊技機Ｄ７。
【０７４１】
遊技機Ｄ７によれば、遊技機Ｄ２又はＤ３の奏する効果に加え、所定の部材は、操作ハンドルから突出されるので、かかる所定の部材の操作ハンドルからの突出を遊技者に認識させやすくすることができる。
【０７４２】
遊技機Ｄ７において、前記所定の部材は、操作ハンドルの正面から突出されることを特徴とする遊技機Ｄ８。
【０７４３】
遊技機Ｄ８によれば、遊技機Ｄ７の奏する効果に加え、所定の部材は、操作ハンドルの正面から突出されるので、かかる操作ハンドルを遊技者が操作することを所定の部材により阻害することができる。その結果、操作ハンドルからの突出を遊技者に認識させやすくすることができる。
【０７４４】
遊技機Ｄ２からＤ８において、前記第３部材が前記所定位置に配置されることで、前記第２枠部材から突出された前記所定の部材が、突出前の状態に復帰可能とされることを特徴とする遊技機Ｄ９。
【０７４５】
遊技機Ｄ９によれば、遊技機Ｄ２からＤ８のいずれかにおいて、第３部材が所定位置に配置されることで、第２枠部材から突出された所定の部材が、突出前の状態に復帰可能とされる、即ち、第３部材を所定位置へ戻さないと、所定の部材が第２枠部材から突出された状態が維持されるので、第３部材の所定位置への戻し忘れを抑制できる。
【０７４６】
遊技機Ｄ２からＤ９のいずれかにおいて、前記第１枠部材に対して第２枠部材を閉じる動作が直接的または間接的に作用されることで、前記所定の部材が前記第２枠部材から突出されることを特徴とする遊技機Ｄ１０。
【０７４７】
遊技機Ｄ１０によれば、遊技機Ｄ２からＤ９のいずれかの奏する効果に加え、第１枠部材に対して第２枠部材を閉じる動作が直接的または間接的に作用されることで、所定の部材が第２枠部材から突出されるので、かかる所定の部材を突出させるための駆動源を別途設けることを不要として、その分、製品コストを削減できる。
【０７４８】
また、第３部材を所定位置から少なくとも変位させるためには、第１枠部材に対して第２枠部材を開放させることが必要とされるので、第３部材を所定位置から少なくとも変位させた場合には、第１枠部材に対して第２枠部材を閉じる動作が必ず行われるようにすることができる。よって、第３部材を所定位置に戻し忘れて、第１枠部材に対して第２枠部材を閉じた場合には、所定の部材が第２枠部材から突出された状態を確実に形成できる。
【０７４９】
遊技機Ｄ１において、前記第２枠部材に配設されると共に情報を表示するパネル部材を備え、前記所定の報知は、前記パネル部材を変位させることで行われることを特徴とする遊技機Ｄ１１。
【０７５０】
遊技機Ｄ１１によれば、遊技機Ｄ１の奏する効果に加え、所定の報知は、パネル部材を変位させることで行われるので、そのパネル部材の変位に関連させて、作業者に第３部材の戻し忘れを認識させることができる。
【０７５１】
特に、パネル部材の変位であれば、遊技者の遊技が阻害される（遊技し難くなる）ことを抑制できる。よって、遊技者の興趣が損なわれることを抑制できる。
【０７５２】
なお、パネル部材に表示される情報としては、例えば、遊技機の機種、スペック、キャラクターの画像などが例示される。即ち、表示の形態は、文字に限定されず、写真や絵、グラフなど任意とされる。
【０７５３】
遊技機Ｄ１１において、前記所定の報知は、前記パネル部材を変位させることで、前記パネル部材の少なくとも一部が視認不能な状態を形成することを特徴とする遊技Ｄ１２。
【０７５４】
遊技機Ｄ１２によれば、遊技機Ｄ１１の奏する効果に加え、所定の報知は、パネル部材を変位させることで、パネル部材の少なくとも一部が視認不能な状態を形成するので、パネル部材が変位される前の状態との差を大きくして、パネル部材が変位されていることを作業者に認識させやすくできる。その結果、作業者に第３部材の戻し忘れをより確実に認識させることができる。
【０７５５】
遊技機Ｄ１２において、第４部材を備え、前記所定の報知は、前記パネル部材の少なくとも一部を前記第４部材の背面側へ変位させることで、前記パネル部材の少なくとも一部が視認不能な状態を形成することを特徴とする遊技機Ｄ１３。
【０７５６】
遊技機Ｄ１３によれば、遊技機Ｄ１２の奏する効果に加え、所定の報知は、パネル部材の少なくとも一部を第４部材の背面側へ変位させることで、第４部材による遮蔽を利用して、パネル部材の少なくとも一部が視認不能な状態を確実に形成できる。よって、パネル部材が変位されていることを作業者に認識させやすくでき、作業者に第３部材の戻し忘れをより確実に認識させることができる。
【０７５７】
遊技機Ｄ１２において、前記パネル部材は変形可能に形成され、前記所定の報知は、前記パネル部材の変位に伴い前記パネル部材を変形させることで、前記パネル部材の少なくとも一部が視認不能な状態を形成することを特徴とする遊技機Ｄ１４。
【０７５８】
遊技機Ｄ１４によれば、遊技機Ｄ１２の奏する効果に加え、所定の報知は、パネル部材の変位に伴いパネル部材を変形させることで、パネル部材の少なくとも一部が視認不能な状態を形成するので、パネル部材が変位されていることを作業者に認識させやすくできることに加え、パネル部材を変位させるために必要なスペース（変位されたパネル部材を受け入れるために必要なスペース）を抑制できる。よって、その分、他の部材の配設スペースを確保できる。
【０７５９】
なお、パネル部材の変形の態様としては、例えば、パネル部材を可撓性材料から形成し、他の部材に押し当てられたパネル部材を撓ませる（例えば、湾曲または屈曲させる）態様、パネル部材を蛇腹状（山折りと谷折りとが繰り返された形状）に形成し、他の部材に押し当てられたパネル部材を折りたたませる態様、パネル部材を複数の分割体に分割すると共にそれら各分割体どうしを変位可能に連結し、他の部材に押し当てられたパネル部材の分割体どうしを相対変位させる態様などが例示される。
【０７６０】
遊技機Ｄ１２において、前記所定の報知は、前記パネル部材を前記第２枠部材から外方へ向けて突出させることで行われることを特徴とする遊技機Ｄ１５。
【０７６１】
遊技機Ｄ１５によれば、遊技機Ｄ１２の奏する効果に加え、所定の報知は、パネル部材を第２枠部材から外方へ向けて突出させることで行われるので、パネル部材が変位されていることを作業者に認識させやすくでき、作業者に第３部材の戻し忘れをより確実に認識させることができる。
【０７６２】
遊技機Ｄ１１からＤ１５のいずれかにおいて、前記所定の報知が行われた状態から前記第１枠部材に対して前記第２枠部材が開放された後、前記第１枠部材に対して前記第２枠部材が閉じられると、前記第３部材が前記所定位置に配置されることを特徴とする遊技機Ｄ１６。
【０７６３】
遊技機Ｄ１６によれば、遊技機Ｄ１１からＤ１５のいずれかの奏する効果に加え、所定の報知が行われた状態から第１枠部材に対して第２枠部材が開放された後、第１枠部材に対して第２枠部材が閉じられると、第３部材が前記所定位置に配置されるので、作業者の作業負担を軽減できる。
【０７６４】
即ち、所定の報知が行われたということは、第３部材が所定位置に配置されていない状態で第１枠部材に対して第２枠部材が閉じられており、この場合には、第１枠部材に対して第２枠部材を開放して、第３部材を所定位置へ配置した後、第１枠部材に対して第２枠部材を閉じるという三工程が必要となるところ、本発明によれば、第３部材を所定位置へ配置する工程を作業者が行うことを省略でき、作業者は、第１枠部材に対して第２枠部材を開放して閉じるという二工程のみを行えば良い。よって、その分、作業者の作業負担を軽減できる。
【０７６５】
また、所定の報知（パネル部材の変位）を認識した作業者が、第１枠部材に対して第２枠部材を開放したが、例えば、作業者が第３部材の存在を知らず、異常の原因を把握できなかった場合でも、その後、第１枠部材に対して第２枠部材が閉じられることで、第３部材を所定位置へ配置することができる。即ち、作業者が意識的に作業しなくても、第３部材を所定位置へ復帰させることができる。
【０７６６】
遊技機Ｄ１６において、前記所定の報知が行われた状態から前記第１枠部材に対して前記第２枠部材が開放された後、前記第１枠部材に対して前記第２枠部材が閉じられると、前記第３部材が前記所定位置に配置されると共に、前記パネル部材が前記所定の報知が行われる前の配置に変位されることを特徴とする遊技機Ｄ１７。
【０７６７】
遊技機Ｄ１７によれば、遊技機Ｄ１６の奏する効果に加え、所定の報知が行われた状態から第１枠部材に対して第２枠部材が開放された後、第１枠部材に対して第２枠部材が閉じられると、第３部材が所定位置に配置（復帰）されるだけでなく、パネル部材も所定の報知が行われる前の配置に変位されるので、その分、作業者の作業負担を軽減できる。また、作業者が意識的に作業しなくても、パネル部材を初期位置（所定の報知が行われる前の配置）へ復帰させることができる。
【０７６８】
遊技機Ｄ１１からＤ１７のいずれかにおいて、前記第１枠部材に対して第２枠部材を閉じる動作が直接的または間接的に作用されることで、前記パネル部材が変位されることを特徴とする遊技機Ｄ１８。
【０７６９】
遊技機Ｄ１８によれば、遊技機Ｄ１１からＤ１７のいずれかの奏する効果に加え、第１枠部材に対して第２枠部材を閉じる動作が直接的または間接的に作用されることで、パネル部材が変位されるので、かかるパネル部材を変位させるための駆動源を別途設けることを不要として、その分、製品コストを削減できる。
【０７７０】
また、第３部材を所定位置から少なくとも変位させるためには、第１枠部材に対して第２枠部材を開放させることが必要とされるので、第３部材を所定位置から少なくとも変位させた場合には、第１枠部材に対して第２枠部材を閉じる動作が必ず行われるようにすることができる。よって、第３部材を所定位置に戻し忘れて、第１枠部材に対して第２枠部材を閉じた場合には、パネル部材が変位された状態を確実に形成できる。
【０７７１】
遊技機Ａ１からＡ１１，Ｂ１からＢ１２，Ｃ１からＣ８及びＤ１からＤ１８のいずれかにおいて、前記遊技機はスロットマシンであることを特徴とする遊技機Ｋ１。中でも、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（ストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技媒体はコイン、メダル等が代表例として挙げられる。
【０７７２】
遊技機Ａ１からＡ１１，Ｂ１からＢ１２，Ｃ１からＣ８及びＤ１からＤ１８のいずれかにおいて、前記遊技機はパチンコ遊技機であることを特徴とする遊技機Ｋ２。中でも、パチンコ遊技機の基本構成としては操作ハンドルを備え、その操作ハンドルの操作に応じて球を所定の遊技領域へ発射し、球が遊技領域内の所定の位置に配設された作動口に入賞（又は作動口を通過）することを必要条件として、表示手段において動的表示されている識別情報が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードへ書き込まれるデータ等も含む）が付与されるものが挙げられる。
【０７７３】
遊技機Ａ１からＡ１１，Ｂ１からＢ１２，Ｃ１からＣ８及びＤ１からＤ１８のいずれかにおいて、前記遊技機はパチンコ遊技機とスロットマシンとを融合させたものであることを特徴とする遊技機Ｋ３。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
【符号の説明】
【０７７４】
１                            パチンコ機（遊技機）
８００２                      外枠（第１枠）
８００３，１１００３，１２００３，１３００３，１４００３    遊技機主部（第２枠）
４，９００４                  内枠（第１枠）
５                            外枠（第２枠）
９００５，１０００５，１１００５，１２００５，１３００５，１４００５    前扉（第２枠）
１６６ａ〜１６６ｃ            鉤部材（施錠装置）
２７                          鉤受け部材（施錠装置）
３２                          遊技球発射機構（発射手段）
４２                          誘導レール（誘導路）
５１                          操作ハンドル
７５１１ｆ                    挿入片（変形付与部）
５２０                        パネル部材（対象部材、所定位置配設部材）
４５２０                      パネル部材（第３部材、対象部材、所定位置配設部材）
４５３０                      天板（第３部材、所定位置配設部材）
５４０，３５４０              介設板（第３部材、所定位置配設部材）
６５４０                      スライド板（第３部材、所定位置配設部材）
５６０，２５６０，３５６０，７５６０，８５６０，９５６０，１３５６０  ロック部材（操作部材）
５６２ｂ                      軸部（回転軸）
５７０，３５７０              レバー部材（変位部材）
３５８０                      ワンウェイクラッチ（禁止手段）
８７１０                      打出規制部材（遊技不能化手段）
８７１３                      突出部材
９７２０                      ハンドル突出部材（遊技不能化手段）
９７２４                      突出部材（所定の部材）
１０７４０                    装飾部材（所定の部材）
ＳＰ１                        ねじりばね（付勢部材）
ＳＰ２                        圧縮ばね（付勢部材）
ＳＰ３                        圧縮ばね（付勢部材）
ＰＥ                          遊技領域
【図１】
2020073218.tif 000003
【図２】
2020073218.tif 000004
【図３】
2020073218.tif 000005
【図４】
2020073218.tif 000006
【図５】
2020073218.tif 000007
【図６】
2020073218.tif 000008
【図７】
2020073218.tif 000009
【図８】
2020073218.tif 000010
【図９】
2020073218.tif 000011
【図１０】
2020073218.tif 000012
【図１１】
2020073218.tif 000013
【図１２】
2020073218.tif 000014
【図１３】
2020073218.tif 000015
【図１４】
2020073218.tif 000016
【図１５】
2020073218.tif 000017
【図１６】
2020073218.tif 000018
【図１７】
2020073218.tif 000019
【図１８】
2020073218.tif 000020
【図１９】
2020073218.tif 000021
【図２０】
2020073218.tif 000022
【図２１】
2020073218.tif 000023
【図２２】
2020073218.tif 000024
【図２３】
2020073218.tif 000025
【図２４】
2020073218.tif 000026
【図２５】
2020073218.tif 000027
【図２６】
2020073218.tif 000028
【図２７】
2020073218.tif 000029
【図２８】
2020073218.tif 000030
【図２９】
2020073218.tif 000031
【図３０】
2020073218.tif 000032
【図３１】
2020073218.tif 000033
【図３２】
2020073218.tif 000034
【図３３】
2020073218.tif 000035
【図３４】
2020073218.tif 000036
【図３５】
2020073218.tif 000037
【図３６】
2020073218.tif 000038
【図３７】
2020073218.tif 000039
【図３８】
2020073218.tif 000040
【図３９】
2020073218.tif 000041
【図４０】
2020073218.tif 000042
【図４１】
2020073218.tif 000043
【図４２】
2020073218.tif 000044
【図４３】
2020073218.tif 000045
【図４４】
2020073218.tif 000046
【図４５】
2020073218.tif 000047
【図４６】
2020073218.tif 000048
【図４７】
2020073218.tif 000049
【図４８】
2020073218.tif 000050
【図４９】
2020073218.tif 000051
【図５０】
2020073218.tif 000052
【図５１】
2020073218.tif 000053
【図５２】
2020073218.tif 000054
【図５３】
2020073218.tif 000055
【図５４】
2020073218.tif 000056
【図５５】
2020073218.tif 000057
【図５６】
2020073218.tif 000058
【図５７】
2020073218.tif 000059
【図５８】
2020073218.tif 000060
【図５９】
2020073218.tif 000061
【図６０】
2020073218.tif 000062
【図６１】
2020073218.tif 000063
【図６２】
2020073218.tif 000064
【図６３】
2020073218.tif 000065
【図６４】
2020073218.tif 000066
【図６５】
2020073218.tif 000067
【図６６】
2020073218.tif 000068
【図６７】
2020073218.tif 000069
【図６８】
2020073218.tif 000070
【図６９】
2020073218.tif 000071
【図７０】
2020073218.tif 000072
【図７１】
2020073218.tif 000073
【図７２】
2020073218.tif 000074
【図７３】
2020073218.tif 000075
【図７４】
2020073218.tif 000076
【図７５】
2020073218.tif 000077
【図７６】
2020073218.tif 000078
【図７７】
2020073218.tif 000079
【図７８】
2020073218.tif 000080
【図７９】
2020073218.tif 000081
【図８０】
2020073218.tif 000082
【図８１】
2020073218.tif 000083
【図８２】
2020073218.tif 000084
【図８３】
2020073218.tif 000085
【図８４】
2020073218.tif 000086
【図８５】
2020073218.tif 000087
【図８６】
2020073218.tif 000088
【図８７】
2020073218.tif 000089
【図８８】
2020073218.tif 000090
【手続補正書】
【提出日】令和2年2月25日(2020.2.25)
【手続補正１】
【補正対象書類名】特許請求の範囲
【補正対象項目名】全文
【補正方法】変更
【補正の内容】
【特許請求の範囲】
【請求項１】
第１部材と、その第１部材に開閉可能に取着される第２部材と、前記第１部材または第２部材の一方の所定位置に配設される第３部材と、を備え、前記第３部材が前記所定位置から少なくとも変位可能に形成された遊技機において、
前記第１部材に対して第２部材が開放された状態で少なくとも第１位置または第２位置に操作可能に形成される操作部材を備え、
前記操作部材が前記第１位置から第２位置へ操作されることで、前記第３部材が前記所定位置から取り外し可能とされ、
前記第３部材が前記所定位置に配置された状態では、前記操作部材の前記第２位置から第１位置への操作が可能とされ、
前記第３部材が前記第１部材または第２部材の一方から取り外された状態では、前記操作部材の前記第２位置から第１位置への操作が規制され、
前記操作部材が前記第２位置に操作された状態では、前記第１部材に対して第２部材を閉じる方向の軌跡上に前記操作部材が露出されることで、前記第１部材に対して第２部材を閉じることが規制可能とされることを特徴とする遊技機。
【手続補正２】
【補正対象書類名】明細書
【補正対象項目名】全文
【補正方法】変更
【補正の内容】
【発明の詳細な説明】
【技術分野】
【０００１】
本発明は、パチンコ機などの遊技機に関するものである。
【背景技術】
【０００２】
パチンコ機等の遊技機において、第１部材と、その第１部材に開閉可能に取着される第２部材と、第１部材または第２部材の一方に配設される第３部材とを備え、その第３部材が所定位置から少なくとも変位可能に形成された遊技機がある（特許文献１）。
【先行技術文献】
【特許文献】
【０００３】
【特許文献１】特開２００９−１００９９４号公報
【発明の概要】
【発明が解決しようとする課題】
【０００４】
しかしながら、上述した従来の遊技機では、第３部材を所定位置に戻し忘れるという問題点があった。
【０００５】
本発明は、上記例示した問題点を解決するためになされたものであり、第３部材の所定位置への戻し忘れを抑制することができる遊技機を提供することを目的とする。
【課題を解決するための手段】
【０００６】
この目的を達成するために請求項１記載の遊技機は、第１部材と、その第１部材に開閉可能に取着される第２部材と、前記第１部材または第２部材の一方の所定位置に配設される第３部材と、を備え、前記第３部材が前記所定位置から少なくとも変位可能に形成されたものであり、前記第１部材に対して第２部材が開放された状態で少なくとも第１位置または第２位置に操作可能に形成される操作部材を備え、前記操作部材が前記第１位置から第２位置へ操作されることで、前記第３部材が前記所定位置から取り外し可能とされ、前記第３部材が前記所定位置に配置された状態では、前記操作部材の前記第２位置から第１位置への操作が可能とされ、前記第３部材が前記第１部材または第２部材の一方から取り外された状態では、前記操作部材の前記第２位置から第１位置への操作が規制され、前記操作部材が前記第２位置に操作された状態では、前記第１部材に対して第２部材を閉じる方向の軌跡上に前記操作部材が露出されることで、前記第１部材に対して第２部材を閉じることが規制可能とされる。
【０００７】
【０００８】
【発明の効果】
【０００９】
請求項１記載の遊技機によれば、第３部材を所定位置に戻し忘れることを抑制できる。
【００１０】
【００１１】
【図面の簡単な説明】
【００１２】
【図１】第１実施形態におけるパチンコ機の正面図である。
【図２】パチンコ機の遊技盤の正面図である。
【図３】パチンコ機の背面図である。
【図４】パチンコ機の電気的構成を示すブロック図である。
【図５】パチンコ機の正面斜視図である。
【図６】前扉の上側部分の正面斜視図である。
【図７】前扉の上側部分の背面斜視図である。
【図８】前扉の上側部分の分解正面斜視図である。
【図９】前扉の上側部分の分解背面斜視図である。
【図１０】ロック部材の分解正面斜視図である。
【図１１】（ａ）は、図８の矢印ＸＩ方向視における背面部材の正面図であり、（ｂ）は、図１１（ａ）のＸＩｂ−ＸＩｂ線における背面部材の断面図である。
【図１２】（ａ）は、図８の矢印ＸＩ方向視における背面部材の正面図であり、（ｂ）は、図１２（ａ）のＸＩＩｂ−ＸＩＩｂ線における背面部材の断面図である。
【図１３】（ａ）は、図８の矢印ＸＩ方向視における背面部材の正面図であり、（ｂ）は、図１３（ａ）のＸＩＩＩｂ−ＸＩＩＩｂ線における背面部材の断面図である。
【図１４】（ａ）は、図８の矢印ＸＩ方向視における背面部材の正面図であり、（ｂ）は、図１４（ａ）のＸＩＶｂ−ＸＩＶｂ線における背面部材の断面図である。
【図１５】前扉の上側部分の背面斜視図である。
【図１６】前扉の上側部分の背面斜視図である。
【図１７】遊技機主部の上面模式図である。
【図１８】（ａ）は、第２実施形態におけるロック部材の上面図であり、（ｂ）は、図１８（ａ）の矢印ＸＶＩＩＩｂ方向視におけるロック部材の側面図であり、（ｃ）は、図１８（ｂ）の矢印ＸＶＩＩＩｃ方向視におけるロック部材の正面図であり、（ｄ）は、図１８（ａ）のＸＶＩＩＩｄ−ＸＶＩＩＩｄ線におけるロック部材の断面図である。
【図１９】（ａ）は、図８の矢印ＸＩ方向視における背面部材の正面図であり、（ｂ）は、図１９（ａ）のＸＩＸｂ−ＸＩＸｂ線における背面部材の断面図である。
【図２０】（ａ）は、図８の矢印ＸＩ方向視における背面部材の正面図であり、（ｂ）は、図２０（ａ）のＸＸｂ−ＸＸｂ線における背面部材の断面図である。
【図２１】（ａ）は、図８の矢印ＸＩ方向視における背面部材の正面図であり、（ｂ）は、図２１（ａ）のＸＸＩｂ−ＸＸＩｂ線における背面部材の断面図である。
【図２２】（ａ）は、図８の矢印ＸＩ方向視における背面部材の正面図であり、（ｂ）は、図２２（ａ）のＸＸＩＩｂ−ＸＸＩＩｂ線における背面部材の断面図である。
【図２３】内枠および前扉の部分拡大断面図である。
【図２４】（ａ）から（ｃ）は、内枠に対して前扉を閉じる際の状態遷移を説明するための内枠および前扉の上面図である。
【図２５】（ａ）から（ｃ）は、図２４（ａ）から図２４（ｃ）のＸＸＶａ−ＸＸＶａ線からＸＸＶｃ−ＸＸＶｃ線における内枠および前扉の断面図である。
【図２６】第３実施形態における遊技機主部の上面図である。
【図２７】（ａ）は、ロック部材が初期位置にスライド操作された状態におけるワンウェイクラッチ及び連結部材の部分断面上面図であり、（ｂ）は、ロック部材が解除位置にスライド操作された状態におけるワンウェイクラッチ及び連結部材の部分断面上面図である。
【図２８】（ａ）は、介設板の上面図であり、（ｂ）は、図２８（ａ）の矢印ＸＸＩＩＩｂ方向視における介設板の側面図であり、（ｃ）は、図２８（ｂ）のＸＸＶＩＩＩｃ−ＸＸＶＩＩＩｃ線における介設板の断面図である。
【図２９】前扉の部分拡大断面図である。
【図３０】前扉の部分拡大上面図である。
【図３１】遊技機主部の上面図である。
【図３２】第４実施形態における前扉の分解正面斜視図である。
【図３３】（ａ）は、図３２の矢印ＸＸＸＩＩＩ方向視における天板の背面図であり、（ｂ）は、図３３（ａ）のＸＸＸＩＩＩｂ−ＸＸＸＩＩＩｂ線における天板の断面図である。
【図３４】（ａ）は、図３２の矢印ＸＸＸＩＩＩ方向視における天板およびパネル部材の背面図であり、（ｂ）は、図３４（ａ）のＸＸＸＩＶｂ−ＸＸＸＩＶｂ線における天板およびパネル部材の断面図であり、（ｃ）は、図３４（ａ）のＸＸＸＩＶｃ−ＸＸＸＩＶｃ線における天板およびパネル部材の断面図である。
【図３５】（ａ）は、図３２の矢印ＸＸＸＶ方向視における背面部材の正面図であり、（ｂ）は、図３５（ａ）のＸＸＸＶｂ−ＸＸＸＶｂ線における背面部材の断面図である。
【図３６】（ａ）は、図３２の矢印ＸＸＸＶ方向視における背面部材の正面図であり、（ｂ）は、図３６（ａ）のＸＸＸＶＩｂ−ＸＸＸＶＩｂ線における背面部材の断面図である。
【図３７】（ａ）は、図３２の矢印ＸＸＸＶ方向視における背面部材の正面図であり、（ｂ）は、図３７（ａ）のＸＸＸＶＩＩｂ−ＸＸＸＶＩＩｂ線における背面部材の断面図である。
【図３８】第５実施形態における前扉の上側部分の分解正面斜視図である。
【図３９】（ａ）及び（ｂ）は、ロック部材が第１位置にスライド操作された状態における遊技機主部の断面図である。
【図４０】ロック部材が第１位置にスライド操作された状態における遊技機主部の断面図である。
【図４１】ロック部材が第１位置にスライド操作された状態における遊技機主部の断面図である。
【図４２】（ａ）及び（ｂ）は、ロック部材が第２位置にスライド操作された状態における遊技機主部の断面図である。
【図４３】ロック部材が第２位置にスライド操作された状態における遊技機主部の断面図である。
【図４４】ロック部材が第２位置にスライド操作された状態における遊技機主部の断面図である。
【図４５】第６実施形態における前扉の上側部分の分解背面斜視図である。
【図４６】（ａ）は、スライド板の上面図であり、（ｂ）は、図４６（ａ）の矢印ＸＬＶＩｂ方向視におけるスライド板の側面図であり、（ｃ）は、図４６（ｂ）のＸＬＶＩｃ−ＸＬＶＩｃ線におけるスライド板の断面図であり、（ｄ）は、図４６（ｂ）のＸＬＶＩｄ−ＸＬＶＩｄ線におけるスライド板の断面図である。
【図４７】（ａ）は、スライド板およびロック部材がそれぞれ遮蔽位置および第１位置にスライド操作された状態における前扉の上面図であり、（ｂ）はスライド板およびロック部材がそれぞれ開放位置および第２位置にスライド操作された状態における前扉の上面図である。
【図４８】図４７（ａ）のＸＬＶＩＩＩ−ＸＬＶＩＩＩ線における前扉の断面図である。
【図４９】図４８に示す状態からロック部材が第２位置にスライド操作された状態における前扉の断面図である。
【図５０】図４７（ｂ）のＬＩ−ＬＩ線における前扉の断面図である。
【図５１】第７実施形態における内枠および前扉の部分拡大断面図である。
【図５２】第８実施形態における遊技機主部の分解正面斜視図である。
【図５３】（ａ）は、内枠の正面図であり、（ｂ）は、図５３（ａ）のＬＩＩＩｂ−ＬＩＩＩｂ線における内枠の断面図である。
【図５４】（ａ）は、ロック部材の正面斜視分解図であり、（ｂ）は、ロック部材の側面図であり、（ｃ）は、図５４（ｂ）のＬＩＶｃ−ＬＩＶｃ線におけるロック部材の断面図である。
【図５５】（ａ）は、外枠の正面斜視図であり、（ｂ）は、外枠の正面図であり、（ｃ）は、図５５（ｂ）のＬＶｃ−ＬＶｃ線における折込部材の断面図である。
【図５６】（ａ）から（ｄ）は、外枠から開放された遊技機主部を閉鎖する動作の各状態におけるパチンコ機の上面図である。
【図５７】（ａ）及び（ｂ）は、内枠の断面図である。
【図５８】（ａ）は、遊技機主部の正面図であり、（ｂ）は、図５８（ａ）のＬＶＩＩＩｂ−ＬＶＩＩＩｂ線における遊技機主部の断面図である。
【図５９】第９実施形態部における遊技機主部の分解正面斜視図である。
【図６０】（ａ）は、遊技機主部の背面図であり、（ｂ）は、図６０（ａ）のＬＸｂ−ＬＸｂ線における遊技機主部の断面図である。
【図６１】（ａ）から（ｄ）は、内枠から開放された前扉を閉鎖する動作の各状態における遊技機主部の上面図である。
【図６２】（ａ）は、図６１（ｂ）の矢印ＶＸＩａ方向視における前扉の背面図であり、（ｂ）は、図６１（ｄ）の矢印ＶＸＩＩｂ方向視における前扉の背面図である。
【図６３】（ａ）は、図６２（ａ）のＬＸＩＩａ−ＬＸＩＩａ線における前扉の断面模式図であり、（ｂ）は、図６２（ｂ）のＬＸＩＩＩｂ−ＬＸＩＩＩｂ線における前扉の断面模式図である。
【図６４】（ａ）は、突出部材の突出前におけるハンドルの断面模式図であり、（ｂ）は、突出部材の突出後におけるハンドルの断面模式図である。
【図６５】第１０実施形態における遊技機主部の分解正面斜視図である。
【図６６】（ａ）は、遊技機主部の上面図であり、（ｂ）は、遊技機主部の側面模式図である。
【図６７】図６６（ａ）のＬＸＶＩＩ−ＬＸＶＩＩ線における断面模式図である。
【図６８】（ａ）は、装飾部材の上面図であり、（ｂ）は、装飾部材の背面図であり、（ｃ）は、図６８（ｂ）のＬＸＶＩＩＩｃ−ＬＸＶＩＩＩｃにおける装飾部材の断面図である。
【図６９】（ａ）から（ｄ）は、内枠から開放された前扉を閉鎖する動作の各状態における遊技機主部の上面図である。
【図７０】（ａ）は、図６９（ｂ）のＬＸＸａ−ＬＸＸａ線における遊技機主部の断面図であり、（ｂ）は、図６９（ｄ）のＬＸＸｂ−ＬＸＸｂ線における遊技機主部の断面図である。
【図７１】第１１実施形態における前扉の上側部分の正面図である。
【図７２】前扉の上側部分の分解斜視図である。
【図７３】遊技機主部の上面図である。
【図７４】（ａ）及び（ｂ）は、図７３のＬＸＸＩＶａ−ＬＸＸＩＶａ線における遊技機主部の断面模式図である。
【図７５】（ａ）及び（ｂ）は、遊技機主部の断面模式図である。
【図７６】（ａ）は、図７５（ａ）のＬＸＸＶＩａ−ＬＸＸＶＩａ線における遊技機主部の断面模式図であり、（ｂ）は、図７５（ｂ）のＬＸＸＶＩｂ−ＬＸＸＶＩｂ線における遊技機主部の断面模式図である。
【図７７】（ａ）及び（ｂ）は、遊技機主部の断面模式図である。
【図７８】（ａ）及び（ｂ）は、第１２実施形態における遊技機主部の断面模式図である。
【図７９】図７８（ｂ）のＬＸＸＩＸ−ＬＸＸＩＸ線における遊技機主部の断面模式図である。
【図８０】第１３実施形態における前扉の上側部分の分解斜視図である。
【図８１】遊技機主部の上面図である。
【図８２】（ａ）は、図８１のＬＸＸＸＩＩａ−ＬＸＸＸＩＩａ線における遊技機主部の断面模式図であり、（ｂ）は、図８２（ａ）のＬＸＸＸＩＩｂ−ＬＸＸＸＩＩｂ線における遊技機主部の断面模式図であり、（ｃ）は、図８２（ｂ）のＬＸＸＸＩＩｃ−ＬＸＸＸＩＩｃ線における遊技機主部の断面模式図である。
【図８３】（ａ）及び（ｂ）は、遊技機主部の断面模式図である。
【図８４】（ａ）及び（ｂ）は、遊技機主部の断面模式図である。
【図８５】（ａ）及び（ｂ）は、遊技機主部の断面模式図である。
【図８６】第１４実施形態における前扉の上側部分の分解斜視図である
【図８７】（ａ）は、遊技機主部の上面図であり、（ｂ）は、図８７（ａ）のＬＸＸＸＶＩＩｂ−ＬＸＸＸＶＩＩｂ線における遊技機主部の断面模式図である。
【図８８】（ａ）及び（ｂ）は、遊技機主部の断面模式図である。
【発明を実施するための形態】
【００１３】
以下、本発明の実施形態について、添付図面を参照して説明する。まず、図１から図７０を参照し、第１実施形態として、本発明をパチンコ遊技機（以下、単に「パチンコ機」という）１に適用した場合の一実施形態について説明する。図１は、第１実施形態におけるパチンコ機１の正面図であり、図２はパチンコ機１の遊技盤１３の正面図であり、図３はパチンコ機１の背面図である。
【００１４】
図１に示すように、パチンコ機１は、略矩形状に組み合わせた木枠により外殻が形成される外枠２と、その外枠２と略同一の外形形状に形成され外枠２に対して開閉可能に支持された内枠４とを備えている。外枠２には、内枠４を支持するために正面視（図１参照）左側の上下２カ所に金属製のヒンジ１８が取り付けられ、そのヒンジ１８が設けられた側を開閉の軸として内枠４が正面手前側へ開閉可能に支持されている。
【００１５】
内枠４には、多数の釘や入賞口６３，６４等を有する遊技盤１３（図２参照）が裏面側から着脱可能に装着される。この遊技盤１３の前面を球（遊技球）が流下することにより弾球遊技が行われる。なお、内枠４には、球を遊技盤１３の前面領域に発射する球発射ユニット１１２ａ（図４参照）やその球発射ユニット１１２ａから発射された球を遊技盤１３の前面領域まで誘導する発射レール（図示せず）等が取り付けられている。
【００１６】
内枠４の前面側には、その前面上側を覆う前扉５と、その下側を覆う下皿ユニット１５とが設けられている。前扉５および下皿ユニット１５を支持するために正面視（図１参照）左側の上下２カ所に金属製のヒンジ１９が取り付けられ、そのヒンジ１９が設けられた側を開閉の軸として前扉５および下皿ユニット１５が正面手前側へ開閉可能に支持されている。なお、内枠４の施錠と前扉５の施錠とは、シリンダ錠２０の鍵穴２１に専用の鍵を差し込んで所定の操作を行うことでそれぞれ解除される。
【００１７】
前扉５は、装飾用の樹脂部品や電気部品等を組み付けたものであり、その略中央部には略楕円形状に開口形成された窓部５ｃが設けられている。前扉５の裏面側には２枚の板ガラス８を有するガラスユニット１６が配設され、そのガラスユニット１６を介して遊技盤１３の前面がパチンコ機１の正面側に視認可能となっている。
【００１８】
前扉５には、球を貯留する上皿１７が前方へ張り出して上面を開放した略箱状に形成されており、この上皿１７に賞球や貸出球などが排出される。上皿１７の底面は正面視（図１参照）右側に下降傾斜して形成され、その傾斜により上皿１７に投入された球が球発射ユニット１１２ａ（図４参照）へと案内される。また、上皿１７の上面には、枠ボタン２２が設けられている。この枠ボタン２２は、例えば、第３図柄表示装置８１（図２参照）で表示される演出のステージを変更したり、スーパーリーチの演出内容を変更したりする場合などに、遊技者により操作される。
【００１９】
前扉５には、その周囲（例えばコーナー部分）に各種ランプ等の発光手段が設けられている。これら発光手段は、大当たり時や所定のリーチ時等における遊技状態の変化に応じて、点灯又は点滅することにより発光態様が変更制御され、遊技中の演出効果を高める役割を果たす。窓部５ｃの周縁には、ＬＥＤ等の発光手段を内蔵した電飾部２９〜３３が設けられている。パチンコ機１においては、これら電飾部２９〜３３が大当たりランプ等の演出ランプとして機能し、大当たり時やリーチ演出時等には内蔵するＬＥＤの点灯や点滅によって各電飾部２９〜３３が点灯または点滅して、大当たり中である旨、或いは大当たり一歩手前のリーチ中である旨が報知される。また、前扉５の正面視（図１参照）左上部には、ＬＥＤ等の発光手段が内蔵され賞球の払い出し中とエラー発生時とを表示可能な表示ランプ３４が設けられている。
【００２０】
また、右側の電飾部３２下側には、前扉５の裏面側を視認できるように裏面側より透明樹脂を取り付けて小窓３５が形成され、遊技盤１３前面の貼着スペースＫ１（図２参照）に貼付される証紙等がパチンコ機１の前面から視認可能とされている。また、パチンコ機１においては、より煌びやかさを醸し出すために、電飾部２９〜３３の周りの領域にクロムメッキを施したＡＢＳ樹脂製のメッキ部材３６が取り付けられている。
【００２１】
窓部５ｃの下方には、貸球操作部４０が配設されている。貸球操作部４０には、度数表示部４１と、球貸しボタン４２と、返却ボタン４３とが設けられている。パチンコ機１の側方に配置されるカードユニット（球貸しユニット）（図示せず）に紙幣やカード等を投入した状態で貸球操作部４０が操作されると、その操作に応じて球の貸出が行われる。具体的には、度数表示部４１はカード等の残額情報が表示される領域であり、内蔵されたＬＥＤが点灯して残額情報として残額が数字で表示される。球貸しボタン４２は、カード等（記録媒体）に記録された情報に基づいて貸出球を得るために操作されるものであり、カード等に残額が存在する限りにおいて貸出球が上皿１７に供給される。返却ボタン４３は、カードユニットに挿入されたカード等の返却を求める際に操作される。なお、カードユニットを介さずに球貸し装置等から上皿１７に球が直接貸し出されるパチンコ機、いわゆる現金機では貸球操作部４０が不要となるが、この場合には、貸球操作部４０の設置部分に飾りシール等を付加して部品構成は共通のものとしても良い。カードユニットを用いたパチンコ機と現金機との共通化を図ることができる。
【００２２】
上皿１７の下側に位置する下皿ユニット１５には、その中央部に上皿１７に貯留しきれなかった球を貯留するための下皿５０が上面を開放した略箱状に形成されている。下皿５０の右側には、球を遊技盤１３の前面へ打ち込むために遊技者によって操作される操作ハンドル５１が配設される。
【００２３】
操作ハンドル５１の内部には、球発射ユニット１１２ａの駆動を許可するためのタッチセンサ５１ａと、押下操作している期間中には球の発射を停止する発射停止スイッチ５１ｂと、操作ハンドル５１の回動操作量（回動位置）を電気抵抗の変化により検出する可変抵抗器（図示せず）などが内蔵されている。操作ハンドル５１が遊技者によって右回りに回動操作されると、タッチセンサ５１ａがオンされると共に可変抵抗器の抵抗値が回動操作量に対応して変化し、その可変抵抗器の抵抗値に対応した強さ（発射強度）で球が発射され、これにより遊技者の操作に対応した飛び量で遊技盤１３の前面へ球が打ち込まれる。また、操作ハンドル５１が遊技者により操作されていない状態においては、タッチセンサ５１ａおよび発射停止スイッチ５１ｂがオフとなっている。
【００２４】
下皿５０の正面下方部には、下皿５０に貯留された球を下方へ排出する際に操作するための球抜きレバー５２が設けられている。この球抜きレバー５２は、常時、右方向に付勢されており、その付勢に抗して左方向へスライドさせることにより、下皿５０の底面に形成された底面口が開口して、その底面口から球が自然落下して排出される。この球抜きレバー５２の操作は、通常、下皿５０の下方に下皿５０から排出された球を受け取る箱（一般に「千両箱」と称される）を置いた状態で行われる。下皿５０の右方には、上述したように操作ハンドル５１が配設され、下皿５０の左方には灰皿５３が取り付けられている。
【００２５】
図２に示すように、遊技盤１３は、正面視略正方形状に切削加工したベース板６０に、球案内用の多数の釘（図示せず）や風車の他、レール６１，６２、一般入賞口６３、第１入賞口６４、第２入賞口６４０、第３入賞口８２、可変入賞装置６５、第１スルーゲート６６、第２スルーゲート６７、可変表示装置ユニット８０等を組み付けて構成され、その周縁部が内枠４（図１参照）の裏面側に取り付けられる。ベース板６０は薄い板材を張り合わせた木材からなり、その正面側からベース板６０の背面側に配設された各種構造体を遊技者に目視できないように形成される。一般入賞口６３、第１入賞口６４、第２入賞口６４０、第３入賞口８２、可変入賞装置６５、可変表示装置ユニット８０は、ルータ加工によってベース板６０に形成された貫通穴に配設され、遊技盤１３の前面側からタッピングネジ等により固定されている。
【００２６】
遊技盤１３の前面中央部分は、前扉５の窓部５ｃ（図１参照）を通じて内枠４の前面側から視認することができる。以下に、主に図２を参照して、遊技盤１３の構成について説明する。
【００２７】
遊技盤１３の前面には、帯状の金属板を略円弧状に屈曲加工して形成した外レール７７が植立され、その外レール７７の内側位置には外レール７７と同様に帯状の金属板で形成した円弧状の内レール７６が植立される。この内レール７６と外レール７７とにより遊技盤１３の前面外周が囲まれ、遊技盤１３とガラスユニット１６（図１参照）とにより前後が囲まれることにより、遊技盤１３の前面には、球の挙動により遊技が行われる遊技領域が形成される。遊技領域は、遊技盤１３の前面であって２本のレール６１，６２とレール間を繋ぐ樹脂製の外縁部材７３とにより区画して形成される領域（入賞口等が配設され、発射された球が流下する領域）である。
【００２８】
２本のレール６１，６２は、球発射ユニット１１２ａ（図４参照）から発射された球を遊技盤１３上部へ案内するために設けられたものである。内レール７６の先端部分（図２の左上部）には戻り球防止部材６８が取り付けられ、一旦、遊技盤１３の上部へ案内された球が再度球案内通路内に戻ってしまうといった事態が防止される。外レール７７の先端部（図２の右上部）には、球の最大飛翔部分に対応する位置に返しゴム６９が取り付けられ、所定以上の勢いで発射された球は、返しゴム６９に当たって、勢いが減衰されつつ中央部側へ跳ね返される。
【００２９】
遊技領域の正面視左側下部（図２の左側下部）には、発光手段である複数のＬＥＤおよび７セグメント表示器を備える第１図柄表示装置３７Ａ，３７Ｂが配設されている。第１図柄表示装置３７Ａ，３７Ｂは、主制御装置１１０（図４参照）で行われる各制御に応じた表示がなされるものであり、主にパチンコ機１の遊技状態の表示が行われる。本実施形態では、第１図柄表示装置３７Ａ，３７Ｂは、球が、第１入賞口６４へ入賞したか、第２入賞口６４０および第３入賞口８２へ入賞したかに応じて使い分けられるように構成されている。具体的には、球が、第１入賞口６４へ入賞した場合には、第１図柄表示装置３７Ａが作動し、一方で、球が、第２入賞口６４０および第３入賞口８２へ入賞した場合には、第１図柄表示装置３７Ｂが作動するように構成されている。
【００３０】
また、第１図柄表示装置３７Ａ，３７Ｂは、ＬＥＤにより、パチンコ機１が確変中か時短中か通常中であるかを点灯状態により示したり、変動中であるか否かを点灯状態により示したり、停止図柄が確変大当たりに対応した図柄か普通大当たりに対応した図柄か外れ図柄であるかを点灯状態により示したり、保留球数を点灯状態により示すと共に、７セグメント表示装置により、大当たり中のラウンド数やエラー表示を行う。なお、複数のＬＥＤは、それぞれのＬＥＤの発光色（例えば、赤、緑、青）が異なるよう構成され、その発光色の組み合わせにより、少ないＬＥＤでパチンコ機１の各種遊技状態を示唆することができる。
【００３１】
なお、本パチンコ機１では、第１入賞口６４，第２入賞口６４０，第３入賞口８２，のいずれかに入賞があったことを契機として抽選が行われる。パチンコ機１は、その抽選において、大当たりか否かの当否判定（大当たり抽選）を行うと共に、大当たりと判定した場合はその大当たり種別の判定も行う。ここで判定される大当たり種別としては、１５Ｒ確変大当たり、４Ｒ確変大当たり、１５Ｒ通常大当たりが用意されている。第１図柄表示装置３７Ａ，３７Ｂには、変動終了後の停止図柄として抽選の結果が大当たりであるか否かが示されるだけでなく、大当たりである場合はその大当たり種別に応じた図柄が示される。
【００３２】
ここで、「１５Ｒ確変大当たり」とは、最大ラウンド数が１５ラウンドの大当たりの後に高確率状態へ移行する確変大当たりのことであり、「４Ｒ確変大当たり」とは、最大ラウンド数が４ラウンドの大当たりの後に高確率状態へ移行する確変大当たりのことである。また、「１５Ｒ通常大当たり」は、最大ラウンド数が１５ラウンドの大当たりの後に、低確率状態へ移行すると共に、所定の変動回数の間（例えば、１００変動回数）は時短状態となる大当たりのことである。
【００３３】
また、「高確率状態」とは、大当たり終了後に付加価値としてその後の大当たり確率がアップした状態、いわゆる確率変動中（確変中）の時をいい、換言すれば、特別遊技状態へ移行し易い遊技の状態のことである。本実施形態における高確率状態（確変中）は、後述する第２図柄の当たり確率がアップして第２入賞口６４０および第３入賞口８２へ球が入賞し易い遊技の状態を含む。「低確率状態」とは、確変中でない時をいい、大当たり確率が通常の状態、即ち、確変の時より大当たり確率が低い状態をいう。また、「低確率状態」のうちの時短状態（時短中）とは、大当たり確率が通常の状態であると共に、大当たり確率がそのままで第２図柄の当たり確率のみがアップして第２入賞口６４０および第３入賞口８２へ球が入賞し易い遊技の状態のことをいう。一方、パチンコ機１が通常中とは、確変中でも時短中でもない遊技の状態（大当たり確率も第２図柄の当たり確率もアップしていない状態）である。
【００３４】
確変中や時短中は、第２図柄の当たり確率がアップするだけではなく、第２入賞口６４０および第３入賞口８２に付随する第１電動役物６４０ａおよび第２電動役物８２ａが開放される時間も変更され、通常中と比して長い時間が設定される。第１電動役物６４０ａおよび第２電動役物８２ａが開放された状態（開放状態）にある場合は、その第１電動役物６４０ａおよび第２電動役物８２ａが閉鎖された状態（閉鎖状態）にある場合と比して、第２入賞口６４０および第３入賞口８２へ球が入賞しやすい状態となる。よって、確変中や時短中は、第２入賞口６４０および第３入賞口８２へ球が入賞し易い状態となり、大当たり抽選が行われる回数を増やすことができる。
【００３５】
なお、確変中や時短中において、第２入賞口６４０および第３入賞口８２に付随する第１電動役物６４０ａおよび第２電動役物８２ａの開放時間を変更するのではなく、または、その開放時間を変更することに加えて、１回の当たりで第１電動役物６４０ａおよび第２電動役物８２ａが開放する回数を通常中よりも増やす変更を行うものとしてもよい。また、確変中や時短中において、第２図柄の当たり確率は変更せず、第２入賞口６４０および第３入賞口８２に付随する第１電動役物６４０ａおよび第２電動役物８２ａが開放される時間および１回の当たりで第１電動役物６４０ａ及び第２電動役物８２ａが開放する回数の少なくとも一方を変更するものとしてもよい。また、確変中や時短中において、第２入賞口６４０および第３入賞口８２に付随する第１電動役物６４０ａおよび第２電動役物８２ａが開放される時間や、１回の当たりで第１電動役物６４０ａおよび第２電動役物８２を開放する回数はせず、第２図柄の当たり確率だけを、通常中と比してアップするよう変更するものであってもよい。
【００３６】
遊技領域には、球が入賞することにより５個から１５個の球が賞球として払い出される複数の一般入賞口６３が配設されている。また、遊技領域の中央部分には、可変表示装置ユニット８０が配設されている。可変表示装置ユニット８０には、第１入賞口６４、第２入賞口６４０、第３入賞口８２のいずれかの入賞（始動入賞）をトリガとして、第１図柄表示装置３７Ａ，３７Ｂにおける変動表示と同期させながら、第３図柄の変動表示を行う液晶ディスプレイ（以下単に「表示装置」と略す）で構成された第３図柄表示装置８１と、第１スルーゲート６６および第２スルーゲート６７の球の通過をトリガとして第２図柄を変動表示するＬＥＤで構成される第２図柄表示装置（図示せず）とが設けられている。
【００３７】
また、可変表示装置ユニット８０には、第３図柄表示装置８１の外周を囲むようにして、センターフレーム８６が配設されている。このセンターフレーム８６の中央に開口される開口部から第３図柄表示装置８１が視認可能とされる。
【００３８】
第３図柄表示装置８１は９インチサイズの大型の液晶ディスプレイで構成されるものであり、表示制御装置１１４（図４参照）によって表示内容が制御されることにより、例えば上、中および下の３つの図柄列が表示される。各図柄列は複数の図柄（第３図柄）によって構成され、これらの第３図柄が図柄列毎に横スクロールして第３図柄表示装置８１の表示画面上にて第３図柄が可変表示されるようになっている。本実施形態の第３図柄表示装置８１は、主制御装置１１０（図４参照）の制御に伴った遊技状態の表示が第１図柄表示装置３７Ａ，３７Ｂで行われるのに対して、その第１図柄表示装置３７Ａ，３７Ｂの表示に応じた装飾的な表示を行うものである。なお、表示装置に代えて、例えばリール等を用いて第３図柄表示装置８１を構成するようにしても良い。
【００３９】
第２図柄表示装置は、球が第１スルーゲート６６および第２スルーゲート６７を通過する毎に表示図柄（第２図柄（図示せず））としての「○」の図柄と「×」の図柄とを所定時間交互に点灯させる変動表示を行うものである。パチンコ機１では、球が第１スルーゲート６６および第２スルーゲート６７を通過したことが検出されると、当たり抽選が行われる。その当たり抽選の結果、当たりであれば、第２図柄表示装置において、第２図柄の変動表示後に「○」の図柄が停止表示される。また、当たり抽選の結果、外れであれば、第２図柄表示装置において、第３図柄の変動表示後に「×」の図柄が停止表示される。
【００４０】
パチンコ機１は、第２図柄表示装置における変動表示が所定図柄（本実施形態においては「○」の図柄）で停止した場合に、第２入賞口６４０および第３入賞口８２に付随された第１電動役物６４０ａおよび第２電動役物８２ａが所定時間だけ作動状態となる（開放される）よう構成されている。
【００４１】
第２図柄の変動表示にかかる時間は、遊技状態が通常中の場合よりも、確変中または時短中の方が短くなるように設定される。これにより、確変中および時短中は、第２図柄の変動表示が短い時間で行われるので、当たり抽選を通常中よりも多く行うことができる。よって、当たり抽選において当たりとなる機会が増えるので、第２入賞口６４０および第３入賞口８２の第１電動役物６４０ａおよび第２電動役物８２ａが開放状態となる機会を遊技者に多く与えることができる。よって、確変中および時短中は、第２入賞口６４０および第３入賞口８２へ球が入賞しやすい状態とすることができる。
【００４２】
なお、確変中または時短中において、当たり確率を高める、１回に当たりに対する第１電動役物６４０ａおよび第２電動役物８２ａの開放時間や開放回数を増やすなど、その他の方法によっても、確変中または時短中に第２入賞口６４０および第３入賞口へ球が入賞しやすい状態としている場合は、第２図柄の変動表示にかかる時間を遊技状態にかかわらず一定としてもよい。一方、第２図柄の変動表示にかかる時間を、確変中または時短中において通常中よりも短く設定する場合は、当たり確率を遊技状態にかかわらず一定にしてもよいし、また、１回の当たりに対する第１電動役物６４０ａおよび第２電動役物８２ａの開放時間や開放回数を遊技状態にかかわらず一定にしてもよい。
【００４３】
第１スルーゲート６６は、可変表示装置ユニット８０の左側の領域において遊技盤に組み付けられ、第２スルーゲート６７は、可変表示装置ユニット８０の右側の領域において遊技盤に組み付けられる。第１スルーゲート６６および第２スルーゲート６７は、遊技盤に発射された球のうち、遊技盤を流下する球の一部が通過可能に構成されている。第１スルーゲート６６および第２スルーゲート６７を球が通過すると、第２図柄の当たり抽選が行われる。当たり抽選の後、第２図柄表示装置にて変動表示を行い、当たり抽選の結果が当たりであれば、変動表示の停止図柄として「○」の図柄を表示し、当たり抽選の結果が外れであれば、変動表示の停止図柄として「×」の図柄を表示する。
【００４４】
球の第１スルーゲート６６および第２スルーゲート６７の通過回数は、合計で最大４回まで保留され、その保留球数が上述した第１図柄表示装置３７Ａ，３７Ｂにより表示されると共に第２図柄保留ランプ（図示せず）においても点灯表示される。第２図柄保留ランプは、最大保留数分の４つ設けられ、第３図柄表示装置８１の下方に左右対称に配設されている。
【００４５】
なお、第２図柄の変動表示は、本実施形態のように、第２図柄表示装置において複数のランプの点灯と非点灯を切り換えることにより行うものの他、第１図柄表示装置３７Ａ，３７Ｂおよび第３図柄表示装置８１の一部を使用して行うようにしても良い。同様に、第２図柄保留ランプの点灯を第３図柄表示装置８１の一部で行うようにしても良い。また、第１スルーゲート６６および第２スルーゲート６７の球の通過に対する最大保留球数は４回に限定されるものでなく、３回以下、又は、５回以上の回数（例えば、８回）に設定しても良い。また、スルーゲートの組み付け数は２つに限定されるものではなく、３つ以上の複数であっても良い。また、スルーゲートの組み付け位置は可変表示装置ユニット８０の左右両側に限定されるものではなく、例えば、可変表示装置ユニット８０の下方でも良い。また、第１図柄表示装置３７Ａ，３７Ｂにより保留球数が示されるので、第２図柄保留ランプにより点灯表示を行わないものとしてもよい。
【００４６】
可変表示装置ユニット８０の下方には、球が入賞し得る第１入賞口６４が配設されている。この第１入賞口６４へ球が入賞すると遊技盤１３の裏面側に設けられる第１入賞口スイッチ（図示せず）がオンとなり、その第１入賞口スイッチのオンに起因して主制御装置１１０（図４参照）で大当たりの抽選がなされ、その抽選結果に応じた表示が第１図柄表示装置３７Ａで示される。
【００４７】
一方、第１入賞口６４の正面視下方には、球が入賞し得る第２入賞口６４０が配設されている。また、第１入賞口６４の正面視右方には、第３入賞口８２が配設されている。これら、第２入賞口６４０および第３入賞口８２へ球が入賞すると遊技盤１３の裏面側に設けられる第２入賞口スイッチ（図示せず）がオンとなり、その第２入賞口スイッチのオンに起因して主制御装置１１０（図４参照）で大当たりの抽選がなされ、その抽選結果に応じた表示が第１図柄表示装置３７Ｂで示される。
【００４８】
また、第１入賞口６４，第２入賞口６４０，第３入賞口８２は、それぞれ、球が入賞すると５個の球が賞球として払い出される入賞口の１つにもなっている。なお、本実施形態においては、第１入賞口６４へ球が入賞した場合に払い出される賞球数と第２入賞口６４０および第３入賞口８２へ球が入賞した場合に払い出される賞球数とを同じに構成したが、第１入賞口６４へ球が入賞した場合に払い出される賞球数と第２入賞口６４０および第３入賞口８２へ球が入賞した場合に払い出される賞球数とを異なる数、例えば、第１入賞口６４へ球が入賞した場合に払い出される賞球数を３個とし、第２入賞口６４０および第３入賞口８２へ球が入賞した場合に払い出される賞球数を５個として構成してもよい。
【００４９】
第２入賞口６４０には第１電動役物６４０ａが付随されている。この第１電動役物６４０ａは開閉可能に構成されており、通常は第１電動役物６４０ａが閉鎖状態（縮小状態）となって、球が第２入賞口６４０へ入賞しにくい状態となっている。一方、第１スルーゲート６６への球の通過を契機として行われる第２図柄の変動表示の結果、「○」の図柄が第２図柄表示装置に表示された場合、第１電動役物６４０ａが開放状態（拡大状態）となり、球が第２入賞口６４０へ入賞しやすい状態となる。
【００５０】
また、第３入賞口８２には第２電動役物８２ａが付随されている。この第２電動役物８２ａは開閉可能に構成されており、通常は第２電動役物８２ａが閉鎖状態（縮小状態）となって、球が第３入賞口８２へと入賞しにくい状態となっている。一方、第２スルーゲート６７への球の通過を契機として行われる第２図柄の変動表示の結果、「○」の図柄が第２図柄表示装置に表示された場合、第２電動役物８２ａが開放状態（拡大状態）となり、球が第３入賞口８２へ入賞しやすい状態となる。
【００５１】
上述した通り、確変中および時短中は、通常中と比して第２図柄の当たり確率が高く、また、第２図柄の変動表示にかかる時間も短いので、第２図柄の変動表示において「○」の図柄が表示され易くなって、第１電動役物６４０ａおよび第２電動役物８２ａが開放状態（拡大状態）となる回数が増える。更に、確変中または時短中は、第１電動役物６４０ａおよび第２電動役物８２ａが開放される時間も、通常中より長くなる。よって、確変中または時短中は、通常時と比して、第２入賞口６４０および第３入賞口８２へ球が入賞しやすい状態を作ることができる。
【００５２】
ここで、第１入賞口６４に球が入賞した場合と第２入賞口６４０および第３入賞口８２へ球が入賞した場合とで、大当たりとなる確率は、低確率状態であっても高確率状態でも同一である。しかしながら、大当たりとなった場合に選定される大当たりの種別として１５Ｒ確変大当たりとなる確率は、第２入賞口６４０および第３入賞口８２へ球が入賞した場合のほうが第１入賞口６４へ球が入賞した場合よりも高く設定されている。一方、第１入賞口６４は、第２入賞口６４０および第３入賞口８２にあるような第１電動役物６４０ａおよび第２電動役物８２ａは有しておらず、球が常時入賞可能な状態となっている。
【００５３】
よって、通常中においては、第２入賞口６４０および第３入賞口８２に付随する電動役物が閉鎖状態にある場合が多く、第２入賞口６４０および第３入賞口８２に入賞しづらいので、電動役物のない第１入賞口６４へ向けて、可変表示装置ユニット８０の左方を球が通過するように球を発射し（所謂「左打ち」）、第１入賞口６４への入賞によって大当たり抽選の機会を多く得て、大当たりとなることを狙った方が、遊技者にとって有利となる。
【００５４】
一方、確変中や時短中は、第２スルーゲート６７に球を通過させることで、第３入賞口８２に付随する第２電動役物８２ａが開放状態となりやすく、第３入賞口８２に入賞しやすい状態であるので、第３入賞口８２へ向けて、可変表示装置８０の右方を球が通過するように球を発射し（所謂「右打ち」）、第２スルーゲート６７を通過させて第２電動役物８２ａを開放状態にすると共に、第３入賞口８２への入賞によって１５Ｒ確変大当たりとなることを狙った方が、遊技者にとって有利となる。
【００５５】
このように、本実施形態のパチンコ機１は、パチンコ機１の遊技状態（確変中であるか、時短中であるか、通常中であるか）に応じて、遊技者に対し、球の発射の仕方を「左打ち」と「右打ち」とに変えさせることができる。よって、遊技者に対して、球の打ち方に変化をもたらすことができるので、遊技を楽しませることができる。
【００５６】
なお、上記した形態に限らず、第１スルーゲート６６および第２スルーゲート６７のどちらかは、球が通過した場合、第２図柄とは別の図柄の当たり抽選をしてもよく、その別の図柄の抽選によって、第３入賞口８２に付随する第２電動役物８２ａまたは、第２入賞口６４０に付随する第１電動役物６４０ａが開放状態に変位するものとしてもよい。この場合、第１スルーゲート６６と第２スルーゲート６７に球が通過することで抽選する図柄は異なるため、第１スルーゲート６６および第２スルーゲート６７を球が通過して開放する電動役物はどちらか一方ずつに選択されることになる。
【００５７】
これにより、例えば、第２図柄に当たりが選択されると第２電動役物８２ａが開放するとした場合、球を右打ちして第２スルーゲート６７を通過させると、第２図柄が抽選され、第２図柄の抽選に当たりが選択されると第２電動役物８２ａが開放し、球を左打ちして第１スルーゲート６６を通過させると、第２図柄とは別の図柄が抽選され、第２図柄とは別の図柄に当たりが選択されると第１電動役物６４０ａが開放する遊技状態とできる。
【００５８】
よって、確変中に第２図柄の抽選が当たり易い遊技状態とし、時短中には第２図柄とは別の図柄が当たりやすい遊技状態とすると、確変中は、右打ちして第２スルーゲート６７を通過させ第２電動役物８２ａを開放して球を入賞させ易い遊技状態と、時短中は、左打ちして第１スルーゲート６６を通過させ第１電動役物を開放して球を入賞し易い遊技状態にできる。そのため、通常中と時短中と確変中の遊技状態をそれぞれ違った遊技状態にできるので、遊技者にそれぞれの遊技状態を楽しませることができる。
【００５９】
また、他には、第２図柄に当たりが選択されると第２電動役物８２ａが開放するとした場合、球を右打ちして第２スルーゲート６７を通過させると、第２図柄とは別の図柄が抽選され、第２図柄とは別の図柄の抽選に当たりが選択されると第１電動役物６４０ａが開放し、球を左打ちして第１スルーゲート６６を通過させると、第２図柄が抽選され、第２図柄に当たりが選択されると第２電動役物８２ａが開放する遊技状態にもできる。
【００６０】
この場合は、確変中および時短中にかかわらず、右打ちして球が第２スルーゲート６７を通過すると第１電動役物を開放し、球を第２入賞口６４０に入賞し易い遊技状態と、左打ちして球が第１スルーゲート６６を通過すると第２電動役物８２ａを開放し球を第３入賞口８２に入賞し易い遊技状態とできる。よって、遊技者は、右打ちから左打ちまたは、左打ちから右打ちといった打ち方の変更をする必要がある。そのため、遊技者に対して、随時打ち方に変化をもたらすことができるので、遊技を楽しませることができる。
【００６１】
第１入賞口６４の右側には可変入賞装置６５が配設されており、その略中央部分に横長矩形状の特定入賞口（大開放口）６５ａが設けられている。パチンコ機１においては、第１入賞口６４，第２入賞口６４，第３入賞口８２，のいずれかの入賞に起因して行われた大当たり抽選が大当たりとなると、所定時間（変動時間）が経過した後に、大当たりの停止図柄となるよう第１図柄表示装置３７Ａ又は第１図柄表示装置３７Ｂを点灯させると共に、その大当たりに対応した停止図柄を第３図柄表示装置８１に表示させて、大当たりの発生が示される。その後、球が入賞し易い特別遊技状態（大当たり）に遊技状態が遷移する。この特別遊技状態として、通常時には閉鎖されている特定入賞口６５ａが、所定時間（例えば、３０秒経過するまで、或いは、球が１０個入賞するまで）開放される。
【００６２】
この特定入賞口６５ａは、所定時間が経過すると閉鎖され、その閉鎖後、再度、その特定入賞口６５ａが所定時間開放される。この特定入賞口６５ａの開閉動作は、最高で例えば１５回（１５ラウンド）繰り返し可能にされている。この開閉動作が行われている状態が、遊技者にとって有利な特別遊技状態の一形態であり、遊技者には、遊技上の価値（遊技価値）の付与として通常時より多量の賞球の払い出しが行われる。
【００６３】
可変入賞装置６５は、具体的には、特定入賞口６５ａを覆う横長矩形状の開閉板と、その開閉板の下辺を軸として前方側に開閉駆動するための大開放口ソレノイド（図示せず）とを備えている。特定入賞口６５ａは、通常時は、球が入賞できないか又は入賞し難い閉状態になっている。大当たりの際には大開放口ソレノイドを駆動して開閉板を前面下側に傾倒し、球が特定入賞口６５ａに入賞しやすい開状態を一時的に形成し、その開状態と通常時の閉状態との状態を交互に繰り返すように作動する。
【００６４】
なお、上記した形態に特別遊技状態は限定されるものではない。特定入賞口６５ａとは別に開閉される大開放口を遊技領域に設け、第１図柄表示装置３７Ａ，３７Ｂにおいて大当たりに対応したＬＥＤが点灯した場合に、特定入賞口６５ａが所定時間開放され、その特定入賞口６５ａの開放中に、球が特定入賞口６５ａ内へ入賞することを契機として特定入賞口６５ａとは別に設けられた大開放口が所定時間、所定回数開放される遊技状態を特別遊技状態として形成するようにしても良い。また、特定入賞口６５ａは１つに限るものではなく、１つ若しくは２以上の複数（例えば３つ）配置しても良く、また配置位置も第１入賞口６４の上方右側に限らず、例えば、可変表示装置ユニット８０の左方でも良い。
【００６５】
遊技盤１３には、第１アウト口７１が設けられている。遊技領域を流下する球であって、いずれの入賞口６３，６４，６５ａ，６４０，８２，にも入賞しなかった球は、第１アウト口７１を通って図示しない球排出路へと案内される。第１アウト口７１は、第１入賞口６４の下方に配設される。
【００６６】
遊技盤１３には、球の落下方向を適宜分散、調整等するために多数の釘が植設されているとともに、風車等の各種部材（役物）とが配設されている。
【００６７】
図３に示すように、パチンコ機１の背面側には、制御基板ユニット９０，９１と、裏パックユニット９４とが主に備えられている。制御基板ユニット９０は、主基板（主制御装置１１０）と音声ランプ制御基板（音声ランプ制御装置１１３）と表示制御基板（表示制御装置１１４）とが搭載されてユニット化されている。制御基板ユニット９１は、払出制御基板（払出制御装置１１１）と発射制御基板（発射制御装置１１２）と電源基板（電源装置１１５）とカードユニット接続基板１１６とが搭載されてユニット化されている。
【００６８】
裏パックユニット９４は、保護カバー部を形成する裏パック９２と払出ユニット９３とがユニット化されている。また、各制御基板には、各制御を司る１チップマイコンとしてのＭＰＵ、各種機器との連絡をとるポート、各種抽選の際に用いられる乱数発生器、時間計数や同期を図る場合などに使用されるクロックパルス発生回路等が、必要に応じて搭載されている。
【００６９】
なお、主制御装置１１０、音声ランプ制御装置１１３および表示制御装置１１４、払出制御装置１１１および発射制御装置１１２、電源装置１１５、カードユニット接続基板１１６は、それぞれ基板ボックス１００〜１０４に収納されている。基板ボックス１００〜１０４は、ボックスベースと該ボックスベースの開口部を覆うボックスカバーとを備えており、そのボックスベースとボックスカバーとが互いに連結されて、各制御装置や各基板が収納される。
【００７０】
また、基板ボックス１００（主制御装置１１０）および基板ボックス１０２（払出制御装置１１１および発射制御装置１１２）は、ボックスベースとボックスカバーとを封印ユニット（図示せず）によって開封不能に連結（かしめ構造による連結）している。また、ボックスベースとボックスカバーとの連結部には、ボックスベースとボックスカバーとに亘って封印シール（図示せず）が貼着されている。この封印シールは、脆性な素材で構成されており、基板ボックス１００，１０２を開封するために封印シールを剥がそうとしたり、基板ボックス１００，１０２を無理に開封しようとすると、ボックスベース側とボックスカバー側とに切断される。よって、封印ユニット又は封印シールを確認することで、基板ボックス１００，１０２が開封されたかどうかを知ることができる。
【００７１】
払出ユニット９３は、裏パックユニット９４の最上部に位置して上方に開口したタンク１３０と、タンク１３０の下方に連結され下流側に向けて緩やかに傾斜するタンクレール１３１と、タンクレール１３１の下流側に縦向きに連結されるケースレール１３２と、ケースレール１３２の最下流部に設けられ、払出モータ２１６（図４参照）の所定の電気的構成により球の払出を行う払出装置１３３とを備えている。タンク１３０には、遊技ホールの島設備から供給される球が逐次補給され、払出装置１３３により必要個数の球の払い出しが適宜行われる。タンクレール１３１には、当該タンクレール１３１に振動を付加するためのバイブレータ１３４が取り付けられている。
【００７２】
また、払出制御装置１１１には状態復帰スイッチ１２０が設けられ、発射制御装置１１２には可変抵抗器の操作つまみ１２１が設けられ、電源装置１１５にはＲＡＭ消去スイッチ１２２が設けられている。状態復帰スイッチ１２０は、例えば、払出モータ２１６（図４参照）部の球詰まり等、払出エラーの発生時に球詰まりを解消（正常状態への復帰）するために操作される。操作つまみ１２１は、発射ソレノイドの発射力を調整するために操作される。ＲＡＭ消去スイッチ１２２は、パチンコ機１を初期状態に戻したい場合に電源投入時に操作される。
【００７３】
次に、図４を参照して、本パチンコ機１の電気的構成について説明する。図４は、パチンコ機１の電気的構成を示すブロック図である。
【００７４】
主制御装置１１０には、演算装置である１チップマイコンとしてのＭＰＵ２０１が搭載されている。ＭＰＵ２０１には、該ＭＰＵ２０１により実行される各種の制御プログラムや固定値データを記憶したＲＯＭ２０２と、そのＲＯＭ２０２内に記憶される制御プログラムの実行に際して各種のデータ等を一時的に記憶するためのメモリであるＲＡＭ２０３と、そのほか、割込回路やタイマ回路、データ送受信回路などの各種回路が内蔵されている。主制御装置１１０では、ＭＰＵ２０１によって、大当たり抽選や第１図柄表示装置３７Ａ，３７Ｂおよび第３図柄表示装置８１における表示の設定、第２図柄表示装置における表示結果の抽選といったパチンコ機１の主要な処理を実行する。
【００７５】
なお、払出制御装置１１１や音声ランプ制御装置１１３などのサブ制御装置に対して動作を指示するために、主制御装置１１０から該サブ制御装置へ各種のコマンドがデータ送受信回路によって送信されるが、かかるコマンドは、主制御装置１１０からサブ制御装置へ一方向にのみ送信される。
【００７６】
ＲＡＭ２０３は、各種エリア、カウンタ、フラグのほか、ＭＰＵ２０１の内部レジスタの内容やＭＰＵ２０１により実行される制御プログラムの戻り先番地などが記憶されるスタックエリアと、各種のフラグおよびカウンタ、Ｉ／Ｏ等の値が記憶される作業エリア（作業領域）とを有している。なお、ＲＡＭ２０３は、パチンコ機１の電源の遮断後においても電源装置１１５からバックアップ電圧が供給されてデータを保持（バックアップ）できる構成となっており、ＲＡＭ２０３に記憶されるデータは、すべてバックアップされる。
【００７７】
停電などの発生により電源が遮断されると、その電源遮断時（停電発生時を含む。以下同様）のスタックポインタや、各レジスタの値がＲＡＭ２０３に記憶される。一方、電源投入時（停電解消による電源投入を含む。以下同様）には、ＲＡＭ２０３に記憶される情報に基づいて、パチンコ機１の状態が電源遮断前の状態に復帰される。ＲＡＭ２０３への書き込みはメイン処理（図示せず）によって電源遮断時に実行され、ＲＡＭ２０３に書き込まれた各値の復帰は電源投入時の立ち上げ処理（図示せず）において実行される。なお、ＭＰＵ２０１のＮＭＩ端子（ノンマスカブル割込端子）には、停電等の発生による電源遮断時に、停電監視回路２５２からの停電信号ＳＧ１が入力されるように構成されており、その停電信号ＳＧ１がＭＰＵ２０１へ入力されると、停電時処理としてのＮＭＩ割込処理（図示せず）が即座に実行される。
【００７８】
主制御装置１１０のＭＰＵ２０１には、アドレスバスおよびデータバスで構成されるバスライン２０４を介して入出力ポート２０５が接続されている。入出力ポート２０５には、払出制御装置１１１、音声ランプ制御装置１１３、第１図柄表示装置３７Ａ，３７Ｂ、第２図柄表示装置、第２図柄保留ランプ、特定入賞口６５ａの開閉板の下辺を軸として前方側に開閉駆動するための大開放口ソレノイドや電動役物を駆動するためのソレノイドなどからなるソレノイド２０９が接続され、ＭＰＵ２０１は、入出力ポート２０５を介してこれらに対し各種コマンドや制御信号を送信する。
【００７９】
また、入出力ポート２０５には、図示しないスイッチ群およびスライド位置検出センサＳや回転位置検出センサＲを含むセンサ群などからなる各種スイッチ２０８、電源装置１１５に設けられた後述のＲＡＭ消去スイッチ回路２５３が接続され、ＭＰＵ２０１は各種スイッチ２０８から出力される信号や、ＲＡＭ消去スイッチ回路２５３より出力されるＲＡＭ消去信号ＳＧ２に基づいて各種処理を実行する。
【００８０】
払出制御装置１１１は、払出モータ２１６を駆動させて賞球や貸出球の払出制御を行うものである。演算装置であるＭＰＵ２１１は、そのＭＰＵ２１１により実行される制御プログラムや固定値データ等を記憶したＲＯＭ２１２と、ワークメモリ等として使用されるＲＡＭ２１３とを有している。
【００８１】
払出制御装置１１１のＲＡＭ２１３は、主制御装置１１０のＲＡＭ２０３と同様に、ＭＰＵ２１１の内部レジスタの内容やＭＰＵ２１１により実行される制御プログラムの戻り先番地などが記憶されるスタックエリアと、各種のフラグおよびカウンタ、Ｉ／Ｏ等の値が記憶される作業エリア（作業領域）とを有している。ＲＡＭ２１３は、パチンコ機１の電源の遮断後においても電源装置１１５からバックアップ電圧が供給されてデータを保持（バックアップ）できる構成となっており、ＲＡＭ２１３に記憶されるデータは、すべてバックアップされる。なお、主制御装置１１０のＭＰＵ２０１と同様、ＭＰＵ２１１のＮＭＩ端子にも、停電等の発生による電源遮断時に停電監視回路２５２から停電信号ＳＧ１が入力されるように構成されており、その停電信号ＳＧ１がＭＰＵ２１１へ入力されると、停電時処理としてのＮＭＩ割込処理（図示せず）が即座に実行される。
【００８２】
払出制御装置１１１のＭＰＵ２１１には、アドレスバスおよびデータバスで構成されるバスライン２１４を介して入出力ポート２１５が接続されている。入出力ポート２１５には、主制御装置１１０や払出モータ２１６、発射制御装置１１２などがそれぞれ接続されている。また、図示はしないが、払出制御装置１１１には、払い出された賞球を検出するための賞球検出スイッチが接続されている。なお、該賞球検出スイッチは、払出制御装置１１１に接続されるが、主制御装置１１０には接続されていない。
【００８３】
発射制御装置１１２は、主制御装置１１０により球の発射の指示がなされた場合に、操作ハンドル５１の回動操作量に応じた球の打ち出し強さとなるよう球発射ユニット１１２ａを制御するものである。球発射ユニット１１２ａは、図示しない発射ソレノイドおよび電磁石を備えており、その発射ソレノイドおよび電磁石は、所定条件が整っている場合に駆動が許可される。具体的には、遊技者が操作ハンドル５１に触れていることをタッチセンサ５１ａにより検出し、球の発射を停止させるための発射停止スイッチ５１ｂがオフ（操作されていないこと）を条件に、操作ハンドル５１の回動操作量（回動位置）に対応して発射ソレノイドが励磁され、操作ハンドル５１の操作量に応じた強さで球が発射される。
【００８４】
音声ランプ制御装置１１３は、音声出力装置（図示しないスピーカなど）２２６における音声の出力、ランプ表示装置（電飾部２９〜３３、表示ランプ３４など）２２７における点灯および消灯の出力、変動演出（変動表示）や予告演出といった表示制御装置１１４で行われる第３図柄表示装置８１の表示態様の設定などを制御するものである。演算装置であるＭＰＵ２２１は、そのＭＰＵ２２１により実行される制御プログラムや固定値データ等を記憶したＲＯＭ２２２と、ワークメモリ等として使用されるＲＡＭ２２３とを有している。
【００８５】
音声ランプ制御装置１１３のＭＰＵ２２１には、アドレスバスおよびデータバスで構成されるバスライン２２４を介して入出力ポート２２５が接続されている。入出力ポート２２５には、主制御装置１１０、表示制御装置１１４、音声出力装置２２６、ランプ表示装置２２７、その他装置２２８、枠ボタン２２などがそれぞれ接続されている。
【００８６】
音声ランプ制御装置１１３は、主制御装置１１０から受信した各種のコマンド（変動パターンコマンド、停止種別コマンド等）に基づいて、第３図柄表示装置８１の表示態様を決定し、決定した表示態様をコマンド（表示用変動パターンコマンド、表示用停止種別コマンド等）によって表示制御装置１１４へ通知する。また、音声ランプ制御装置１１３は、枠ボタン２２からの入力を監視し、遊技者によって枠ボタン２２が操作された場合は、第３図柄表示装置８１で表示されるステージを変更したり、スーパーリーチ時の演出内容を変更したりするように、表示制御装置１１４へ指示する。ステージが変更される場合は、変更後のステージに応じた背面画像を第３図柄表示装置８１に表示させるべく、変更後のステージに関する情報を含めた背面画像変更コマンドを表示制御装置１１４へ送信する。ここで、背面画像とは、第３図柄表示装置８１に表示させる主要な画像である第３図柄の背面側に表示される画像のことである。表示制御装置１１４は、この音声ランプ制御装置１１３から送信されるコマンドに従って、第３図柄表示装置８１に各種の画像を表示する。
【００８７】
また、音声ランプ制御装置１１３は、表示制御装置１１４から第３図柄表示装置８１の表示内容を表すコマンド（表示コマンド）を受信する。音声ランプ制御装置１１３では、表示制御装置１１４から受信した表示コマンドに基づき、第３図柄表示装置８１の表示内容に合わせて、その表示内容に対応する音声を音声出力装置２２６から出力し、また、その表示内容に対応させてランプ表示装置２２７の点灯および消灯を制御する。
【００８８】
表示制御装置１１４は、音声ランプ制御装置１１３および第３図柄表示装置８１が接続され、音声ランプ制御装置１１３より受信したコマンドに基づいて、第３図柄表示装置８１における第３図柄の変動演出などの表示を制御するものである。また、表示制御装置１１４は、第３図柄表示装置８１の表示内容を通知する表示コマンドを適宜音声ランプ制御装置１１３へ送信する。音声ランプ制御装置１１３は、この表示コマンドによって示される表示内容にあわせて音声出力装置２２６から音声を出力することで、第３図柄表示装置８１の表示と音声出力装置２２６からの音声出力とをあわせることができる。
【００８９】
電源装置１１５は、パチンコ機１の各部に電源を供給するための電源部２５１と、停電等による電源遮断を監視する停電監視回路２５２と、ＲＡＭ消去スイッチ１２２（図３参照）が設けられたＲＡＭ消去スイッチ回路２５３とを有している。電源部２５１は、図示しない電源経路を通じて、各制御装置１１０〜１１４等に対して各々に必要な動作電圧を供給する装置である。その概要としては、電源部２５１は、外部より供給される交流２４ボルトの電圧を取り込み、各種スイッチ２０８などの各種スイッチや、ソレノイド２０９などのソレノイド、モータ等を駆動するための１２ボルトの電圧、ロジック用の５ボルトの電圧、ＲＡＭバックアップ用のバックアップ電圧などを生成し、これら１２ボルトの電圧、５ボルトの電圧およびバックアップ電圧を各制御装置１１０〜１１４等に対して必要な電圧を供給する。
【００９０】
停電監視回路２５２は、停電等の発生による電源遮断時に、主制御装置１１０のＭＰＵ２０１および払出制御装置１１１のＭＰＵ２１１の各ＮＭＩ端子へ停電信号ＳＧ１を出力するための回路である。停電監視回路２５２は、電源部２５１から出力される最大電圧である直流安定２４ボルトの電圧を監視し、この電圧が２２ボルト未満になった場合に停電（電源断、電源遮断）の発生と判断して、停電信号ＳＧ１を主制御装置１１０および払出制御装置１１１へ出力する。停電信号ＳＧ１の出力によって、主制御装置１１０および払出制御装置１１１は、停電の発生を認識し、ＮＭＩ割込処理を実行する。なお、電源部２５１は、直流安定２４ボルトの電圧が２２ボルト未満になった後においても、ＮＭＩ割込処理の実行に充分な時間の間、制御系の駆動電圧である５ボルトの電圧の出力を正常値に維持するように構成されている。よって、主制御装置１１０および払出制御装置１１１は、ＮＭＩ割込処理（図示せず）を正常に実行し完了することができる。
【００９１】
ＲＡＭ消去スイッチ回路２５３は、ＲＡＭ消去スイッチ１２２（図３参照）が押下された場合に、主制御装置１１０へ、バックアップデータをクリアさせるためのＲＡＭ消去信号ＳＧ２を出力するための回路である。主制御装置１１０は、パチンコ機１の電源投入時に、ＲＡＭ消去信号ＳＧ２を入力した場合に、バックアップデータをクリアすると共に、払出制御装置１１１においてバックアップデータをクリアさせるための払出初期化コマンドを払出制御装置１１１に対して送信する。
【００９２】
図５は、パチンコ機１の正面斜視図であり、外枠２に対して内枠４及び前扉５とが開放された状態（前方へ回転された状態）が図示される。なお、図５では、パチンコ機１の遊技領域ＰＥ内の構成が省略して図示される。
【００９３】
図５に示すように、パチンコ機１は、パチンコ機１の外殻を形成する外枠２（枠部材）と、この外枠２に対して前方に回動可能に取り付けられた遊技機主部３とを有する。外枠２は木製の板材を四辺に連結し構成されるものであって矩形枠状をなしている。パチンコ機１は、外枠２を島設備に取り付け固定することにより、遊技施設に設置される。
【００９４】
遊技機主部３は、ベース体としての内枠４（背面ユニット）と、その内枠４の前方に配置される前扉５と、内枠４の後方に配置される裏パックユニット６とを備えている。遊技機主部３のうち内枠４が外枠２に対して回動可能に支持されている。詳細には、パチンコ機１の正面視で左側を回動基端側、右側を回動先端側として、内枠４が回動基端側の上下方向を回動軸として外枠２に対して前方へ回動可能とされている。
【００９５】
内枠４には、前扉５が回動可能に支持されている。詳細には、正面視で左側を回動基端側とし右側を回動先端側として、前扉５が回動基端側の上下方向を回動軸として内枠４に対して前方へ回動可能とされている。また、内枠４には、裏パックユニット６が回動可能に支持されており、正面視で左側を回動基端側とし右側を回動先端側として後方へ回動可能とされている。
【００９６】
前扉５は、内枠４における前面側のほぼ全域を覆うようにして設けられている。前扉５には後述する遊技領域ＰＥのほぼ全域を前方から視認することができるようにした窓部５ｃが形成されている。窓部５ｃは、正面視円形をなし、透明性を有するガラス８が嵌め込まれている。
【００９７】
より詳しくは、前扉５は、窓部５ｃを囲むようにして設けられたガラスホルダ９を有している。ガラスホルダ９は、前扉５の背面から後方に張り出しており、窓部５ｃの左右の縁部に沿って上下に延びる縦ホルダ部９ａ，９ｂとそれら両縦ホルダ部９ａ，９ｂの下端部を繋いで左右に延びる横ホルダ部９ｃとを有してなる。各ホルダ部９ａ〜９ｃには、前後に並設された２条の溝部が形成されている。縦ホルダ部９ａ，９ｂの溝部は上方及び互いに向き合う側（すなわち窓部５ｃの中央側）に開放されており、横ホルダ部９ｃの溝部は、上方に開放されているとともに、両縦ホルダ部９ａ，９ｂの溝部に対して連なっており、それら各溝部に対してガラス８が嵌まることで、遊技領域ＰＥが内外２重に覆われた状態となっている。
【００９８】
前扉５の背面には、通路形成ユニット１６０が取り付けられている。通路形成ユニット１６０は、合成樹脂により成形されており、上皿１７に通じる前扉側上皿通路１６１と、下皿５０に通じる前扉側下皿通路１６２とが形成されてなる。通路形成ユニット１６０において、その上側隅部には後方に突出し上方に開放された受口部１６３が形成されており、当該受口部１６３を仕切壁１６４によって左右に仕切ることで前扉側上皿通路１６１と前扉側下皿通路１６２の入口部分とが形成されている。前扉側上皿通路１６１及び前扉側下皿通路１６２は上流側が遊技球分配部（図示せず）に通じており、前扉側上皿通路１６１に入った遊技球は上皿１７に導かれ、前扉側下皿通路１６２に入った遊技球は下皿５０に導かれる。
【００９９】
前扉５の背面における回動先端側（図５左側）には、後方に延びる鉤部材１６６（１６６ａ〜１６６ｃ）が上下方向に複数並設されている。これら鉤部材１６６が内枠４に配設された鉤受け部材（図示せず）に係合されることで、内枠４に対する前扉５の施錠機構を構成する。また、内枠４の回動先端側（図５右側）と相対する外枠２の右側部には、鉤受け部材２ａ，２ｂが外枠２の上部および下部にそれぞれ配設されている。これら鉤受け部材２ａ，２ｂは外枠２に対する内枠４の施錠機構を構成する。
【０１００】
内枠４は、外形が外枠２とほぼ同一形状をなす樹脂ベース１４０を主体に構成されている。樹脂ベース１４０前面の略中央部分には、遊技盤１３を収容する遊技盤収容部１４１が形成されている。遊技盤収容部１４１は、樹脂ベース１４０の背面側（後方）に凹み、遊技盤１３を収容する収容空間を区画しており、前扉５に取り付けられた遊技盤１３がその空間に収容された状態となる。遊技盤１３は、木製の合板とその合板における前側の板面を覆うシート材とを有してなり、その前面が樹脂ベース１４０の正面側に露出している。この露出している部位、すなわち遊技盤１３の前面には、遊技球が流下する遊技領域ＰＥが形成されている。
【０１０１】
遊技盤１３には、ルータ加工が施されることによって自身の厚さ方向（前後方向）に貫通する大小複数の開口が形成されている。各開口には、一般入賞口、可変入賞装置、作動口、スルーゲート及び可変表示ユニット等がそれぞれ設けられている。一般入賞口、可変入賞装置及び作動口に遊技球が入ると、それら遊技球が検知スイッチにより検知され、その検知結果に基づいて所定数の賞球の払い出しが実行される。その他に、遊技盤１３の最下部には第１アウト口７１が設けられており、各種入賞口等に入らなかった遊技球は第１アウト口７１を通って遊技領域ＰＥから排出される。
【０１０２】
また、遊技盤１３には、遊技球の流下経路を適宜分散，調整等するために多数の釘が植設されているとともに、風車等の各種部材（役物）が配設されている。これら釘や風車等の各種構成（図示せず）によって、遊技球の流下経路が分化され、上述した一般入賞口等への入賞が適度な確立で発生するように調整されている。
【０１０３】
ここで、樹脂ベース１４０における遊技盤収容部１４１の下方には、操作ハンドル５１の操作に基づいて遊技領域ＰＥへ遊技球を発射する遊技球発射機構１４２が設けられている。より詳しくは、樹脂ベース１４０において遊技盤収容部１４１の下方には遊技球発射機構１４２を設置する遊技球発射機構１４３が形成されている。
【０１０４】
遊技球発射機構１４３に設置された遊技球発射機構１４２は、内枠４の回動先端寄りに位置している。遊技球発射機構１４２は、所定の発射待機位置に配置された遊技球を打ち出すソレノイドと、同ソレノイドによって打ち出された遊技球の発射方向を規定する発射レールと、上記発射待機位置に遊技球を供給する球送り機構と、それら各種構成が装着されているベースプレートとを主要な構成として備えており、同ベースプレートが樹脂ベース１４０に対してネジ止めされることで内枠４に対して一体化されている。
【０１０５】
遊技球発射機構１４２（詳しくはソレノイド）は、電源及び発射制御装置（図示せず）に対して電気的に接続されている。その電源及び発射制御装置からの電気的な信号の出力に基づいてソレノイドの出力軸が伸縮方向、すなわち発射レールのレール方向に移動し、発射待機位置に置かれた遊技球が遊技領域ＰＥ、詳しくは遊技盤１３に装着された誘導レール７５に向けて打ち出される。
【０１０６】
誘導レール７５は、遊技球を誘導すると共に遊技領域ＰＥを区画するための部材である。誘導レール７５は、遊技球の直径よりも若干大きな隙間を隔てて対峙するように配置された２つのレール（外レール７７及び内レール７６）で挟まれた領域によって遊技球の案内通路７５ａが形成されている。案内通路７５ａは、発射レールの先端側（遊技盤１３の下端側）に開放された入口部分７５ｂと、遊技領域ＰＥの上部に位置する出口部分７５ｃとを有している。ソレノイドの動作に基づいて遊技球発射機構１４２から発射された遊技球は、発射レール（内枠４）→案内通路７５ａ（入口部分７５ｂ→出口部分７５ｃ）の順に移動することにより、誘導レール７５で区画された遊技盤１３の遊技領域ＰＥに導かれる。
【０１０７】
内枠４に配設された発射レール（遊技球発射機構１４２）と誘導レール７５は、誘導レール７５の入口部分７５ｂと発射レールの先端部分とが遊技盤１３の下端縁を挟んで斜めに対峙するように配置されている。つまり、それら両レールは、誘導レール７５の入口部分７５ｂ（詳しくは特定部位）と発射レールの先端部分とが遊技盤１３の下端縁近傍にて左右にずれるようにして配置されている。これにより両レールを遊技盤１３の下端縁に近づけつつ、誘導レール７５の入口部分７５ｂと発射レールとの間には所定間隔の隙間が形成されている。
【０１０８】
このようにして形成された隙間よりも下側にはファール球通路１６５（図２参照）が配設されている。ファール球通路１６５は前扉５の通路形成ユニット１６０に一体成形されている。仮に、遊技球発射機構１４２から発射された遊技球が遊技領域ＰＥまで至らずファール球として案内通路７５ａ内を逆戻りする場合には、ファール球が上記隙間を介してファール球通路１６５内に入ることとなる。ファール球通路１６５は前扉側下皿通路１６２に通じており、ファール球通路１６５に入った遊技球は、下皿５０（図１参照）に排出される。これにより、ファール球と次に発射される遊技球との干渉が抑制される。
【０１０９】
樹脂ベース１４０において発射レールの左方には、樹脂ベース１４０を前後方向に貫通させて通路形成部１４４が設けられている。通路形成部１４４には本体側上皿通路と本体側下皿通路とを有してなり、それら本体側上皿通路及び本体側下皿通路の上流側は、遊技球分配部に通じている。また、通路形成部１４４の下方には前扉５に取り付けられた通路形成ユニット１６０の受口部１６３が入り込んでおり、本体側上皿通路の下方には前扉側上皿通路１６１が配置され、本体側下皿通路の下方には前扉側下皿通路１６２が配置されている。
【０１１０】
内枠４及び遊技盤１３の背面には、各種制御基板が上下左右に並べられるようにして又は前後に重ねられるようにして配置されており、更に、遊技球を供給するための遊技球供給装置や合成樹脂製の保護カバー３５等が取着されている。即ち、保護カバー１５０の最上部には上方に開口したタンク１３０が設けられており、このタンク１３０には遊技施設の島設備から供給される遊技球が逐次補給される。そして、払出モータ（図示せず）等の所定の電気的構成により必要個数の遊技球の払出が適宜行われる。払出装置より払い出された遊技球は払出通路等を通じて上皿１７（図１参照）に供給される。
【０１１１】
内枠４の前面における回動基端側（図２左側）には、その上端部および下端部にヒンジ１８が取り付けられている。ヒンジ１８にはピン１８ｄが突設されている。一方、外枠２の前面における回動基端側（図２左側）には、ヒンジ１８と相対する位置に受金具２５が取り付けられている。受金具２５には軸孔２５ｃが形成されており、それら軸孔２５ｃにヒンジ１８のピン１８ｄが挿入され、そのピン１８ｄの先端は、前扉５の上端部および下端部に形成された軸孔（図示せず）に挿入される。これによりピン１８ｄを回動軸として、外枠２に対して内枠４及び前扉５がそれぞれ開閉可能に支持されている。
【０１１２】
次いで、図６から図１７を参照して、前扉５の所定位置（収容部５１１）への介設板５４０の戻し忘れ（取り付け忘れ）を抑制するための機構（以下「抑制機構」と称す）について説明する。
【０１１３】
まず、抑制機構の全体構成について、図６から図９を参照して説明する。図６は、前扉５の上側部分の正面斜視図であり、図７は、前扉５の上側部分の背面斜視図である。また、図８は、前扉５の上側部分の分解正面斜視図であり、図９は、前扉５の上側部分の分解背面斜視図である。
【０１１４】
図６から図９に示すように、前扉５の上側部分は、正面側に配設される本体部材５１０と、その本体部材５１０に収容されるパネル部材５２０と、本体部材５１０の上面に配設される天板５３０及び介設板５４０と、本体部材５１０の背面側に固着される背面部材５５０と、その背面部材５５０に配設されるロック部材５６０及びレバー部材５７０とを主に備える。
【０１１５】
本体部材５１０は、パチンコ機１の正面上部における電飾部を構成するための光透過性材料からなる部材であり、内部に設けられたＬＥＤ等の発光手段が、大当たり時や所定のリーチ時等における遊技状態の変化に応じて、点灯又は点滅することにより、遊技中の演出効果を高める役割を果たす。また、本体部材５１０の正面側は、少なくとも後述するパネル部材５２０に対応する領域が透明材料から形成され、その透明材料の部分を介して、パネル部材５２０に表示される機種情報等が視認可能とされる。
【０１１６】
本体部材５１０の上面には、天板５３０及び介設板５４０を配設するための収容部５１１が凹設される。本体部材５１０の上面からの収容部５１１の凹設深さは、収容部５１１に天板５３０及び介設板５４０が配設された状態で、本体部材５１０の上面と天板５３０及び介設板５４０の上面とが面一に連なる深さに設定される。
【０１１７】
この場合、収容部５１１の内周縁（内壁面）のうちの互いに対向する左右の内壁面には、スライド溝５１１ａが形成される。スライド溝５１１ａは、パチンコ機１の前後方向に延びる断面コ字状の凹溝であり、天板５３０の左右の縁部から突設される板状の突片部５３１が係合される。これにより、天板５３０を本体部材５１０に対して前後方向にスライド変位させることができると共に、本体部材５１０に背面部材５５０が配設された状態では、本体部材５１０からの天板５３０の取り外しを不能とできる。
【０１１８】
なお、スライド溝５１１ａは、収容部５１１の内周縁（内壁面）のうちの正面側の内壁面にも形成される。即ち、収容部５１１の内周縁のうちの左右のスライド溝５１１ａの正面側の端部どうしを繋いで左右に延びる位置にもスライド溝５１１ａが形成され、この位置のスライド溝５１１ａには、天板５３０の正面側の縁部から突設される板状の突片部５３１が係合される。よって、正面のスライド溝５１１ａ及び左右のスライド溝５１１ａと天板５３０の突片部５３１との係合により、本体部材５１０と天板５３０との間の隙間から異物が挿入され不正が行われることを抑制できる。
【０１１９】
収容部５１１には、その底面から下方へ向けて凹設される凹部５１１ｃが形成される。凹部５１１ｃは、パチンコ機１の機種情報等が表示された板状のパネル部材５２０を収容するための空間であり、かかるパネル部材５２０を遊技者が視認できるように、本体部材５１０の正面側に形成される。よって、パネル部材５２０の交換やその位置調整を行う際には、後述するように、天板５３０を後方へスライド変位させる必要が生じるように形成される。
【０１２０】
また、収容部５１１には、その底面から下方へ向けて凹設される逃げ部５１１ｄが形成されると共に、その逃げ部５１１ｄの正面側に保持部５１１ｅが形成される。逃げ部５１１ｄは、介設板５４０の挿通筒部５４１を受け入れるための凹部である（図１２参照）。また、保持部５１１ｅは、背面部材５５０の挿通孔５５１に対面する側が開放された凹部として形成され、その凹部の内壁面および底面により、ロック部材５６０（基部材５６２）の基端を保持する（図１１参照）。
【０１２１】
天板５３０には、上述したように、その縁部から板状の突片部５３１が突設され、左右の突片部５３１が本体部材５１０のスライド溝５１１ａに係合されることで、パチンコ機１の前後方向に沿って天板５３０がスライド変位可能とされる。この場合、本体部材５１０の背面に配設される背面部材５５０は、天板５３０の縁部に干渉（当接）可能な高さを有して形成される。これにより、天板５３０を後方へスライド変位させた場合には、天板５３０を背面部材５５０に干渉させて、天板５３０の取り外しを不能とできる。
【０１２２】
介設板５４０は、天板５３０と背面部材５５０との間に介設される板状の部材であり、本体部材５１０の収容部５１１に着脱可能に配設される。介設板５４０が取り外されると、天板５３０と背面部材５５０との間に空間が形成され、その空間の分、天板５３０を後方（背面部材５５０側）へ向けてスライド変位させることができる（図１３、図１４及び図１６参照）。
【０１２３】
介設板５４０は、横長の板状に形成され、その長手方向一端側の底面に挿通筒部５４１が形成される。挿通筒部５４１は、ロック部材５６０が挿抜される部位であり、両端が開口された筒状に形成される。後述するように、挿通筒部５４１にロック部材５６０が挿通されることで、介設板５４０を本体部材５１０から取り外し不能な状態が形成できる一方、挿通筒部５４１からロック部材５６０が抜き取られることで、介設板５４０を本体部材５１０から取り外し可能な状態が形成できる。
【０１２４】
介設板５４０には、その長手方向他端側（挿通筒部５４１と反対側）の縁部から板状の突片部５４２が突設され、その突片部５４２は、本体部材５１０の収容部５１１におけるスライド溝５１１ａに係合される。なお、本実施形態では、突片部５４２の板厚寸法が、天板５３０の突片部５３１の板厚寸法よりも小さい（薄い）寸法に設定される。よって、本体部材５１０と介設板５４０との間の隙間から異物が挿入され不正が行われることを抑制できるだけでなく、後述するように、レバー部材５７０に跳ね上げられて、介設板５４０がその長手方向一端側を持ち上げた姿勢を形成する場合には（図１２及び図１５（ｂ）参照）、突片部５４２を支点として利用できる。これにより、レバー部材５７０に跳ね上げられる際の介設板５４０の姿勢を安定化させる（本体部材５１０から飛び出して脱落することを防止する）ことができる。
【０１２５】
背面部材５５０には、介設板５４０の挿通筒部５４１に対応する位置に挿通孔５５１が穿設されると共に、その挿通孔５５１の側方に支持軸５５２が正面から突設される。挿通孔５５１は、正面視矩形の開口として形成され、ロック部材５６０が挿通される。支持軸５５２には、レバー部材５７０が回転可能に軸支される。
【０１２６】
挿通孔５５１の開口寸法（幅寸法および高さ寸法）は、ロック部材５６０の張出部５６２ａにおける外形寸法（幅寸法および高さ寸法）よりも小さな寸法に設定される。これにより、ロック部材５６０が背面部材５５０の挿通孔５５１から背面側へ抜き取られることを回避できる。
【０１２７】
また、背面部材５５０には、左右方向に延設される板状の突片部５５３が正面から突設される。突片部５３１は、本体部材５１０に装着された介設板５４０の底面に対面され、これにより、介設板５４０と背面部材５５０との間の隙間から異物が挿入され不正が行われることを抑制できる。
【０１２８】
突片部５５３には、背面部材５５０の正面からの突設寸法が他の部分よりも大きくされる押さえ板部５５３ａが挿通孔５５１に対応する位置に形成される。押さえ板部５５３ａは、ロック部材５６０が後述する第１位置まで押込み操作された状態において、そのロック部材５６０の上面に当接されると共に軸部５６２ｂの軸心を越える位置まで突設される。これにより、後述するように、ロック部材５６０が第１位置において屈曲されることを抑制できる（図１１（ｂ）参照）。
【０１２９】
ロック部材５６０は、介設板５４０の挿通筒部５４１及び背面部材５５０の挿通孔５５１に挿通可能に形成される棒状の部材であり、屈曲可能に形成される。ここで、図１０を参照して、ロック部材５６０の詳細構成について説明する。
【０１３０】
図１０は、ロック部材５６０の分解正面斜視図である。図１０に示すように、ロック部材５６０は、先端部材５６１と、その先端部材５６１の基端側に連結される基部材５６２とを主に備え、基部材５６２の基端側には、複数（本実施形態では３個）の張出部５６２ａが外面から張り出し形成される。
【０１３１】
先端部材５６１は、その基端側の幅寸法が小さくされ、その幅寸法が小さくされた部分に軸支孔５６１ａが穿設される。一方、基部材５６２は、幅方向に二分割され、一方の分割体の先端側に軸部５６２ｂが突設される。軸部５６２ｂを軸支孔５６１ａに挿通した状態で、両分割体がボルトＢＴにより締結固定されて一体化されることで、先端部材５６１の基端側に基部材５６２が回転可能に連結される。即ち、ロック部材５６０が屈曲可能に形成される。
【０１３２】
張出部５６２ａは、背面部材５５０の挿通孔５５１を通過不能とするための突起であり、基部材５６２の基端側における左右の側面および底面からそれぞれ張り出し形成される。即ち、ロック部材５６０（先端部材５６１）が背面部材５５０の背面側から作業者により引き出し操作された場合には、張出部５６２ａが背面部材５５０の正面に係合されることで（図１２から図１４参照）、ロック部材５６０の抜き取りを規制できる。
【０１３３】
なお、張出部５６２ａが背面部材５５０の正面に係合された状態では、介設板５４０の挿通筒部５４１からロック部材５６０（基部材５６２）が全て引き抜かれた状態とされ、介設板５４０が取り外し可能とされると共に、軸部５６２ｂが背面部材５５０の背面よりも外側に位置され、基部材５６２に対して先端部材５６１を屈曲させることが可能とされる。
【０１３４】
この場合、ロック部材５６０は、軸部５６２ｂ及び軸支孔５６１ａの軸心方向を、水平方向（鉛直方向に直交する方向）であって前扉５の左右方向に沿わせた姿勢で配設される。よって、ロック部材５６０（先端部材５６１）が背面部材５５０の背面側から作業者により引き出し操作された場合には、先端部材５６１を、その自重により下方へ傾倒させることができる。即ち、作業者がロック部材５６０を屈曲させる操作を行わなかった場合でも、ロック部材５６０を重力の作用により屈曲した姿勢とすることができる。これにより、後述するように、レバー部材５７０の破損を抑制できる（図１７参照）。
【０１３５】
図６から図９に戻って説明する。レバー部材５７０は、基端側に軸支孔５７１が穿設され、この軸支孔５７１が背面部材５５０の支持軸５５２に回転可能に軸支されると共に、先端側を背面部材５５０の挿通孔５５１側へ向けた姿勢で、背面部材５５０の正面側に配設される。
【０１３６】
レバー部材５７０と背面部材５５０との間には、金属製のねじりばねＳＰ１が弾性的にねじり変形された状態で介設され、レバー部材５７０は、ねじりばねＳＰ１の弾性回復力によって、先端側を上方へ持ち上げる回転方向へ常に付勢される。
【０１３７】
この場合、介設板５４０が本体部材５１０の収容部５１１に収容された状態（挿通筒部５４１にロック部材５６０が挿通された状態）では、レバー部材５７０は、介設板５４０の底面から突出される被当接部５４３（図１２（ｂ）参照）によって下方へ押し下げられた姿勢とされており（図１１参照）、ロック部材５６０が介設板５４０の挿通筒部５４１から引き抜かれると、レバー部材５７０の先端側がねじりばねＳＰ１の弾性回復力により上方へ跳ね上げられる。これにより、介設板５４０を上方へ押し上げることができる（図１２参照）。
【０１３８】
レバー部材５７０の先端側が上方へ跳ね上げられた状態では、かかるレバー部材５７０の先端側が、背面部材５５０の挿通孔５５１に対面する位置に配置される（図１２から図１４参照）。これにより、ロック部材５６０の押し込み方向（背面部材５５０の背面側から正面側へ向かう方向）への移動をレバー部材５７０によって規制できる。
【０１３９】
次いで、パネル部材５２０を交換する作業を一例として、抑制機構の操作方法について、図１１から図１６を参照して説明する。図１１から図１４は、抑制機構の状態遷移を説明するための図であり、図１１（ａ）から図１４（ａ）は、図８の矢印ＸＩ方向視における背面部材５５０の正面図であり、図１１（ｂ）から図１４（ｂ）は、図１１（ａ）から図１４（ａ）のＸＩｂ−ＸＩｂ線からＸＩＶｂ−ＸＩＶｂ線における背面部材５５０の断面図である。なお、図１１（ｂ）から図１４（ｂ）では、ロック部材５６０が断面視されずに図示されると共に、前扉５の上側部分における全体構造が図示される。
【０１４０】
また、図１５及び図１６は、前扉５の上側部分の背面斜視図である。なお、図１５（ａ）に示す状態は図１１に示す状態に、図１５（ｂ）に示す状態は図１２に示す状態に、図１６（ａ）に示す状態は図１３に示す状態に、図１６（ｂ）に示す状態は図１４に示す状態に、それぞれ対応する。
【０１４１】
パネル部材５２０の交換に際しては、外枠２に対して遊技機主部３を開放し、かかる遊技機主部３の内枠４に対して前扉５を開放する（図５参照）。この前扉５が開放された状態において、ロック部材５６０のスライド操作（押し込み操作または引き出し操作）を行う。
【０１４２】
図１１及び図１５（ａ）に示すように、ロック部材５６０が第１位置に押し込み操作された状態では、介設板５４０の挿通筒部５４１にロック部材５６０が挿通され、挿通筒部５４１の一端側から突出するロック部材５６０（基部材５６２）の基端が本体部材５１０の保持部５１１ｅ内に保持されると共に、挿通筒部５４１の他端側から突出するロック部材５６０（先端部材５６１）の先端が背面部材５５０の挿通孔５５１に保持される。よって、介設板５４０が本体部材５１０の収容部５１１から取り外し不能とされる。
【０１４３】
この場合、保持部５１１ｅの内壁面にロック部材５６０の基部材５６２における上面および張出部５６２ａが当接されることで、ロック部材５６０の上下方向（図１１上下方向）及び左右方向（図１１紙面垂直方向）への移動が規制されると共に、保持部５１１ｅの底面にロック部材５６０の基部材５６２における基端が当接されることで、ロック部材５６０の押し込み方向への移動が規制される。また、押さえ板部５５３ａがロック部材５６０の上面に対面されると共にロック部材５６０の軸部５６２ｂの軸心を越える位置まで突設される。これにより、介設板５４０を上方（図１１（ｂ）上側）へ無理に持ち上げられた場合でも、ロック部材５６０が軸部５６２ｂを中心として屈曲されることを抑制できる。即ち、介設板５４０が不正に取り外されることを抑制できる。
【０１４４】
なお、ロック部材５６０は、内枠４に対して前扉５が閉じられた状態において、先端（先端部材５６１）が内枠４の正面に当接する位置まで引き出し方向（図１１（ｂ）右側）へスライド変位された場合に、基端（基部材５６２）が保持部５１１ｅ内に保持されるように、その長さ寸法（先端部材５６１及び基部材５６２が一直線上となる姿勢における長さ寸法、図１１（ｂ）左右方向寸法）が設定される。これにより、ロック部材５６０がスライド操作の方向へ位置ずれした場合でも、介設板５４０の取り外しを確実に規制できる。
【０１４５】
図１１及び図１５に示す状態から、ロック部材５６０が背面部材５５０の背面側へ引き出し操作され、張出部５６２ａが背面部材５５０の正面に係合される第２位置に達すると、ロック部材５６０のそれ以上の引き出し操作が不能とされる。
【０１４６】
この引き出し操作により、ロック部材５６０（基部材５６２）が介設板５４０の挿通筒部５４１から抜き取られると共に、ロック部材５６０（基部材５６２）の基端の端面がレバー部材５７０を越える位置まで後退される。即ち、レバー部材５７０の上方に空間が形成される。
【０１４７】
これにより、レバー部材５７０がねじりばねＳＰ１の弾性回復力により回転され、その先端側が上方へ跳ね上げられる。この場合、レバー部材５７０の先端側の上面には介設板５４０の被当接部５４３が当接されているので、かかる被当接部５４３がレバー部材５７０によって上方へ押し上げられることで、図１２及び図１５（ｂ）に示すように、介設板５４０の長手方向一端側が上方に持ち上げられる。
【０１４８】
ここで、ロック部材５６０が第１位置に押し込み操作された状態では、本体部材５１０の上面に対して介設板５４０の上面が略面一の状態で配設されるので、かかる介設板５４０を無理に取り外す不正な行為を抑制できる一方、パネル部材５２０を交換する場合などのために作業者が介設板５４０を取り外す際に作業性の悪化を招く。また、介設板５４０の上面に作業者が把持可能な取っ手を設けた場合には、作業者による作業性は向上するが、その取っ手に治具などを係合させることが可能となるため、てこの原理を利用して介設板５４０を上方へ持ち上げて不正行為のための隙間を形成しやすくなる。更に、取っ手の高さの分、本体部材５１０の上方に他の装置（例えば、遊技データの表示装置）を配設するスペースが減少される。
【０１４９】
これに対し、本実施形態では、ロック部材５６０が第１位置に押し込み操作された状態では、本体部材５１０の上面に対して介設板５４０の上面を略面一の状態として、不正行為を抑制できる一方、ロック部材５６０が第２位置に引き出し操作されることで、レバー部材５７０の跳ね上げ動作を利用して、介設板５４０の長手方向一端側を上方へ持ち上げることができる。即ち、上方へ持ち上げられた部分を把持できるので、介設板５４０を本体部材５１０から取り外す作業の作業性の向上を図ることができる。
【０１５０】
また、後述するように、本実施形態では、パネル部材５２０の交換が可能な状態を形成するためには、複数の操作工程（ロック部材５６０の引き出し操作、介設板５４０の取り外し、天板５３０のスライド変位）が必要となるところ、ロック部材５６０の引き出し操作が行われると、介設板５４０の長手方向一端が持ち上げられることで、次の操作工程が、介設板５４０の取り外しであることを、作業者に認識させることができる。
【０１５１】
図１３及び図１６（ａ）に示すように、本体部材５１０から介設板５４０が取り外されることで、天板５３０の後方（背面側、天板５３０と背面部材５５０との間）に空間が形成されるので、かかる空間を利用して、天板５３０を後方へスライド変位（後退）させることができる。その結果、図１４及び図１６（ｂ）に示すように、天板５３０の前方（正面側）が開放され、パネル部材５２０の交換が可能とされる。
【０１５２】
図１４及び図１６（ｂ）に示す状態において、パネル部材５２０を交換した後は、後方（背面側）へスライド変位（後退）されている天板５３０を前方（正面側）へスライド変位（前進）させる。これにより、図１３及び図１６（ａ）に示すように、天板５３０の後方（背面側、天板５３０と背面部材５５０との間）に空間が形成されるので、その空間に介設板５４０を取り付ける。
【０１５３】
即ち、介設板５４０の長手方向他端側に形成される突片部５４２を本体部材５１０のスライド溝５１１ａに係合（挿通）させる。これにより、介設板５４０の被当接部５４３がレバー部材５７０の上面に当接（載置）されることで、図１２及び図１５（ｂ）に示すように、介設板５４０は、その長手方向一端側が上方に持ち上げられた姿勢で、本体部材５１０の収容部５１１に配設される。
【０１５４】
この状態（図１２及び図１５（ｂ）に示す状態）から、介設板５４０の長手方向一端側が下方へ押し込まれると、ねじりばねＳＰ１の弾性回復力に抗しつつ、レバー部材５７０が被当接部５４３によって下方へ押し下げられる。介設板５４０がその上面を本体部材５１０及び天板５３０の上面と略面一となる位置まで押し下げられると、レバー部材５７０の先端側が背面部材５５０の挿通孔５５１よりも下方へ配置されると共に、介設板５４０の挿通筒部５４１が本体部材５１０の保持部５１１ｅ及び背面部材５５０の挿通孔５５１と一直線上となる位置（即ち、挿通筒部５４１の両端開口が保持部５１１ｅ及び挿通孔５５１に対面される位置）に配置される。
【０１５５】
よって、第２位置にあるロック部材５６０を第１位置へ向けて押込み操作することで、かかるロック部材５６０の基端側（基部材５６２）が、介設板５４０の挿通筒部５４１及び本体部材５１０の保持部５１１ｅに順に挿通され、図１１及び図１５（ａ）に示す状態が形成される。即ち、介設板５４０（及び天板５３０）が本体部材５１０から取り外し不能とされた状態が形成される。
【０１５６】
なお、ロック部材５６０は、第１位置へ押し込み操作された状態では、その先端端面（図１１（ｂ）右側の面）が背面部材５５０の背面よりも正面側（図１１（ｂ）左側）に位置される。よって、内枠４に対して前扉５が閉じられた状態では、ロック部材５６０は、本体部材５１０及び背面部材５５０の内部に収容されると共に、背面部材５５０の背面の開放が内枠４によって閉封されるので、かかるロック部材５６０を外部からの操作することを不能とできる。
【０１５７】
次いで、介設板５４０の所定位置（収容部５１１）への戻し忘れ（取り付け忘れ）を抑制機構によって抑制する動作について説明する。この場合、図１１から図１６に加え、図１７を参照する。図１７は、遊技機主部３の上面模式図であり、内枠４が模式的に図示される。
【０１５８】
ここで、本実施形態によれば、介設板５４０を取り外し、天板５３０を後方へスライド変位させることで、パネル部材５２０の交換が可能とされる。この場合、介設板５４０を所定位置に戻し忘れると、本体部材５１０の上面（収容部５１１）が部分的に開放され、その開放された部分を利用して不正が行われるおそれがある。
【０１５９】
これに対し、本実施形態では、介設板５４０が取り外された状態では、ロック部材５６０が引き出し操作により第２位置に配置されており、かかるロック部材５６０が第２位置に配置された状態では、背面部材５５０の背面からロック部材５６０（先端部材５６１）が突出される。そのため、図１７（ａ）及び図１７（ｂ）に示すように、内枠４の正面と前扉５の背面との間にロック部材５６０が介在されることで、内枠４に対して前扉５を閉じることができない。これにより、作業者に対して介設板５４０の戻し忘れを認識させることができる。
【０１６０】
また、この状態（介設板５４０を戻し忘れている状態）では、レバー部材５７０の先端側が、ねじりばねＳＰ１の弾性回復力により、背面部材５５０の挿通孔５５１に対面される位置まで上方へ跳ね上げられ、ロック部材５６０の第１位置への押し込み操作が規制されている。かかるロック部材５６０を第１位置へ押し込み操作する（即ち、前扉５を内枠４に対して閉じることが可能な状態を形成する）ためには、介設板５４０を所定位置（収容部５１１における天板５３０の後方）において下方へ押し込み、レバー部材５７０の先端側を挿通孔５５１よりも下方へ押し下げる必要がある。即ち、介設板５４０を所定位置へ戻さない限り、ロック部材５６０を第１位置へ押し込み操作すること（前扉５を内枠４に対して閉じること）ができないので、介設板５４０の戻し忘れを抑制することができる。
【０１６１】
ここで、本実施形態では、上述したように、介設板５４０の長手方向一端側を持ち上げた状態が形成可能とされ（図１２参照）、これにより、介設板５４０を取り外す際の作業の向上が図られている。一方で、このように、長手方向一端が持ち上げられただけの状態では、介設板５４０が所定位置に適正に戻されていると作業者が誤認識するおそれがある。
【０１６２】
例えば、介設板５４０を取り外すために、図１１に示す状態からロック部材５６０を第２位置へ引き出し操作した、或いは、介設板５４０を取り付けるために、図１３に示す状態から介設板５４０の突片部５４２を本体部材５１０のスライド溝５１１ａに係合（挿通）させ、図１２に示す状態を形成した段階で、その作業者が何らかの理由で現場を離れた場合、別の作業者は、介設板５４０が所定位置に適正に戻されていると誤認識して、前扉５を内枠４に対して閉じてしまうおそれがある。そのような構成では、介設板５４０が取り外し可能となり、不正行為が行われるおそれがある。
【０１６３】
これに対し、本実施形態では、介設板５４０の長手方向一端側が持ち上げられた状態であっても、図１２（ａ）及び図１２（ｂ）に示すように、レバー部材５７０の先端側を背面部材５５０の挿通孔５５１に対面する位置まで上方へ跳ね上げさせ、ロック部材５６０の第１位置への押し込み操作を規制することができる。即ち、介設板５４０が所定位置から完全に取り外されていない（長手方向一端側を持ち上げた姿勢で収容部５１１に配置されている）場合であっても、ロック部材５６０を第１位置へ押し込み操作することを規制することができる。よって、例えば、別の作業者が、介設板５４０が所定位置に適正に戻されていると誤認識した場合であっても、前扉５を内枠４に対して閉じた状態が形成されることを回避できる。
【０１６４】
以上のように、本実施形態によれば、ロック部材５６０を第１位置から第２位置へ引き出し操作することで（図１１及び図１２参照）、介設板５４０の取り外しが許容されるところ、ロック部材５６０が第２位置に配置された状態では（図１２から図１４参照）、内枠４に対して前扉５を閉じることが規制され（図１７参照）、かかるロック部材５６０を第２位置から第１位置へ押し込み操作するためには、介設板５４０を所定位置（収容部５１１）に配置することが必要とされるので（図１１参照）、かかる介設板５４０を所定位置に戻し忘れることを抑制できる。
【０１６５】
即ち、介設板５４０を所定位置（収容部５１１）から取り外すためには、ロック部材５６０を第１位置から第２位置へ引き出し操作することが必要とされる一方、ロック部材５６０が第２位置に引き出し操作された状態では、かかるロック部材５６０が背面部材５５０の背面から突出され、内枠４に対して前扉５を閉じることが規制されるので、ロック部材５６０を第２位置から第１位置へ押し込み操作する動作を必須の作業として作業者に必ず行わせることができる。この必須の作業（ロック部材５６０の第２位置から第１位置への押し込み操作）のためには、レバー部材５７０を下方へ押し下げる必要があり、そのためには、介設板５４０を所定位置に戻さなければならないため、かかる介設板５４０を所定位置に戻し忘れることを確実に抑制できる。
【０１６６】
本実施形態によれば、ロック部材５６０が内枠４及び前扉５の間に介在されることで、内枠４に対して前扉５を閉じることを規制するので、製品コストの削減を図ることができる。即ち、ロック部材５６０が、介設板５４０の本体部材５１０からの取り外しの規制および許容を切り替える役割と、内枠４に対して前扉５を閉じることを規制する役割とを兼用するため、後者の役割のための部材を別途設けることを不要とできる。よって、部品点数を削減して、その分、製品コストの削減を図ることができる。
【０１６７】
また、本実施形態によれば、ロック部材５６０は、屈曲可能（先端部材５６１が基部材５６２に対して回転可能）に形成され、第２位置に引き出し操作された状態では、屈曲された先端側（先端部材５６１）が内枠４と前扉５との間に挟持されるので、内枠４に対して前扉５が閉じられた際に、ロック部材５６０が第１位置（レバー部材５７０の背面）へ向けて押し込まれることを回避できる。その結果、レバー部材５７０やこれに干渉する部分の破損を抑制できる。
【０１６８】
特に、本実施形態では、ロック部材５６０が第２位置に引き出し操作された状態では、屈曲された先端側（先端部材５６１）の底面が、前扉５の背面に面接触されるように、軸部５６２ｂの軸心位置および先端部材５６１の厚み寸法が設定される（図１２（ｂ）参照）。これにより、内枠４と前扉５との間に挟持される際の面圧を小さくして、破損を抑制できる。
【０１６９】
更に、本実施形態では、ロック部材５６０は、軸部５６２ｂ及び軸支孔５６１ａの軸心方向が、パチンコ機１の左右方向に沿わせた姿勢で配設されるので、第２位置へ引き出し操作された場合には、先端部材５６１を、その自重により下方へ傾倒させることができる（図１２（ｂ）参照）。即ち、作業者がロック部材５６０を屈曲させる操作を行わなかった場合であっても、ロック部材５６０を重力の作用により屈曲した姿勢とすることができる。これにより、内枠４に対して前扉５が閉じられた際に、ロック部材５６０が第１位置（レバー部材５７０の背面）へ向けて押し込まれることを回避でき、レバー部材５７０やこれに干渉する部分の破損を抑制できる。
【０１７０】
次いで、図１８から図２５を参照して、第２実施形態について説明する。第１実施形態では、ロック部材５６０が屈曲可能に形成される場合を説明したが、第２実施形態のロック部材２５６０は、伸縮可能に形成される。なお、上記第１実施形態と同一の部分には同一の符号を付して、その説明は省略する。
【０１７１】
図１８（ａ）は、第２実施形態におけるロック部材２５６０の上面図であり、図１８（ｂ）は、図１８（ａ）の矢印ＸＶＩＩＩｂ方向視におけるロック部材２５６０の側面図であり、図１８（ｃ）は、図１８（ｂ）の矢印ＸＶＩＩＩｃ方向視におけるロック部材２５６０の正面図であり、図１８（ｄ）は、図１８（ａ）のＸＶＩＩＩｄ−ＸＶＩＩＩｄ線におけるロック部材２５６０の断面図である。
【０１７２】
図１８に示すように、第２実施形態におけるロック部材２５６０は、先端部材２５６１と、その先端部材２５６１を出没可能に保持する基部材２５６２と、その基部材２５６２の内部に収容される圧縮ばねＳＰ２とを備える。
【０１７３】
先端部材２５６１は、断面円形の棒状体として形成される棒状部２５６１ａと、その棒状部２５６１ａの基端部において径方向外方へ張り出して形成される円板状のピストン部２５６１ｂとを備える。
【０１７４】
基部材２５６２の内部には、先端部材２５６１のピストン部２５６１ｂを軸心方向（図１８（ｄ）左右方向）に摺動可能に保持するための断面円形の摺動案内部２５６２ｂが形成される。
【０１７５】
なお、基部材２５６２の外形（幅寸法および高さ寸法）は、第１実施形態における基部材５６２の外形と略同一の寸法に設定される。また、摺動案内部２５６２ｂの先端側の端面には、先端部材２５６１の棒状部２５６１ａを摺動可能に挿通される開口が形成されると共に、基端側の開口は封止される。
【０１７６】
圧縮ばねＳＰ２は、金属製のコイルスプリングであり、弾性的に圧縮変形された状態で、基部材２５６２の摺動案内部２５６２ｂに収納される。よって、ロック部材２５６０は、圧縮ばねＳＰ２の弾性回復力が先端部材２５６１を突出方向へ付勢し、その付勢により、無負荷状態では、全長が最大となる最大伸長状態に維持される一方、先端部材２５６１が軸心方向に押し込まれると、全長が短縮される。
【０１７７】
次いで、第２実施形態における抑制機構の操作方法について、図１９から図２２を参照して説明する。図１９から図２２は、抑制機構の状態遷移を説明するための図であり、図１９（ａ）から図２２（ａ）は、図８の矢印ＸＩａ方向視における背面部材５５０の正面図に対応し、図１９（ｂ）から図２２（ｂ）は、図１９（ａ）から図２２（ａ）のＸＩＸｂ−ＸＩＸｂ線からＸＸＩＩｂ−ＸＸＩＩｂ線における背面部材５５０の断面図である。なお、図１９（ｂ）から図２２（ｂ）では、前扉５の上側部分における全体構造が図示される。
【０１７８】
図１９に示すように、ロック部材２５６０が第１位置に押し込み操作された状態では、介設板５４０の挿通筒部５４１にロック部材２５６０（基部材２５６２）が挿通され、挿通筒部５４１の一端側から突出する基部材２５６２の基端が本体部材５１０の保持部５１１ｅ内に保持されると共に、挿通筒部５４１の他端側から突出する基部材２５６２の先端が背面部材５５０の挿通孔５５１に保持される。よって、介設板５４０が本体部材５１０の収容部５１１から取り外し不能とされる。
【０１７９】
この場合、先端部材２５６１（棒状部２５６１ａ）は、その先端が背面部材５５０の背面よりも寸法Ｌ１だけ背面側へ突出される。よって、内枠４に対して前扉５を閉じた状態では、内枠４の正面に当接された棒状部２５６１ａが、圧縮ばねＳＰ２を圧縮変形させる方向へ押し込まれる。よって、圧縮ばねＳＰ２の弾性回復力により棒状部２５６１ａが突出方向へ付勢されているので、後述するように、内枠４に対して前扉５を開放する際には、棒状部２５６１ａに内枠４を押し出させて、開放の動作に必要な力を補助させることができる。
【０１８０】
なお、ロック部材２５６０は、内枠４に対して前扉５が閉じられた状態において（図２３参照）、基部材２５６２の先端が内枠４の正面に当接する位置まで引き出し方向へスライド変位された場合に、基部材２５６２の基端が保持部５１１ｅ内に保持されるように、その長さ寸法（図１９（ｂ）左右方向寸法）が設定される。これにより、ロック部材２５６０がスライド操作の方向へ位置ずれした場合でも、介設板５４０の取り外しを確実に規制できる。
【０１８１】
図１９に示す状態から、ロック部材２５６０が背面部材５５０の背面側へ引き出し操作され、張出部５６２ａが背面部材５５０の正面に係合される第２位置に達すると、ロック部材２５６０のそれ以上の引き出し操作が不能とされる。これにより、第１実施形態の場合と同様に、レバー部材５７０がねじりばねＳＰ１の弾性回復力により回転され、その先端側が上方へ跳ね上げられることで、図２０に示すように、介設板５４０の長手方向一端側が上方に持ち上げられる。
【０１８２】
図２０に示すように、ロック部材２５６０は、第２位置まで引き出し操作されると、背面部材５５０の背面から基部材２５６２が寸法Ｌ２だけ突出される。よって、内枠４の正面と前扉５の背面との間にロック部材５６０（基部材２５６２）が介在されることで、前扉５を内枠４に対して閉じることができない。これにより、作業者に対して介設板５４０の戻し忘れを認識させることができる。
【０１８３】
この場合、ロック部材２５６０は、先端部材２５６１の棒状部２５６１ａが基部材２５６２から突出された状態とされるので、後述するように、介設板５４０を戻し忘れた状態で、内枠４に対して前扉５を閉じる場合には、先に先端部材２５６１（棒状部２５６１ａ）が内枠４の正面に当接され、かかる棒状部２５６１ａが押し込まれる際に、圧縮ばねＳＰ２を弾性的に圧縮変形させるので、その緩衝作用により衝突の勢いを弱めて、レバー部材５７０の破損を抑制できる。
【０１８４】
なお、本体部材５１０から介設板５４０を取り外した後、天板５３０を後方へスライド変位させてパネル部材５２０を交換する動作およびパネル部材５２０を交換した後に天板５３０を前方へスライド変位させて介設板５４０を装着する動作は（図２０、図２１及び図２２参照）、第１実施形態の場合と同様であるので、その説明は省略する。
【０１８５】
図２０に示すように、介設板５４０がその長手方向一端側を上方に持ち上げた姿勢で、本体部材５１０の収容部５１１に配設された後は、第１実施形態の場合と同様に、介設板５４０の長手方向一端側を下方へ押し込み、レバー部材５７０を被当接部５４３によって下方へ押し下げた状態で、ロック部材２５６０を第１位置へ向けて押込み操作する。これにより、ロック部材２５６０の基端側（基部材２５６２）が、介設板５４０の挿通筒部５４１及び本体部材５１０の保持部５１１ｅに順に挿通され、図１９に示す状態（介設板５４０（及び天板５３０）が本体部材５１０から取り外し不能とされた状態）が形成される。
【０１８６】
なお、ロック部材２５６０の第１位置への押し込み操作は、先端部材２５６１の棒状部２５６１ａを押し込むことで、圧縮ばねＳＰ２を圧縮させつつ、かかる圧縮ばねＳＰ２を介して、基部材２５６２が保持部５１１ｅに保持される位置まで前進させることで行われる。
【０１８７】
また、ロック部材２５６０は、第１位置へ押し込み操作された状態では、上述したように、棒状部２５６１ａが寸法Ｌ１だけ背面部材５５０の背面から突出されるが、内枠４に対して前扉５が閉じられた状態では、棒状部２５６１ａは、背面部材５５０の内部に収容されると共に、背面部材５５０の背面の開放が内枠４によって閉封されるので、かかるロック部材２５６０（棒状部２５６１ａ）を外部からの操作することを不能とできる。
【０１８８】
次いで、図２３を参照して、内枠４に対する前扉５の開放動作について説明する。図２３は、内枠４及び前扉５の部分拡大断面図である。なお、前扉５の断面は、図１９（ｂ）に対応する。
【０１８９】
上述したように、ロック部材２５６０は、第１位置に押し込み操作された状態では、先端部材２５６１（棒状部２５６１ａ）の先端を背面部材５５０の背面よりも寸法Ｌ１だけ背面側へ突出させた姿勢を形成する（図１９参照）。
【０１９０】
よって、図２３に示すように、内枠４に対して前扉５を閉じた状態では、内枠４の正面に当接された棒状部２５６１ａが、寸法Ｌ１の分だけ正面側（図２３左側）へ押し込まれ、圧縮ばねＳＰ２を更に圧縮変形させる。即ち、ロック部材２５６０は、圧縮ばねＳＰ２の弾性回復力により、先端部材２５６１が突出方向（図２３右方向）へ常に付勢された状態とされる。
【０１９１】
従って、内枠４に対して前扉５を開放する際には、圧縮ばねＳＰ２の付勢力で突出される先端部材２５６１により内枠４を開放方向（前扉５から離間する方向、図２３右方向）へ押し出すことができると共に、その反作用により前扉５も開放方向（内枠４から離間する方向、図２３左方向）へ押し出すことができる。その結果、内枠４に対して前扉５を開放するために必要な力を補助して、作業者の負担を軽減できる。
【０１９２】
次いで、図２４及び図２５を参照して、介設板５４０を戻し忘れた状態で内枠４に対して前扉５を閉じた際のレバー部材５７０の破損防止の構造について説明する。
【０１９３】
図２４（ａ）から図２４（ｃ）は、内枠４に対して前扉５を閉じる際の状態遷移を説明するための内枠４及び前扉５の上面図であり、図２５（ａ）から図２５（ｃ）は、図２４（ａ）から図２４（ｃ）のＸＸＶａ−ＸＸＶａ線からＸＸＶｃ−ＸＸＶｃ線における内枠４及び前扉５の断面図である。
【０１９４】
上述したように、ロック部材２５６０は、第２位置に引き出し操作された状態では、背面部材５５０の背面から基部材２５６２が寸法Ｌ２だけ突出されると共に、その基部材２５６２から先端部材２５６１（棒状部２５６１ａ）が最大に突出された状態とされる（図２０参照）。
【０１９５】
よって、図２４及び図２５に示すように、ロック部材２５６０が第２位置にある状態（即ち、介設板５４０を戻し忘れた状態）で、内枠４に対して前扉５が閉じられる場合には、まず、先端部材２５６１（棒状部２５６１ａ）を内枠４の正面に当接させることができる。これにより、棒状部２５６１ａが押し込まれる際に、圧縮ばねＳＰ２を弾性的に圧縮変形させ、その緩衝作用により衝突の勢いを弱めることができる。その結果、レバー部材５７０の破損を抑制できる。
【０１９６】
次いで、図２６から図３１を参照して、第３実施形態について説明する。第１実施形態では、介設板５４０が所定位置に配設されていない状態において、内枠４に対する前扉５の開閉（回転）動作が可能とされる場合を説明したが、第３実施形態における前扉５は、介設板３５４０が所定位置に配設されていない状態では、内枠４に対する開閉（回転）動作が規制される。なお、上記各実施形態と同一の部分には同一の符号を付して、その説明は省略する。
【０１９７】
図２６は、第３実施形態における遊技機主部３の上面図であり、主要な構成のみを透視して図示する。
【０１９８】
図２６に示すように、第３実施形態における抑制機構は、作業者により操作されるロック部材３５６０と、そのロック部材３５６０の操作を規制するレバー部材３５７０と、内枠４及び前扉５の間（回動軸および軸受の間）に介設されるワンウェイクラッチ３５８０と、そのワンウェイクラッチ３５８０及びロック部材３５６０を連結する連結部材３５９０とを主に備える。
【０１９９】
ロック部材３５６０は、背面部材３５５０の背面から一端側（図２６下側）が操作可能に突出される操作部３５６１と、その操作部３５６１の他端側（図２６上側）から側方（図２６左側）へ向けて張り出す係合部３５６２とを備え、これら各部３５６１，３５６２から上面視略Ｌ字状の部材として形成される。
【０２００】
ロック部材３５６０は、背面部材３５５０に形成された案内部３５５４（図２９参照）に沿って左右方向（図２６左右方向）にスライド操作可能に形成され、図示しない付勢ばねの付勢力により図２６に示す初期位置に維持される。この付勢ばねの付勢力に抗して、ロック部材３５６０が解除位置（図２６右方向）へ向けてスライド操作されると、そのスライド変位が連結部材３５９０を介してワンウェイクラッチ３５８０へ伝達され、ワンウェイクラッチ３５８０が駆動状態とされると共に、係合部３５６２による係合が解除されて、介設板３５４０が本体部材３５１０から取り外し可能とされる。
【０２０１】
ここで、図２７及び図２８を参照して、ワンウェイクラッチ３５８０及び介設板３５４０について順に説明する。
【０２０２】
図２７（ａ）は、ロック部材３５６０が初期位置にスライド操作された状態におけるワンウェイクラッチ３５８０及び連結部材３５９０の部分断面上面図であり、図２７（ｂ）は、ロック部材３５６０が解除位置にスライド操作された状態におけるワンウェイクラッチ３５８０及び連結部材３５９０の部分断面上面図である。
【０２０３】
図２７（ａ）及び図２７（ｂ）に示すように、ワンウェイクラッチ３５８０は、内枠４の上端側に取着されるヒンジ１８（図２６参照）から突設されるピン１８ｄに連結される内輪３５８１と、背面部材３５５０に固着される取付板３５５５に連結される外輪３５８２と、内輪３５８１の各カム面に配設される複数のローラ３５８３と、それら各ローラ３５８３を保持する保持器３５８４と、保持器３５８４に連結されカム面に対するローラ３５８３の位相を切り替えるスイッチングプレート３５８５とを主に備えて構成される。
【０２０４】
連結部材３５９０は、一端がロック部材３５６０に回転可能に軸支されると共に（図２６参照）、他端がワンウェイクラッチ３５８０のスイッチングプレート３５８５に回転可能に軸支され、ロック部材３５６０のスライド操作をスイッチングプレート３５８５に伝達する。
【０２０５】
図２７（ａ）に示すように、ロック部材３５６０が初期位置に配置された状態（介設板３５４０が取り外し不能な状態で所定位置に配設された状態、図２６参照）では、スイッチングプレート３５８５がロック部材３５６０側へ傾倒された姿勢とされることで、ローラ３５８３がカム面の中立位置に配置され、内輪３５８１及び外輪３５８２の噛み合い空間から離れる。これにより、ワンウェイクラッチ３５８０が中立空転状態（内輪３５８１に対して外輪３５８２が空転する状態）とされる。その結果、内枠４に対する前扉５の開閉（回転）が許容される。
【０２０６】
図２７（ｂ）に示すように、ロック部材３５６０が解除位置に配置された状態（介設板３５４０が取り外し可能な状態または取り外された状態、図２９（ｂ）及び図２９（ｃ）参照）では、スイッチングプレート３５８５がロック部材３５６０から離間する方向へ起立された姿勢とされることで、ローラ３５８３がカム面の端部に配置され、内輪３５８１及び外輪３５８２の間に形成されるくさびに噛み込まれる。これにより、ワンウェイクラッチ３５８０が駆動状態（内輪３５８１に対する外輪３５８２の一方向への回転が規制される状態）とされる。その結果、内枠４に対する前扉５の開じる方向への回転が規制される。
【０２０７】
なお、この状態では、内輪３５８１に対する外輪３５８２の他方向への回転は許容される。即ち、内枠４に対する前扉５の開放方向への回転は許容することができる。
【０２０８】
図２８（ａ）は、介設板３５４０の上面図であり、図２８（ｂ）は、図２８（ａ）の矢印ＸＸＶＩＩＩｂ方向視における介設板３５４０の側面図であり、図２８（ｃ）は、図２８（ｂ）のＸＸＶＩＩＩｃ−ＸＸＶＩＩＩｃ線における介設板３５４０の断面図である。なお、図２８では、図面を簡素化して、理解を容易とするために、突片部５４２の図示が省略される。
【０２０９】
図２８に示すように、介設板３５４０は、横長の板状に形成され、その長手方向他端側の底面に挿通筒部３５４１及び被当接部３５４３が形成される。挿通筒部３５４１は、ロック部材３５６０の係合部３５６２が挿抜される部位であり、両端が開口された筒状に形成される。挿通筒部３５４１にロック部材３５６０の係合部３５６２が挿通されることで、介設板３５４０を本体部材３５１０から取り外し不能な状態が形成できる一方（図２９（ａ）参照）、挿通筒部３５４１からロック部材３５６０の係合部３５６２が抜き取られることで、介設板３５４０を本体部材３５１０から取り外し可能な状態が形成できる（図２９（ｂ）参照）。
【０２１０】
被当接部３５４３は、レバー部材３５７０の上面に当接される部位であり、介設板３５４０が本体部材３５１０（収容部５１１）に取り付けられる際には、被当接部３５４３によってレバー部材３５７０を下方へ押し下げることができると共に（図２９（ａ）参照）、レバー部材３５７０が上方へ跳ね上げられる際には、被当接部３５４３を介して、介設板３５４０を上方へ押し上げることができる（図２９（ｂ）参照）。
【０２１１】
図２６に戻って説明する。レバー部材３５７０は、基端側に軸支孔３５７１が穿設され、この軸支孔３５７１が本体部材３５１０の支持軸３５１２に回転可能に軸支される（図２９参照）。支持軸３５１２は、その軸心を本体部材３５１０の左右方向（図２６左右方向）に沿わせる向きに形成される。よって、レバー部材３５７０は、先端側を本体部材３５１０の正面側（図２６上側）へ向けた姿勢で配設される。
【０２１２】
レバー部材３５７０と本体部材３５１０との間には、金属製のねじりばね（図示せず）が弾性的にねじり変形された状態で介設され、レバー部材３５７０は、ねじりばねの弾性回復力によって、先端側を上方へ持ち上げる回転方向へ常に付勢される。
【０２１３】
この場合、介設板３５４０が本体部材３５１０の収容部５１１に収容された状態（挿通筒部３５４１にロック部材３５６０の係合部３５６２が挿通された状態）では、レバー部材３５７０は、介設板３５４０の被当接部３５４３によって下方へ押し下げられた姿勢とされており（図２９（ａ）参照）、ロック部材３５６０の係合部３５６２が介設板３５４０の挿通筒部３５４１から引き抜かれると、レバー部材３５７０の先端側がねじりばねの弾性回復力により上方へ跳ね上げられる。これにより、介設板３５４０を上方へ押し上げることができる（図２９（ｂ）参照）。
【０２１４】
レバー部材３５７０の先端側が上方へ跳ね上げられた状態では、かかるレバー部材３５７０の先端側が、ロック部材３５６０の係合部３５６２の先端に対面する位置に配置される（図２９（ｃ）及び図３０（ｃ）参照）。これにより、ロック部材３５６０が初期位置へスライド操作されること（即ち、ワンウェイクラッチ３５８０が中立状態とされること）をレバー部材５７０によって規制できる。
【０２１５】
次いで、第３実施形態における抑制機構の操作方法について、図２９から図３１を参照して説明する。
【０２１６】
図２９から図３１は、抑制機構の状態遷移を説明するための図であり、図２９は、前扉５の部分拡大断面図であり、図３０は、前扉５の部分拡大上面図であり、図３１は、遊技機主部３の上面図である。
【０２１７】
なお、図２９（ａ）は、図３０（ａ）及び図３１（ａ）に示す状態に、図２９（ｂ）は、図３０（ｂ）及び図３１（ｂ）に示す状態に、図２９（ｃ）は、図３０（ｃ）及び図３１（ｃ）に示す状態に、それぞれ対応する。また、図３０（ａ）及び図３０（ｂ）では、介設板３５４０の挿通筒部３５４１及び被当接部３５４３を破線により模式的に図示する。
【０２１８】
パネル部材５２０（図９参照）の交換等のために、介設板３５４０を取り外す際には、まず、図２９（ａ）、図３０（ａ）及び図３１（ａ）に示すように、内枠４に対して前扉５を開放することで、背面部材３５５０の背面側からロック部材３５６０をスライド操作可能な状態を形成する。
【０２１９】
図２９（ａ）、図３０（ａ）及び図３１（ａ）に示す初期位置からロック部材３５６０が解除位置（図２９（ａ）紙面奥方向、図３０（ａ）右方向）へ向けてスライド操作されると、ロック部材３５６０の係合部３５６２が、介設板３５４０の挿通筒部３５４１から抜き取られると共に、レバー部材３５７０の側方に退避される。その結果、レバー部材３５７０がねじりばねの弾性回復力により回転され、その先端側（軸支孔３５７１と反対側）が上方へ跳ね上げられることで、被当接部３５４３が上方へ押し上げられ、図２９（ｂ）、図３０（ｂ）及び図３１（ｂ）に示すように、介設板３５４０の長手方向一端側が上方に持ち上げられる。
【０２２０】
これにより、図２９（ｃ）、図３０（ｃ）及び図３１（ｃ）に示すように、介設板３５４０を本体部材３５１０から取り外すことができる。なお、本体部材３５１０から介設板３５４０を取り外した後、天板５３０を後方へスライド変位させてパネル部材５２０を交換する動作およびパネル部材５２０を交換した後に天板５３０を前方へスライド変位させて介設板３５４０を装着する動作は、第１実施形態の場合と同様であるので、その説明は省略する。
【０２２１】
図２９（ｂ）、図３０（ｂ）及び図３１（ｂ）に示すように、ロック部材３５６０が解除位置までスライド操作されると、上述したように、そのロック部材３５６０のスライド操作が連結部材３５９０を介してワンウェイクラッチ３５８０に伝達され、かかるワンウェイクラッチ３５８０が駆動状態に切り替えられる。これにより、内枠４に対する前扉５の開じる方向（図３１（ｂ）及び図３１（ｃ）の矢印Ａ方向）への回転を規制することができるため、作業者に対して介設板３５４０の戻し忘れを認識させることができる。
【０２２２】
パネル部材５２０の交換等を行った後、図２９（ｂ）、図３０（ｂ）及び図３１（ｂ）に示すように、介設板３５４０がその長手方向一端側を上方に持ち上げた姿勢で、本体部材３５１０の収容部５１１に配設された後は、介設板３５４０を下方へ押し込み、レバー部材３５７０を被当接部３５４３によって下方へ押し下げた状態で、ロック部材３５６０を初期位置へ向けてスライド操作する。これにより、ロック部材３５６０の係合部３５６２が介設板３５４０の挿通筒部３５４１に挿通され、図２９（ａ）、図３０（ａ）及び図３１（ａ）に示す状態（介設板３５４０（及び天板５３０）が本体部材３５１０から取り外し不能とされた状態）が形成される。
【０２２３】
また、ロック部材３５６０が初期位置までスライド操作されると、上述したように、そのロック部材３５６０のスライド操作が連結部材３５９０を介してワンウェイクラッチ３５８０に伝達され、かかるワンウェイクラッチ３５８０が中立状態に切り替えられる。これにより、内枠４に対する前扉５の開閉（回転）が許容される。即ち、内枠４に対して前扉５を開じることができる。
【０２２４】
以上のように、本実施形態によれば、内枠４に対して前扉５を開放することで、ロック部材３５６０をスライド操作することが可能となり、その結果、介設板３５４０の取り外しが許容されると共に、その介設板３５４０が所定位置（収容部５１１）に配置されていない状態では、内枠４に対して前扉５を閉じることができないので、介設板３５４０を所定位置へ戻し忘れることを抑制できる。
【０２２５】
即ち、介設板３５４０を所定位置から取り外すためには、内枠４に対して前扉５を開放することが必要とされるので、介設板３５４０を所定位置から取り外した場合には、内枠４に対して前扉５を閉じる動作を必須の作業として作業者に必ず行わせることができる。この場合、介設板３５４０を所定位置に戻さなければ、内枠４に対して前扉５を閉じることができず、遊技可能な状態を形成できないため、介設板３５４０を所定位置に戻し忘れることを確実に抑制できる。
【０２２６】
この場合、本実施形態では、内枠４に対して前扉５が開放された後、介設板３５４０が所定位置から取り外されると、その取り外された時点で、即ち、その開放されている位置（図３１（ｂ）に示す位置）から、内枠４に対して前扉５が閉じる方向へ変位することが規制されるので、介設板３５４０を所定位置に戻し忘れることを確実に抑制できる。
【０２２７】
即ち、例えば、第１実施形態の場合のように、内枠４の正面に前扉５の背面を重ねて、これらの間にロック部材５６０（先端部材５６１）を介在させることで、閉じた状態を形成できなくさせる構造（即ち、ロック部材５６０に内枠４の正面が当接する回転位置までは、内枠４に対する前扉５の閉じる方向への変位が許容される構造）では、実際に閉じた状態が形成されていなくても、内枠４の正面に前扉５の背面が重なっていることで（図１７（ｂ）参照）、閉じた状態が形成されたと作業者が誤認識する恐れがある。また、閉じる動作が大きな力で行われると、内枠４に対して前扉５が、ロック部材５６０を挟み込みつつ衝突するため、破損する恐れがある。
【０２２８】
これに対し、本実施形態では、介設板３５４０が所定位置から取り外されると、内枠４に対して前扉５が閉じる方向へ変位すること自体を規制することができる、即ち、介設板３５４０が所定位置へ戻されない限り、内枠４に対して前扉５が開放された状態が維持されるので、閉じた状態が形成されたと作業者が誤認識することを抑制できる。また、閉じる方向への変位自体を規制できることで、かかる閉じる動作に伴う衝突により部材が破損することを回避できる。
【０２２９】
なお、本実施例では、ロック部材３５６０が前扉５の幅方向（図２６左右方向）における中央よりも回転軸（ピン１８ｄ）へ近い側（図２６右側）に配設される。そのため、ロック部材３５６０を初期位置から解除位置へスライド変位させるために、内枠４に対して前扉５を開放させる際には、比較的大きな開放角度まで開放させる必要を生じさせることができる。その結果、内枠４に対して前扉５を閉じた状態が形成されたと作業者が誤認識することを抑制しやすくできる。
【０２３０】
ここで、本実施形態では、介設板３５４０が所定位置から取り外された場合（即ち、ワンウェイクラッチ３５８０が駆動状態とされた場合）、内枠４に対して前扉５が閉じる方向へ変位することは規制するが、内枠４に対して前扉５が開放方向へ変位することは許容する。これにより、介設板３５４０を所定位置に戻し忘れているため、内枠４に対して前扉５を閉じることができない場合に、作業者が、前扉５を閉じる方向および開放させる方向へ交互に回転させることを試行すると、前扉５の開放角度を徐々に大きくさせることができる。これにより、介設板３５４０の所定位置への戻し忘れであることを作業者に認識させやすくできる。また、回動軸（ピン１８ｄ）における故障や異物の噛み込みとは異なる動作を形成できるので、この点からも、介設板３５４０の所定位置への戻し忘れであることを作業者に認識させやすくできる。
【０２３１】
次いで、図３２から図３７を参照して、第４実施形態について説明する。第１実施形態では、パネル部材５２０（交換対象）の有無に関わらず、介設板５４０が所定位置に配設されることで、内枠４に対して前扉５を閉じることが可能とされる場合を説明したが、第４実施形態では、天板４５３０に加え、パネル部材４５２０が配設された場合に、内枠４に対して前扉５を閉じることが可能とされる。なお、上記各実施形態と同一の部分には同一の符号を付して、その説明は省略する。
【０２３２】
図３２は、第４実施形態における前扉５の分解正面斜視図である。図３２に示すように、第４実施形態における抑制機構は、パネル部材４５２０が天板４５３０に締結固定され、このパネル部材４５２０が締結固定された状態の天板４５３０を本体部材５１０の上面（収容部５１１）に配設する。ここで、パネル部材４５２０及び天板４５３０について、図３３及び図３４を参照して説明する。
【０２３３】
図３３（ａ）は、図３２の矢印ＸＸＸＩＩＩ方向視における天板４５３０の背面図であり、図３３（ｂ）は、図３３（ａ）のＸＸＸＩＩＩｂ−ＸＸＸＩＩＩｂ線における天板４５３０の断面図である。
【０２３４】
また、図３４（ａ）は、図３２の矢印ＸＸＸＩＩＩ方向視における天板４５３０及びパネル部材４５２０の背面図であり、図３４（ｂ）は、図３４（ａ）のＸＸＸＩＶｂ−ＸＸＸＩＶｂ線における天板４５３０及びパネル部材４５２０の断面図であり、図３４（ｃ）は、図３４（ａ）のＸＸＸＩＶｃ−ＸＸＸＩＶｃ線における天板４５３０及びパネル部材４５２０の断面図である。
【０２３５】
図３３及び図３４に示すように、天板４５３０は、第１実施形態における天板５３０及び介設板５４０を一体化すると共に、左右の縁部から突設される突片部５３１，５４２を省略した板状体として形成される。即ち、天板４５３０には、その正面側の縁部に突片部５３１が形成されており、かかる突片部５３１を本体部材５１０のスライド溝５１１ａに係合（挿通）可能とされる。また、天板４５３０の底面には、挿通筒部５４１が形成され、ロック部材５６０が挿通可能とされる。
【０２３６】
天板４５３０には、その底面に当接部材４５３２が配設される。当接部材４５３２は、長尺板状の部材であり、その長手方向を前扉５の前後方向（図３３（ｂ）左右方向）に沿わせた姿勢で配設されると共に、長手方向略中央が天板４５３０の底面に支持軸４５３３によって回転可能に軸支される。
【０２３７】
この場合、天板４５３０と当接部材４５３２との間には、ねじりばね（図示せず）が弾性的にねじり変形された状態で介設され、当接部材４５３２は、ねじりばねの弾性回復力によって、長手方向一端側（図３３（ｂ）右側）が天板４５３０の底面へ当接される回転方向に付勢される。即ち、当接部材４５３２は、パネル部材４５２０が締結固定されていない状態では、図３３（ｂ）に示す状態に維持される。
【０２３８】
天板４５３０の底面には、当接部材４５３２の長手方向他端側（図３３（ｂ）左側）の上面に対面する領域に沿って凹溝４５３４が凹設され、その凹溝４５３４の内部空間へ当接部材４５３２の長手方向他端側を受け入れ可能とされる。よって、図３４に示すように、天板４５３０の底面にパネル部材４５２０が締結固定された場合には、パネル部材４５２０によって当接部材４５３２の長手方向他端側が凹溝４５３４内に押し込まれることで、当接部材４５３２の長手方向一端側を天板４５３０の底面から離間させることができる。
【０２３９】
即ち、後述するように、天板４５３０にパネル部材４５２０が装着（締結固定）されていない状態では、当接部材４５３２の長手方向一端側が上方（天板４５３０の底面側）に位置するため（図３３（ｂ）参照）、天板４５３０を本体部材５１０（収容部５１１）に配設した際に、当接部材４５３２の長手方向一端側によるレバー部材５７０の下方への押し下げを不能とできる。一方、天板４５３０にパネル部材４５２０が装着（締結固定）された状態では、当接部材４５３２の長手方向一端側が下方（天板４５３０の底面から離間する側）に位置するため、天板４５３０を本体部材５１０（収容部５１１）に配設した際に、当接部材４５３２の長手方向一端側によりレバー部材５７０を下方へ押し下げることができる。これにより、後述するように、パネル部材４５２０の取り付け忘れを抑制できる。
【０２４０】
なお、収容部５１１に凹設される凹部５１１ｃ（パネル部材４５２０を収容するための空間）の凹設寸法（深さ寸法）は、パネル部材４５２０の高さ寸法（図３４（ｂ）上下方向寸法）よりも十分に大きな寸法に設定される。
【０２４１】
よって、パネル部材４５２０を、天板４５３０に締結固定せずに、凹部５１１ｃに収容し、天板４５３０を収容部５１１に配設する場合（即ち、パネル部材４５２０と天板４５３０とを別々に装着する場合）には、パネル部材４５２０の上面が天板４５３０（当接部材４５３２の長手方向他端側）の底面から離間されるため、当接部材４５３２の長手方向他端側がパネル部材４５２０によって凹溝４５３４内に押し込まれた状態が形成できず、当接部材４５３２の長手方向一端側を天板４５３０の底面から離間させる（図３４（ｂ）の状態を形成する）ことができない。よって、当接部材４５３２の長手方向一端側によるレバー部材５７０の下方への押し下げを不能とできる。
【０２４２】
即ち、作業者が、例えば、パネル部材４５２０の交換作業の工程を簡略化するために、パネル部材４５２０の天板４５３０への締結固定を意図的に行わずに、或いは、締結固定する必要があることを知らずに、これらパネル部材４５２０と天板４５３０とを別々に本体部材５１０に配設した場合には、レバー部材５７０の押し下げを不能とできる。即ち、内枠４に対して前扉５を閉じることができず、遊技可能な状態を形成することができない。これにより、パネル部材４５２０の上面と天板４５３０の底面との間の隙間から異物を挿入され難くすることができ、不正行為を抑制しやすくできる。
【０２４３】
次いで、第４実施形態における抑制機構の操作方法について、図３５から図３７を参照して説明する。図３５から図３７は、抑制機構の状態遷移を説明するための図であり、図３５（ａ）から図３７（ａ）は、図３２の矢印ＸＸＸＶ方向視における背面部材５５０の正面図であり、図３５（ｂ）から図３７（ｂ）は、図３５（ａ）から図３７（ａ）のＸＸＸＶｂ−ＸＸＸＶｂ線からＸＸＸＶＩＩｂ−ＸＸＸＶＩＩｂ線における背面部材５５０の断面図である。
【０２４４】
なお、図３５（ａ）及び図３６（ｂ）では、天板４５３０が断面視して図示される。また、図３５（ｂ）から図３７（ｂ）では、ロック部材５６０が断面視されずに図示されると共に、前扉５の上側部分における全体構造が図示される。
【０２４５】
図３５に示すように、ロック部材５６０が第１位置に押し込み操作された状態では、天板４５３０の挿通筒部５４１にロック部材５６０が挿通され、天板４５３０が本体部材５１０の収容部５１１から取り外し不能とされる。
【０２４６】
図３５に示す状態から、ロック部材５６０が背面部材５５０の背面側へ引き出し操作され、第２位置に達すると、ロック部材５６０（基部材５６２）が天板４５３０の挿通筒部５４１から抜き取られると共に、ロック部材５６０（基部材５６２）の基端の端面がレバー部材５７０を越える位置まで後退される。
【０２４７】
これにより、レバー部材５７０がねじりばねＳＰ１の弾性回復力により回転され、その先端側が上方へ跳ね上げられる。この場合、レバー部材５７０の上面には天板４５３０の当接部材４５３２の長手方向一端側が当接されているので、かかる当接部材４５３２がレバー部材５７０によって上方へ押し上げられることで、図３６に示すように、天板４５３０の後方側（突片部５３１と反対側）が上方に持ち上げられる。よって、上方へ持ち上げられた部分を把持することができ、図３７に示すように、天板４５３０を本体部材５１０から取り外す作業における作業性の向上を図ることができる。
【０２４８】
取り外した天板４５３０からパネル部材４５２０を取り外し、別のパネル部材４５２０に交換した後は、図３６に示すように、別のパネル部材４５２０が装着（締結固定）された天板４５３０を本体部材５１０の収容部５１１に取り付ける。この場合、天板４５３０の正面側に形成される突片部５３１を本体部材５１０のスライド溝５１１ａに係合（挿通）させる。これにより、天板４５３０の当接部材４５３２の長手方向一端側がレバー部材５７０の上面に当接（載置）されることで、図３６に示すように、天板４５３０が、その後方側（突片部５３１と反端側）が上方に持ち上げられた姿勢で、本体部材５１０の収容部５１１に配設される。
【０２４９】
この状態（図３６に示す状態）から、天板４５３０の後方側が下方へ押し込まれると、ねじりばねＳＰ１の弾性回復力に抗しつつ、レバー部材５７０が当接部材４５３２の長手方向一端側によって下方へ押し下げられ、レバー部材５７０の先端側が背面部材５５０の挿通孔５５１よりも下方へ配置されると共に、天板４５３０の挿通筒部５４１が本体部材５１０の保持部５１１ｅ及び背面部材５５０の挿通孔５５１と一直線上となる位置（即ち、挿通筒部５４１の両端開口が保持部５１１ｅ及び挿通孔５５１に対面される位置）に配置される。
【０２５０】
よって、第２位置にあるロック部材５６０を第１位置へ向けて押込み操作することで、かかるロック部材５６０の基端側（基部材５６２）が、天板４５３０の挿通筒部５４１及び本体部材５１０の保持部５１１ｅに順に挿通され、図３５に示す状態が形成される。即ち、天板４５３０が本体部材５１０から取り外し不能とされた状態が形成される。
【０２５１】
一方、取り外した天板４５３０からパネル部材４５２０を取り外したが、別のパネル部材４５２０に交換すること（天板４５３０に別のパネル部材４５２０を装着（締結固定）すること）を忘れた場合には、天板４５３０を本体部材５１０の収容部５１１に取り付けても、当接部材４５３２の長手方向一端側が上方（天板４５３０の底面側）に位置するため（図３３（ｂ）参照）、その当接部材４５３２の長手方向一端側によってレバー部材５７０を下方へ押し下げることができない。即ち、レバー部材５７０の先端側が背面部材５５０の挿通孔５５１に対面した姿勢に維持され、第２位置にあるロック部材５６０を第１位置へ向けて押込み操作することが規制された状態に維持されるので、内枠４に対して前扉５を閉じることができない。
【０２５２】
ここで、例えば、第１実施形態の場合、介設板５４０を所定位置に配設しなければ、内枠４に対して前扉５を閉じることができないので、介設板５４０の戻し忘れを抑制できる。しかしながら、この場合、前扉５を閉じることができるか否かには、介設板５４０のみが作用し、パネル部材５２０を作用させることはできない。即ち、パネル部材５２０を取り付け忘れていても、前扉５を閉じることができるので、かかるパネル部材５２０の取り付け忘れを抑制することはできない。
【０２５３】
これに対し、本実施形態では、天板４５３０にパネル部材４５２０が装着（締結固定）されていない場合には、かかる天板４５３０を所定位置（収容部５１１）に配設しても、第２位置にあるロック部材５６０を第１位置へ向けて押込み操作することができず、内枠４の正面と前扉５の背面との間にロック部材５６０が介在される状態を維持するので、内枠４に対して前扉５を閉じることができない状態を形成できる。これにより、作業者に対してパネル部材４５２０の取り付け忘れを認識させることができる。
【０２５４】
一方で、レバー部材５７０を下方へ押し下げるための部材（当接部材４５３２）が、天板４５３０に配設され、かかる当接部材４５３２の姿勢を、パネル部材４５２０の装着（締結固定）の有無により切り替える構造であるので、パネル部材４５２０のみを本体部材５１０の所定位置（凹部５１１ｃ）に配設し、天板４５３０を本体部材５１０の所定位置（収容部５１１）に配設し忘れた場合にも、内枠４に対して前扉５を閉じることができない状態を形成できる。これにより、作業者が天板４５３０を取り付け忘れることを抑制できる。
【０２５５】
次いで、図３８から図４４を参照して、第５実施形態について説明する。第１実施形態では、ロック部材５６０を間に介在させる（挟ませる）ことで、内枠４に対して前扉５を閉じられなくする場合を説明したが、第５実施形態では、施錠機構による施錠を不能とすることで、内枠４に対して前扉５を閉じられなくする。なお、上記各実施形態と同一の部分には同一の符号を付して、その説明は省略する。
【０２５６】
図３８は、第５実施形態における前扉５の上側部分の分解正面斜視図である。なお、図３８では、背面部材５５５０の正面に配設される各種部材の一部（例えば、一対のスピーカーの一方）の図示が省略されると共に、昇降部材５５６５の下端側の図示が省略される。
【０２５７】
図３８に示すように、第５実施形態における前扉５は、背面部材５５５０の支持軸５５５６に回転可能に軸支される回転プレート５５６３と、その回転プレート５５６３の上端側をロック部材５６０の基部材５６２に連結する連結棒５５６４と、上下方向に延設される案内溝（図示せず）に配設され回転プレート５５６３の回転に伴って昇降される昇降部材５５６５とを備える。
【０２５８】
連結棒５５６４は、ロック部材５６０がスライド操作に伴う変位を回転プレート５５６３に伝達するための棒状の部材であり、ロック部材５６０に連結される一端側または回転プレート５５６３に連結される他端側の少なくとも一方がロック部材５６０又は回転プレート５５６３に回転可能に軸支される。
【０２５９】
回転プレート５５６３には、その長手方向中央に軸支孔５５６３ａが開口形成されると共に、下端側の側面から突設ピン５５６３ｂが突設される。軸支孔５５６３ａは、背面部材５５５０の支持軸５５５６が挿通される孔であり、回転プレート５５６３の長手方向に沿って延設される長円形状の孔（即ち、支持軸５５５６が回転可能かつ摺動可能な溝）として形成される。よって、ロック部材５６０のスライド操作が連結棒５５６４を介して回転プレート５５６３の上端側に伝達されると、軸支孔５５６３ａ内を支持軸５５５６が相対的に摺動されることで、回転プレート５５６３が高さ位置を変化させつつ回転される（図４０及び図４３参照）。
【０２６０】
昇降部材５５６５には、ロック部材５６０のスライド操作の方向と平行に延設される長穴形状の摺動溝５５６５ａが開口形成されると共に、側面から複数本（本実施形態では３本）の押下げピン５５６５ｂが突設される。摺動溝５５６５ａには、回転プレート５５６３の突設ピン５５６３ｂが摺動可能に挿通される。
【０２６１】
よって、回転プレート５５６３が高さ位置を変化させつつ回転されると、その回転プレート５５６３の高さ位置の変化が、突設ピン５５６３ｂ及び摺動溝５５６４ａを介して、昇降部材５５６５に伝達され、かかる昇降部材５５６５が昇降される（図４０及び図４３）。
【０２６２】
各押下げピン５５６５ｂは、鉤部材１６６ａ〜１６６ｃ（図５参照）の後端側をそれぞれ押し下げるための部位であり、鉤部材１６６ａ〜１６６ｃの上方に配置されるように、上下方向に所定間隔を隔てつつ並設される。
【０２６３】
なお、鉤部材１６６ａ〜１６６ｃは、支持軸５５５７に回転可能に軸支されると共に背面部材５５５０の背面から先端側を突出させた姿勢で背面部材５５５０に配設され、その先端側の係合部が内枠４の鉤受け部材１６７に係合されることで、内枠４に対する前扉５の施錠機構を構成する（図４０及び図４１参照）。
【０２６４】
次いで、第５実施形態における抑制機構について、図３９から図４４を参照して説明する。
【０２６５】
図３９（ａ）及び図３９（ｂ）は、ロック部材５６０が第１位置にスライド操作された状態における遊技機主部３の断面図であり、図３８のＸＸＸＩＸ−ＸＸＸＩＸ線における断面図に対応する。図４０及び図４１は、ロック部材５６０が第１位置にスライド操作された状態における遊技機主部３の断面図であり、図３８のＸＬ−ＸＬ線における断面図に対応する。なお、図３９（ａ）及び図４０では、内枠４に対して前扉５が開放された状態が、図３９（ｂ）及び図４１では、内枠４に対して前扉５を閉じた状態が、それぞれ図示される。
【０２６６】
図４２（ａ）及び図４２（ｂ）は、ロック部材５６０が第２位置にスライド操作された状態における遊技機主部３の断面図であり、図３８のＸＸＸＩＸ−ＸＸＸＩＸ線における断面図に対応する。図４３及び図４４は、ロック部材５６０が第２位置にスライド操作された状態における遊技機主部３の断面図であり、図３８のＸＬ−ＸＬ線における断面図に対応する。なお、図４２（ａ）及び図４３では、内枠４に対して前扉５が開放された状態が、図４２（ｂ）及び図４４では、内枠４に対して前扉５を閉じた状態が、それぞれ図示される。
【０２６７】
ここで、内枠４には、鉤受け部材１６７の後方（図４０右側）に受け板５０２８が配設される。受け板５０２８は、弾性的に圧縮変形された圧縮ばねＳＰ３の弾性回復力により鉤受け部材１６７へ向けて付勢される。
【０２６８】
また、本実施形態における内枠４には、ロック部材５６０に対面する領域に逃げ部５００４ａが凹設される。逃げ部５００４ａは、ロック部材５６０が第２位置へスライド操作された状態で、内枠４に対して前扉５が閉じられた場合に、その逃げ部５００４ａの内部空間にロック部材５６０（先端部材５６１）を収納可能な大きさ（即ち、ロック部材５６０と内枠４とを非干渉とできる大きさ）に形成される。
【０２６９】
図３９から図４１に示すように、ロック部材５６０が第１位置にスライド操作された状態では、そのロック部材５６０の第１位置へのスライド操作に伴い、連結棒５５６４と支持軸５５５６との間の距離が拡大されるため、回転プレート５５６３及び昇降部材５５６５が上方へ持ち上げられる。
【０２７０】
これにより、昇降部材５５６５の押下げピン５５６５ｂが鉤部材１６６ａの後端側の上面よりも上方に位置される。よって、鉤受け部材２８に係合するための鉤部材１６６ａの支持軸５５７を中心とする回転が許容されるので、図３９（ａ）及び図４０に示す状態から、内枠４に対して前扉５を閉じると、図３９（ｂ）及び図４１に示すように、鉤部材１６６ａの係合部を鉤受け部材１６７に係合させて、施錠された状態を形成できる。
【０２７１】
なお、この場合、鉤部材１６６ａによって受け板５０２８が後方へ押し込まれているため、鉤部材１６６ａ及び鉤受け部材１６７の係合を解除（開錠）した際には、圧縮ばねＳＰ３の弾性回復力により鉤部材１６６ａを押し返すことができる。即ち、内枠４に対して前扉５を閉じた状態から開放する際には、その開放に要する力を圧縮ばねＳＰ３の弾性回復力により補助することができる。よって、内枠４に対して前扉５を開放させる際の作業者の作業性の向上を図ることができる。
【０２７２】
一方、図４２から図４４に示すように、ロック部材５６０が第２位置にスライド操作された状態では、そのロック部材５６０の第２位置へのスライド操作に伴い、連結棒５５６４と支持軸５５５６との間の距離が縮小されるため、回転プレート５５６３及び昇降部材５５６５が下方へ押し下げられる。
【０２７３】
これにより、昇降部材５５６５の押下げピン５５６５ｂが鉤部材１６６ａの後端側の上面を下方に押し下げることで、かかる鉤部材１６６ａを、その先端側の係合部が上方へ持ち上げられた姿勢、即ち、鉤受け部材１６７に係合不能な姿勢とすることができる。
【０２７４】
よって、図４２（ａ）及び図４３に示す状態（即ち、介設板５４０が所定位置（収容部５１１）に配設されていない状態）から、内枠４に対して前扉５を閉じると、図４２（ｂ）及び図４４に示すように、鉤部材１６６ａの係合部を鉤受け部材１６７に係合させず、施錠された状態が形成されることを規制できる。即ち、介設板５４０が所定位置に配設されていない状態では、施錠を規制して、開錠状態に維持することができるので、内枠４に対して前扉５を閉じることができない状態を形成できる。その結果、介設板５４０が配設されていないことを作業者へ認識させることができる。また、意図的に介設板５４０を所定位置へ配設しない行為を抑制できる。
【０２７５】
この場合、内枠４に対して前扉５を閉じた際に、施錠が行なわれないだけでは、内枠４の正面に前扉５が重なっていることで、閉じた状態が形成されたと作業者が誤認識するおそれがある。
【０２７６】
これに対し、本実施形態では、鉤受け部材１６７の後方に、受け板５０２８及び圧縮ばねＳＰ３を設けたので、鉤部材１６６ａが、その先端側の係合部が上方へ持ち上げて、鉤受け部材１６７に係合不能な姿勢とされた状態で、内枠４に対して前扉５を閉じた場合には、図４４に示すように、鉤部材１６６ａによって浮き板５０２８を後方へ押し込ませて、圧縮ばねＳＰ３を更に圧縮させることができる。
【０２７７】
その結果、圧縮ばねＳＰ３の弾性回復力により鉤部材１６６ａを前方（図４４左方向）へ押し返して、内枠４に対して前扉５を開放方向へ変位させることができる。即ち、内枠４に対して前扉５を閉じても、かかる前扉５が開放されるため、閉じた状態が形成されたと作業者が誤認識することを抑制できる。その結果、介設板５４０が配設されていないことを作業者へ認識させやすくできる。
【０２７８】
また、このように、内枠４に対して前扉５を閉じる際には、鉤部材１６６ａにより受け板５０２８を後方へ押し込ませて、圧縮ばねＳＰ３を圧縮変形させることができるので、その緩衝作用により衝撃を吸収して、破損を抑制することができる。
【０２７９】
特に、本実施形態では、内枠４に逃げ部５００４ａが凹設されるので、内枠４に対して前扉５を閉じる際の衝撃による破損を抑制できる。即ち、例えば、第１実施形態の場合では、介設板５４０を所定位置に戻さないまま、内枠４に対して前扉５を閉じると、内枠４と前扉５との間にロック部材５６０（先端部材５６１）が部分的に介在され（挟まれて）、そのロック部材５６０周辺に衝突時の力が集中するため、面圧が大きくなり、破損しやすい。
【０２８０】
これに対し、本実施形態によれば、介設板５４０を所定位置に戻さないまま、内枠４に対して前扉５を閉じても、図４２（ｂ）及び図４４に示すように、ロック部材５６０（先端部材５６１）が逃げ部５００４ａに受け入れられるので、内枠４と前扉５との間にロック部材５６０が部分的に介在されず（挟まれず）、内枠４の正面と前扉５の背面とを全面で当接（衝突）させることができる。その結果、衝突時の力を全面に分散させ、面圧を下げることができ、破損を抑制できる。
【０２８１】
次いで、図４５から図５０を参照して、第６実施形態について説明する。第１実施形態では、ロック部材５６０の第１位置から第２位置へのスライド操作が、レバー部材５７０により規制される場合を説明したが、第６実施形態では、ロック部材５６０の第１位置から第２位置へのスライド操作が、スライド板６５４０により規制される。なお、上記各実施形態と同一の部分には同一の符号を付して、その説明は省略する。
【０２８２】
図４５は、第６実施形態における前扉５の上側部分の分解背面斜視図である。図４５に示すように、本体部材５１０の上面には、スライド板６５４０をスライド操作可能に配設するための収容部６５１１が凹設され、その収容部６５１１の一部には、作業空間６５１１ａが凹設される。作業空間６５１１ａには、所定の部材（機器）が収容される。
【０２８３】
スライド板６５４０は、作業空間６５１１ａを遮蔽する遮蔽位置（図４７（ａ）参照）と、作業空間６５１１ａを開放する開放位置（図４７（ｂ）参照）との間でスライド操作が可能とされる。即ち、通常は、スライド板６５４０が遮蔽位置に配置され、作業空間６５１１ａに収容される所定の部材の交換、メンテナンス（調整）、設定の変更・切換、スイッチ操作などを行う際には、スライド板６５４０が遮蔽位置から開放位置にスライド操作される。ここで、スライド板６５４０について、図４６を参照して説明する。
【０２８４】
図４６（ａ）は、スライド板６５４０の上面図であり、図４６（ｂ）は、図４６（ａ）の矢印ＸＬＶＩｂ方向視におけるスライド板６５４０の側面図であり、図４６（ｃ）は、図４６（ｂ）のＸＬＶＩｃ−ＸＬＶＩｃ線におけるスライド板６５４０の断面図であり、図４６（ｄ）は、図４６（ｂ）のＸＬＶＩｄ−ＸＬＶＩｄ線におけるスライド板６５４０の断面図である。
【０２８５】
図４６に示すように、スライド板６５４０は、長尺板状の上面板６５４１と、その上面板６５４１の長手方向一端側（図４６（ｂ）右側）における底面から突出される直方体状の箱状部６５４２とを備えて形成される。
【０２８６】
上面板６５４１には、その長手方向に沿う縁部から板状の突片部６５４１ａがそれぞれ突設され、各突片部５３１が本体部材６５１０の突片部６５１０ａ及び背面部材６５５０の突片部６５５０ａ（それぞれ図４８参照）の下面に係合されることで、スライド板６５４０が収納部６５１１から取り外し不能とされる。
【０２８７】
上面板６５４１は、収容部６５１１の作業空間６５１１ａと反対側の底面（作業空間６５１１ａが凹設される底面よりも高さが一段高くされた底面）に載置され、その底面上を摺動される。
【０２８８】
箱状部６５４２には、ロック部材５６０が挿通可能に形成される挿通孔６５４２ａが貫通形成される。即ち、挿通孔６５４２ａは、スライド板６５４０が遮蔽位置に配置されると（図４７参照）、後述する本体部材６５１０の保持部５１１ｅ及び背面部材６５５０の挿通孔５５１と一直線上となる位置（即ち、挿通孔６５４２ａの両端開口が保持部５１１ｅ及び挿通孔５５１に対面される位置）に配置される（図４８参照）。
【０２８９】
箱状部６５４２は、収容部６５１１の作業空間６５１１ａが凹設される底面に載置され、その底面上を摺動される。この場合、箱状部６５４２の長手方向端面（図４６（ｂ）左側）が、収容部６５１１の底面における段差（上面板６５４１が載置される底面と箱状部６５４２が載置される底面との間の段差）に当接されることで、スライド板６５４０の収容部６５１１からの取り外しが不能とされると共に、スライド板６５４０が開放位置に配置される。
【０２９０】
図４５に戻って説明する。本体部材６５１０には、保持部５１１ｅが、背面部材６５５０には、挿通孔５５１及びロック部材５６０が、それぞれ形成または配設される。これら本体部材６５１０の保持部５１１ｅ並びに背面部材６５５０の挿通孔５５１及びロック部材５６０は、第１実施形態における本体部材５１０の保持部５１１ｅ並びに背面部材５５０の挿通孔５５１及びロック部材５６０と配設位置が異なる点を除き、他の構成は実質的に同一であるので、同じ符号を付してその説明は省略する。
【０２９１】
次いで、第６実施形態における抑制機構の操作方法について、図４７から図５０を参照して説明する。
【０２９２】
図４７（ａ）は、スライド板６５４０及びロック部材５６０がそれぞれ遮蔽位置および第１位置にスライド操作された状態における前扉５の上面図であり、図４７（ｂ）はスライド板６５４０及びロック部材５６０がそれぞれ開放位置および第２位置にスライド操作された状態における前扉５の上面図である。
【０２９３】
また、図４８は、図４７（ａ）のＸＬＶＩＩＩ−ＸＬＶＩＩＩ線における前扉５の断面図であり、図４９は、図４８に示す状態からロック部材５６０が第２位置にスライド操作された状態における前扉５の断面図であり、図５０は、図４７（ｂ）のＬＩ−ＬＩ線における前扉５の断面図である。
【０２９４】
作業空間６５１１ａにおける所定の部材の交換またはメンテナンスを行うに際しては、ロック部材５６０のスライド操作（押し込み操作または引き出し操作）を可能とするべく、まず、内枠４に対して前扉５を開放する。
【０２９５】
図４７（ａ）及び図４８に示すように、ロック部材５６０が第１位置に押し込み操作された状態では、スライド板６５４０の挿通孔６５４２ａにロック部材５６０が挿通され、挿通孔６５４２ａの一端側から突出するロック部材５６０（基部材５６２）の基端が本体部材６５１０の保持部５１１ｅ内に保持されると共に、挿通孔６５４２ａの他端側から突出するロック部材５６０（先端部材５６１）の先端が背面部材６５５０の挿通孔５５１に保持される。よって、スライド板６５４０は、スライド操作が不能とされ、遮蔽位置（所定位置）に保持される。
【０２９６】
図４７（ａ）及び図４８に示す状態から、ロック部材５６０が背面部材６５５０の背面側へ引き出し操作され、第２位置に達すると、図４９に示すように、ロック部材５６０（基部材５６２）がスライド板６５４０の挿通孔６５４２ａから抜き取られる。これにより、スライド板６５４０を遮蔽位置から解放位置へスライド操作することが可能とされる。
【０２９７】
図４７（ｂ）及び図５０に示すように、スライド板６５４０が開放位置に配置されると、作業空間６５１１ａが開放されるので、かかる作業空間６５１１ａに収容される所定の部材の交換やメンテナンスなどの作業が可能とされる。
【０２９８】
このスライド板６５４０が開放位置に配置された状態では、ロック部材５６０が引き出し操作により第２位置に配置されており、かかるロック部材５６０が第２位置に配置された状態では、背面部材６５５０の背面からロック部材５６０（先端部材５６１）が突出される。
【０２９９】
そのため、上述したように、内枠４の正面と前扉５の背面との間にロック部材５６０が介在されることで、内枠４に対して前扉５を閉じることができない。これにより、作業者に対してスライド板６５４０の遮蔽位置（所定位置）への戻し忘れを認識させることができる。
【０３００】
また、本実施形態では、スライド板６５４０が開放位置に配置された状態では、かかるスライド板６５４０が前扉５から突出された状態を形成できる。これにより、作業者に対してスライド板６５４０の遮蔽位置への戻し忘れを認識させることができる。
【０３０１】
特に、スライド板６５４０は、前扉５の回動先端側（回転中心と反対側）の側方へ向けて突出され、かかるスライド板６５４０が、前扉５を開閉する作業者の動作を阻害することとなるため、作業者に対してスライド板６５４０の遮蔽位置への戻し忘れを認識させることができる。一方で、スライド板６５４０は前扉の側方へ突出されるので、かかるスライド板６５４０が突出された状態で作業者が不用意に前扉５を内枠４に対して閉じた場合でも、スライド板６５４０と内枠４との干渉を回避して、その破損を抑制できる。
【０３０２】
また、この状態（スライド板６５４０を遮蔽位置へ戻し忘れている状態）では、スライド板６５４０の箱状部６５４２の背面（後端面）が、ロック部材５６０の基部材６５２の基端に対面されることで、ロック部材５６０の第１位置への押し込み操作が規制される。ロック部材５６０を第１位置へ押し込み操作する（即ち、前扉５を内枠４に対して閉じることが可能な状態を形成する）ためには、スライド板６５４０を所定位置（遮蔽位置）へ配置する必要がある。即ち、スライド板６５４０を所定位置へ戻さない限り、ロック部材５６０を第１位置へ押し込み操作すること（前扉５を内枠４に対して閉じること）ができないので、スライド板６５４０の遮蔽位置への戻し忘れを抑制することができる。
【０３０３】
更に、本実施形態によれば、ロック部材５６０を第２位置に配置した後は、そのロック部材５６０の第１位置への押し込み操作を、スライド板６５４０の箱状部６５４２の背面（後端面）により規制することができる。即ち、第１実施形態の場合のように、レバー部材５７０を設ける必要がないので、その分、部品点数を削減して、製品コストの削減を図ることができる。
【０３０４】
次いで、図５１を参照して、第７実施形態について説明する。第２実施形態では、内枠４に対して前扉５を閉じた状態において、圧縮ばねＳＰ２が先端部材２５６１により軸方向に押し込まれて圧縮変形される場合を説明したが（図２３参照）、第７実施形態における圧縮ばねＳＰ２は、先端部材２５６１に加え、保持部５１１ｅの挿入片７５１１ｆによっても軸方向に押し込まれて圧縮変形される。なお、上記第１実施形態と同一の部分には同一の符号を付して、その説明は省略する。
【０３０５】
図５１は、第７実施形態における内枠４及び前扉５の部分拡大断面図であり、図２３に対応する。図５１に示すように、ロック部材７５６０の基部材７５６２の後端には、その基部材７５６２の少なくとも上面（図５１上側の面）及び後端面（図５１左側の面）を含む領域が切り欠かれることで開口が形成され、かかる開口が切り欠き部７５６２ｆとされる。
【０３０６】
一方、本体部材５１０の保持部５１１ｅには、その凹部の内壁面および底面から突出される挿入片７５１１ｆが、ロック部材７５６０の切り欠き部７５６２ｆに対応する位置に形成される。よって、保持部５１１ｅにロック部材７５６０（基部材７５６２）の基端が保持されると、基部材７５６２の切り欠き部７５６２ｆから摺動案内部２５６２ｂ内へ挿入片７５１１ｆが挿入され、圧縮ばねＳＰ２を圧縮変形させる。
【０３０７】
このように、本実施形態によれば、内枠４に対して前扉５を閉じた状態では、内枠４の正面に当接された棒状部２５６１ａが、上述した寸法Ｌ１（図１９参照）の分だけ摺動案内部２５６２ｂ内へ押し込まれることで、圧縮ばねＳＰ２を圧縮変形させることに加え、保持部５１１ｅの挿入片７５１１ｆが摺動案内部２５６２ｂ内へ挿入されることでも、圧縮ばねＳＰ２を更に圧縮変形させることができる。即ち、第２実施形態の場合（図２３参照）と比較して、圧縮ばねＳＰ２の圧縮変形量を大きくして、先端部材２５６１を突出方向（図５１右方向）へ付勢する付勢力を大きくできる。
【０３０８】
従って、内枠４に対して前扉５を開放する際に、圧縮ばねＳＰ２の付勢力により先端部材２５６１をより強い力で突出させることができるので、内枠４を開放方向（前扉５から離間する方向、図５１右方向）へ押し出す動作、及び、その反作用により前扉５を開放方向（内枠４から離間する方向、図５１左方向）へ押し出す動作を確実に行わせることができる。その結果、前扉５の重量が比較的大きな場合であっても、内枠４に対して前扉５を開放させやすくして、作業者の負担を軽減できる。
【０３０９】
一方で、ロック部材７５６０が第２位置にスライド操作（引き出し操作）された状態では（例えば、図２０及び図２１参照）、保持部５１１ｅの挿入片７５１１ｆが切り欠き部７５６２ｆから抜き取られた状態とされ、圧縮ばねＳＰ２を基部材７５６２（摺動案内部２５６２ｂ）の後端面と先端部材２５６１のピストン部２５６１ｂとの間で圧縮変形させることができる。
【０３１０】
即ち、挿入片７５１１ｆが挿入されていない分、先端部材２５６１の押し込み方向（図２０及び図２１の左方向）へのストローク可能量を確保できるので、ロック部材７５６０が第２位置にある状態（即ち、介設板５４０を戻し忘れた状態）で、内枠４に対して前扉５が閉じられる場合に（図２４及び図２５参照）、圧縮ばねＳＰ２の弾性的な圧縮変形による緩衝作用を発揮させやすくできる。その結果、衝突の勢いを弱めて、レバー部材５７０の破損を抑制できる。
【０３１１】
次いで、図５２から図５８を参照して、第８実施形態における抑制機構について説明する。
【０３１２】
まず、第８実施形態における遊技機主部８００３の全体構成について、図５２及び図５３を参照して説明する。図５２は、第８実施形態における遊技機主部８００３の分解正面斜視図である。図５３（ａ）は、内枠８００４の正面図であり、図５３（ｂ）は、図５３（ａ）のＬＩＩＩｂ−ＬＩＩＩｂ線における内枠８００４の断面図である。なお、上記各実施形態と同一の部分には同一の符号を付してその説明を省略する。
【０３１３】
図５２及び図５３に示すように、第８実施形態における内枠８００４には、後述するロック部材８５６０が挿通するための挿通孔８００４ａと、誘導レール７５の間に後述する突出部材８７１３が突出するための開口８００４ｂとが正面から背面に亘って貫通形成される。
【０３１４】
挿通孔８００４ａは、内枠８００４の回転軸側（図５３（ａ）左側）の上方に形成されると共に、ロック部材８５６０の正面視の外形と略同一もしくは大きく形成され、内側にロック部材８５６０が挿通される。
【０３１５】
開口８００４ｂは、誘導レール７５の間に形成されると共に、突出部材８７１３の正面視における外形と略同一もしくは大きく形成され、内側に突出部材８７１３が挿通される。
【０３１６】
内枠８００４の背面には、打出規制部材８７１０が配設される。打出規制部材８７１０は、貫通孔８００４ａの正面視右側に配設される押込部材８７１１と、押込み部材８７１１の下方に配置されるスライド片８７１２と、スライド片８７１２の下方に配置される突出部材８７１３とを主に備える。
【０３１７】
押込部材８７１１は、ロック部材８５６０に押圧されることで、前後方向に摺動する部材であり、ロック部材８５６０と少なくとも一部が左右方向（図５３（ａ）左右方向）に重なって配置される。また、押込部材８７１１は、側面視台形状に形成されると共に、先端に向かって上下方向の厚みが小さく（細く）なる先細りに形成される。即ち、押込部材８７１１には、下面側が先端（正面）へ向かうほど上方へ上昇傾斜する傾斜面８７１１ａが形成される。
【０３１８】
スライド片８７１２は、Ｌ字の短辺側の先端を点対称に２つ連結した側面視形状に形成されると共に、左右方向に所定の厚みを備えて形成される。また、スライド片８７１２の上下両端部には、中心に向かって傾斜する傾斜面８７１２ａと傾斜面８７１２ｂとが形成される。即ち、傾斜面８７１２ａ及び傾斜面８７１２ｂは、正面へ向かうに従って上方へ上昇傾斜される。
【０３１９】
傾斜面８７１２ａは、押込部材８７１１の傾斜面８７１１ａと当接する面であり、その傾斜角度は、押込部材８７１１の傾斜面８７１１ａの傾斜角度と合わせて略直角に設定される。また、傾斜面８７１２ｂは、下端側に形成される面であり、後述する突出部材８７１３の傾斜面８７１３ｃと当接して配置される。
【０３２０】
突出部材８７１３は、上述した開口８００４ｂから突出する部材であり、正面視における左右（図５３（ａ）左右側）の側面が誘導レール７５の円弧軸と同一の軸を備えた湾曲形状に形成される。また、突出部材８７１３は、側面視略台形に形成され、正面側の端面に遊技盤の平面と略平行に形成された突出面８７１３ａと、背面側に先端に向かって下方傾斜する傾斜面８７１３ｂと、傾斜面８７１３ｂの基部から連結すると共に、上方に突出した板状の突壁８７１３ｃとを主に備える。
【０３２１】
傾斜面８７１３ｂは、上述したスライド片８７１２の傾斜面８７１２ｂと当接する面であり、その傾斜角度はスライド片８７１２の傾斜面８７１２ｂの傾斜角度と合わせて略直角に形成される。
【０３２２】
突壁８７１３ｃの前方には、圧縮ばねＳＰ４が配置される。圧縮ばねＳＰ４は、突壁８７１３ｃと遊技盤１３との間に所定量縮まった様態で配置されており、圧縮ばねＳＰ４の付勢力により突出部材８７１３が常に後方に付勢された状態で配設される。また、突壁８７１３ｃは、突出部材８７１３が後方に位置する際に、スライド片８７１２の前面と当接した状態で配置される。これにより、突出部材８７１３が圧縮ばねＳＰ４により所定位置よりも引き込まれることを抑制できる。
【０３２３】
なお、突出部材８７１３ｃが圧縮ばねＳＰ４の付勢力により、後方に引き込まれた状態では、突出面８７１３ａが、遊技盤１３の前面と面一に配置される。これにより、突出面８７１３ａが、遊技領域ＰＥに発射される（誘導レール７５の間を通過する）遊技球に影響を与えない。
【０３２４】
次に、図５４を参照して、ロック部材８５６０について説明する。図５４（ａ）は、ロック部材８５６０の正面斜視分解図であり、図５４（ｂ）は、ロック部材８５６０の側面図であり、図５４（ｃ）は、図５４（ｂ）のＬＩＶｃ−ＬＩＶｃ線におけるロック部材８５６０の断面図である。
【０３２５】
図５４（ａ）から図５４（ｃ）に示すように、ロック部材８５６０は、先端部材８５６１と、その先端部材８５６１の基端側に連結される基部材８５６２とを主に備え、基部材８５６２の基端側には、複数の張出部５６２ａが張り出し形成される。
【０３２６】
先端部材８５６１は、その基端側の厚み寸法が小さくされ、その厚み寸法が小さくされた部分に軸支孔８５６１ａが穿設される。一方、基部材８５６２は、厚み方向に２分割され、一方の分割体の先端側に軸部８５６２ｂが突設される。軸部８５６２ｂをねじりバネＳＰ５と軸支孔８５６１ａに挿通した状態で、両分割体がボルトＢＴにより締結固定されて一体化されることで、先端部材８５６１の基端側に基部材８５６２が回転可能に連結される。即ち、ロック部材８５６０が屈曲可能に形成される。
【０３２７】
また、先端部材８５６１と基部材８５６２との延設方向が同一（一直線上）に配置された状態において、先端部材８５６１の基端側の一側（図５４（ｃ）上側）の面には、基部材８５６２と当接する当接面８５６１ｂが形成されると共に、他側（図５４（ｃ）下側）の面には、軸支孔８５６１ａの軸と同一の軸を有する円弧状に形成された湾曲面８５６１ｃを備える。
【０３２８】
これにより、基部材８５６２に対する先端部材８５６１の回転は、一方向（図５３（ｃ）時計回り）のみに規制される。即ち、先端部材８５６１と基部材８５６２との延設方向が同一に配置された状態では、先端部材８５６１の当接面８５６１ｂが基部材８５６２に当接する様態で配置される。よって、基部材８５６２に対して先端部材８５６１は、一側方向（図５３（ｃ）反時計回り）に回転不能となる。一方、他側方向の回転は、湾曲面８５６１ｃにより、先端部材８５６１の回転に必要なスペースが確保されるので、先端部材８５６１を回転させることができる。
【０３２９】
ここで、上述したように、基部材８５６２の軸部には、ねじりバネＳＰ５が配設される。図５４（ｂ）に示すように、ねじりバネＳＰ５は、一端側に延びる端部が、先端部材８５６１を一側方向に付勢し、他端側に延びる端部が、基部材８５６２を一側方向に付勢した様態で配置される。
【０３３０】
これにより、ロック部材８５６０は、先端部材８５６１と基部材８５６２との延設方向が、常に同一となるように、ねじりバネＳＰ５により付勢される。その結果、先端部材８５６１に他側方向の外力が作用し、先端部材８５６１が基部材８５６２に対して回転したとしても、他側方向の作用する外力を解除することで、先端部材８５６１がねじりバネＳＰ５の付勢により回転して、先端部材８５６１と基部材８５６２との延設方向を同一（外力が作用する前の状態）にすることができる。
【０３３１】
次に、図５５を参照して、外枠８００２について説明する。図５５（ａ）は、外枠８００２の正面斜視図であり、図５５（ｂ）は、外枠８００２の正面図であり、図５５（ｃ）は、図５５（ｂ）のＬＶｃ−ＬＶｃ線における折込部材８００２ａの断面図である。
【０３３２】
図５５（ａ）及び図５５（ｂ）に示すように、外枠８００２には、その内側に突出した折込部８００２ａが形成される。折込部８００２ａは、ロック部材８５６０が当接した際にロック部材８５６０の先端部材８５６１を基部材８５６２に対して回転させる部材であり、ロック部材８５６０の後方に配置される。
【０３３３】
また、図５５（ｃ）を参照すると、折込部８００２ａは、断面略三角形に形成されると共に前方側に突出する第１折込部８００２ａ１と、第１折込部８００２ａ１の基端側と連結する第２折込部８００２ａ２とを主に備えて形成される。
【０３３４】
次いで、図５６を参照して、ロック部材８５６０の動作について説明する。図５６（ａ）から図５６（ｄ）は、外枠８００２から開放された遊技機主部８００３を閉鎖する動作の各状態におけるパチンコ機１の上面図である。
【０３３５】
図５６（ａ）及び図５６（ｂ）に示すように、遊技機主部８００３を外枠８００２から一端を軸に回転させることで、内枠８００４の背面にロック部材８５６０が操作可能に露出される。
【０３３６】
遊技機主部８００３を外枠８００２から一端を軸に回転させた状態で、ロック部材８５６０が、内枠８００４から後方に引き抜かれると、第１実施形態と同様に、レバー部材５７０の先端側が上方へ跳ね上げられて、介設板５４０を上方へ押し上げる。また、レバー部材５７０の先端側が、背面部材８５５０の挿通孔８５５１に対面する位置に配置される。これにより、ロック部材８５６０の押込み方向への移動が規制される。
【０３３７】
次に、図５６（ｃ）及び図５６（ｄ）を参照して、介設板５４０を取り外した状態で遊技機主部８００３を外枠８００２に対して回転させて閉鎖した場合の説明をする。ロック部材８５６０は、内枠８００４から後方に引き抜かれると、先端部材８５６１が内枠８００４から突出した状態で配置される。この先端部材８５６１が内枠８００４から突出した状態で、遊技機主部８００３を外枠８００２に閉鎖すると、ロック部材８５６０の先端部材８５６１が外枠８００２の折込部８００２ａと当接する。
【０３３８】
この場合、先端部材８５６１は、折込部８００２ａの第１折込部８００２ａ１と初めに当接する。第１折込部８００２ａ１は、上述したように、断面略三角形状に傾斜して形成されるので、第１折込部８００２ａ１の傾斜により、ロック部材８５６０の後方への変位に従って、ロック部材８５６０に先端部材８５６１を回転させる外力を作用させることができる。
【０３３９】
更に、第１折込部８００２ａにより、先端部材８５６１が基部材８５６２に回転させられると、先端部材８５６１の端部が、第１折込部８００２ａ１と第２折込部８００２ａ２との連結部分に到達し、第２折込部８００２ａ２の側面をスライド変位する。これにより、先端部材８５６１が基部材８５６２に対して回転するための外力を作用させると共に、その回転距離を確保することができる。
【０３４０】
また、図５６（ｄ）を参照すると基部材８５６２に対して回転した先端部材８５６１は、その側面が、隣接して配設された押込部材８７１１の背面と当接する。よって、先端部材８５６１が基部材８５６２に対して回転するに従って、押込部材８７１１を前方に押し込むことができる。
【０３４１】
次に、図５７を参照して、打出規制部材８７１０の動作について説明する。図５７（ａ）及び図５７（ｂ）は、内枠８００４の断面図であり、図５３（ａ）のＬＩＩＩｂ−ＬＩＩＩｂ線における断面に対応する。
【０３４２】
上述したように、ロック部材８５６０の先端部材８５６１が基部材８５６２に対して回転させられると、その側面で、押込部材８７１１の背面を押圧する。これにより、押込部材８７１１を前方に変位させることができる。
【０３４３】
押込部材８７１１が前方に変位すると、押込部材８７１１の傾斜面８７１１ａがスライド片８７１２の傾斜面８７１２ａを摺動する。これにより、押込部材８７１１が押込まれた際の変位が、スライド片８７１２を下方に変位させる動作となる。更に、スライド片８７１２が、上述した押込部材８７１１の変位により、下方にスライド変位すると、スライド片８７１２の傾斜面８７１２ｂが突出部材８７１３の傾斜面８７１３ｂを摺動する。よって、押込部材８７１１により変位させられたスライド片８７１２の変位により、突出部材８７１３を前方に押し出すことができる。
【０３４４】
即ち、ロック部材８５６０を後方に引き抜いた（介設板５４０を取り外した）状態で遊技機主部８００３を回転させて、外枠８００２の内側に配置すると、押込部材８７１１が、先端部材８５６１の回転により押し込まれ、突出部材８７１３が前方に押し出される。
【０３４５】
これにより、作業者が、介設板５４０を戻し忘れ、介設板５４０が本体部材に配設されていない状態で、遊技機主部８００３を回転させて外枠８００２の内側に配置すると、突出部材８７１３が、誘導レール７５の間から突出する。これにより、作業者に対して、介設板５４０の取り付け忘れを認識させることができる。
【０３４６】
次に、図５８を参照して、突出部材８７１３と遊技球との関係について説明する。図５８（ａ）は、遊技機主部８００３の正面図であり、図５８（ｂ）は、図５８（ａ）のＬＶＩＩＩｂ−ＬＶＩＩＩｂ線における遊技機主部８００３の断面図である。なお、図５８（ｂ）には、ガラス８が、２点鎖線で図示される。
【０３４７】
突出部材８７１３と外レール７７（誘導レール７５）との間隔Ｌ１は、遊技球Ｔの直径Ｌ２よりも小さく、且つ、遊技球の直径Ｌ２の半分よりも大きく設定される（Ｌ２／２＜Ｌ１＜Ｌ２）。また、突出部材８７１３の突出面８７１３ａからガラス８までの距離Ｌ３は、遊技球Ｌ２の直径よりも小さく設定される（Ｌ３＜Ｌ２）。
【０３４８】
よって、間隔Ｌ１が遊技球Ｔの直径Ｌ２よりも小さく設定されるので、誘導レール７５に打出しされた球は、誘導レール７５の間を通過することができないため、遊技球Ｔが遊技領域ＰＥに発射（流入）されることを規制することができる。
【０３４９】
即ち、突出部材８７１３が誘導レール７５の間から突出して、遊技領域ＰＥに遊技球Ｔが流入することを規制することで、遊技が行われることを不能とするので、遊技球Ｔが遊技領域ＰＥの入球口に入球することを回避して、不正行為を伴った遊技が行われることを抑制できる。また、不正行為に関与しない遊技者が、意図せずに遊技を行う場合に、遊技を行うことが不能であることを認識させやすくすることができる。
【０３５０】
更に、突出部材８７１３は、遊技球Ｔが発射される誘導路７５の間に突出するので、遊技を行うことが不能であることを遊技者に認識させやすくできる。この場合、不正行為に関与しない遊技者が、遊技を行うことが不能であること認識できなかった際にも、発射された球が遊技領域ＰＥに発射されることが規制されるので、発射された球を下皿５０へ返却することができる。よって、遊技者に不利益を与えることを回避できる。
【０３５１】
なお、突出部材８５８３は、戻り防止部材６８の近傍に配設されることが好ましい。これにより、発射手段から発射された遊技球の行方を目視する遊技者に、突出部材８７１３の存在を認識させやすくすることができる。
【０３５２】
また、この場合、突出部材８７１３の引込動作は、介設板５４０を所定位置に取り付け、ロック部材８５６０を第１位置に戻すことで解除することができる。即ち、介設板５４０を所定の位置に戻さないと、突出部材８７１３が前方に位置して、遊技不能の状態とされるので、介設板５４０の戻し忘れを抑制できる。
【０３５３】
ここで、誘導路４２の間に、突出部材８７１３が突出して、遊技球Ｔを遊技領域ＰＥに発射できないようにするものであると、突出部材８７１３が没入された通常の遊技状態において、突出部材８７１３の引込み位置のばらつきや、突出部材８７１３と開口８００４ｂとの隙間により、誘導路４２を通過する遊技球に負荷を与えてしまい、遊技球Ｔを安定したスピードで遊技領域ＰＥに発射できないおそれがある。また、上述したばらつきや隙間に起因する段差により飛び跳ねた遊技球Ｔがガラス８に衝突して破損させるおそれがある。
【０３５４】
これに対し、本実施形態では、上述したように、突出部材８７１３と誘導レール７５との間隔Ｌ１は、遊技球Ｔの直径Ｌ２の半分よりも大きく形成される。よって、発射される遊技球Ｔは、発射した遠心力により外側の誘導レール７５に接触しながら遊技領域ＰＥまで誘導されるところ、通常の遊技状態では、遊技球Ｔが接触しない位置に突出部材８７１３が配置される（遊技球Ｔの半径よりも大きな間隔が突出部材８７１３と入口部分７５ｂとの間に形成される）ので、通常の遊技状態での遊技球Ｔの誘導に負荷を与えることがなく、安定したスピードで遊技球Ｔを遊技領域ＰＥに発射することができる。また、段差での遊技球Ｔの飛び跳ねを抑制して、ガラス８の破損を抑制できる。
【０３５５】
また、上述したように、突出部材８７１３の引込み位置のばらつきが発生したとしても、遊技球Ｔの誘導に負荷を与えなくすることができるので、突出部材８７１３の突出誤差および組み付け誤差を必要以上に考慮する必要がない。よって、部品の製造を簡易にすることができ、製造コストを削減することができる。
【０３５６】
次に、図５９から図６３を参照して、第９実施形態における抑制機構について説明する。
【０３５７】
図５９は、第９実施形態部における遊技機主部９００３の分解正面斜視図である。図６０（ａ）は、遊技機主部９００３の背面図であり、図６０（ｂ）は、図６０（ａ）のＬＸｂ−ＬＸｂ線における遊技機主部９００３の断面図である。なお、上記各実施形態と同一の部分には同一の符号を付してその説明を省略する。
【０３５８】
図５９及び図６０に示すように、第９実施形態における前扉９００５には、回転軸から遠方側（ハンドル側）にハンドル突出部材９７２０が配置される。ハンドル突出部材９７２０は、背面部材５５０の挿通孔５５１の背面視左側に隣接して配置されるスライド部材９７２１と、スライド部材９７２１の下方に一端が連結されて上下方向に延設された連結部材９７２２と、連結部材９７２２の他端に一端が連結された回転伝達部材９７２３と、操作ハンドル５１の中央に配置されると共に、背面側が回転伝達部材９７２３に連結される突出部材９７２４とを主に備える。
【０３５９】
スライド部材９７２１は、側面視台形に形成される。スライド部材９７２１は、背面側（図６０（ｂ）右側）の側面に、先端に延設すると共に下方傾斜した傾斜面９７２１ａが形成され、底面（図６０（ｂ）下側の面）に後述する連結部材９７２２の一端が挿入される所定の深さを有する穴状の連結穴９７２１ｂが形成される。
【０３６０】
傾斜面９７２１ａは、後述するロック部材９５６０の先端部材８５６１が当接して押圧される面である。スライド部材９７２１は、傾斜面９７２１ａが水平方向に押圧されることで、その押圧力により下方向に変位可能に配置される。
【０３６１】
連結穴９７２１ｂは、連結部材９７２２の一端が連結される穴であり、連結部材９７２２の直径と略同一、又は、小さく形成される。これにより、連結穴９７２１ｂに連結部材９５２の一端を圧入して、スライド部材９７２１と連結部材９７２２とが連結される。
【０３６２】
連結部材９７２２は金属部材から形成されると共に、所定の直径を有した丸棒から形成され前扉９００５の上下方向に延設される。連結部材９７２２の一端は、上述したように、スライド部材９７２１の連結穴９７２１ｂに挿入される。一方、連結部材９７２２の他端は、前扉９００５の回転軸と反対方向に屈曲した屈曲部９７２２ａを備える。
【０３６３】
回転伝達部材９７２３は、側面視楕円に形成されると共に、一端に、連結部材９７２２の屈曲部９７２２ａが挿入される孔状の貫通孔９７２３ａが形成される。また、回転伝達部材９７２３の他端には、前扉９００５の回転軸側（図２（ａ）左側）に突出する突起９７２３ｂが形成される。
【０３６４】
貫通孔９７２３ａは、上述したように、連結部材９７２２の屈曲部９７２２ａが挿入される孔であり、連結部材９７２２の直径と内径が略同一または、連結部材９７２２の直径よりも大きく形成される。これにより、回転伝達部材９７２３は、連結部材９７２２の屈曲部９７２２ａを軸にして回転可能に配置される。
【０３６５】
突起９７２３ｂは、前後方向に長穴形状に開口した摺動溝９００５ａに挿通されると共に、突出部材９７２４の一端側に形成された係合穴９７２４ａに挿通される。
【０３６６】
ここで、回転伝達部材９７２３は、貫通孔９７２３ａが突起９７２３ｂよりも上方に配置される。よって、回転伝達部材９７２３が、連結部材９７２２の屈曲部９７２２ａの軸を中心に回転すると、突起９７２３ｂが、摺動溝９００５ａの内部を摺動できる。
【０３６７】
また、連結部材９７２２の屈曲部９７２２ａと回転伝達部材９７２３の貫通孔９７２３ａとの間にねじりバネ（図示せず）が配設される。ねじりバネは、回転伝達部材９７２３の回転軸９５９３ａを中心に突起９７２３ｂ側を後方に付勢した状態（図６０（ｂ）では、貫通孔９７２３ａを中心に回転伝達部材９７２３を右回りに付勢した状態）で配設される。これにより、回転伝達部材９７２３がスライド部材９７２１及び連結部材９７２２の重力により回転することを抑制できる。
【０３６８】
突出部材９７２４は、円柱状に形成され、その延設方向を前後方向（図６０（ｂ）左右方向）として、操作ハンドル５１の中央部に配設される部材である。突出部材９７２４は、前後方向に摺動可能に配設され、後方に位置する際にその前面が操作ハンドル５１の前面と略同一となって配置される（図６０（ｂ）参照）。また、突出部材９７２４は、背面側の端部に正面視左右方向（図６０（ａ）左右方向）に貫通した孔状の係合穴９７２４ａを備える。
【０３６９】
係合穴９７２４ａは、上述した、回転伝達部材９７２３の突起９７２３ｂが挿入される。これにより、回転伝達部材９７２３が、連結部材９７２２の屈曲部９７２２ａの軸を中心に回転して、突起９７２３ｂが、摺動溝９００５ａの内部を摺動すると、突起９７２３ｂの摺動に連動して、突出部材９７２４を前後方向に摺動できる。
【０３７０】
ロック部材９５６０は、基部材９５６２が、第８実施形態の基部材８５６２と延設方向の長さ寸法が違うのみであり、その他の構成は、同一であるため詳しい説明は省略する。
【０３７１】
内枠９００４の遊技盤収容部１４１には、その内面に折込部８００２ａが形成される。折込部８００２ａは、ロック部材９５６０が当接した際に、ロック部材９５６０の先端部材８５６１を基部材９５６２に対して回転させる部材であり、ロック部材９５６０の後方に配置される。
【０３７２】
次いで、図６１を参照して、ロック部材９５６０の動作について説明する。図６１（ａ）から（ｄ）は、内枠９００４から開放された前扉９００５を閉鎖する動作の各状態における遊技機主部９００３の上面図である。なお、図６１（ａ）から図６１（ｄ）では、ロック部材９５６０及び折込部８００２ａが、破線で図示される。
【０３７３】
図６１（ａ）及び図６１（ｂ）に示すように、ロック部材９５６０は、前扉９００５を内枠９００４の一端を軸に回転させることで、内枠９００３の正面側から操作可能に配設される。
【０３７４】
前扉９００５を内枠９００４の一端を軸に回転させた状態で、ロック部材９５６０が、背面部材５５０から後方に引き抜かれると、第１実施形態と同様に、レバー部材５７０の先端側が、上方へ跳ね上げられて、介設板５４０を上方へ押し上げる。また、レバー部材５７０の先端側が、背面部材５５０の挿通孔５５１に対面する位置に配置される。これにより、ロック部材９５６０の押込み方向への移動が規制される。
【０３７５】
次に、図６１（ｃ）及び図６１（ｄ）を参照して、介設板５４０を取り外した（ロック部材９５６０を後方に引き抜いた）状態で、前扉９００５を内枠９００４に対して回転させて閉鎖した場合の説明をする。ロック部材９５６０は、背面部材５５０から後方に引き抜かれると、先端部材８５６１が内枠８００４から突出した状態で配設される。この（先端部材８５６１が背面部材５５０から突出した）状態で、前扉９００５を内枠９００４に閉鎖すると、ロック部材９５６０の先端部材８５６１が内枠９００４の折込部８００２ａに当接する。
【０３７６】
ここで、ロック部材９５６０の先端部材８５６１が折込部８００２ａと当接された後のロック部材９５６０の先端部材８５６１の動作は、第８実施形態と同様であるため、その詳しい説明は省略する。
【０３７７】
次に、図６２及び図６３を参照して、ハンドル突出部材９７２０について説明する。図６２（ａ）は、図６１（ｂ）の矢印ＶＸＩＩａ方向視における前扉９００５の背面図であり、図６２（ｂ）は、図６１（ｄ）の矢印ＶＸＩＩｂ方向視における前扉９００５の背面図である。図６３（ａ）は、図６２（ａ）のＬＸＩＩＩａ−ＬＸＩＩＩａ線における前扉９００５の断面模式図であり、図６３（ｂ）は、図６２（ｂ）のＬＸＩＩＩｂ−ＬＸＩＩＩｂ線における前扉９００５の断面模式図である。なお、図６２及び図６３は、内枠９００４の図示が省略される。
【０３７８】
ロック部材９５６０の先端部材８５６１が、基部材９５６２に対して回転させられると、その側面でスライド部材９７２１の傾斜面９７２１ａを押圧する。これにより、スライド部材９７２１を、下方にスライド変位させることができる。
【０３７９】
また、前扉９００５が内枠９００４に対して閉鎖された状態（図６１（ｄ）の状態）では、ロック部材９５６０の先端部材８５６１の底面の少なくとも一部が、スライド部材９７２１の上面と当接する。これにより、後述する突出部材９７２４が突出した状態に位置する際に、突出部材９７２４が押圧される力をロック部材９５６０の底面と先端部材８５６１の上面との面で受け止めることができる。その結果、ロック部材９５６０が破損することを抑制できる。
【０３８０】
スライド部材９７２１が下方に変位すると、スライド部材９７２１に連結された連結部材９７２２も同様に下方に変位させられる。これにより、連結部材９７２２が連結された回転伝達部材９７２３が下方に押し下げられる。
【０３８１】
回転伝達部材９７２３は、貫通孔９７２３ａを下方に押し下げられると、貫通孔９７２３ａを軸に回転しつつ前方にスライド変位する。よって、回転伝達部材９７２３の突起９７２３ｂと係合した突出部材９７２４が前方に押し出しされて、突出部材９７２４の前面が操作ハンドル５１の中央部から突出される。
【０３８２】
即ち、作業者が介設板５４０を戻し忘れ、介設板５４０が本体部材５１０に配設されていない状態で、前扉９００３を内枠９００４に閉鎖すると突出部材９７２４が操作ハンドル５１の中央部から突出する。これにより、作業者に対して、介設板５４０の取り付け忘れを認識させることができる。
【０３８３】
この場合、作業者が、突出部材９７２４の突出を認識できなかったとしても、突出部材９７２４がハンドル５１の前方に突出した状態となるので、遊技者が、ハンドル５１を操作できないので、遊技球Ｔを発射することが規制される。なお、突出部材９７２４の突出距離は、ハンドル５１に対してハンドル５１の半径よりも大きな寸法、より好ましくは、ハンドル５１の直径よりも大きな寸法に設定されることが好ましい。
【０３８４】
即ち、突出部材９７２４が、ハンドル５１に対してハンドル５１の半径よりも大きな寸法で突出することで、遊技者がハンドル５１を掴むことを抑制することができる。これにより、ロック部材９５６０が第１位置に配置されていない場合には、遊技が行われることを突出部材９７２４により、不能とすることができるので、不正行為を伴った遊技が行われることを抑制できる。
【０３８５】
また、操作ハンドル５１からの突出部材９７２４の突出は、前扉９００５を内枠９００４に閉鎖する動作中に開始されるので、その突出部材９７２４の突出を作業者に認識させやすくすることができる。例えば、内枠９００４に対して、前扉９００５を閉じた後に、突出部材９７２４が、操作ハンドル５１又は前扉９００５から突出する場合には、既にその際には作業者の意識が次の作業に向いているため、突出部材９７２４が操作ハンドル５１又は前扉９００３から突出されたことが認識し難い。これに対し、閉じる動作中であれば、作業者の意識が前扉９００３に向いている可能性が高いため、少なくとも突出部材９７２４の突出が開始されたことを作業者に認識させやすくできる。
【０３８６】
更に、操作ハンドル５１は、前扉９００５の回転軸と反対側に配置されているので、内枠９００４に対して前扉９００５を閉じる動作を作業者が行う際に、その作業者に接触させやすくすることができる。即ち、前扉９００５を閉じる場合、作業者は、内枠９００４の軸支される側と反対となる前扉９００５の幅方向他側を操作する（手で押し込む）ところ、かかる幅方向他側に突出部材９７２４が配設されることで、前扉９００５から突出する突出部材９７２４を作業者に認識しやすくすることができる。その結果、介設板５４０の所定位置への戻し忘れを作業者に認識しやすくすることができる。
【０３８７】
また、この場合、作業者は、操作ハンドル５１を掴んだ状態で、前扉９００５を内枠９００４に閉じる動作がしやすいところ、介設板５４０を所定位置に戻し忘れた状態では、操作ハンドル５１から、突出部材９７２４が突出するため、かかる作業者の手に突出部材９７２４の先端を押し当てやすくすることができる。その結果、介設板５４０の所定位置への戻し忘れを作業者に認識しやすくすることができる。
【０３８８】
次に、図６４を参照して、突出部材９７２４が操作ハンドル５１から突出した状態を説明する。図６４（ａ）は、突出部材９７２４の突出前における操作ハンドル５１の断面模式図であり、図６４（ｂ）は、突出部材９７２４の突出後における操作ハンドル５１の断面模式図である。
【０３８９】
操作ハンドル５１は、遊技者が遊技球Ｔを遊技領域に打出すために、回転操作する回転部材を備えて形成される。なお、回転部材については、その図示を省略する。
【０３９０】
図６４に示すように、操作ハンドル５１の中央に挿入された突出部材９７２４には、突起９７２４ｂが形成される。突起９７２４ｂは、突出部材９７２４から径方向外側に突出する部材であり、操作ハンドル５１の内部の空間に配置される。
【０３９１】
ここで、突出部材９７２４が前方に突出されると、突出部材９７２４に形成された突起９７２４ｂも同様に前方に変位する。突起９７２４ｂが前方に変位すると、操作ハンドル５１に配設される回転部材に係合する。これにより、突出部材９７２４が突出した状態では、操作ハンドル５１の回転部材の操作が不能となる。
【０３９２】
よって、操作ハンドル５１の回転部材の操作を不能として、遊技が行われることを不能とするので、遊技球Ｔが遊技領域ＰＥの入球口に入球することを回避して、不正行為を伴った遊技が行われることを抑制できる。また、不正行為に関与しない遊技者が、意図せずに遊技を行う場合に、遊技を行うことが不能であることを認識させやすくすることができる。
【０３９３】
また、この場合、不正行為に関与しない遊技者が、遊技を行うことが不能であること認識できなかった際にも、遊技球Ｔを発射することが規制されるので、遊技者に不利益を与えることを回避できる。
【０３９４】
次いで、図６５から図７０を参照して、第１０実施形態における抑制機構について説明する。
【０３９５】
まず、第１０実施形態における抑制機構の全体構成について、図６５から図６７を参照して説明する。図６５は、第１０実施形態における遊技機主部１０００３の分解正面斜視図である。図６６（ａ）は、遊技機主部１０００３の上面図であり、図６６（ｂ）は、遊技機主部１０００３の側面模式図である。図６７は、図６６（ａ）のＬＸＶＩＩ−ＬＸＶＩＩ線における断面模式図である。なお、上記各実施形態と同一の部分には同一の符号を付してその説明を省略する。
【０３９６】
図６５から図６７に示すように、第１０実施形態における前扉１０００５には、内枠９００４に対して回転する回転軸から遠方側の背面に回転規制部材１０７３０が配設される。一方、前扉１０００５の正面視右側の正面側には、下方に回転軸１０７５０を備えた装飾部材１０７４０が配設される。また、前扉１０００５には、装飾部材１０７４０の突出部１０７４２が挿入される開口１０００５ｂが、突出部１０７４２と対向する位置に貫通形成される。
【０３９７】
回転規制部材１０７３０は、背面部材５５０の挿通孔５５１の背面視左側に隣接して配置されるスライド部材９７２１とスライド部材９７２１の下方に一端が連結されて上下方向に延設された連結部材１０５９２と、連結部材１０５９２の他端に一端が連結された係合部材１０７３１とを主に備える。
【０３９８】
連結部材１０７２２は、第９実施形態における連結部材９７２２と延設長さ寸法が異なるのみであるため、その詳しい説明は省略する。なお、連結部材１０７２２は、第９実施形態の連結部材９７２２よりも長さ寸法が短く形成される。
【０３９９】
係合部材１０７３１は、側面視略Ｌ字状に形成されると共に、所定の厚みを備えて形成される。係合部材１０７３１は、側面視略Ｌ字状に形成された長辺側（一側）の端部に左右方向（図６６（ａ）左右方向）に貫通した孔の貫通孔１０７３１ｃが形成されると共に、長辺側（一側）の略中央部に左右方向両方向に突出した回転軸１０７３１ｂが形成される。一方、側面視略Ｌ字状に形成された短辺側（他側）は、後述する装飾部材１０７４０と係合する係合片１０７３１ａとして形成される。
【０４００】
回転軸１０７３１ｂは、係合部材１０７３１が前扉１０００５の背面に配置された際に、前扉１０００５に対して回転するための軸部であり、係合部材１０７３１の左右両方向に突出すると共に、円柱状に形成される。
【０４０１】
貫通孔１０７３１ｃは、連結部材１０７２２の屈曲部９７２２ａが挿入される孔であり、連結部材１０５９２の直径寸法よりも大きい孔径に設定される共に、係合部材１０７３１の一側の長手方向に長く開口した長穴形状に形成される。これにより、連結部材１０７２２が延設方向に変位した際に、連結部材１０７２２の屈曲部９７２２ａを貫通孔９７２３ａの内部で摺動させることができる。その結果、係合部材１０７３１は、回転軸１０７３１ｂの位置を変更することなく、連結部材１０７２２の変位に伴って回転軸１０７３１ｂを中心に回転変位できる。
【０４０２】
係合片１０７３１ａは、後述する装飾部材１０７４０の凹溝１０７４２ａの内側に嵌ることで、装飾部材１０７４０を変位不能とする部材であり、側面視略円弧状に形成され、その軸心は、回転軸１０７３１ｂの軸心と同一に設定される。これにより、係合部材１０７３１が回転軸１０７３１ｂを中心に回転変位する際に、装飾部材１０７４０の凹溝１０７４２ａの内側に嵌る断面積の面積を常に一定とできる。その結果、装飾部材１０７４０の凹溝１０７４２ａの形状を、係合部材１０７３１の回転変位と緩衝しないように考慮する必要がなく、凹溝１０７４２ａの溝幅を最小として形成することができる。
【０４０３】
また、係合部材１０７３１の回転軸１０７３１ｂには、ねじりバネ（図示せず）が配設される。ねじりバネは、係合部材１０７３１の回転軸１０７３１ｂを常に前方に回転する方向に付勢した状態で配設される。これにより、係合部材１０７３１が、スライド部材９７２１及び連結部材１０７２２の重力により回転することを抑制できる。
【０４０４】
次に、図６８を参照して、装飾部材１０７４０について詳しく説明する。図６８（ａ）は、装飾部材１０７４０の上面図であり、図６８（ｂ）は、装飾部材１０７４０の背面図であり、図６８（ｃ）は、図６８（ａ）のＬＸＶＩＩＩｃ−ＬＸＶＩＩＩｃにおける装飾部材１０７４０の断面図である。
【０４０５】
装飾部材１０７４０は、上面視略Ｕ字状に形成され、前扉１０００５の前面側に湾曲面が位置して前扉１０００５に配設される。また、装飾部材１０７４０は、透過性材料からなる部材であり、内部に設けられたＬＥＤ等の発光手段の点灯、又は点滅が遊技者に視認可能に構成され、前扉１０００５の回転軸と反対側（正面視右側）に配置される（図６５から図６７参照）。
【０４０６】
装飾部材１０７４０は、上面視略Ｕ字状に形成される本体部１０７４３と、回転するための回転軸１０７５０が挿通されるカバー部１０７４１と、係合部材１０７３１の係合片１０６０１ｂが係合する突出部１０７４２とを主に備える。
【０４０７】
本体部１０７４３は、所定の厚みを有する上面視略Ｕ字に形成されると共に、下側の背面側に、円弧状に切り欠かれた切欠き１０７４３ａを備える。切欠き１０７４３ａは、後述する軸孔１０７４１ａの軸と略同一の軸から形成される。
【０４０８】
カバー部１０７４１は、本体部１０７４３の切欠き１０７４３ａの外側の面から突出する部位であり、本体部１０７４３よりも厚みが小さく形成される。また、カバー部１０７４１には、左右方向に貫通した孔の軸孔１０７４１ａが形成される。軸孔１０７４１ａは、後述する回転軸１０７５０が挿通される孔であり、回転軸１０７５０の直径と略同一、若しくは、大きく形成される。よって、軸孔１０７４１ａが本体部１０７４３の背面側に形成されるので、装飾部材１０７４０を長手方向を垂直にして配置した場合、装飾部材１０７４０に前方に傾倒する方向に荷重を与えることができる。
【０４０９】
突出部１０７４２は、本体部１０７４３の背面から後方に突出した部位であり、装飾部材１０７４０が前扉１０００５に配設されると、前扉１０００５に形成された開口１０００５ｂに挿入される部位である。突出部１０７４２は、側面視扇状に形成され、その湾曲が、軸孔１０７４１ａの軸と略同一の軸から形成される。また、側面視扇状に形成された内側の湾曲面は、切欠き１０７４３ａの湾曲面と連なって形成される。
【０４１０】
これにより、装飾部材１０７４０が軸孔１０７４１ａの軸心を軸に前方に傾倒した際に、前扉１０００５の開口１０００５ａの内部を挿通する突出部１０７４２の断面を常に一定にすることができる。即ち、軸孔１０７４１ａの軸を中心とした径方向寸法Ｌ１を一定にすることができる。その結果、開口１０００５ａと装飾部材１０７４０との間に隙間ができることを抑制できる。
【０４１１】
更に、突出部１０７４２には、その先端から上方に軸方向外側に突出した突起１０７４２ｂが形成される。突起１０７４２ｂは、装飾部材１０７４０が軸孔１０７４１ａの軸心を軸に前方に傾倒した際に、ストッパとして機能する部材であり、突起１０７４２ｂと突出部１０７４２とを含む軸孔１０７４１ａの軸を中心とした径方向寸法Ｌ２が、開口１０００５ａよりも大きく形成される。これにより、装飾部材１０７４０が軸孔１０７４１ａの軸心を軸に前方に傾倒した際に、突起１０７４２ｂにより、傾倒する回転量を規制することができる。
【０４１２】
また、突出部１０７４２には、上述した、係合部材１０７３１の係合片１０７３１ａが挿入されるための凹溝１０７４２ａが形成される。凹溝１０７４２ａは、係合部材の回転軸１０７３１ｂの軸を軸心とした側面視扇状に湾曲形成された溝である。また、上述したように、凹溝１０７４２ａの内面には、係合片１０７３１ａが挿入されるため、凹溝１０７４２ａはその溝幅が、係合片１０７３１ａの外形よりも大きく形成される。
【０４１３】
図６７に戻って装飾部材１０７４０の配置について説明をする。図６７を参照すると、装飾部材１０７４０が配設される上皿１７には、上方に湾曲して突出した突部１７ａが形成される。
【０４１４】
突部１７ａは、その側面視中央部に回転軸１０７５０が挿入される軸支孔１７ｂが貫通形成される。装飾部材１０７４０は、突部１７ａの外周面を取り囲む状態で、前扉１０００５に配置されると共に、その配置された状態で、軸孔１０７４１ａに回転軸１０７５０を挿入されることで、前扉１０００５に取付られる。
【０４１５】
また、突部１７ａは、装飾部材１０７４０の切欠き１０７４３ａの湾曲形状と略同一の形状に形成されると共に、その円弧長さが、切欠き１０７４３ａよりも大きく設定される。これにより、装飾部材１０７４０が、軸孔１０７４１ａを軸に前方に傾倒することができる。
【０４１６】
よって、装飾部材１０７４０が前扉１０００５に配設された状態では、突部１７ａと切欠き１０７４３ａとの間形成される隙間を最小としつつ、装飾部材１０７４０が傾倒した際にも、その隙間が大きくなることを抑制できる。これにより、遊技機前面側に隙間ができることを抑制して、隙間に鋳物が挿入されて不正が行われることを抑制できる。
【０４１７】
次に、図６９を参照して、ロック部材９５６０の動作について説明する。図６９（ａ）から図６９（ｄ）は、内枠９００４から開放された前扉１０００５を閉鎖する動作の各状態における遊技機主部１０００３の上面図である。なお、図６９（ａ）から図６９（ｄ）では、ロック部材９５６０及び折込部８００２ａが破線で図示される。
【０４１８】
ここで、図６９に示す、内枠９００４から開放された前扉１０００５を閉鎖する動作の各状態の説明は、第９実施形態と前扉１０００５の形状が異なるのみであり、その他は同一であるため、その説明は省略する。
【０４１９】
次に、図７０を参照して、回転規制部材１０７３０の動作について説明をする。図７０（ａ）は、図６９（ｂ）のＬＸＸａ−ＬＸＸａ線における遊技機主部１０００３の断面図であり、図７０（ｂ）は、図６９（ｄ）のＬＸＸｂ−ＬＸＸｂ線における遊技機主部１０００３の断面図である。
【０４２０】
ロック部材９５６０の先端部材８５６１が、基部材９５６２に対して回転させられると、その側面でスライド部材９７２１の傾斜面９７２１ａを押圧する。これにより、スライド部材９７２１を下方にスライド変位させることができる。
【０４２１】
スライド部材９７２１が下方に変位すると、スライド部材９７２１に連結された連結部材１０７２２も同様に下方に変位させられる。これにより、連結部材１０７２２が連結された係合部材１０７３１が回転軸１０７３１ｂを中心に回転変位する。
【０４２２】
係合部材１０７３１の貫通孔１０７３１ｃ側が下方に変位すると、係合片１０７３１ａ側が上方に変位する。これにより、装飾部材１０７４０の凹溝１０７４２ａの内面から係合片１０７３１ａが抜け出る。よって、装飾部材１０７４０と係合部材１０７３１との係合が解除されて、装飾部材１０７４０が、軸孔１０７４１ａを軸にして前方に傾倒する。これにより、作業者が介設板５４０を取り外したあとで、介設板５４０を戻し忘れたとしても、前扉１０００５の前面に配設される装飾部材１０７４０を前方に傾倒させることができるので、作業者に介設板５４０の取り付け忘れを認識させることができる。
【０４２３】
また、装飾部材１０７４０の傾倒は、前扉１０００５を内枠９００４に閉鎖する動作中に開始されるので、装飾部材１０７４０の傾倒を作業者に認識させやすくすることができる。
【０４２４】
更に、装飾部材１０７４０は、前扉１０００５の回転軸と反対側に配置されるので、内枠９００４に対して前扉１０００５を閉じる動作を作業者が行う際に、その作業者に接触させやすくすることができる。その結果、介設板５４０の所定位置への戻し忘れを作業者に認識させやすくすることができる。
【０４２５】
また、第１０実施形態の場合、前扉１０００５から傾倒する装飾部材１０７４０は、上下方向に延設された部材であるので、装飾部材１０７４０が傾倒した際に、前扉１０００５から、装飾部材１０７４０の傾倒した距離を十分に確保することができる。これにより、前扉１０００５の前方で作業する作業者に確実に装飾部材１０７４０を接触させることができる。その結果、介設板５４０の所定位置への戻し忘れを作業者に認識させやすくすることができる。
【０４２６】
次いで、図７１から図７７を参照して、第１１実施形態について説明する。上記第１実施形態では、ロック部材５６０が第２位置（挿通筒部５４１から抜き取られた位置）に配置された状態とされる際に、内枠４に対して前扉５を閉じることが規制される場合について説明したが、第１１実施形態では、ロック部材５６０が第２位置に配置された状態で内枠４に対して前扉１１００５を閉じると、パネル部材５２０が変位する。なお、上記各実施形態と同一の部分には同一の符号を付してその詳しい説明は省略する。
【０４２７】
また、以下で説明するロック部材５６０の第１位置とは、第１実施形態と同様に、介設板５４０の挿通筒部５４１にロック部材５６０が挿通され、挿通筒部５４１の一端側から突出するロック部材５６０（基部材５６２）の基端が本体部材１１５１０の保持部５１１ｅ内に保持されると共に、挿通筒部５４１の他端側から突出するロック部材５６０（先端部材５６１）の先端が背面部材５５０の挿通孔５５１に保持された状態であり、第２位置とは、ロック部材５６０が背面部材５５０の背面側へ引き出し操作され、張出部５６２ａが背面部材５５０の正面に係合された状態である。
【０４２８】
さらに、以下の説明では、第１実施形態と同様に、図１に示すパチンコ機１の紙面手前側を正面側（前方）として、図１に示すパチンコ機１の紙面奥側を背面側（後方）として、図１に示すパチンコ機１の左右方向を左右方向として、図１に示すパチンコ機１の上下方向を重力方向（上下方向）として、説明する。
【０４２９】
初めに、図７１から図７４を参照して、前扉１１００５の上側部分の全体構成について説明する。図７１は、第１１実施形態における前扉１１００５の上側部分の正面図である。図７２は、前扉１１００５の上側部分の分解斜視図である。図７３は、遊技機主部１１００３の上面図である。図７４（ａ）及び図７４（ｂ）は、図７３のＬＸＸＩＶａ−ＬＸＸＩＶａ線における遊技機主部１１００３の断面模式図である。
【０４３０】
なお、図７１では、後述する透明領域Ｒ１及び不透明領域Ｒ２が２点鎖線で囲われて図示されると共に、透明領域Ｒ１の背面側に配置された状態のパネル部材１１５２０の外形が鎖線で図示される。また、図７３では、天板５３０及び介設板５４０が取り外された状態が（透明視されて）図示され、図７４（ａ）及び図７４（ｂ）では、それら天板５３０及び介設板５４０が取り付けられた状態が図示される。さらに、図７４（ａ）では内枠４に対して前扉１１００５が閉じられた状態が、図７４（ｂ）では内枠４に対して前扉１１００５が開けられて、ロック部材５６０が第２位置に配置された状態が、それぞれ図示される。
【０４３１】
図７１から図７４に示すように、第１１実施形態における前扉１１００５の上側部分は、正面側に配設される本体部材１１５１０と、その本体部材１１５１０に収容されるパネル部材１１５２０と、本体部材１１５１０に収容されると共に回転可能な状態で配設される回転部材１１８１０と、その回転部材１１８１０に連結される連結部材１１８２０と、本体部材１１５１０の上面に配設される天板５３０及び介設板５４０と、本体部材１１５１０の背面側に締結される背面部材１１５５０と、その背面部材１１５５０に配設されるロック部材５６０及びレバー部材５７０とを主に備える。
【０４３２】
本体部材１１５１０は、パチンコ機１の正面上部における電飾部を構成するための光透過性材料からなる部材であり、内部に設けられたＬＥＤ等の発光手段が、大当たり時や所定のリーチ等における遊技状態の変化に応じて、点灯または点滅することにより、遊技中の演出効果を高める役割を果たす。また、本体部材１１５１０は、正面側に後述するパネル部材１１５２０に対応する領域に透明材料から形成される透明領域Ｒ１（図７４（ａ）参照）を備え、その透明領域Ｒ１を介してパネル部材１１５２０に表示される機種情報等が視認可能とされる。
【０４３３】
また、パネル部材１１５２０の背面側には、パネル部材１１５２０と若干の間隔を隔てる位置に、透明材料から形成される異常表示部材１１５１８が配設される。異常表示部材１１５１８の背面側には、光を発光可能なＬＥＤが搭載されたＬＥＤ基盤１１５１９が配設される。これにより、ＬＥＤ基盤１１５１９から発光される光は、異常表示部材１１５１８を介してパネル部材１１５２０に入射した後に、パネル部材１１５２０から出射されて透明領域Ｒ１に発光（出射）される。
【０４３４】
異常表示装置１１５１８は、後述する内枠４に対する前扉１１００５の閉鎖動作に異常があった場合に、正面側に異常があることを表示する部材であり、部分的に透明な樹脂材料により文字や図形といった形状が形成される。従って、異常表示装置１１５１８の前方（正面側）にパネル部材１１５２０が配置されない場合には、上述した異常表示装置１１５１８の透明な領域を介してＬＥＤ基盤１１５２０から照射される光を前扉１１００５を閉鎖動作した作業者に視認させることができる。これにより、作業者は、異常表示装置１１５１８の透明な領域で形成される文字や図形を認識することができ、パチンコ機１に異常があることを把握できる。
【０４３５】
なお、本実施形態では、パネル部材１１５２０の背面側（異常表示装置１１５１８側）の側面に複数の凹凸からなる加工が施される。これにより、異常表示装置１１５１８の透明な領域を介して部分的にパネル部材１１５２０へ入射する光を拡散しやすくすることができる。従って、パネル部材１１５２０の正面側全域から光を出射し易くできる。
【０４３６】
さらに、本体部材１１５１０は、透明領域Ｒ１の下方に不透明材料から形成される不透明領域Ｒ２（図７４（ａ）参照）を備える。これにより、本体部材１１５１０の内部に配設される発光部材やスピーカー等の構成材料が遊技者に視認されることを抑制できる。即ち、不透明領域Ｒ２を利用して、発光部材やスピーカー等の構成材料を配設することができるので、透明領域Ｒ１の背面側の空間を確保してパネル部材１１５２０を配設し易くできると共に、本体部材１１５１０に配設される発光部材やスピーカー等の構成材料を配設する空間を確保できる。
【０４３７】
また、本体部１１５１０の正面側（透明領域Ｒ１及び不透明領域Ｒ２が形成される側）は、側面視において下方に向かって背面側に湾曲する湾曲面に形成される（図７４（ａ）参照）。これにより、パチンコ機１の正面側から本体部１１５１０を視認する場合に、透明領域Ｒ１の上下方向（図７４（ａ）上下方向）の可視領域を大きくすることができると共に、不透明領域Ｒ２の上下方向の可視領域を小さくすることができる。よって、遊技者側（正面側）から、透明領域Ｒ１を介して本体部１１５１０の内部空間を視認できる領域を大きくすることができる。その結果、透明領域Ｒ１を介して遊技者にパネル部材１１５２０を視認させやすくすることができる。
【０４３８】
さらに、本体部１１５１０の正面側は、上面視において左右の両端から中央部にかけて正面側に張り出す湾曲状に形成される（図７３参照）。また、パネル部材１１５２０は、後述するように、本体部１１５１０の内部空間に沿って湾曲形成されるので、本体部１１５１０の左右方向外側から、透明領域Ｒ１を介してパネル部材１１５２０を視認できる領域を大きくすることができる。
【０４３９】
本体部材１１５１０の上面には、天板５３０及び介設板５４０を配設するための収容部５１１が凹設される。収容部５１１は、その収容部５１１の内周縁（内壁面）のうちの互いに対向する左右（図７３左右）の内壁面に形成されるスライド溝５１１ａと、底面から下方へ向けて凹設される凹部５１１ｃ及び逃げ部５１１ｄと、その逃げ部５１１ｄの正面側に形成される保持部５１１ｅと、底面から下方に凹設され一端が凹部５１１ｃに連結されると共に他端が背面側（背面部材１１５５０側）に開放する収容溝１１５１３と、その収容溝１１５１３の両側面に凹設される第２収容溝１１５１４とを備える。
【０４４０】
収容溝１１５１３は、後述する回転部材１１８１０を収容するための空間であり、かかる回転部材１１８１０が回転可能な大きさに形成される。また、収容溝１１５１３は、収容部５１１の内周縁のうちの対向する左右の内壁面と離間した位置に一対形成され、後述する一対の回転部材１１８１０がそれぞれの収容溝１１５１３に配設される。
【０４４１】
第２収容溝１１５１４は、回転部材１１８１０に連結される連結部材１１８２０を収容する空間であり、連結部材１１８２０が配設される側（本実施形態では、一対の回転部材１１８１０の対向方向内側）の収容溝１１５１３の側面に連なって形成される。これにより、後述する連結部材１１８２０を本体部材１１５１０の内側に配設できる。
【０４４２】
また、収容溝１１５１３及び第２収容溝１１５１４には、凹溝１１５１３ａが収容部５１１の底面および第２収容溝１１５１４の底面から下方に向けて凹設される。凹溝１１５１３ａは、回転部材１１８１０の軸部１１８１１が配設される空間であり、対向する側面の離間距離（溝幅）が軸部１１８１１の外径よりも若干大きく設定される。これにより、凹溝１１５１３ａの内側に軸部１１８１１を配設して回転部材１１８１０を回転可能な状態で保持することができる。
【０４４３】
なお、本実施形態では、凹溝１１５１３ａに軸部１１８１１を配設した状態において、軸部１１８１１の上方に空間が形成された状態とされるが、軸部１１８１１が凹溝１１５１３ａから上方に抜け出ない（移動しない）ように、軸部１１８１１の上方の空間を塞ぐ部材を凹溝１１５１３ａに配設してもよい。
【０４４４】
回転部材１１８１０は、樹脂材料から形成されると共に、側面視略Ｌ字に屈曲する板状体から形成される。また、回転部材１１８１０は、側面視における屈曲部分に板圧方向に貫通する貫通孔が形成され、その貫通孔に金属材料からなる円柱状の軸部１１８１１が内嵌される。
【０４４５】
回転部材１１８１０は、一端側の外周面に被締結部１１８１２が円形状に凹設される。被締結部１１８１２は、後述するパネル部材１１５２０を締結固定するための雌ねじであり、かかるパネル部材１１５２０に挿通するネジを被締結部１１８１２に螺合することで、パネル部材１１５２０を被締結部１１８１２に締結固定できる。
【０４４６】
また、一対に形成される回転部材１１８１０の一方（連結部材１１８２０が配設される側）には、後述する連結部材１１８２０の挿通部１１８２１が挿通される長孔形状の摺動溝１１８１３が貫通形成される。これにより、連結部材１１８２０が変位された場合に、連結部材１１８２０の変位が摺動溝１１８１３を介して回転部材１１８１０に伝達され、回転部材１１８１０が軸部１１８１１を軸に回転変位される。
【０４４７】
なお、摺動溝１１８１３は、一対に形成される回転部材１１８１０の一方に形成される場合を説明したが、一対に形成される回転部材１１８１０の両方に形成されていても良い。この場合、回転部材１１８１０の部品を共通にすることができ、製造コストを削減できる。また、店舗に導入された後に、摺動溝１１８１３が破損した場合に、一対の回転部材１１８１０の配置を反対にすることで、新しい摺動溝１１８１３を使用することができ、部品交換にかかるコストを削減できる。
【０４４８】
連結部材１１８２０は、樹脂材料から形成されると共に、側面視矩形状の板状態から形成される。また、連結部材１１８２０は、本体部材１１５１０側の一端側から背面部材１１５５０側の他端側に延設して形成されると共に、一端側に板厚方向に貫通された貫通孔に内嵌される挿通部１１８２１を備え、他端側に板厚方向両側に膨出する膨出部１１８２２を備える。
【０４４９】
膨出部１１８２２は、本体部材１１５１０側（連結部材１１８２０の他端側）の側面の他側当接面１１８２２ｂと背面部材１１５５０側（連結部材１１８２０の一端側）の側面の一側当接面１１８２２ａとを備える。
【０４５０】
一側当接面１１８２２ａは、ロック部材５６０が第２位置に配置された状態で内枠４に対して前扉１１００５を閉じた場合に、ロック部材５６０が当接される面であり、かかるロック部材５６０の幅方向（ロック部材５６０の回転軸方向）寸法と略同一の幅方向（図７３左右方向）寸法に設定される。これにより、一側当接面１１８２２ａにロック部材５６０が当接した場合の当接面積を最大とすることができるので、連結部材１１８２０にロック部材５６０が当接した際の衝撃を分散することができ、一側当接面１１８２２ａ（連結部材１１８２０）が破損することを抑制できる。
【０４５１】
また、一側当接面１１８２２ａの下方には、他側当接面１１８２２ｂ側に凹設される規制部１１８２２ｃが凹設される。規制部１１８２２ｃは、連結部材１１８２０の背面部材１１５５０（背面側）側への変位を規制する部材であり、後述する当接部１１５５８ａと対向する位置に形成され、かかる当接部１１５５８ａと当接して連結部材１１８２０の背面側への変位が規制される。
【０４５２】
他側当接面１１８２２ｂは、後述するコイルばねＳＰ６が当接され、コイルばねＳＰ６の付勢力が作用される面である。これにより、連結部材１１８２０は、コイルばねＳＰ６の付勢力が作用されて、規制部１１８２２ｃが当接部１１５５８ａ側に近づく方向に付勢される。
【０４５３】
コイルばねＳＰ６は、螺旋状に複数回旋回されるバネ部材であり、その軸方向（旋回方向）がロック部材５６０の引き抜き方向（図７４（ａ）左右方向）に設定される。また、コイルばねＳＰ６は、背面部材１１５５０に締結固定される覆設部材１１８３０と、他側当接面１１８２２ｂとの対向間に若干圧縮された状態で配設される。従って、コイルばねＳＰ６の付勢力により、他側当接面１１８２２ｂ（連結部材１１８２０）を背面部材１１５５０に対して背面側に常時付勢することができる。
【０４５４】
覆設部材１１８３０は、上方側および背面部材１１５５０が開放する略箱形状に形成されており、対向する２面の背面部材１１５５０側の端部に外側に向かって立設される立設壁１１８３１が形成される。立設壁１１８３１には、円形状に貫通する貫通孔が複数個形成されており、その貫通孔を介してネジが背面部材１１５５０に締結されることで、覆設部材１１８３０が背面部材１１５５０に締結固定される。
【０４５５】
背面部材１１５５０には、介設板５４０の挿通筒部５４１に対応する位置に挿通孔５５１が穿設されると共に、その挿通孔５５１と後述する中間板１１５５９を挟んだ下方に第２挿通孔１１５５８が穿設される。
【０４５６】
第２挿通孔１１５５８は、内部に連結部材１１８２０の膨出部１１８２２が配設される孔であり、膨出部１１８２２の外形寸法（幅寸法及び高さ寸法）よりも若干大きな内縁形状に形成される。また、第２挿通孔１１５５８は、背面部材１１５５０の背面側（内枠４側）の端部の下面に上方に向かって突出する当接部１１５５８ａを備える。
【０４５７】
当接部１１５５８ａは、上述したように連結部材１１８２０の規制部１１８２２ｃが当接される部分であり、その突出寸法が、規制部１１８２２ｃの上下方向（図７４（ａ）上下方向）の凹設幅よりも小さく設定される。これにより、当接部１１５５８ａに規制部１１８２２ｃを当接させることができる。
【０４５８】
また、当接部１１５５８ａは、その厚み方向（前面から背面の方向（図７４（ａ）左右方向））の寸法が、規制部１１８２２ｃの凹設寸法（図７４（ａ）左右方向の寸法）と略同一に設定される。これにより、連結部材１１８２０がコイルばねＳＰ６により付勢され、規制部１１８２２ｃが当接部１１５５８ａに当接された状態では、一側当接面１１８２２ａを背面部材１１５５０の内枠４側の背面（図７４（ａ）右側側面）と面一にすることができる。これにより、ロック部材５６０が第２位置とされる場合に、ロック部材５６０の基部材５６２を一側当接面１１８２２ａに当接させることができる。
【０４５９】
さらに、当接部１１５５８ａは、その突出先端から挿通孔５５１の上端面までの離間距離が、ロック部材５６０の先端部材５６１の延設方向（図７４（ａ）左右方向）の寸法よりも大きくされる位置に設定される。これにより、ロック部材５６０が第２位置とされる場合に、ロック部材５６０の先端部材５６１が当接する部分を一側当接面１１８２２ａのみとすることができる。即ち、先端部材５６１が当接部１１５５８ａに当接することを抑制できる。
【０４６０】
中間板１１５５９は、上面が挿通孔５５１の内面の一部から形成されると共に、下面が第２挿通孔１１５５８の一部から形成される。また、中間板１１５５９は、背面部材１１５５０の正面側（本体部材１１５１０側）の側面（前面）に連なって形成されると共に、背面部材１１５５０の背面側（内枠４側）の側面（背面）から、ロック部材５６０の先端部材５６１の厚み方向（図７４（ａ）上下方向）の幅よりも大きい距離離間する位置に形成される。
【０４６１】
上述したように、ロック部材５６０が第２位置とされる場合には、先端部材５６１が当接部１１５５８ａに当接することが抑制されるので、ロック部材５６０を第２位置に維持したまま、先端部材５６１を挿通孔５５１及び第２挿通孔１１５５８の内側に挿入することができる。従って、ロック部材５６０が第２位置とされる場合に、内枠４に対して前扉１１００５を閉じると、先端部材５６１の背面側（内枠４側）が内枠４に当接して正面側（本体部材１１５１０側）に押し出され、先端部材５６１が挿通孔５５１及び第２挿通孔１１５５８の内側に挿入される。
【０４６２】
パネル部材１１５２０は、本体部材１１５１０の凹部５１１ｃの内部空間に沿った湾曲形状に樹脂材料から形成されると共に、軸部１１８１１の軸方向視において湾曲軸が軸部１１８１１の軸と略同一の位置に設定される。これにより、回転部材１１８１０を回転させてパネル部材１１５２０を変位させた場合の、パネル部材１１５２０の変位軌跡の領域を最小とすることができる。その結果、凹部５１１ｃの内部空間に他の部材を配置するスペースとして利用しやすくできる。
【０４６３】
また、パネル部材１１５２０は、左右方向（図７３左右方向）の両端部の下方に、左右方向に突出する締結部１１５２１が形成されており、その締結部１１５２１に形成される貫通孔に挿通されるネジが、回転部材１１８１０の被締結部１１８１２に螺合されることで、回転部材１１８１０に締結される。
【０４６４】
次いで、図７４及び図７５を参照して、パネル部材１１５２０を交換する手順について説明する。図７５（ａ）及び図７５（ｂ）は、遊技機主部１１００３の断面模式図である。なお、図７４（ａ）から図７５（ａ）は、パネル部材１１５２０を交換する場合の順番に、図７４（ａ）、図７４（ｂ）、図７５（ａ）が図示される。また、図７５（ｂ）では、ロック部材５６０が第１位置に戻されずに（第２位置のまま）内枠４に対して前扉１１００５が閉鎖された状態が図示される。さらに、図７５（ａ）及び図７５（ｂ）は、図７４（ａ）に対応する。
【０４６５】
図７４（ａ）に示すように、ロック部材５６０が第１位置に押込み操作された状態では、第１実施形態と同様に、介設板５４０の挿通筒部５４１にロック部材５６０が挿通され、挿通筒部５４１の一端側から突出するロック部材５６０（基部材５６２）の基端が本体部材１１５１０の保持部５１１ｅ内側に保持されると共に、挿通筒部５４１の他端側から突出するロック部材５６０（先端部材５６１）の先端が背面部材１１５５０の挿通孔５５１に保持される。よって、介設板５４０が本体部材１１５１０の収容部５１１から取り外し不能とされる。
【０４６６】
図７４（ｂ）に示すように、図７４（ａ）に示す状態から、ロック部材５６０が背面部材１１５５０の背面側（後方）へ引き出し操作され、張出部５６２ａが背面部材１１５５０の正面に係合される第２位置に達すると、ロック部材５６０のそれ以上の引出し操作が不能とされる。
【０４６７】
この引き出し操作により、ロック部材５６０（基部材５６２）が介設板５４０の挿通筒部５４１から抜き取られると共に、ロック部材５６０（基部材５６２）の基端の端面がレバー部材５７０を超える位置まで後退される。即ち、レバー部材５７０の上方に空間が形成される。これにより、レバー部材５７０がねじりバネＳＰ１の弾性回復力により回転され、その先端側が上方へ跳ね上げられる。この場合、レバー部材５７０の先端側の上面には介設板５４０の被当接部５４３が当接されているので、かかる被当接部５４３がレバー部材５７０によって上方へ押し上げられることで、介設板５４０の長手方向一端側（レバー部材５７０が配置された側）が上方に持ち上げられる。これにより、パネル部材１１５２０を交換する作業者は、介設板５４０の長手方向一端側（図７３左右方向左側）を手で掴んで、介設板５４０を取り外すことができる。
【０４６８】
図７５（ａ）に示すように、図７４（ｂ）に示す状態から、介設板５４０が、本体部材１１５１０から取り外されることで、天板５３０の後方（背面側、背面部材１１５５０側）に空間が形成されるので、かかる空間を利用して、天板５３０を後方にスライド変位（後退）させることができる。その結果、天板５３０の前方が開放され、パネル部材１１５２０の交換が可能とされる。なお、パネル部材１１５２０の交換は、天板５３０の前方の開放された空間からドライバー等を挿入して、パネル部材１１５２０と回転部材１１８１０とを締結しているネジを取り外すことで行われる。一方、パネル部材１１５２０を交換した後は、取り外しと反対の手順の作業を行うことで、パネル部材１１５２０を図７４（ａ）に示す状態に戻すことができる。
【０４６９】
次いで、図７５（ｂ）を参照して、作業者がパネル部材１１５２０を交換した後に、ロック部材５６０を第２位置から第１位置に戻し忘れた状態で、前扉１１００５を内枠４に対して閉めた場合について説明する。
【０４７０】
図７５（ｂ）に示すように、ロック部材５６０を第２位置に配置した状態で、作業者が介設板５４０を下方に押し込んで前扉１１００５を内枠４に対して閉めた場合には、ロック部材５６０の先端部材５６１が内枠４の前面（正面）により前方に押し出される。即ち、ロック部材５６０の先端部材５６１が、背面部材１１５５０の挿通孔５５１及び第２挿通孔１１５５８の内側に挿入される。
【０４７１】
上述したように、ロック部材５６０が第２位置に配置される場合には、ロック部材５６０の先端部材５６１が連結部材１１８２０の一側当接面１１８２２ａと当接した状態とされる。従って、ロック部材５６０が内枠４により前方に押し出されることで、連結部材１１８２０がロック部材５６０の変位分前方にスライド変位される。
【０４７２】
また、連結部材１１８２０が前方にスライド変位されると、連結部材１１８２０の挿通部１１８２１により摺動溝１１８１３の内面が前方に押し出される。これにより、回転部材１１８１０を、軸部１１８１１を中心に回転させることができる。その結果、回転部材１１８１０の被締結部１１８１２側を下方に変位させることができる。その結果、被締結部１１８１２に締結されるパネル部材１１５２０が下方に変位される。
【０４７３】
ここで、上述したように、透明領域Ｒ１の背面側（後方）には、異常表示部材１１５１８が配設される。従って、パネル部材１１５２０が下方（不透明領域Ｒ２の背面側）に変位されることで、異常表示部材１１５１８の表示が前方側から視認可能とされる。これにより、パネル部材１１５２０を交換した作業者にパチンコ機１に異常がある（ロック部材５６０を戻し忘れた）ことを作業者に認識させやすくできる。なお、異常表示部材１１５１８の表示内容としては、例えば、「異常あり」や「係員（作業者）をお呼び下さい」等の文字表示、若しくは、「×」等の図形表示が例示される。
【０４７４】
また、第１１実施形態では、本体部材１１５１０の正面側は、移動前の状態とされるパネル部材１１５２０に対応する領域（透明領域Ｒ１）が透明材料から形成されており、移動後の状態とされるパネル部材１１５２０に対応する領域（不透明領域Ｒ２）が不透明材料から形成される。従って、パネル部材１１５２０が移動された状態とされる場合に本体部材１１５１０を介してパネル部材１１５２０を視認しにくくさせることができる。その結果、作業者に対してロック部材５６０の戻し忘れを認識させることができる。
【０４７５】
さらに、上述したように、内枠4と前扉１１００５とは、ヒンジ１８により連結されており、ヒンジ１８を回転軸として内枠４に対する前扉１１００５の開閉が行われる。従って、前扉１１００５を内枠４に対して開閉動作させる作業者は、ヒンジ１８側と反対側に位置する場合が多い。上述したように、本体部１１５１０の正面側は、上面視において左右の両端から中央部にかけて正面側に張り出す湾曲状に形成されることで、透明領域Ｒ１を介してパネル部材１１５２０を視認できる領域が大きくされる。従って、内枠４に対して前扉１１００５を閉鎖する作業者からパネル部材１１５２０を視認させやすくすることができる。よって、内枠４に対して前扉１１００５を閉鎖する作業者にパネルｂ図愛１１５２０が移動する変位を視認させやすくすることができる。その結果、作業者に対してロック部材５６０の戻し忘れを認識させることができる。
【０４７６】
ここで、上述した第８から第１０実施形態では、ロック部材８５６０，９５６０，１０５６０を作業者が戻し忘れて、内枠４に対して前扉１１００５を閉じた際に、パネル部材５２０以外の部材を変位させて、作業者にロック部材８５６０，９５６０，１０５６０の戻し忘れを認識させる場合について説明した。
【０４７７】
しかしながら、上述した第８から第１０実施形態では、作業者にロック部材８５６０，９５６０，１０５６０の戻し忘れを認識させる必要があるために、変位させる部材が遊技者の遊技にとって邪魔となる位置（例えば、ハンドル５１）に変位される。そのため、作業者が変位された部材の変位に気が付かなかった場合に、遊技者には、遊技しにくい状態または、一見すると遊技可能に見えるが実際には遊技不可能な状態とされる。従って、遊技者の興趣を大きく損なう恐れがあった。
【０４７８】
これに対し、本実施形態では、遊技者がパチンコ機１を遊技する場合に、遊技に直接関わることがないパネル部材１１５２０を変位させるので、作業者が、ロック部材５６０を戻し忘れたことに気が付かず、内枠４に対して前扉１１００５を閉じた場合に作業者がパネル部材１１５２０の変位に気が付かなかったとしても、遊技者の遊技に支障が出る（遊技しにくい状態になる）ことを抑制できる。その結果、遊技者の興趣が損なわれることを抑制できる。
【０４７９】
また、第１１実施形態では、作業者が交換する交換対象のパネル部材１１５２０が変位される。従って、作業者は、通常その交換の作業の後に交換対象（パネル部材１１５２０）が適切な状態および位置に配置されているか確認するところ、かかる交換対象が変位されることでパチンコ機１に異常がある（ロック部材５６０を戻し忘れた）ことを作業者に認識させやすくできる。
【０４８０】
さらに、交換対象（パネル部材１１５２０）は、移動後に本体部材１１５１０の不透明領域の背面側に配置されるので、作業者が交換対象のパネル部材１１５２０を交換後に確認した際に、作業者からパネル部材１１５２０を視認しにくくすることができる。従って、作業者にパネル部材１１５２０の交換後の異常をその配置位置で判断させる必要がなくなり、作業者に交換対象が適切な位置でないことを認識させやすくできる。その結果、パチンコ機１に異常がある（ロック部材５６０を戻し忘れた）ことを作業者に認識させやすくできる。
【０４８１】
また、上述したように、コイルばねＳＰ６は、ロック部材５６０の移動方向に伸縮可能に配設される。従って、ロック部材５６０の先端部材５６１が、内枠４により前方に変位させる際に、コイルばねＳＰ６の付勢力によりロック部材５６０にブレーキをかけることができる。その結果、ロック部材５６０が早い速度で変化することを抑制でき、ロック部材５６０が破損することを抑制できる。
【０４８２】
なお、作業者が、介設板５４０を取り付けずに（戻し忘れて）また、介設板５４０を下方に押し込まずに前扉１１００５を内枠４に対して閉めた場合には、ロック部材５６０の基部材５６２の先端がレバー部材５７０の側面と当接することにより、ロック部材５６０のスライド変位が規制される。その結果、内枠４の正面と前扉１１００５の背面との間にロック部材５６０の先端部材５６１が介在されることで、内枠４に対して前扉１１００５を閉じることが規制される。その結果、作業者に対して介設板５４０の戻し忘れを認識させることができる。
【０４８３】
次いで、図７６及び図７７を参照して、図７５（ｂ）に示す状態からロック部材５６０の位置を第１位置に戻す場合の説明をする。図７６（ａ）は、図７５（ａ）のＬＸＸＶＩａ−ＬＸＸＶＩａ線における遊技機主部１１００３の断面模式図である。図７６（ｂ）は、図７５（ｂ）のＬＸＸＶＩｂ−ＬＸＸＶＩｂ線における遊技機主部１１００３の断面模式図である。図７７（ａ）及び図７７（ｂ）は遊技機主部１１００３の断面模式図である。
【０４８４】
なお、図７６（ａ）及び図７６（ｂ）では、ロック部材５６０、内枠４及び背面部材１１５５０以外の図示が省略される。また、図７７（ａ）では、図７５（ｂ）に示した状態から内枠４に対して前扉１１００５が開けられた状態が、図７７（ｂ）では、図７７（ａ）に示す状態から内枠４に対して前扉１１００５が閉じられた状態が、それぞれ図示される。
【０４８５】
初めに、図７６を参照して第１１実施形態におけるロック部材５６０の基部材５６２について説明する。第１１実施形態における基部材５６２には、軸部５６２ｂの軸方向両側の側面に周囲がコの字状に開口された突出部１１５６２ｃが形成される。
【０４８６】
突出部１１５６２ｃは、軸部５６２ｂ側が外面に連結して形成されており、基部材５６１の基端側（前面側（図７６（ａ）左側））に向かって延設される。また、突出部１１５６２ｃには、その先端側から突出部１１５６２ｃの軸部５６２ｂの軸方向（図７６（ａ）上下方向）外側に半円状に膨出する係合部１１５６２ｃ１が形成される。
【０４８７】
一対の突出部１１５６２ｃの互いの係合部１１５６２ｃ１の最大の離間距離Ｌ４（図７６（ｂ）参照）は、挿通孔５５１の水平方向の対向間の寸法Ｌ５（図７６（ｂ）参照）よりも大きく設定される（Ｌ４＞Ｌ５）。また、第２位置とされるロック部材５６０（図７６（ｂ）参照）の係合部１１５６２ｃ１の基端からの背面までの離間距離Ｌ６（図７６（ｂ）参照）は、背面部材１１５５０の厚み寸法Ｌ７（図７６（ｂ）参照）と略同一に設定される（Ｌ６＝Ｌ７）。
【０４８８】
これにより、図７６（ａ）に示すように、パネル部材１１５２０を交換する（ロック部材１１５６１を背面側に引き抜いた）際には、ロック部材５６０の係合部１１５６２ｃ１が背面部材１１５５０の挿通孔５５１の内側に挿入される。この場合、突出部１１５６２ｃは、周囲がコの字状に開口されるので、軸支孔５６１ａの軸方向に撓むことが許容される。従って、対向間の寸法Ｌ５よりも大きい寸法の離間距離Ｌ４に設定される係合部１１５６２ｃ１は、撓んだ状態で挿通孔５５１の内側に配置される。
【０４８９】
一方、図７６（ｂ）に示すように、ロック部材５６０を第１位置に戻し忘れて内枠４に対して前扉１１００５を閉じた際には、上述したように内枠４の前面にロック部材５６０の基部材５６２が押し出される。これにより、係合部１１５６２ｃ１が、挿通孔５５１から背面部材１１５５０の前方に突出される。よって、ロック部材５６０が背面側に変位される場合には、係合部１１５６２ｃ１を挿通孔５５１の前面端部に当接させることができるので、ロック部材５６０を背面側にスライド変位しにくくできる。
【０４９０】
また、作業者がロック部材５６０を第１位置から後方に引き抜く場合には、ロック部材５６０の変位の終端位置で係合部１１５６２ｃ１を挿通孔５５１の内面に当接させることができる。よって、ロック部材５６０の変位の終端位置で摺動抵抗を大きくしてロック部材５６０の変位にブレーキをかけることができる。その結果、作業者が勢いよくロック部材５６０を引き抜き抜いた場合に、停止の際の速度を遅くすることができるので、ロック部材５６０が破損することを抑制できる。また、ロック部材５６０の抵抗が大きくされることで、作業者に変位の終端位置を認識させやすくすることができる。その結果、作業者は、変位の終端位置で変位速度を落とすことができるので、ロック部材５６０が破損することを抑制できる。
【０４９１】
次いで、図７７を参照して説明する。図７７（ａ）に示すように、ロック部材５６０が第２位置に配置された状態で内枠４に対して初めて前扉１１００５が閉じられた状態から前扉１１００５が開放されると、連結部材１１８２０が、コイルばねＳＰ６の付勢力により背面側に変位される。これにより、連結部材１１８２０の一側当接面１１８２２ａにロック部材５６０の基部材５６２が背面側に押し出される。その結果、基部材５６２が軸部５６２ｂを軸に回転され、軸部５６２ｂと反対側の端部が上方に跳ね上げられる。
【０４９２】
ここで、ロック部材５６０は、スライド変位可能に形成されるので、連結部材１１８２０のスライド変位により、ロック部材５６０全体が背面側に押し出される可能性がある。これに対し、上述したように、ロック部材５６０の先端部材５６１が挿通孔５５１の内部に配置される場合には、係合部１１５６２ｃ１が挿通孔５５１の前方に位置した（挿通孔５５１から出された）状態とされるので、ロック部材５６０の基部材５６２を背面側にスライド変位しにくくでき、先端部材５６１のみを変位させやすくできる。その結果、連結部材１１８２０は、先端部材５６１を押し出す動作によって先端部材５６１のみを回転変位させることができる。なお、この場合の、先端部材５６１の回転角度は、４５°以上が好ましく、本実施形態では、約７０度に設定される。これにより、後述する内枠４の閉鎖動作により、ロック部材５６０を第１位置に配置しやすくできる。
【０４９３】
次いで、図７７（ａ）及び図７７（ｂ）に示すように、内枠４に対して前扉１１００５が開けられた状態から、再び前扉１１００５が閉じられた場合には、連結部材１１８２０の一側当接面１１８２２ａにより回転された先端部材５６１の軸部５６２ｂと反対側（背面側）の端面に内枠４の前面が当接される。これにより、先端部材５６１及び基部材５６２（ロック部材５６０）が前方にスライド変位される。その結果、ロック部材５６０が第１位置へ配置される。
【０４９４】
即ち、第１１実施形態では、作業者がパネル部材１１５２０を交換した後にロック部材５６０の第１位置への配置を忘れた場合に、作業者に再び前扉１１００５を内枠４に対して開けさせてから閉じさせることで、ロック部材５６０を第１位置へ配置することができると共に、本体部材の不透明領域Ｒ２の背面に配置されたパネル部材１１５２０を透明領域Ｒ１の背面に配置することができる。
【０４９５】
よって、例えば、作業者がパネル部材１１５２０を交換した後に初めて前扉１１００５を内枠４に対して閉じた後に異常に気が付いて再び前扉１１００５を開けた場合に、異常の原因が分からなかったとしても、再び前扉１１００５を内枠４に対して閉じさせることでロック部材５６０及びパネル部材１１５２０を正常な位置に配置させることができる。
【０４９６】
さらに、作業者がロック部材５６０を操作することなく、ロック部材５６０及びパネル部材１１５２０を正常な位置に配置することができるので、ロック部材５６０を戻し忘れた場合の作業者の作業工程を減らすことができる。
【０４９７】
次いで、図７８及び図７９を参照して、第１２実施形態について説明する。上記第１１実施形態では、パネル部材１１５２０全体が一体の樹脂材料で形成される場合について説明したが、第１２実施形態では、パネル部材１２５２０が複数の分割板から形成される。なお、上記各実施形態と同一の部分には同一の符号を付してその詳しい説明は省略する。
【０４９８】
図７８（ａ）及び図７８（ｂ）は、第１２実施形態における遊技機主部１２００３の断面模式図である。図７９は、図７８（ｂ）のＬＸＸＩＸ−ＬＸＸＩＸ線における遊技機主部１２００３の断面模式図である。なお、図７８（ａ）は、図７４（ａ）に、図７８（ｂ）は図７５（ｂ）にそれぞれ対応する。
【０４９９】
図７８（ａ）に示すように、第１２実施形態におけるパネル部材１２５２０は、複数に分割された板部材から形成され、それぞれの板部材が上下方向にずれて配置される。なお、本実施形態では、パネル部材１２５２０が４枚の板部材から形成されており、それぞれ上から順に第１分割板１２５２０ａ，第２分割板１２５２０ｂ，第２分割板１２５２０ｃ及び第４分割板１２５２０ｄの符号が付与される。
【０５００】
また、第１２実施形態における回転部材１２８１０は、樹脂材料から形成されると共に、側面視略Ｌ字に屈曲する板状体から形成される。また、回転部材１２８１０は、その屈曲部分に軸部１１８１１を備える。なお、回転部材１２８１０に連結される連結部材１２８２０は、第１１実施形態における連結部材１１８２０（第１２実施形態では、連結部材１２８２０）と、回転部材１１８１０（第１２実施形態では、回転部材１２８１０）との連結位置が異なるのみであるので、その詳しい説明は省略する。
【０５０１】
回転部材１２８１０は、一端側の外周面に被締結部１１８１２が円形状に凹設される。なお、第１２実施形態では、パネル部材１２５２０は、回転部材１２８１０の先端側の下面に連結される。従って、第１２実施形態では、被締結部１１８１２は、回転部材１２８１０の先端側の下面に形成される。
【０５０２】
第１分割板１２５２０ａから第４分割板１２５２０ｄは、回転部材１２８１０の回転軸（軸部１１８１１）を中心とする湾曲形状に形成されると共に、前後方向にずれて配置される。また、第１分割板１２５２０ａから第４分割板１２５２０ｄは、上下方向にずれて配設される（図７８（ａ）の状態の）際に、それぞれの前面の装飾を連ねて視認することで１の装飾（模様やキャラクタ−）が表示される。なお、第１２実施形態では、パネル部材１２５２０が１の装飾を表示する（第１分割板１２５２０ａから第４分割板１２５２０ｄが、上下方向にずれて配設される）場合に、第４分割板１２５２０ｄは、本体部材１１５１０の不透明領域Ｒ２の背面側に配設され、第３分割板１２５２０ｃは、透明領域Ｒ１の背面側に配設される。
【０５０３】
さらに、第１分割板１２５２０ａから第４分割板１２５２０ｄは、それぞれ回転軸（軸部１１８１１）を中心に回転可能に構成される。なお、第１分割板１２５２０ａから第４分割板１２５２０ｄの変位態様については後述する。
【０５０４】
第１分割板１２５２０ａから第３分割板１２５２０ｃには、それぞれ下方の端面から下側壁部１２５２２が背面側に突設される。また、第２分割板１２５２０ｂから第４分割板１２５２０ｄには、それぞれ上方の端面から上側壁部１２５２３が正面側に突設される。
【０５０５】
下側壁部１２５２２及び上側壁部１２５２３は、第１分割板１２５２０ａから第４分割板１２５２０ｄの周方向への変位量を規制する部分であり、第１分割板１２５２０ａの下側壁部１２５２２に第２分割板１２５２０ｂの上側壁部１２５２３が当接することで第２分割板１２５２０ｂの変位が規制され、第２分割板１２５２０ｂの下側壁部１２５２２に第３分割板１２５２０ｃの上側壁部１２５２３が当接することで第３分割板１２５２０ｃの変位が規制され、第３分割板１２５２０ｃの下側壁部１２５２２に第４分割板１２５２０ｄの上側壁部１２５２３が当接することで第４分割板１２５２０ｄの変位が規制される。
【０５０６】
また、図７９に示すように、第１分割板１２５２０ａから第３分割板１２５２０ｃには、背面に断面略Ｌ字状の係止部１２５２４が突設される。係止部１２５２４は、背面側に突出する第１係止部１２５２４ａと第１分割板１２５２０ａから第３分割板１２５２０ｃの延設方向中央側に向かって屈曲する第２係止部１２５２４ｂとから形成される。
【０５０７】
第１係止部１２５２４ａは、１の分割板（第１分割板１２５２０ａから第３分割板１２５２０ｃ）の後方に配設される分割板（第２分割板１２５２０ｂから第４分割板１２５２０ｄのいずれか）の延設方向（図７９左右方向）外側に形成される。また、第１係止部１２５２４ａは、その突設先端が、後方に配設される分割板よりも後方（図７９下側）に位置される。これにより、１の分割板の後方に配設される分割板が、その延設方向に位置ずれすることを抑制できる。
【０５０８】
第２係止部１２５２４ｂは、第１係止部１２５２４ａの突設先端部から各分割板（第１分割板１２５２０ａから第３分割板１２５２０ｃ）の延設方向中央側に屈曲して形成される。これにより、１の分割板の後方に配設される分割板が、１の分割板に対して背面側に位置ずれすることを抑制できる。
【０５０９】
以上のように構成される第１２実施形態のパネル部材１２５２０によれば、図７８（ｂ）に示すように、作業者がパネル部材１２５２０を交換した後に、ロック部材５６０を第２位置から第１位置に戻し忘れた場合に、各分割板を前後方向に重ねて配置することができる。
【０５１０】
詳しく説明すると、第１１実施形態と同様に、第２位置に配置されたロック部材５６０が背面部材１１５６０により前方に押し出されると、連結部材１２８２０が前方にスライド変位されることで、回転部材１２５１０が軸部１１５１１を中心に回転される。これにより、回転部材１２８１０の先端側（被締結部１１８１２側）が下方に変位され、回転部材１２５１０の先端側に締結されるパネル部材１２５２０が下方に変位される。
【０５１１】
パネル部材１２５２０が下方に変位されると、パネル部材１２５２０の第４分割板１２５２０ｄが、凹部５１１ｃの凹設底面の当接面１２５１１ｃ１に当接して、第４分割板１２５２０ｄのそれ以上の変位が規制される。よって、引き続き回転部材１２５１０に回転変位が継続されると、第４分割板１２５２０ｄに対して、他の分割板（第１分割板１２５２０ａから第３分割板１２５２０ｃ）が変位する状態とされ、次に第３分割板１２５２０ｃが、第４分割板１２５２０ｄの前方に配置されると共に、当接面１２５１１ｃに当接される。このように、下方に配置される各分割板から順に当接面１２５１１ｃに当接されることで、各分割板を前後方向に重ねた状態に配置することができる。
【０５１２】
前後方向に重ねた状態のパネル部材１２５２０は、本体部材１１５１０の不透明領域Ｒ２の背面側に配置される。これにより、作業者が交換対象のパネル部材１２５２０を交換後に確認した際に、作業者からパネル部材１２５２０を視認しにくくすることができる。従って、作業者にパネル部材１２５２０の交換後の異常をその配置位置で判断させる必要がなくなり、作業者に交換対象が適切な位置でないことを認識させやすくできる。その結果、パチンコ機１に異常がある（ロック部材５６０を戻し忘れた）ことを作業者に認識させやすくできる。
【０５１３】
また、作業者が交換する交換対象のパネル部材１２５２０が変位される。従って、作業者は、通常その交換の作業の後に交換対象（パネル部材１２５２０）が適切な状態および位置に配置されているか確認するところ、かかる交換対象が変位されることでパチンコ機１に異常がある（ロック部材５６０を戻し忘れた）ことを作業者に認識させやすくできる。
【０５１４】
さらに、第１２実施形態では、パネル部材１２５２０を前後方向に重ねた状態で本体部材１１５１０の内部に配置されるので、第１１実施形態のように、パネル部材１２５２０が変位するための空間を本体部材１１５１０の内部に設ける必要がない。その結果、本体部材１１５１０の内部空間を他の部材（例えば、ＬＥＤなどの発光装置）を配設する空間として利用することができ、本体部材１１５１０の内部空間を効率良く利用することができる。
【０５１５】
また、パネル部材１２５２０は、前後方向に重ねることができるので、パネル部材１２５２０のみを販売した際に、その梱包に必要な体積を小さくすることができる。従って、パネル部材１２５２０を梱包しやすくできる。その結果、梱包にかかるコストを抑えることができる。
【０５１６】
次いで、図８０から図８４を参照して、第１３実施形態について説明する。上記第１実施形態では、ロック部材５６０が第２位置（挿通筒部５４１から抜き取られた位置）に配置された状態とされる際に、内枠４に対して前扉５を閉じることが規制される場合について説明したが、第１３実施形態では、ロック部材１３５６０が第２位置に配置された状態で内枠４に対して前扉１３００５を閉じると、パネル部材１３５２０が変位する。なお、上記各実施形態と同一の部分には同一の符号を付してその詳しい説明は省略する。
【０５１７】
初めに、図８０から図８２を参照して、前扉１３００５の上側部分の全体構成ついて説明する。図８０は、第１３実施形態における前扉１３００５の上側部分の分解斜視図である。図８１は、遊技機主部１３００３の上面図である。図８２（ａ）は、図８１のＬＸＸＸＩＩａ−ＬＸＸＸＩＩａ線における遊技機主部１３００３の断面模式図であり、図８２（ｂ）は、図８２（ａ）のＬＸＸＸＩＩｂ−ＬＸＸＸＩＩｂ線における遊技機主部１３００３の断面模式図であり、図８２（ｃ）は、図８２（ｂ）のＬＸＸＸＩＩｃ−ＬＸＸＸＩＩｃ線における遊技機主部１３００３の断面模式図である。
【０５１８】
なお、図８１では、天板１３５３０及び介設板５４０が取り外された（透明視されて）状態が図示され、図８２（ａ）では、天板１３５３０及び介設板５４０が取付られた状態が図示される。
【０５１９】
図８０から図８２に示すように、第１３実施形態における前扉１３００５の上側部分は、正面側に配設される本体部材１３５１０と、その本体部材１３５１０に収容されるパネル部材１３５２０と、本体部材１３５１０に収容されると共に回転可能な状態で配設される回転部材１３８１０と、その回転部材１３８１０の隣合う位置に配置される係合部材１３８５０と、本体部材１３５１０の上面に配設される天板５３０及び介設板１３５４０と、本体部材１３５１０の背面側に固定される背面部材１１５５０と、その背面部材１１５５０に配設されるロック部材１３５６０及びレバー部材５７０とを主に備える。
【０５２０】
本体部材１３５１０は、パチンコ機１の正面上部における電飾部を構成するための光透過性材料からなる部材であり、内部に設けられたＬＥＤ等の発光手段が、大当たり時や所定のリーチ等における遊技状態の変化に応じて、点灯または点滅することにより、遊技中の演出効果を高める役割を果たす。また、本体部材１３５１０の正面側には、パネル部材１３５２０に対応する領域が透明材料から形成され、その透明材料の部分を介してパネル部材１３５２０に表示される機種情報等が視認可能とされる。
【０５２１】
本体部材１３５１０の上面には、天板５３０及び介設板５４０を配設するための収容部５１１が凹設される。収容部５１１は、その収容部５１１の内周縁（内壁面）のうちの互いに対向する左右の内壁面に形成されるスライド溝５１１ａと、底面から下方へ向けて凹設される凹部５１１ｃ及び逃げ部５１１ｄと、その逃げ部５１１ｄの正面側に形成される保持部５１１ｅと、底面から下方へ向けて凹設され一端が凹部５１１ｃに連結されると共に他端が背面側（背面部材１１５５０側）に開放する収容溝１３５１３と、その収容溝１３５１３の両側面に凹設される第２収容溝１３５１４とを備える。
【０５２２】
収容溝１３５１３は、後述する回転部材１３８１０を収容するための空間であり、かかる回転部材１３８１０が回転可能な大きさに形成される。また、収容溝１３５１３は、収容部５１１の内周縁のうちの対向する左右の内壁面と離間した位置に一対形成され、後述する一対の回転部材１３８１０がそれぞれの収容溝１３５１３に配設される。
【０５２３】
第２収容溝１３５１４は、回転部材１３８１０の隣に配置される係合部材１３８５０を収容する空間であり、係合部材１３８５０が配設される側（本実施形態では、一対の回転部材１３８１０の対向方向外側）の収容溝１３５１３の側面に連なって形成される。これにより、後述する係合部材１３８５０を変位させて回転部材１３８１０に当接させることができる。
【０５２４】
また、収容溝１３５１３及び第２収容溝１３５１４には、凹溝１１５１３ａが収容部５１１の底面から下方に向けて凹設される。凹溝１１５１３ａは、回転部材１３８１０の軸部１１８１１が配設される空間であり、対向する側面の離間距離（溝幅）が軸部１１８１１の外径よりも若干大きく設定される。これにより、凹溝１１５１３ａの内側に軸部１１８１１を配設して回転部材１３８１０を回転可能な状態で保持することができる。
【０５２５】
回転部材１３８１０は、樹脂材料から形成されると共に、側面視において矩形状の板状体から形成される。また、回転部材１３８１０は、長手方向の一端側の外周面に被締結部１１８１２が凹設されると共に、長手方向の他端側の外周面に半円形に膨出する当接部１３８１４と、後述する係合部材１３８５０が配置される側の面に凹設される凹部１３８１５と、板厚方向に貫通する貫通孔に内嵌される円柱状の軸部１１８１１とを備える。
【０５２６】
また、回転部材１３８１０は、本体部材１３５１０との間に付勢手段（バネ等）が介設される。これにより、回転部材１３８１０には、長手方向他端側（被締結部１１８１２側）を上方に変位させる付勢力が作用される。従って、回転部材１３８１０に外力が作用しない状態とされる場合には、軸部１１８１１を中心に長手方向他端側が上方に回転変位される。
【０５２７】
凹部１３８１５は、後述する係合部材１３８５０の突起１３８５３が挿入される部分であり、突起１３８５３が挿入された状態とされることで、回転部材１３８１０が変位（回転）することを規制できる。なお、凹部１３８１５と突起１３８５３との係合状態についての詳しい説明は後述する。
【０５２８】
当接部１３８１４は、係合部材１３８５０の突起１３８５３が凹部１３８１５から抜き出された場合に、係合部材１３８５０が回転部材１３８１０と上面視において交わること（係合部材１３８５０が回転部材１３８１０を超える位置に回転すること）を規制する部分であり、回転部材１３８１０の軸部１１８１１の軸と同軸からなる扇状に形成される。
【０５２９】
パネル部材１３５２０は、本体部材１３５１０の凹部５１１ｃの内部空間に沿った湾曲形状に形成される。また、パネル部材１３５２０は、軸部１１８１１の軸方向視において湾曲軸が軸部１１８１１の軸と略同一の位置に設定される。これにより、回転部材１３８１０を回転させてパネル部材１３５２０を変位させた場合のパネル部材１３５２０の変位軌跡の領域を最小とすることができる。その結果、凹部５１１ｃの内部空間を、他部部材を配置するスペースとして利用しやすくできる。
【０５３０】
また、パネル部材１３５２０は、左右方向の両端部の下方に締結部１１５２１と、上方の端部に前後方向に膨出する膨出部１３５２２とを備える。また、パネル部材１３５２０は、上端（膨出部１３５２２）が天板１３５３０と本体部材１３５１０との間に配置される。
【０５３１】
膨出部１３５２２は、上方の端部に向かうに従って前後方向に膨出して形成される。これにより、膨出部１３５２２が遊技機主部１３００３の外部から押し込まれた場合に、膨出部１３５２２を天板１３５３０の前方端面もしくは、膨出部１３５２２を本体部材１３５１０の端部に当接させることができる。その結果、パネル部材１３５２０が遊技機主部１３００３の外部から操作されることを抑制できる。
【０５３２】
また、膨出部１３５２２と当接される本体部材１３５１０の端部および天板１３５３０の前方端面は、膨出部１３５２２の外形に沿った傾斜面に形成される。これにより、遊技者が、膨出部１３５２２と本体部材１３５１０又は天板１３５３０との隙間から不正物を挿入することを防止できる。
【０５３３】
係合部材１３８５０は、上面視において、円環状に形成される円環部１３８５１と、その円環部１３８５１の外縁から回転部材１３８１０の凹部１３８１５（前方）に向かって突設される係合部１３８５２とを備える。
【０５３４】
係合部１３８５２は、その突出先端側（円環部１３８５１側の反対側）が、上面視において回転部材１３８１０と隣合う位置に配置されると共に、突出先端から回転部材１３８１０側に向かって突起１３８５３が突設される。
【０５３５】
円環部１３８５１は、その外周面から径方向外側に突出する解除部材１３５５４と、円環部１３８５１の上面から下方に凹設される収容部１３８５６と、その収容部１３８５６の内側に回転可能な状態で配設される第２解除部材１３８５５とを備える。
【０５３６】
また、円環部１３８５１は、その内縁部に円柱状の軸部材１３８５７が内嵌されており、軸部材１３８５７が、本体部材１３５１０の第２収容溝１１５１４の凹設底面に凹設される円柱状の凹部（図示しない）に挿入されることで、係合部材１３８５０が、本体部材１３５１０に対して回転可能な状態で保持される。また、係合部材１３８５０及び本体部材１３５１０には、付勢手段（バネ等）が介在されており、係合部材１３８５０の係合部１３８５２が回転部材１３８１０側に近づく方向に常に付勢される。これにより、係合部１３８５２の突起１３８５３と回転部材１３８１０の凹部１３８１５とが対向する場合に、突起１３８５３を凹部１３８１５の内側に挿入することができる。その結果、係合部材１３８５０により回転部材１３８１０の回転を規制することができる。
【０５３７】
解除部材１３５５４は、後述する天板１３５３０が、前後方向にスライド変位された場合の突起１３５３３の変位領域に配置される。これにより、天板１３５３０をスライド変位させた場合に、天板１３５３０の突起１３５３３を当接させて、係合部材１３８５０を回転変位させることができる。
【０５３８】
なお、詳しい説明は後述するが、突起１３５３３は、天板１３５３０を後方にスライド変位した場合に、係合部材１３８５０の解除部材１３５５４と当接する位置に形成される。これにより、天板１３５３０をスライド変位させることに連動して、解除部材１３５５４と係合部材１３８５０とを当接させることができる。
【０５３９】
収容部１３８５６は、後述する第２解除部材１３８５５が、回転変位された場合に、その第２解除部材１３８５５を収容する空間であり、第２解除部材１３８５５の変位方向に向かって凹設される。
【０５４０】
第２解除部材１３８５５は、円環部１３８５１の軸方向上方に突出する長方体に形成されると共に、下方の端部に円形に貫通形成される貫通孔１３８５５ａを備える。また、第２解除部材１３８５５は、後述するロック部材１３５６０の係合凹部１３５６３ａの内側に配置される。
【０５４１】
貫通孔１３８５５ａは、その内側にカラー（図示しない）を配置した状態でネジが挿通される。従って、第２解除部材１３８５５は、貫通孔１３８５５ａを挿通するネジを収容部１３８５６に螺合することで係合部材１３８５０に対して回転可能な状態とされる。
【０５４２】
また、第２解除部材１３８５５は、正面側の下端に湾曲する非当接部１３８５５ｂを備える。非当接部１３８５５ｂは、第２解除部材１３８５５が回転される場合に、収容部１３８５６の内面と第２解除部材１３８５５とが接触することを防止する部分であり、貫通孔１３８５５ａの軸を中心とする湾曲状に形成される。
【０５４３】
これにより、第２解除部材１３８５５の貫通孔１３８５５ａから遠方側の端部（図８２（ｃ）上端部）が背面側（図８２（ｃ）右側）に変位する場合に、第２解除部材１３８５５と収容部１３８５６の内面とが接触することを防止して、第２解除部材１３８５５を回転変位させることができる。従って、後述するロック部材１３５６０が背面側に変位されて、係合凹部１３５６３ａの内面と第２解除部材１３８５５とが接触されることで、第２解除部材１３８５５を回転させることができる。
【０５４４】
なお、非当接部１３８５５ｂは、第２解除部材１３８５５の前面側のみに形成される。従って、後述するロック部材１３５６０が正面側に変位されて、係合凹部１３５６３ａの内面と第２解除部材１３８５５とが接触される場合には、第２解除部材１３８５５の外面を収容部１３８５６の内面に当接させることができる。即ち、ロック部材１３５６０が正面側に変位される場合には、第２解除部材１３８５５の回転が規制され、ロック部材１３５６０の変位を第２解除部材１３８５５を介して、係合部材１３８５０の円環部１３８５１に伝達させることができる。
【０５４５】
また、第２解除部材１３８５５と収容部１３８５６との間には、付勢手段（ねじりバネ等）が配設されており、これにより、第２解除部材１３８５５の貫通孔１３８５５ａから遠方側の端部が上方に変位され、第２解除部材１３８５５の外面を収容部１３８５６の内面に接触させた状態とされる。また、後述するロック部材１３５６０の操作により第２解除部材１３８５５が回転変位された場合に、付勢手段の付勢力で変位前の位置に戻すことができる。
【０５４６】
ロック部材１３５６０は、先端部材５６１と、その先端部材５６１の基端側に連結される基部材５６２と、基部材５６２の先端側から先端側（前面側）に突設される突設部１３５６３とを主に備える。
【０５４７】
突設部１３５６３は、上述した係合部材１３８５０の上方に配置されると共に、係合部材１３８５０の第２解除部材１３８５５と水平方向に略同一にの位置（図８２（ｂ）上下方向に重なる位置）に配置される。また、突設部１３５６３の先端側への突設距離は、第２解除部材１３８５５を超える長さに設定される。
【０５４８】
突設部１３５６３には、第２解除部材１３８５５と対応する位置に係合凹部１３５６３ａが凹設される。係合凹部１３５６３ａは、突設部１３５６３の突設方向（図８２（ａ）左右方向）の幅寸法が、第２解除部材１３８５５の幅寸法よりも長く設定されており、内側に第２解除部材１３８５５を収容した状態で配設される。
【０５４９】
ロック部材１３５６０の下方には、付勢部材１３８４０が配設される。付勢部材１３８４０は、背面視において第２位置に配置されるロック部材１３５６０の先端部材５６１の外形よりも大きい矩形状に形成されると共に、先端部材５６１の前方に配置される。また、付勢部材１３８４０の前面には、圧縮状態の付勢ばねＳＰ６が接触する状態で配設されており、付勢部材１３８４０が後方（背面側）に付勢される。
【０５５０】
さらに、付勢部材１３８４０は、背面に一側被当接面１３８４２を備え、その一側被当接面１３８４２の下方に本体部材１３５１０側に向かって（前方）凹設される規制部１３８４１を備える。規制部１３８４１は、当接部１１５５８ａに当接されて付勢部材１３８４０の後方への移動を規制する部材であり、背面部材１１５５０の当接部１１５５８ａの前面側に形成されると共に、付勢部材１３８４０の背面から当接部１１５５８ａの板厚分隔てた位置に形成される。これにより、付勢部材１３８４０は、付勢ばねＳＰ６に付勢された状態とされる場合に、背面部材１１５５０の背面と面一に配設される。
【０５５１】
次いで、図８２から図８４を参照して、パネル部材１３５２０を交換する手順について説明する。図８３（ａ）、図８３（ｂ）、図８４（ａ）及び図８４（ｂ）は、遊技機主部１１００３の断面模式図である。なお、図８３（ａ）及び図８４（ａ）は、図８２（ａ）に、図８３（ｂ）及び図８４（ｂ）は、図８２（ｂ）にそれぞれ対応する。また、図８２から図８４は、パネル部材１３５２０を交換する場合の順番に、図８２（ａ）、図８３（ａ）、図８４（ａ）及び図８２（ｂ）、図８３（ｂ）、図８４（ｂ）が図示される。
【０５５２】
図８２（ａ）及び図８２（ｂ）に示すように、ロック部材１３５６０が第１位置に押込み操作された状態では、第１実施形態と同様に、介設板５４０の挿通筒部５４１にロック部材５６０が挿通され、挿通筒部５４１の一端側から突出するロック部材１３５６０の基端（基部材５６２）が本体部材１３５１０の保持部５１１ｅの内側に保持されると共に、挿通筒部５４１の他端側から突出するロック部材１３５６０の先端（先端部材５６１）が背面部材１１５５０の挿通孔５５１に保持される。よって、介設板５４０が本体部材１１５１０の収容部５１１から取り外し不能とされる。
【０５５３】
また、この場合、回転部材１３８１０の凹部１３８１５の内側に係合部材１３８５０の突起１３８５３が挿入された状態とされる。これにより、回転部材１３８１０が、回転部材１３８１０及び本体部材１３５１０の間に介設される付勢手段（ねじりバネ）の付勢力で回転されることを規制できる。
【０５５４】
さらに、回転部材１３８１０の回転が係合部材１３８５０により規制された状態では、回転部材１３８１０に締結固定されるパネル部材１３５２０は、上端面の位置が、天板５３０の上端面の位置と面一の位置に配置される。即ち、パネル部材１３５２０が、本体部材１１５１０の凹部５１１ｃの内部空間に配設された状態とされる。
【０５５５】
また、ロック部材１３５６０の先端（基部材５６２）が背面部材１１５５０の挿通孔５５１の内側に挿入され保持された状態では、ロック部材１３５６０の係合凹部１３５６３ａの内側に、係合部材１３８５０の第２解除部材１３８５５が配置された状態とされる。
【０５５６】
図８３（ａ）及び図８３（ｂ）に示すように、図８２（ａ）及び図８２（ｂ）に示す状態から、ロック部材１３５６０が背面部材１１５５０の背面側へ引出し操作され、張出部５６２ａが背面部材１１５５０の正面に係合される第２位置に達すると、ロック部材５６０のそれ以上の引出し操作が不能とされる。
【０５５７】
この引出し操作により、ロック部材１３５６０（基部材５６２）が介設板５４０の挿通筒部５４１から抜き取られると共に、ロック部材１３５６０（基部材５６２）の基端の端面がレバー部材５７０を超える位置まで後退される。即ち、レバー部材５７０の上方に空間が形成される。これにより、レバー部材５７０がねじりバネＳＰ１の弾性回復力により回転され、その先端側が上方へ押し上げられる。これにより、パネル部材１３５２０を交換する作業者は、介設板５４０の長手方向一端側を手で掴んで、介設板５４０を取り外すことができる。
【０５５８】
なお、第１３実施形態では、介設板５４０に形成される挿通筒部５４１の内側にロック部材１３５６０の突設部１３５６３が挿通された状態とされるが、挿通筒部５４１は、下方の壁部の一部に、ロック部材１３５６０の引き抜き方向に切り欠かれる切欠き部１３５４１ａを備えており、かかる切欠き部１３５４１ａを介して突設部１３５６３を挿通筒部５４１の内側から抜き出すことができる。これにより、介設板５４０を作業者が取り外すことができる。
【０５５９】
また、図８２（ｂ）に示すように、ロック部材１３５６０の先端（先端部材５６１）が背面部材１１５５０の挿通孔５５１の内側に挿入され保持された状態では、ロック部材１３５６０の係合凹部１３５６３ａの内側に、係合部材１３８５０の第２解除部材１３８５５が配置された状態とされる。そのため、ロック部材１３５６０を引き出すことで、係合凹部１３５６３ａの内側と第２解除部材１３８５５とが接触される。
【０５６０】
この場合、第２解除部材１３８５５は、非当接部１３８５５ｂにより、収容部１３８５６の内面と接触することが防止される方向に回転される。よって、ロック部材１３５６０が引き抜き動作にされる場合には、第２解除部材１３８５５を回転させて、第２解除部材１３８５５を係合凹部１３５６３ａの外側に配置することができる。即ち、ロック部材１３５６０の引き抜き動作は、円環部１３８５１への力の伝達が遮断された状態とされる。
【０５６１】
図８４（ａ）及び図８４（ｂ）に示すように、図８３（ａ）及び図８３（ｂ）に示す状態から、介設板５４０が、本体部材１３５１０から取り外されることで、天板５３０の後方（背面側、背面部材１１５５０）側に空間が形成されるので、かかる空間を利用して、天板５３０を後方にスライド変位（後退）させることができる。
【０５６２】
この場合、天板１３５３０に形成される突起１３５３３が、係合部材１３８５０の解除部材１３５５４と当接する。これにより、係合部材１３８５０が後方に押し出され、円環部１３８５１の軸を中心に係合部材１３８５０を回転させることができる。
【０５６３】
係合部材１３８５０が回転されると、回転部材１３８１０の凹部１３８１５の内側に係合部材１３８５０の突起１３８５３が挿入された状態が解除される（凹部１３８１５の内側から突起１３８５３が引き抜かれる）。回転部材１３８１０は、本体部材１３５１０との間に介設される付勢手段（ねじりバネ）により付勢されるので、その付勢手段により回転部材１３８１０を回転させることができる。その結果、回転部材１３８１０の前方側（被締結部１１８１２側）が上方に跳ね上げられて、パネル部材１１５２０が凹部５１１ｃの内側から外側に排出される。
【０５６４】
従って、天板１３５３０をスライド変位させることで、パネル部材１１５２０を変位させることができるので、パネル部材１１５２０を交換する作業者に次の交換作業手順を認識させやすくできる。即ち、天板１３５３０の動作の次にパネル部材１１５２０を交換することを認識させやすくできる。
【０５６５】
また、パネル部材１３５２０と回転部材１３８１０との締結部分（回転部材１３８１０の被締結部１１８１２）が、天板１３５３０のスライド変位により形成された開口側に変位されるので、作業者にパネル部材１３５２０の交換作業をさせやすくすることができる。即ち、パネル部材１１５２０を交換する場合には、天板１３５３０及び本体部材１３５１０との間に形成される開口からドライバー等を挿入して、回転部材１３８１０の被締結部１１８１２に締結されるネジを取り外す必要があるため、締結部分（被締結部１１８１２）が開口から離れた位置にあるとネジが取り外し難くなる。これに対し、第１３実施形態では、締結部分が開口側に近づくので螺合されるネジを取り外し易くできる。
【０５６６】
パネル部材１３５２０を交換した後は、取り外しと反対の手順の作業を行って、図８２（ａ）に示す位置に天板１３５３０、介設板５４０及びロック部材１３５６０を戻した後に、パネル部材１３５２０を本体部材１３５１０の凹部５１１ｃの内側に押し入れることで、回転部材１３８１０が回転され、回転部材１３８１０の凹部１３８１５が係合部材１３８５０の突起１３８５３と対向する位置に移動されることで、凹部１３８１５に突起１３８５３が挿入される。これにより、パネル部材１３５２０及び回転部材１３８１０を図８２（ａ）に示す位置に戻すことができる。
【０５６７】
次いで、図８５を参照して、作業者がパネル部材１３５２０を交換した後に、ロック部材１３５６０を第２位置から第１位置に戻し忘れた状態で、前扉１３００５を内枠４に対して閉めた場合について説明する。
【０５６８】
図８５（ａ）及び図８５（ｂ）は、遊技機主部１３００３の断面模式図である。なお、図８５（ａ）は図８２（ａ）に、図８５（ｂ）は図８２（ｂ）にそれぞれ対応する。なお、図８５（ａ）では、ロック部材１３５６０を第２位置から第１位置に戻し忘れた状態（図８３（ａ）の状態）で、前扉１３００５を内枠４に対して閉めた場合の状態が図示される。
【０５６９】
図８５に示すように、ロック部材１３５６０を第２位置に配置した状態で、作業者が介設板５４０を下方に押し込んで前扉１３００５を内枠４に対して閉めた場合には、ロック部材１３５６０の先端部材５６１が、内枠４の前面（正面）により前方に押し出される。即ち、ロック部材１３５６０の先端部材５６１が、背面部材１１５５０の挿通孔５５１及び第２挿通孔１１５５８の内側に挿入される。
【０５７０】
ロック部材５６０が第２位置に配置される場合には、ロック部材５６０の先端部材１３５６１が、付勢部材１３８４０の一側被当接面１３８４２と当接した状態とされる。従って、ロック部材１３５６０が内枠４により前方に押し出されることで、付勢部材１３８４０がロック部材１３５６０の変位分前方（図８５（ａ）左方向）にスライド変位され、先端部材５６１を第２挿通孔１１５５８の内側に挿入できる。
【０５７１】
また、ロック部材１３５６０は、第２位置に配置された状態（図８３（ａ）及び図８３（ｂ）の状態）における突設部１３５６３の先端端から、係合部材１３８５０の第２解除部材１３８５５の端部までの離間距離Ｓ１（図８３（ｂ）参照）が、第２位置に配置されるロック部材１３５６０の先端部材５６１の厚み寸法Ｓ２（図８３（ａ）参照）よりも小さく設定される。
【０５７２】
よって、ロック部材１３５６０を第２位置に配置した状態で、作業者が介設板５４０を下方に押し込んで前扉１３００５を内枠４に対して閉めた場合には、ロック部材１３５６０が先端部材５６１の厚み寸法Ｓ２（図８３（ａ）参照）分、前方にスライド変位される。これにより、突設部１３５６３の先端と第２解除部材１３８５５とを当接させることができる。
【０５７３】
上述したように、ロック部材１３５６０が正面側に変位される場合には、第２解除部材１３８５５の回転が規制され、ロック部材１３５６０の変位が第２解除部材１３８５５を介して、係合部材１３８５０の円環部１３８５１に伝達される。これにより、係合部材１３８５０が、円環部１３８５１の軸を中心に回転され、回転部材１３８１０の凹部１３８１５の内側に係合部材１３８５０の突起１３８５３が挿入された状態が解除される（凹部１３８１５の内側から突起１３８５３が引き抜かれる）。その結果、回転部材１３８１０の前方側（被締結部１１８１２側）を上方に跳ね上げられて、パネル部材１１５２０が凹部５１１ｃの内側から外側に排出される。
【０５７４】
これにより、作業者がロック部材１３５６０を戻し忘れた場合には、交換対象のパネル部材１３５２０が変位される。従って、作業者は、通常その交換の作業の後に交換対象（パネル部材１３５２０）が適切な状態および位置に配置されているか確認するところ、かかる交換対象が変位されることで、パチンコ機１に異常がある（ロック部材１３５６０を戻し忘れた）ことを作業者に認識させやすくできる。
【０５７５】
さらに、交換対象（パネル部材１３５２０）は、本体部材１１５１０の内部から外側に張り出した状態（配設空間から飛び出た）状態とされるので、パチンコ機１に異常がある（ロック部材５６０を戻し忘れた）ことを作業者に認識させやすくできる。即ち、パチンコ１の外観を変更することができるので、パチンコ機１に異常がある（ロック部材５６０を戻し忘れた）ことを作業者に認識させやすくできる。
【０５７６】
なお、作業者が、介設板５４０を取り付けずに（戻し忘れて）また、介設板５４０を下方に押し込まずに前扉１３００５を内枠４に対して閉めた場合には、ロック部材１３５６０の基部材５６２の先端がレバー部材５７０の側面と当接することにより、ロック部材１３５６０のスライド変位が規制される。その結果、内枠４の正面と前扉１３００５の背面との間にロック部材１３５６０の先端部材５６１が介在されることで、内枠４に対して前扉１３００５を閉じることが規制される。その結果、作業者に対して介設板５４０の戻し忘れを認識させることができる。
【０５７７】
また、ロック部材１３５６０の先端部材５６１が、背面部材１１５５０の挿通孔５５１及び第２挿通孔１１５５８の内側に挿入された状態（図８５（ａ）に示す状態）から、ロック部材１３５６０を第１位置に戻す場合は、第１１実施形態と同様であるので、その詳しい説明は省略する。
【０５７８】
次いで、図８６から図８８を参照して、第１４実施形態について説明する。上記第１実施形態では、内枠４に対して前扉５を開放した後に、ロック部材５６０を引き抜くことで、天板５３０がスライド変位可能にされる場合を説明したが、第１４実施形態では、内枠４に対して前扉１４００５を開放することで、天板１４５３０がスライド変位可能とされる。なお、上記各実施形態と同一の部分には同一の符号を付してその詳しい説明は省略する。
【０５７９】
初めに、図８６及び図８７を参照して、第１４実施形態における前扉１４００５の上側部分の全体構成について説明する。図８６は、第１４実施形態における前扉１４００５の上側部分の分解斜視図である。図８７（ａ）は、遊技機主部１４００３の上面図であり、図８７（ｂ）は、図８７（ａ）のＬＸＸＸＶＩＩｂ−ＬＸＸＸＶＩＩｂ線における遊技機主部１４００３の断面模式図である。
【０５８０】
図８６及び図８７に示すように、第１４実施形態における前扉１４００５の上側部分は、正面側に配設される本体部材１４５１０と、その本体部材１４５１０に収容されるパネル部材５２０と、本体部材１４５１０に収容されると共に上下方向に摺動可能な状態で配設される係合部材１４８６０と、本体部材１４５１０の上面に配設される天板１４５３０と、本体部材１４５１０の背面側に固定される背面部材１４５５０とを備える。
【０５８１】
本体部材１４５１０は、パチンコ機１の正面上部における電飾部を構成するための光透過性材料からなる部材であり、内部に設けられたＬＥＤ等の発光手段が、大当たり時や小堤のリーチ等における遊技状態の変化に応じて、点灯または点滅することにより、遊技中の演出効果を高める役割を果たす。また、本体部材１４５１０の正面側には、パネル部材５２０に対応する領域が透明材料から形成され、その透明材料の部分を介して、パネル部材５２０に表示される機種情報等が視認可能とされる。
【０５８２】
本体部材１４５１０の上面には、天板５３０及び介設板５４０を配設するための収容部５１１が凹設される。収容部５１１は、その収容部５１１の内周縁（内壁面）のうちの互いに対向する左右の内壁面に形成されるスライド溝５１１ａと、底面から下方に向けて凹設される凹部５１１ｃ及び逃げ部５１１ｄと、その逃げ部５１１１ｄの正面側に形成される保持部５１１ｅと、上面側から凹設されると共に背面側が開放される収容部１４５１５とを備える。
【０５８３】
収容部１４５１５は、後述する係合部材１４８６０を収容するための空間であり、上面視において係合部材１４８６０の外形よりも大きい内縁形状に形成される。また、収容部１４５１５の下方への凹設寸法は、係合部材１４８６０の厚み寸法（図８７（ｂ）上下方向の寸法）よりも大きく設定される。これにより、係合部材１４８６０が厚み方向へ摺動可能とされる。
【０５８４】
係合部材１４８６０は、上面視矩形状の板状体に形成される。係合部材１４８６０は、上面に円柱状の突起１４８６１が突設されると共に、下面にコイルばねＳＰ７が連結される。
【０５８５】
突起１４８６１は、後述する天板１４５３０に凹設される被係合部１４５３４に挿入可能な外径に形成されると共に、前扉１４００５が内枠４に対して閉じられる場合に天板１４５３０の被係合部１４５３４と対応する位置に形成される。これにより、前扉１４００５が内枠４に対して閉じられる場合には、突起１４８６１を被係合部１４５３４に挿入して、天板１４５３０と係合部材１４８６０とを係合させることができる。
【０５８６】
コイルばねＳＰ７は、螺旋状に複数回旋回されるバネ部材であり、上方の端部が係合部材１４８６０の下面に連結されると共に、下方の端部が本体部材１４５１０の収容部１４５１５の凹設底面に連結される。また、コイルばねＳＰ７は自由長（負荷をかけていない状態の上下方向の長さ）が、収容部１４５１５の凹設底面から収容部５１１の凹設底面までの距離寸法から係合部材１４８６０の厚み寸法を引いた距離寸法Ｓ３（図８７（ｂ）参照）よりも小さく設定される。従って、コイルばねＳＰ７に連結される係合部材１４８６０は、コイルばねＳＰ７に負荷がかかっていない状態では、収容部５１１の凹設底面よりも下方（収容部１４５１５の内側）に配置される。
【０５８７】
天板１４５３０は、上面視において本体部材１４５１０の収容部５１１及び後述する背面部材１４５５０の上面凹部１４５５０ｂに対応する大きさに形成される。また、天板１４５３０は、その厚み寸法が収容部５１１及び背面部材１４５５０の上面凹部の下方への凹設寸法と略同一に設定される。これにより、天板１４５３０を本体部材１４５１０及び背面部材１４５５０に配設した場合に、天板１４５３０、本体部材１４５１０及び背面部材１４５５０の上面と面一に配設できる。
【０５８８】
また、天板１４５３０は、左右の縁部から突設される突変部５３１が突設されると共に、下面に被係合部１４５３４が上方に向かって凹設される。これにより、突片部５３１をスライド溝５１１ａに挿入して天板１４５３０を本体部材１４５１０に対してスライド変位可能にできると共に、被係合部１４５３４に突起１４８６１を挿入して係合させることができる。
【０５８９】
背面部材１４５５０は、上端面が本体部材１４５１０の上面と同一の高さに設定され、本体部材１４５１０の背面側に配設される。また、背面部材１４５５０は、上端面から下方に向かって上面凹部１４５５０ｂが凹設され、その上面凹部１４５５０ｂと凹設底面から係合部材１４８６０の板厚分離間した位置に挿通孔１４５５０ｃが貫通形成される。
【０５９０】
上面凹部１４５５０ｂは、前面側に配設される本体部材１４５１０の収容部５１１の背面側に凹設されると共に、凹設寸法が収容部５１１の凹設寸法と略同一に設定される。これにより、上面凹部１４５５０ｂの内側に天板１４５３０を配設できる。
【０５９１】
挿通孔１４５５０ｃは、後述する内枠４に配設されるロック部材１４５６０が挿通される孔であり、ロック部材１４５６０の先端を挿通させて本体部材１４５１０側に張り出させることができる。
【０５９２】
ロック部材１４５６０は、内枠４の前面側から本体部材１４５１０側に突設されて形成されると共に、突設寸法が背面部材１４５５０の厚み寸法よりも大きく設定される。また、ロック部材１４５６０は、上下方向の寸法が距離寸法Ｓ３（図８７（ｂ）参照）と略同一に設定される。これにより、背面部材１４５５０の前面から張り出すロック部材１４５６０の先端側が、係合部材１４８６０の下面側に配置されることで、係合部材１４８６０の上面を本体部材１４５１０の収容部５１１の凹設底面と略同一の高さに配置することができる。
【０５９３】
ロック部材１４５６０には、突出先端の上部に基端側に向かって上方傾斜する傾斜面１４５６４が形成される。傾斜面１３５６４は、内枠４に対して前扉１４００５を閉鎖した場合に、係合部材１４８６０と当接する面であり、これにより、係合部材１４８６０を上方に変位させることができる。なお、傾斜面１４５６４と係合部材１４８６０との当接状態についての詳しい説明は後述する。
【０５９４】
次いで、図８７及び図８８を参照して、パネル部材１１５２０を交換する手順について説明する。図８８（ａ）及び図８８（ｂ）は、遊技機主部１４００３の断面模式図である。なお、図８８（ａ）及び図８８（ｂ）は、図８７（ｂ）と対応する。また、図８７（ｂ）、図８８（ａ）及び図８８（ｂ）は、パネル部材５２０を交換する場合の順番に図８７（ｂ）、図８８（ａ）及び図８８（ｂ）が図示される。
【０５９５】
図８７（ｂ）に示すように、前扉１４００５が内枠４に対して閉じられた状態では、係合部材１４８６０が収容部１４５１５の内側に配置されるロック部材１４５６０の上面に載置された状態とされる。これにより、コイルばねＳＰ７が引き伸ばされた状態とされると共に、係合部材１４８６０の突起１４８６１が被係合部１４５３４の内側に挿入される。その結果、天板１４５３０のスライド変位が規制される。
【０５９６】
図８８（ａ）に示すように、図８７（ｂ）に示す状態から、前扉１４００５が内枠４に対して開放されると、背面部材１４５５０の挿通孔１４５５０ｃの内側からロック部材１４５６０が引き抜かれた状態とされる。これにより、係合部材１４８６０の下側には、ロック部材１４５６０が配置された状態から空間が形成された状態とされる。
【０５９７】
上述したように、係合部材１４８６０は、コイルばねＳＰ７が連結されるので、下側に空間が形成される分、コイルばねＳＰ７により下方に引き込まれる。これにより、係合部材１４８６０の突起１４８６１が天板１４５３０の被係合部１４５３４の内部から引き抜かれ、係合部材１４８６０と天板１４５３０との係合が解除される。その結果、天板１４５３０のスライド変位の規制が解除される。
【０５９８】
図８８（ｂ）に示すように、図８８（ａ）に示す状態から、天板１４５３０を背面側（内枠４側）にスライド変位させることで、本体部材１４５１０の前方に開口を形成することができる。これにより、本体部材１４５１０の開口を介して、本体部材１４５１０に配設されるパネル部材５２０を交換することができる。
【０５９９】
パネル部材５２０を交換した後に遊技機主部１４００３を元の位置（図Ｃ２（ｂ）に示す位置）に戻す場合は、天板１４５３０を前方にスライド変位させて、本体部材１４５１０の前方の開口を封鎖した後に、内枠４に対して前扉１４００５を閉める。これにより、ロック部材１４５６０の先端が背面部材１４５５０の挿通孔１４５５０ｃを介して本体部材１４５１０の収容部１４５１５の内側に張り出される。この場合、ロック部材１４５６０の先端に形成される傾斜面１４５６４に係合部材１４８６０が当接される。これにより、係合部材１４８６０が傾斜面１４５６４の傾斜に沿って上方に案内（変位）され、係合部材１４８６０の突起１４８６１が天板１４５３０の被係合部１４５３４に挿入される。その結果、天板１４５３０のスライド変位が規制される。
【０６００】
よって、第１４実施形態では、内枠４に対して前扉１４００５を閉鎖する動作のみで、天板１４５３０のスライド変位を規制することができ、パネル部材５２０を遊技機主部１４００３の外部から取り外し不能にすることができるので、作業者の作業を簡易にできる。
【０６０１】
即ち、第１実施形態では、介設板５４０を元の位置に戻した後に、ロック部材５６０を第２位置から第１位置に戻すことで、天板５３０のスライド変位を規制することができるが、作業者に介設板５４０を元の位置に戻す作業とロック部材５６０を第１位置に戻す作業とをさせる必要があるため、作業者の作業が複雑となる。これに対し、第１４実施形態では、内枠４に対して前扉１４００５を閉鎖する動作のみで、天板１４５３０のスライド変位を規制することができる。そのため、作業者の作業を簡易にできる。
【０６０２】
次いで、図８８（ｂ）を参照して天板１４５３０を背面側（内枠４側）にスライド変位させた状態で、内枠４に対して前扉１４００５を閉めた場合について説明する。
【０６０３】
図８８（ｂ）に示すように、ロック部材１４５６０の傾斜面１４５６４の基端側の端部までの突出距離Ｓ４（図８８（ｂ）参照）は、天板１４５３０を背面側にスライド変位させた場合の係合部材１４８６０の背面側の端部から天板１４５３０の背面部材１４５５０から張り出した側（背面側）の端部までの距離寸法Ｓ５（図８８（ｂ）参照）よりも大きく設定される（Ｓ４＞Ｓ５）。これにより、天板１４５３０が背面側にスライド変位された（天板１４５３０の前方が開放された）状態で、内枠４に対して前扉１４００５が閉められた場合に、天板１４５３０の背面側の端部が内枠４の前面に当接して天板１４５３０が破損することを抑制できる。
【０６０４】
詳しく説明すると、天板１４５３０が背面側にスライド変位された（天板１４５３０の前方が開放された）状態で、内枠４に対して前扉１４００５が閉められた場合に、天板１４５３０が背面部材１４５５０の前面に当接する前に、ロック部材１４５６０を係合部材１４８６０に当接させることができる。従って、係合部材１４８６０が上方に変位される。
【０６０５】
天板１４５３０が背面側にスライド変位された状態では、係合部材１４８６０の突起１４８６１が被係合部１４５３４に挿入されず、天板１４５３０の下面に当接する状態とされる。よって、係合部材１４８６０の下面と収容部１４５１５の凹設底面との対向間にロック部材１４５６０を挿入できる隙間が形成されず、ロック部材１４５６０の挿入が規制される。その結果、内枠４に対して前扉１４００５が閉められることを規制でき、天板１４５３０の背面側の端部が内枠４の前面に当接して天板１４５３０が破損することを抑制できる。
【０６０６】
また、天板１４５３０の後方へのスライド変位量は、係合部材１４８６０の突起１４８６１の外縁部から背面部材１４５５０の背面側の端部までの距離寸法Ｓ６（図８８（ｂ）参照）よりも小さく設定される。これにより、天板１４５３０が背面側にスライド変位された場合に、天板１４５３０の被係合部１４５３４が背面部材１４５５０の背面側に配置されることを抑制できる。その結果、被係合部１４５３４が改造されることを抑制できる。
【０６０７】
なお、被係合部１４５３４が改造されるとは、例えば、被係合部１４５３４の外径を大きくして、係合部材１４８６０の突起１４５６１を被係合部１４５３４に挿入しやすくする改造などが例示される。
【０６０８】
以上、上記実施形態に基づき本発明を説明したが、本発明は上記形態に何ら限定されるものではなく、本発明の趣旨を逸脱しない範囲内で種々の変形改良が可能であることは容易に推察できるものである。
【０６０９】
上記各実施形態において、１の実施形態の一部または全部を他の１又は複数の実施形態の一部または全部と入れ替えて又は組み合わせて、遊技機を構成しても良い。
【０６１０】
上記第４実施形態では、パネル部材４５２０を天板４５３０の底面に締結固定する場合を説明したが、必ずしもこれに限られるものではなく、他の固定方法であっても良い。例えば、他の固定方法として、弾性的な変形を利用した係合・嵌合・圧入、弾性的に変形させない係合・嵌合、接着剤や接着テープを利用した接着などが例示される。
【０６１１】
上記第４実施形態では、凹部５１１ｃの凹設寸法（深さ寸法）が、パネル部材４５２０の高さ寸法よりも十分に大きな寸法に設定され、パネル部材４５２０が天板４５３０に締結固定されずに凹部５１１ｃに収容された場合には、当接部材４５３２の長手方向他端側がパネル部材４５２０によって凹溝４５３４内に押し込まれず、当接部材４５３２の長手方向一端側によるレバー部材５７０の下方への押し下げが不能とされる場合を説明したが、必ずしもこれに限られるものではなく、凹部５１１ｃの凹設寸法（深さ寸法）を、パネル部材４５２０の高さ寸法に対応（略一致）する寸法に設定しても良い。
【０６１２】
この場合には、パネル部材４５２０を天板４５３０に締結固定せずに凹部５１１ｃに収容した場合でも、天板４５３０を収容部５１１に取り付けると、当接部材４５３２の長手方向他端側をパネル部材４５２０によって凹溝４５３４内に押し込ませ、当接部材４５３２の長手方向一端側によるレバー部材５７０の下方への押し下げが可能となる。
【０６１３】
よって、パネル部材４５２０を天板４５３０に締結固定する作業を不要として、その分、作業の簡素化を図ることができる。また、パネル部材４５２０が凹部５１１ｃに収納されていなければ、レバー部材５７０を下方へ押し下げられない（即ち、内枠４に対して前扉５を閉じることができない）ので、パネル部材４５２０の取り付け忘れを作業者に認識させることができる。
【０６１４】
上記各実施形態では、介設板５４０，３５４０、天板４５３０、スライド板６５４０及びパネル部材４５２０（第３部材、対象部材）が所定位置に取り付けられていない場合に、内枠４（第１枠部材または第２枠部材）に対して前扉５（第２枠部材または第１枠部材）を閉じることが規制される場合を説明したが、所定位置への取り付け忘れを抑制する対象となる部材（第３部材）、及び、取り付け忘れ時に閉じることが規制される部材（第１枠部材および第２枠部材）は、上記実施形態で例示した部材には限定されない。
【０６１５】
例えば、第３部材または対象部材の取り付け忘れ時に閉じることが規制される部材（第１枠部材および第２枠部材）の組み合せとしては、例えば、外枠２及び内枠４、前扉５と下皿ユニット１５、前扉５及び外枠２、内枠４及び裏パックユニット６、前扉５及び通路形成ユニット１６０、樹脂ベース１４０及び遊技球発射機構１４２、或いは、内枠４及びファール球通路１６５などが例示される。即ち、一方に対して他方が開閉可能（回動可能）とされる部材どうしの組み合せであればどのような部材に適用しても良い。
【０６１６】
上記各実施形態では、介設板５４０，３５４０、天板４５３０或いはスライド板６５４０が所定位置に取り付けられていない場合に、内枠４に対して前扉５を閉じることが規制される場合を説明したが、必ずしもこれに限られるものではなく、例えば、介設板５４０，３５４０、天板４５３０或いはスライド板６５４０が所定位置に取り付けられていない状態で、内枠４に対して前扉５を閉じる動作が少なくとも行われた場合に、（内枠４に対して前扉５を閉じた状態が形成可能か否かに関わらず、）パネル部材５２０，４５２０を所定の状態とするように形成しても良い。所定の状態としては、例えば、パネル部材５２０，４５２０が、折れ曲がる、凹部５１１ｃから飛び出す（脱落する）、凹部５１１ｃ内で傾斜する等が例示される。パネル部材５２０，４５２０の交換等の作業を行った後は、作業者は、パネル部材５２０，４５２０の状態を確認するのが通常であるので、作業者に介設板５４０等の取り付け忘れを認識させやすくできる。
【０６１７】
上記各実施形態では、介設板５４０，３５４０、天板４５３０或いはスライド板６５４０が所定位置に取り付けられていない場合に、内枠４に対して前扉５を閉じることが規制される場合を説明したが、必ずしもこれに限られるものではなく、これに代えて、或いは、これに加えて、パチンコ機１の電源がオンの状態で、介設板５４０，３５４０、天板４５３０或いはスライド板６５４０が所定位置に取り付けられずに、内枠４に対して前扉５を閉じる動作が少なくとも行われると、パチンコ機１の電源がオフされるように形成しても良い。この場合、パチンコ機１の電源のオフは、全体（全構成ユニット）の電源をオフしても良く、取り付け忘れに対応する部分（例えば、パネル部材５２０を照射するＬＥＤ等の発光手段）のみをオフするようにしても良い。介設板５４０等の取り付け忘れを作業者や遊技者に認識させやすくできる。
【０６１８】
一方、パチンコ機１の電源がオフの状態で、介設板５４０，３５４０、天板４５３０或いはスライド板６５４０が所定位置に取り付けられずに、内枠４に対して前扉５を閉じる動作が少なくとも行われると、パチンコ機１の電源がオンされるように形成しても良い。この場合、パチンコ機１の電源のオンは、全体（全構成ユニット）の電源をオンしても良く、取り付け忘れに対応する部分（例えば、パネル部材５２０を照射するＬＥＤ等の発光手段）のみをオンするようにしても良い。介設板５４０等の取り付け忘れを作業者や遊技者に認識させやすくできる。
【０６１９】
上記各実施形態では、パチンコ機１を例に説明したが、必ずしもこれに限られるものでなく、本発明を異なるタイプの遊技機に適用しても良い。異なるタイプの遊技機としては、例えば、スロットマシンが例示される。この場合、例えば、上記第８実施形態では、突出部材８７１３が遊技領域ＰＥへ突出することで遊技を不能とする場合を説明したが、スロットマシンの場合には、突出部材８７１３に対応する部材の変位を利用することで、セレクターを操作して、コインの投入を不能（投入ができない又は投入しても排出される）としても良い。また、例えば、上記第９実施形態では、突出部材９７２４が変位されることで、操作ハンドル５１の回転部材の操作が不能とされる場合を説明したが、スロットマシンの場合には、突出部材９７２４に対応する部材の変位を利用することで、操作レバーの操作を不能としても良い。こられの場合にも、第８及び第９実施形態と同様の効果を奏することができる。
【０６２０】
上記第１１実施形態では、異常表示装置１１５１８の一部を透明な材料で形成する場合を説明したが、必ずしもこれに限るものではない。例えば、全体（一体）が透明な材量から形成される異常表示装置１１５１８に光を透過させる領域のみ開口されたシール等を添付してもよい。また、シールに限らず、異常表示装置１１５１８に光を透過させる領域以外を塗装しても良い。
【０６２１】
この場合、異表示装置１１５１８を一体の部品として形成することができるので、異常表示装置１１５１８の形成を簡易にすることができる。その結果、異常表示装置１１５１８の製造コストを削減することができる。
【０６２２】
上記第１１実施形態では、パネル部材１１５２０を不透明領域Ｒ２の背面側に配置することで、作業者に異常を気が付かせる場合を説明したが必ずしもこれに限られるものではない。例えば、作業者がロック部材５６０を戻し忘れて前扉１１００５を内枠４に対して閉鎖した場合に、回転部材１１８１０を第１１実施形態と反対方向に回転させても良い。
【０６２３】
この場合、パネル部材１１５２０を可撓性の樹脂材料から形成することで、パネル部材１１５２０を天板５３０と回転部材１１８１０との間に挟んで変形させることができる。その結果、パネル部材１１５２０に異常があることをパネル部材１１５２０の状態を作業者に視認させることができる。その結果、作業際にパチンコ機１が異常であることを判断させやすくできる。
【０６２４】
上記第１２実施形態では、パネル部材１２５２０が１の装飾を表示する（第１分割板１２５２０ａから第４分割板１２５２０ｄが、上下方向にずれて配設される）場合に、第４分割板１２５２０ｄは、本体部材１１５１０の不透明領域Ｒ２の背面側に配設され、第３分割板１２５２０ｃは、透明領域Ｒ１の背面側に配設される場合を説明したが必ずしもこれに限られるものではない。例えば、本体部材１１５１０の前面全域を透明領域Ｒ１で形成しても良いし、第４分割板１２５２０ｄの前方側まで透明領域Ｒ１が形成されていても良い。
【０６２５】
この場合、作業者がパネル部材１２５２０を交換した後に、ロック部材５６０を第２位置から第１位置に戻し忘れた場合に、各分割板が前後方向に重ねて配置された態様を作業者に視認させやすくできる。よって、作業者に、パネル部材１２５２０の異常を認識しやすくできる。その結果、パチンコ機１に異常がある（ロック部材５６０を戻し忘れた）ことを作業者に認識させやすくできる。
【０６２６】
上記第１２実施形態では、回転部材１２８１０が変位（回転）されると、パネル部材１２５２０の複数の分割板が前後方向に重なり、回転部材１２８１０の変位（回転）を戻すことで、パネル部材１２５２０の複数の分割板が上下方向にずれた位置に配置される場合について説明したが、必ずしもこれに限られるものではない。例えば、パネル部材１２５２０の複数の分割板は、一度前後方向に重なった状態とされるとその状態で固定され、回転部材１２８１０の変位を戻しても、元（回転部材１２８１０が変位前）の形状に戻らないようにしても良い。
【０６２７】
この場合、遊技者が不正を行った後に内枠４に対して前扉１２００４を閉める場合に、ロック部材５６０の操作を間違えることで、パネル部材１２５２０が変形した状態とされるので、店員にパチンコ機１に不正な操作がされたことを認識させやすくできる。
【０６２８】
上記第１３実施形態では、回転部材１３８１０が回転した後に先端側（被締結部１１８１２側）が本体部材１３５１０及び天板１３５３０との間の開口部分に近づく場合を説明したが、必ずしもこれに限られるものでない。例えば、回転部材１３８１０が回転した後に先端側（被締結部１１８１２側）が本体部材１３５１０及び天板１３５３０との間の開口から張り出す状態とされても良い。
【０６２９】
この場合、パネル部材１３５２０及び回転部材１３８１０の締結（螺合）部分を遊技機主部１３００３の外側に張り出させることができるので、回転部材１３８１０からパネル部材１３５２０を外しやすくできる。
【０６３０】
上記第１３実施形態では、パネル部材１３５２０が回転部材１３８１０に締結された状態とされ、回転部材１３８１０が回転されることで、パネル部材１３５２０が遊技機主部１３００３の外方に張り出される場合を説明したが、必ずしもこれに限られるものではない。例えば、パネル部材１３５２０は、回転部材１３８１０の先端に係合される状態とされ、回転部材１３８１０が回転されることで、遊技機主部の外方に張り出されると共に、回転部材１３８１０との係合が解除されても良い。
【０６３１】
この場合、パネル部材１３５２０の交換作業に問題がある（ロック部材１３５６０を第２位置から第１位置に戻し忘れる）と、パネル部材１３５２０を遊技機主部１３００３から脱落させることができるので、パネル部材１３５２０を交換する作業者に、パチンコ機１に異常がある（ロック部材１３５６０を戻し忘れた）ことを認識させやすくできる。
【０６３２】
上記第１３実施形態では、作業者がロック部材１３５６０を戻し忘れた場合に、パネル部材１３５２０が、本体部材１３５１０の上方背面側に向かって張り出す（飛び出す）場合を説明したが、必ずしもこれに限られるものではない。例えば、本体部材１３５１０の上方正面側に向かって張り出すように回転部材１３８１０を構成しても良い。
【０６３３】
この場合、本体部材１３５１０の正面側にパネル部材１３５２０が張り出すので、内枠４に対して前扉１３００５を閉鎖した際に、作業者がパネル部材１３５２０の張り出しに気が付かなかった場合に、作業者にパチンコ機１を左右横方向から視認させることで、一部（パネル部材１３５２０）が正面側に張り出していることを認識させやすくできる。その結果、パネル部材１３５２０を交換する作業者または他の作業者に、パチンコ機１に異常がある（ロック部材１３５６０を戻し忘れた）ことを認識させやすくできる。
【０６３４】
さらに、この場合、本体部材１３５１０から張り出すパネル部材１３５２０が、パチンコ機１を正面視した際に、本体部材１３５１０と重なる位置にパネル部材１３５２０の張り出し先端の少なくとも一部が重なる位置に配置されることが好ましい。これによれば、本体部材１３５１０がパネル部材１３５２０に隠れる（重なる）ことで、本体部材１３５１０の一部が視認し難くされる。その結果、パネル部材１３５２０を交換する作業者または他の作業者に、パチンコ機１に異常がある（ロック部材１３５６０を戻し忘れた）ことを認識させやすくできる。
【０６３５】
上記第１１から第１３実施形態では、回転部材１１８１０，１２８１０，１３８１０を回転させることで、その回転部材１１８１０，１２８１０，１３８１０に締結されるパネル部材１１５２０，１２５２０，１３５２０の位置を変位させる場合について説明したが、必ずしもこれに限られるものではない。
【０６３６】
例えば、パネル部材１１５２０，１２５２０，１３５２０が締結される部材をスライド変位させてパネル部材１１５２０，１２５２０，１３５２０の位置を変位させるものであって良い。
【０６３７】
本発明を上記各実施形態とは異なるタイプのパチンコ機等に実施してもよい。例えば、一度大当たりすると、それを含めて複数回（例えば２回、３回）大当たり状態が発生するまで、大当たり期待値が高められるようなパチンコ機（通称、２回権利物、３回権利物と称される）として実施してもよい。また、大当たり図柄が表示された後に、所定の領域に球を入賞させることを必要条件として遊技者に所定の遊技価値を付与する特別遊技を発生させるパチンコ機として実施してもよい。また、Ｖゾーン等の特別領域を有する入賞装置を有し、その特別領域に球を入賞させることを必要条件として特別遊技状態となるパチンコ機に実施してもよい。更に、パチンコ機以外にも、アレパチ、雀球、スロットマシン、いわゆるパチンコ機とスロットマシンとが融合した遊技機などの各種遊技機として実施するようにしても良い。
【０６３８】
なお、スロットマシンは、例えばコインを投入して図柄有効ラインを決定させた状態で操作レバーを操作することにより図柄が変動され、ストップボタンを操作することにより図柄が停止されて確定される周知のものである。従って、スロットマシンの基本概念としては、「複数の識別情報からなる識別情報列を変動表示した後に識別情報を確定表示する表示装置を備え、始動用操作手段（例えば操作レバー）の操作に起因して識別情報の変動表示が開始され、停止用操作手段（例えばストップボタン）の操作に起因して、或いは、所定時間経過することにより、識別情報の変動表示が停止して確定表示され、その停止時の識別情報の組合せが特定のものであることを必要条件として、遊技者に所定の遊技価値を付与する特別遊技を発生させるスロットマシン」となり、この場合、遊技媒体はコイン、メダル等が代表例として挙げられる。
【０６３９】
また、パチンコ機とスロットマシンとが融合した遊技機の具体例としては、複数の図柄からなる図柄列を変動表示した後に図柄を確定表示する表示装置を備えており、球打出用のハンドルを備えていないものが挙げられる。この場合、所定の操作（ボタン操作）に基づく所定量の球の投入の後、例えば操作レバーの操作に起因して図柄の変動が開始され、例えばストップボタンの操作に起因して、或いは、所定時間経過することにより、図柄の変動が停止され、その停止時の確定図柄がいわゆる大当たり図柄であることを必要条件として遊技者に所定の遊技価値を付与する特別遊技が発生させられ、遊技者には、下部の受皿に多量の球が払い出されるものである。かかる遊技機をスロットマシンに代えて使用すれば、遊技ホールでは球のみを遊技価値として取り扱うことができるため、パチンコ機とスロットマシンとが混在している現在の遊技ホールにおいてみられる、遊技価値たるメダルと球との別個の取扱による設備上の負担や遊技機設置個所の制約といった問題を解消し得る。
【０６４０】
以下に、本発明の遊技機に加えて上述した実施形態に含まれる各種発明の概念を示す。
【０６４１】
＜ワンウェイクラッチ３５８０を一例とする発明の概念について＞
第１枠部材と、その第１枠部材に開閉可能に取着される第２枠部材と、前記第１枠部材または第２枠部材の一方の所定位置に配設される第３部材と、を備え、前記第３部材が前記所定位置から少なくとも変位可能に形成された遊技機において、前記第１枠部材に対して第２枠部材が開放されることで、前記第３部材が前記所定位置から少なくとも変位することが許容されると共に、前記第３部材が前記所定位置に配置されていない状態では、前記第１枠部材に対して第２枠部材を閉じることが規制されることを特徴とする遊技機Ａ１。
【０６４２】
ここで、第１枠と、その第１枠に開閉可能に取着される第２枠と、第１枠または第２枠の一方に配設される第３部材（デコレーションパネル２５）とを備え、その第３部材が所定位置から少なくとも変位可能に形成された遊技機が知られている（特開２００１−１０４５４６号）。
【０６４３】
この遊技機によれば、第３部材が所定位置から少なくとも変位される（又は、取り外される）ことで、作業者による所定の操作（例えば、点検や調整、部品の交換など）が可能とされる。一方、第３部材を所定位置に戻すことで、作業者や遊技者によって所定の操作が行われることを規制できる。
【０６４４】
しかしながら、上述した従来の遊技機では、第３部材を所定位置に戻し忘れるおそれがあるという問題点があった。第３部材を所定位置に戻し忘れると、第３部材が配置されるべき部分が開放されるので、その開放された部分を利用して不正が行われるおそれがある。
【０６４５】
これに対し、遊技機Ａ１によれば、第１枠部材に対して第２枠部材が開放されることで、第３部材が所定位置から少なくとも変位することが許容されると共に、第３部材が所定位置に配置されていない状態では、第１枠部材に対して第２枠部材を閉じることが規制されるので、第３部材を所定位置に戻し忘れることを抑制できる。
【０６４６】
即ち、遊技機Ａ１によれば、第３部材を所定位置から少なくとも変位させるためには、第１枠部材に対して第２枠部材を開放させることが必要とされるので、第３部材を所定位置から少なくとも変位させた場合には、第１枠部材に対して第２枠部材を閉じる動作を必須の作業として作業者に必ず行わせることができる。この場合、第３部材を所定位置に戻さなければ、第１枠部材に対して第２枠部材を閉じることができず、遊技可能な状態を形成できないため、第３部材を所定位置に戻し忘れることを確実に抑制できる。
【０６４７】
なお、第３部材を少なくとも変位させるとは、第１枠部材または第２枠部材の一方に第３部材が配設された状態のまま変位される場合だけでなく、第１枠部材または第２枠部材の一方から第３部材が取り外される形態も含む。また、第３部材を少なくとも変位させて行われる所定の操作としては、対象となる部品または機器を、取り外して交換する場合、その配設方向を調整する場合、スイッチを操作する場合などが例示される。
【０６４８】
遊技機Ａ１において、前記第１枠部材に対して第２枠部材が開放され、前記第３部材が前記所定位置から少なくとも変位されると、前記第１枠部材に対して第２枠部材が、前記開放されている位置から少なくとも閉じる方向へ変位することを禁止する禁止手段を備えることを特徴とする遊技機Ａ２。
【０６４９】
遊技機Ａ２によれば、遊技機Ａ１の奏する効果に加え、第１枠部材に対して第２枠部材が開放され、第３部材が所定位置から少なくとも変位されると、第１枠部材に対して第２枠部材が、その開放されている位置から少なくとも閉じる方向へ変位することを禁止する禁止手段を備えるので、第３部材を所定位置に戻し忘れることを抑制できる。
【０６５０】
即ち、第３部材を所定位置に戻さなければ、第１枠部材に対して第２枠部材を閉じることができないようにすることで、第３部材の戻し忘れを抑制することができる。しかしながら、この場合、例えば、第１枠部材に第２枠部材が重なった状態で、両者の間に所定の部材を介在させることで、閉じた状態を形成できなくさせる構造（即ち、第１枠部材に対する第２枠部材の閉じる方向への変位は許容される構造）では、実際に閉じた状態が形成されていなくても、第１枠部材に対して第２枠部材が閉じる方向へ変位され、両者が重なっていることで、閉じた状態が形成されたと作業者が誤認識する恐れがある。また、閉じる動作が大きな力で行われると、第１枠部材に対して第２枠部材が所定の部材を挟み込みつつ衝突して、破損する恐れがある。
【０６５１】
これに対し、遊技機Ａ２によれば、第３部材が所定位置から少なくとも変位されると、第１枠部材に対して第２枠部材が少なくとも閉じる方向へ変位することを禁止手段により禁止させることができるので、閉じた状態が形成されたと作業者が誤認識することを抑制しやすくできる。また、閉じる方向への変位が禁止されることで、その閉じる動作に伴う衝突により破損することを回避できる。
【０６５２】
遊技機Ａ２において、前記禁止手段は、前記第１枠部材に対して第２枠部材が開放方向へ変位することは許容することを特徴とする遊技機Ａ３。
【０６５３】
遊技機Ａ３によれば、遊技機Ａ２の奏する効果に加え、禁止手段は、第１枠部材に対して第２枠部材が開放方向へ変位することは許容するので、第１枠部材と第２枠部材との連結部分の故障や異物噛み込みとは異なる動作を形成して、第３部材の所定位置への戻し忘れであることを作業者に認識させやすくできる。
【０６５４】
遊技機Ａ３において、前記禁止手段は、ワンウェイクラッチを備え、そのワンウェイクラッチの動作により、前記第１枠部材に対して第２枠部材が閉じる方向へ変位することを禁止すると共に、前記第１枠部材に対して第２枠部材が開放方向へ変位することを許容するように形成されることを特徴とする遊技機Ａ４。
【０６５５】
遊技機Ａ４によれば、遊技機Ａ３の奏する効果に加え、第１枠部材に対する第２枠部材の閉じる方向への変位の禁止と第１枠部材に対する第２枠部材の開放方向への変位の許容とをワンウェイクラッチの動作により形成するので、開放方向へ変位されると、その位置からの閉じる方向への変位を禁止できるので、作業者が第２枠部材を変位させる度に、第１枠部材に対する第２枠部材の開放の角度を大きくすることができる。よって、第３部材の所定位置への戻し忘れであることを作業者に認識させやすくでき、その結果、第２枠部材を閉じる方向へ無理に押し込んで破損することを抑制できる。
【０６５６】
遊技機Ａ１において、前記第１枠部材に対して第２枠部材を施錠する施錠装置を備え、前記第３部材が前記所定位置に配置されていない状態では、前記施錠装置が開錠状態とされることを特徴とする遊技機Ａ５。
【０６５７】
遊技機Ａ５によれば、遊技機Ａ１の奏する効果に加え、第１枠部材に対して第２枠部材を施錠する施錠装置を備え、第３部材が所定位置に配置されていない状態では、施錠装置が開錠状態とされるので、第１枠部材に対して第２枠部材を閉じる方向へ変位させても、施錠が行なわれない状態を形成できる。よって、第３部材が所定位置に配置されていないことを作業者へ認識させることができ、第３部材を所定位置に戻し忘れることを抑制できる。
【０６５８】
遊技機Ａ５において、前記第３部材が前記所定位置に配置されていない状態で前記第１枠部材に対して第２枠部材が閉じる方向へ変位された場合に、前記第２枠部材を開放方向へ付勢する付勢部材を備えることを特徴とする遊技機Ａ６。
【０６５９】
遊技機Ａ６によれば、遊技機Ａ５の奏する効果に加え、第３部材が所定位置に配置されていない状態で第１枠部材に対して第２枠部材が閉じる方向へ変位された場合に、第２枠部材を開放方向へ付勢する付勢部材を備えるので、第３部材が所定位置に配置されていないことを作業者へ認識させやすくできる。
【０６６０】
即ち、例えば、第１枠部材に対して第２枠部材を閉じる方向へ変位させた場合に、施錠が行なわれないだけでは、第１枠部材に第２枠部材が重なっていることで、閉じた状態が形成されたと作業者が誤認識する恐れがある。これに対し、遊技機Ａ６によれば、第１枠部材に対して第２枠部材を閉じる方向へ変位させた場合には、付勢部材の付勢力により第２枠部材を開放方向へ押し返して、開放された状態を形成することができる。よって、第３部材が所定位置に配置されていないことを作業者へ認識させやすくできる。
【０６６１】
また、閉じる動作が大きな力で行われると、第１枠部材に対して第２枠部材が衝突して、破損する恐れがあるところ、かかる衝突を付勢部材の付勢力で緩衝することができるので、破損を抑制することができる。
【０６６２】
遊技機Ａ６において、前記付勢部材は、前記第１枠部材に対して第２枠部材が閉じた状態において、前記第２枠部材を開放方向へ付勢可能に形成されることを特徴とする遊技機Ａ７。
【０６６３】
遊技機Ａ７によれば、遊技機Ａ６の奏する効果に加え、付勢部材は、第１枠部材に対して第２枠部材が閉じた状態において、第２枠部材を開放方向へ付勢可能に形成されるので、第１枠部材に対して第２枠部材を閉じた状態から開放する際に、開放に要する力を付勢部材の付勢力により補助することができる。よって、第１枠部材に対して第２枠部材を開放させる際の作業者の作業性の向上を図ることができる。
【０６６４】
遊技機Ａ１からＡ７において、前記第３部材が前記所定位置から少なくとも変位された状態で前記第１枠部材に対して第２枠部材が閉じられた場合に前記第１枠部材および第２枠部材の間に介在され弾性変形される付勢部材を備えることを特徴とする遊技機Ａ８。
【０６６５】
遊技機Ａ８によれば、遊技機Ａ１からＡ７の奏する効果に加え、第３部材が所定位置から少なくとも変位された状態で第１枠部材に対して第２枠部材が閉じられた場合に第１枠部材および第２枠部材の間に介在され弾性変形される付勢部材を備えるので、かかる付勢部材の弾性変形に伴う緩衝作用により第１枠部材および第２枠部材の衝突の勢いを弱めることができる。その結果、衝突に伴う破損や損傷を抑制できる。
【０６６６】
遊技機Ａ８において、前記第１枠部材に対して第２枠部材が開放された状態で少なくとも第１位置または第２位置に操作可能に形成される操作部材を備えると共に前記第２位置に操作された前記操作部材が前記第１枠部材および第２枠部材の間に介在されることで前記第１枠部材に対して第２枠部材を閉じることが規制され、前記付勢部材は、前記操作部材に収容されることを特徴とする遊技機Ａ９。
【０６６７】
遊技機Ａ９によれば、遊技機Ａ８の奏する効果に加え、第１枠部材に対して第２枠部材が開放された状態で少なくとも第１位置または第２位置に操作可能に形成される操作部材を備えると共に第２位置に操作された操作部材が第１枠部材および第２枠部材の間に介在されることで第１枠部材に対して第２枠部材を閉じることが規制され、付勢部材は、操作部材に収容されるので、付勢部材を第１枠部材および第２枠部材の間で弾性変形させやすくすることができると共に、スペース効率の向上を図ることができる。
【０６６８】
遊技機Ａ９において、前記付勢部材は、前記第１枠部材に第２枠部材を閉じた状態では、前記第１枠部材および第２枠部材の間で弾性変形されていることを特徴とする遊技機Ａ１０。
【０６６９】
遊技機Ａ１０によれば、遊技機Ａ９の奏する効果に加え、付勢部材は、第１枠部材に対して第２枠部材を閉じた状態では、第１枠部材および第２枠部材の間で弾性変形されているので、第１枠部材に対して第２枠部材を開放する場合には、付勢部材の弾性回復力を開放の動作に補助する力として利用して、作業者による開放動作を補助することができる。
【０６７０】
遊技機Ａ１０において、前記第１枠部材に対して第２枠部材を閉じた状態において、前記付勢部材を弾性変形させる変形付与部を備え、前記第１枠部材に対して第２枠部材が開放された状態では、前記変形付与部による前記付勢部材の弾性変形が解除されることを特徴とする遊技機Ａ１１。
【０６７１】
遊技機Ａ１１によれば、遊技機Ａ１０の奏する効果に加え、第１枠部材に対して第２枠部材を閉じた状態において、付勢部材を弾性変形させる変形付与部を備え、第１枠部材に対して第２枠部材が開放された状態では、変形付与部による付勢部材の弾性変形が解除されるので、第１枠部材に対して第２枠部材を開放する場合には、付勢部材の弾性回復力を大きくして、開放の動作を補助しやすくできる一方、第１枠部材に対して第２枠部材を閉じる場合には、付勢部材の弾性変形可能量を確保して、第１枠部材および第２枠部材の衝突の勢いを弱めやすくできる。
【０６７２】
＜ロック部材５６０を一例とする発明の概念について＞
第１枠部材と、その第１枠部材に開閉可能に取着される第２枠部材と、前記第１枠部材または第２枠部材の一方の所定位置に配設される第３部材と、を備え、前記第３部材が前記所定位置から少なくとも変位可能に形成された遊技機において、前記第１枠部材に対して第２枠部材が開放された状態で少なくとも第１位置または第２位置に操作可能に形成される操作部材を備え、前記操作部材が前記第１位置から第２位置へ操作されることで、前記第３部材が前記所定位置から少なくとも変位することが許容され、前記第３部材が前記所定位置に配置されることで、前記操作部材の前記第２位置から第１位置への操作が可能とされ、前記操作部材が少なくとも前記第１位置に操作されていない状態では、前記第１枠部材に対して第２枠部材を閉じることが規制されることを特徴とする遊技機Ｂ１。
【０６７３】
ここで、第１枠と、その第１枠に開閉可能に取着される第２枠と、第１枠または第２枠の一方に配設される第３部材（デコレーションパネル２５）とを備え、その第３部材が所定位置から少なくとも変位可能に形成された遊技機が知られている（特開２００１−１０４５４６号）。
【０６７４】
この遊技機によれば、第３部材が所定位置から少なくとも変位される（又は、取り外される）ことで、作業者による所定の操作（例えば、点検や調整、部品の交換など）が可能とされる。一方、第３部材を所定位置に戻すことで、作業者や遊技者によって所定の操作が行われることを規制できる。
【０６７５】
しかしながら、上述した従来の遊技機では、第３部材を所定位置に戻し忘れるおそれがあるという問題点があった。第３部材を所定位置に戻し忘れると、第３部材が配置されるべき部分が開放されるため、その開放された部分を利用して不正が行われるおそれがある。
【０６７６】
これに対し、遊技機Ｂ１によれば、操作部材を第１位置から第２位置へ操作することで、第３部材が前記所定位置から少なくとも変位することが許容されるところ、操作部材が少なくとも第１位置に配置されていない状態では、第１枠部材に対して第２枠部材を閉じることが規制され、かかる操作部材を第２位置から第１位置へ操作するためには、第３部材を所定位置に配置することが必要とされるので、第３部材を所定位置に戻し忘れることを抑制できる。
【０６７７】
即ち、遊技機Ｂ１によれば、第３部材を所定位置から少なくとも変位させるためには、操作部材を第１位置から第２位置へ操作することが必要とされると共に、操作部材が第１位置に操作されていない状態では、第１枠部材に対して第２枠部材を閉じることが規制されるので、操作部材を第２位置から第１位置へ操作する動作を必須の作業として作業者に必ず行わせることができる。この場合、第３部材を所定位置に戻さなければ、操作部材を第２位置から第１位置へ操作することができないため、第３部材を所定位置に戻し忘れることを確実に抑制できる。
【０６７８】
遊技機Ｂ１において、前記操作部材が前記第２位置に操作された状態では、その操作部材が前記第１枠部材および第２枠部材の間に介在されることで、前記第１枠部材に対して第２枠部材を閉じることが規制されることを特徴とする遊技機Ｂ２。
【０６７９】
遊技機Ｂ２によれば、遊技機Ｂ１の奏する効果に加え、操作部材が少なくとも第２位置に操作された状態では、その操作部材が第１枠部材および第２枠部材の間に介在されることで、第１枠部材に対して第２枠部材を閉じることが規制されるので、製品コストの削減を図ることができる。即ち、操作部材に、第３部材の変位の規制および許容を切り替える役割と、第１枠部材に対して第２枠部材を閉じることを規制する役割とを兼用させることができ、後者の役割のための部材を別途設けることを不要とできる。よって、部品点数を削減して、その分、製品コストの削減を図ることができる。
【０６８０】
遊技機Ｂ２において、前記第１枠部材または第２枠部材の一方に変位可能に配設される変位部材と、その変位部材に付勢力を付与する付勢部材と、を備え、前記操作部材が前記第１位置から第２位置へ操作されると、その操作部材の前記第２位置から第１位置への移動を規制する位置へ前記変位部材が前記付勢部材の付勢力により変位されることを特徴とする遊技機Ｂ３。
【０６８１】
遊技機Ｂ３によれば、遊技機Ｂ２の奏する効果に加え、第１枠部材または第２枠部材の一方に変位可能に配設される変位部材と、その変位部材に付勢力を付与する付勢部材と、を備え、操作部材が第１位置から第２位置に操作されると、その操作部材の第２位置から第１位置への移動を規制する位置へ変位部材が付勢部材の付勢力により変位されるので、操作部材が第２位置に位置する状態のままで第１枠部材に対して第２枠部材が閉じられた場合に、操作部材が第２位置から第１位置へ移動することを確実に抑制できる。即ち、第３部材が所定位置に戻されていない状態で、第１枠部材に対して第２枠部材を閉じた状態が形成されることを抑制できる。
【０６８２】
遊技機Ｂ３において、前記変位部材は、前記第３部材が前記所定位置に配置された場合に、前記操作部材の前記第２位置から第１位置への移動を許容する位置へ変位可能とされることを特徴とする遊技機Ｂ４。
【０６８３】
遊技機Ｂ４によれば、遊技機Ｂ３の奏する効果に加え、第３部材を所定位置へ戻し忘れることを抑制できる。即ち、第１枠部材に対して第２枠部材を閉じるためには、操作部材を第２位置から第１位置へ操作する必要があるところ、かかる操作のためには、変位部材を、操作部材の第２位置から第１位置への移動を許容する位置へ変位させる必要があり、この変位部材の変位のためには、第３部材を所定位置へ配置することが必要とされる。よって、第３部材を所定位置に戻さなければ、操作部材を第２位置から第１位置へ操作することができず、第１枠部材に対して第２枠部材を閉じること（即ち、遊技可能な状態を形成すること）ができないため、第３部材を所定位置に戻し忘れることをより確実に抑制できる。
【０６８４】
遊技機Ｂ４において、前記変位部材は、前記第３部材が前記所定位置に配置される際にその第３部材が直接的または間接的に作用されることで、前記操作部材の前記第２位置から第１位置への移動を許容する位置へ変位されることを特徴とする遊技機Ｂ５。
【０６８５】
遊技機Ｂ５によれば、遊技機Ｂ４の奏する効果に加え、第３部材が所定位置に配置される際にその第３部材が直接的または間接的に作用されることで、変位部材が、操作部材の第２位置から第１位置への移動を許容する位置（変位許容位置と称す）へ変位されるので、作業性の向上を図ることができる。即ち、第３部材を所定位置に配置すれば、その動作に伴って、変位部材を変位許容位置へ変位させることができ、かかる変位部材を変位許容位置へ変位させる動作を別途行うことを不要とできる。これにより、作業性の向上を図ることができる。
【０６８６】
また、変位部材を変位許容位置へ変位させる動作が別途必要な構造では、かかる変位部材の変位許容位置への変位を行っていない状態で、第１枠部材に対して第２枠部材を閉じると、操作部材の移動を変位部材が規制して、これら操作部材や変位部材などの破損を招くところ、遊技機Ｂ５によれば、第３部材を所定位置に配置すれば、これに伴って、変位部材が変位許容位置へ変位されるので、第１枠部材に対して第２枠部材を閉じた際に、操作部材や変位部材などが破損することを抑制できる。
【０６８７】
遊技機Ｂ３からＢ５のいずれかにおいて、前記操作部材が前記第１位置から第２位置へ操作され、その操作部材の前記第２位置から第１位置への移動を規制する位置へ前記変位部材が前記付勢部材の付勢力により変位されると、その変位部材が前記第３部材に直接的または間接的に作用して、前記第３部材を所定量だけ変位させることを特徴とする遊技機Ｂ６。
【０６８８】
遊技機Ｂ６によれば、遊技機Ｂ３からＢ５のいずれかの奏する効果に加え、操作部材が第１位置から第２位置へ操作され、その操作部材の第２位置から第１位置への移動を規制する位置へ変位部材が付勢部材の付勢力により変位されると、その変位部材が第３部材に直接的または間接的に作用して、第３部材を所定量だけ変位させる（例えば、浮き上がらせる）ので、かかる第３部材を変位または取り外しやすくすることができ、作業性の向上を図ることができる。
【０６８９】
遊技機Ｂ３からＢ５のいずれかにおいて、前記操作部材は、先端側が屈曲可能に形成され、その屈曲された先端側が前記第１枠部材および第２枠部材の間に挟持されることで、前記第１枠部材に対して第２枠部材を閉じることが規制されることを特徴とする遊技機Ｂ７。
【０６９０】
遊技機Ｂ７によれば、遊技機Ｂ３からＢ５のいずれかの奏する効果に加え、操作部材は、先端側が屈曲可能に形成され、その屈曲された先端側が第１枠部材および第２枠部材の間に挟持されることで、第１枠部材に対して第２枠部材を閉じることが規制されるので、操作部材が第２位置に操作された状態で、第１枠部材に対して第２枠部材が閉じられた場合でも、操作部材が変位部材へ向けて押し込まれることを抑制でき、これにより、これら操作部材や変位部材が破損することを抑制できる。
【０６９１】
遊技機Ｂ７において、前記操作部材は、前記先端側が屈曲される際の回転軸を水平方向に沿わせた姿勢で配設されることを特徴とする遊技機Ｂ８。
【０６９２】
遊技機Ｂ８によれば、遊技機ｂ７の奏する効果に加え、操作部材は、先端側が屈曲される際の回転軸を水平方向に沿わせた姿勢で配設されるので、かかる先端側をその自重により下方へ傾倒させることができる。よって、例えば、作業者が操作部材を屈曲させる操作を行わなくても、操作部材を重力の作用により屈曲した姿勢とすることができ、第１枠部材に対して第２枠部材が閉じられた場合には、それらの間に操作部材の先端側を確実に挟持させることができる。その結果、かかる操作部材が押し込まれることを抑制して、操作部材や変位部材が破損することを抑制できる。
【０６９３】
遊技機Ｂ１からＢ８において、前記第３部材を前記所定位置から少なくとも変位させることで前記第１枠部材または第２枠部材の一方から取り外し可能となる対象部材を備え、前記対象部材が前記第１枠部材または第２枠部材の一方に配設されていない状態では、前記第１枠部材に対して第２枠部材を閉じることが規制されることを特徴とする遊技機Ｂ９。
【０６９４】
遊技機Ｂ９によれば、遊技機Ｂ１からＢ８のいずれかの奏する効果に加え、第３部材を所定位置から少なくとも変位させることで第１枠部材または第２枠部材の一方から取り外し可能となる対象部材を備え、対象部材が第１枠部材または第２枠部材の一方に配設されていない状態では、第１枠部材に対して第２枠部材を閉じることが規制されるので、対象部材を戻し忘れることを抑制することができる。
【０６９５】
遊技機Ｂ９において、前記対象部材は、前記第３部材に取り付け可能に形成され、前記対象部材が前記第３部材に取り付けられた状態で、前記第３部材が前記所定位置に配設されていない状態では、前記第１枠部材に対して第２枠部材を閉じることが規制されることを特徴とする遊技機Ｂ１０。
【０６９６】
遊技機Ｂ１０によれば、遊技機Ｂ９の奏する効果に加え、対象部材が第３部材に取り付け可能に形成され、対象部材が第３部材に取り付けられた状態で、第３部材が所定位置に配設されていない状態では、第１枠部材に対して第２枠部材を閉じることが規制されるので、対象部材のみを配設し、第３部材を配設し忘れた場合にも、第１枠部材に対して第２枠部材を閉じることができない状態を形成できる。これにより、第３部材を戻し忘れることを抑制できる。
【０６９７】
遊技機Ｂ１又はＢ２において、前記第３部材は、前記第１枠部材または第２枠部材の一方に前記所定位置および開放位置の間で変位可能に配設され、前記第１枠部材に対して第２枠部材が開放され且つ前記第３部材が前記所定位置に変位された状態では、前記操作部材が第１位置または第２位置に操作可能とされ、前記第３部材が前記開放位置に配置された状態では、前記操作部材が前記第２位置から第１位置へ操作されることが前記第３部材により規制されることを特徴とする遊技機Ｂ１１。
【０６９８】
遊技機Ｂ１１によれば、遊技機Ｂ１又はＢ２の奏する効果に加え、第３部材は、第１枠部材または第２枠部材の一方に所定位置および開放位置の間で変位可能に配設され、第１枠部材に対して第２枠部材が開放され且つ第３部材が所定位置に変位された状態では、操作部材が第１位置または第２位置に操作可能とされ、第３部材が開放位置に配置された状態では、操作部材が第２位置から第１位置へ操作されることが第３部材により規制されるので、操作部材が第２位置から第１位置へ移動することを規制するための部材を別途設ける必要がなく、かかる部材の役割を第３部材に兼用させることができる。これにより、部品点数を削減して、製品コストの低減を図ることができる。
【０６９９】
遊技機Ｂ１１において、前記第３部材は、開放位置に変位されると、前記第１枠部材または第２枠部材の一方から外方へ突出されることを特徴とする遊技機Ｂ１２。
【０７００】
遊技機Ｂ１２によれば、遊技機Ｂ１１の奏する効果に加え、第３部材は、開放位置に変位されると、第１枠部材または第２枠部材の一方から外方へ突出されるので、第３部材を作業者に認識させやすくできる。即ち、第３部材がと第１枠部材または第２枠部材の一方から外方へ突出されていることで、第３部材を所定位置へ戻し忘れた状態で、第１枠部材に対して第２枠部材が閉じられることを抑制できる。
【０７０１】
＜打出規制部材８７１０を一例とする発明の概念について＞
所定位置から少なくとも変位可能に形成される所定位置配設部材を備え、その所定位置配設部材が少なくとも変位されると、前記所定位置において所定の作業が可能となる遊技機において、前記所定位置配設部材が前記所定位置に配置されていない場合には遊技を行えない状態が形成されることを特徴とする遊技機Ｃ１。
【０７０２】
ここで、所定位置から少なくとも変位可能（又は取り外し可能）に形成される所定位置配設部材（デコレーションパネル２５）を備えた遊技機が知られている（特開２００１−１０４５４６号）。
【０７０３】
この遊技機によれば、所定位置配設部材が所定位置から少なくとも変位される（又は、取り外される）ことで、作業者による所定の操作（例えば、点検や調整、部品の交換など）が可能とされる。一方、所定位置配設部材を所定位置に戻すことで、作業者や遊技者によって所定の操作が行われることを規制できる。
【０７０４】
しかしながら、上述した従来の遊技機では、所定位置配設部材を所定位置に戻し忘れるおそれがある。所定位置配設部材を所定位置に戻し忘れると、その所定位置配設部材が本来配置されるべき部分が開放されるため、これに起因して、不正行為を伴った遊技が行われるおそれがあるという問題点があった。
【０７０５】
これに対し、遊技機Ｃ１によれば、所定位置配設部材が所定位置に配置されていない場合には遊技が行えない状態が形成されるので、不正行為を伴った遊技が行われることを抑制できる。
【０７０６】
なお、遊技機が行えない状態とは、例えば、パチンコ機１であれば、少なくとも遊技球が遊技領域へ流入されない状態を意味する。よって、遊技球を発射可能な状態であっても、その発射された遊技球が遊技領域に流入されない状態であれば、遊技が行われない状態に該当する。また、例えば、スロットマシンであれば、コインが投入できない状態、或いは、コインの投入の可否に関わらず、操作レバーの操作が不能とされる状態を意味する。
【０７０７】
遊技機Ｃ１において、前記遊技不能化手段は、遊技領域へ遊技球が流入されることを規制することで、遊技が行われることを不能とすることを特徴とする遊技機Ｃ２。
【０７０８】
遊技機Ｃ２によれば、遊技機Ｃ１の奏する効果に加え、遊技不能化手段は、遊技領域へ遊技球が流入されることを規制することで、遊技が行われることを不能とするので、遊技球が遊技領域の入球口に入球することを回避して、不正行為を伴った遊技が行われることを抑制できる。また、不正行為に関与しない遊技者が意図せず遊技を行う場合に、遊技を行うことが不能であることを認識させやすくすることができる。
【０７０９】
遊技機Ｃ２において、遊技者の操作に伴って遊技球を発射する発射手段と、その発射手段により発射された遊技球を前記遊技領域まで誘導する誘導路とを備え、前記遊技不能化手段は、前記所定位置配設部材が前記所定位置に配置されていない場合に、前記誘導路を遊技球が通過することを規制することで、遊技が行われることを不能とすることを特徴とする遊技機Ｃ３。
【０７１０】
遊技機Ｃ３によれば、遊技機Ｃ２の奏する効果に加え、遊技不能化手段は、所定位置配設部材が所定位置に配置されていない場合に、誘導路を遊技球が通過することを規制することで、遊技が行われることを不能とするので、発射された遊技球を発射装置または下皿へ返球することができる。即ち、不正行為に関与しない遊技者が意図せず遊技を行う場合に、遊技を行うことが不能であることを認識させやすくすることができると共に、かかる遊技者に不利益を与えることを回避できる。
【０７１１】
遊技機Ｃ３において、前記遊技不能化手段は、前記所定位置配設部材が前記所定位置に配置されていない場合に前記誘導路に視認可能に突出される突出部材を備え、前記誘導路に突出された突出部材が、前記誘導路における遊技球の通過を規制することで、遊技が行われることを不能とすることを特徴とする遊技機Ｃ４。
【０７１２】
遊技機Ｃ４によれば、遊技機Ｃ３の奏する効果に加え、遊技不能化手段は、所定位置配設部材が所定位置に配置されていない場合に誘導路に視認可能に突出される突出部材を備え、かかる誘導路に突出された突出部材によって、誘導路における遊技球の通過を規制するので、遊技を行うことが不能であることを遊技者に認識させやすくすることができる。
【０７１３】
なお、突出部材は、戻り球防止部材（遊技領域へ放出された遊技球が誘導路へ戻ることを防止するために誘導路の終端に配設される部材）の近傍（遊技球の直径の１０倍以下の距離）に配設されることが好ましい。これにより、発射手段から発射された遊技球の行方を目視する遊技者に、突出部材の存在を認識させやすくすることができる。
【０７１４】
遊技機Ｃ４において、前記誘導路は、円弧状に湾曲して形成され、前記突出部材は、前記円弧状に湾曲した前記誘導路の湾曲内側に配設されると共に前記誘導路の湾曲外側には前記突出部材の非形成領域が形成されることを特徴とする遊技機Ｃ５。
【０７１５】
遊技機Ｃ５によれば、遊技機Ｃ４の奏する効果に加え、誘導路は、円弧状に湾曲して形成され、突出部材は、円弧状に湾曲した誘導路の湾曲内側に配設されると共に誘導路の湾曲外側には突出部材の非形成領域が形成されるので、誘導路に誘導される遊技球を遠心力により湾曲外側、即ち、突出部材の非形成領域を通過させることができる。よって、遊技球が飛び跳ねることを抑制できる。
【０７１６】
即ち、突出部材が後退されている状態（突出されていない状態）であっても、部品の組立公差や寸法公差に起因して、誘導路と突出部材との間には段差が形成される。そのため、誘導路に誘導される遊技球が段差を通過すると、飛び跳ねるおそれがある。この場合、遊技球の遊技領域への安定した流入が阻害されるだけでなく、飛び跳ねた遊技球がガラス枠のガラスに衝突して破損させるおそれがある。これに対し、突出部材の非形成領域を通過させることができれば、段差による影響を抑制して、遊技球が飛び跳ねることを抑制できる。
【０７１７】
遊技機Ｃ１において、遊技球を発射するために遊技者に操作される操作ハンドルを備え、前記遊技不能化手段は、前記所定位置配設部材が前記所定位置に配置されていない場合に、前記操作ハンドルの操作を規制することで、遊技が行われることを不能とすることを特徴とする遊技機Ｃ６。
【０７１８】
遊技機Ｃ６によれば、遊技機Ｃ１の奏する効果に加え、遊技不能化手段は、所定位置配設部材が所定位置に配置されていない場合に、操作ハンドルの操作を規制することで、遊技が行われることを不能とするので、遊技球が遊技領域の入球口に入球することを回避して、不正行為を伴った遊技が行われることを抑制できる。また、不正行為に関与しない遊技者が意図せず遊技を行う場合に、遊技を行うことが不能であることを認識させやすくすることができる。
【０７１９】
遊技機Ｃ４において、第１枠部材と、その第１枠部材に開閉可能に取着される第２枠部材とを備え、前記所定位置配設部材は、前記第１枠部材または第２枠部材の一方における前記所定位置に配設され、前記第１枠部材に対して第２枠部材が開放されることで、前記所定位置配設部材が所定位置から少なくとも変位することが許容され、前記遊技不能化手段は、前記所定位置配設部材が所定位置に配置されていない場合に、前記第１枠部材に対して第２枠部材が閉じられる際の作用によって、前記突出部材の突出が行われることを特徴とする遊技機Ｃ７。
【０７２０】
遊技機Ｃ６において、第１枠部材と、その第１枠部材に開閉可能に取着される第２枠部材とを備え、前記所定位置配設部材は、前記第１枠部材または第２枠部材の一方における前記所定位置に配設され、前記第１枠部材に対して第２枠部材が開放されることで、前記所定位置配設部材が所定位置から少なくとも変位することが許容され、前記遊技不能化手段は、前記所定位置配設部材が所定位置に配置されていない場合に、前記第１枠部材に対して第２枠部材が閉じられる際の作用によって、前記操作ハンドルの操作の規制が行われることを特徴とする遊技機Ｃ８。
【０７２１】
遊技機Ｃ７又はＣ８によれば、遊技機Ｃ５又はＣ６の奏する効果に加え、突出部材の突出または操作ハンドルの操作の規制が、第１枠部材に対して第２枠部材が閉じられる際の作用によって行われるので、かかる突出部材の突出または操作ハンドルの操作の規制のための駆動源を別途設けることを不要として、その分、製品コストを削減できる。
【０７２２】
また、所定位置配設部材を所定位置から少なくとも変位させるためには、第１枠部材に対して第２枠部材を開放させることが必要とされるので、所定位置配設部材を所定位置から少なくとも変位させた場合には、第１枠部材に対して第２枠部材を閉じる動作が必ず行われるようにすることができる。よって、所定位置配設部材を所定位置に戻し忘れて、第１枠部材に対して第２枠部材を閉じた場合に、遊技が行われることを不能とする状態を確実に形成できる。
【０７２３】
＜ハンドル突出部材９７２０を一例とする発明の概念について＞
第１枠部材と、その第１枠部材に開閉可能に取着される第２枠部材と、前記第１枠部材または第２枠部材の一方の所定位置に配設される第３部材と、を備え、前記第３部材が前記所定位置から少なくとも変位可能に形成された遊技機において、前記第１枠部材に対して第２枠部材が開放されることで、前記第３部材が前記所定位置から少なくとも変位することが許容されると共に、前記第３部材が前記所定位置に配置されていない状態で前記第１枠部材に対して第２枠部材が閉じられると、所定の報知が行われることを特徴とする遊技機Ｄ１。
【０７２４】
ここで、第１枠と、その第１枠に開閉可能に取着される第２枠と、第１枠または第２枠の一方に配設される第３部材（デコレーションパネル２５）とを備え、その第３部材が所定位置から少なくとも変位可能に形成された遊技機が知られている（特開２００１−１０４５４６号）。
【０７２５】
この遊技機によれば、第３部材が所定位置から少なくとも変位される（又は、取り外される）ことで、作業者による所定の操作（例えば、点検や調整、部品の交換など）が可能とされる。一方、第３部材を所定位置に戻すことで、作業者や遊技者によって所定の操作が行われることを規制できる。
【０７２６】
しかしながら、上述した従来の遊技機では、第３部材を所定位置に戻し忘れるおそれがあるという問題点があった。第３部材を所定位置に戻し忘れると、第３部材が配置されるべき部分が開放されるので、その開放された部分を利用して不正が行われるおそれがある。
【０７２７】
これに対し、遊技機Ｄ１によれば、第１枠部材に対して第２枠部材が開放されることで、第３部材が所定位置から少なくとも変位することが許容されると共に、第３部材が所定位置に配置されていない状態で第１枠部材に対して第２枠部材が閉じられると、所定の報知が行われるので、その所定の報知に基づいて、作業者に第３部材の所定位置への戻し忘れを認識させることができる。その結果、第３部材の所定位置への戻し忘れを抑制することができる。
【０７２８】
即ち、遊技機Ｄ１によれば、第３部材を所定位置から少なくとも変位させるためには、第１枠部材に対して第２枠部材を開放させることが必要とされるので、第３部材を所定位置から少なくとも変位させた場合には、第１枠部材に対して第２枠部材を閉じる動作を必須の作業として作業者に必ず行わせることができる。よって、第２枠部材を閉じるという作業者が必ず行う手順の一つにおいて、所定の報知が行われることで、第３部材の所定位置への戻し忘れを作業者に認識させやすくすることができる。
【０７２９】
遊技機Ｄ１において、前記所定の報知は、所定の部材を前記第１枠部材または第２枠部材から外方へ向けて突出させることで行われることを特徴とする遊技機Ｄ２。
【０７３０】
遊技機Ｄ２によれば、遊技機Ｄ１の奏する効果に加え、所定の報知は、所定の部材を第１枠部材または第２枠部材の一方から外方へ向けて突出させることで行われるので、その所定の部材の突出に関連させて、作業者に第３部材の所定位置への戻し忘れを認識させることができる。
【０７３１】
遊技機Ｄ２において、前記所定の部材の前記第２枠部材からの突出は、少なくとも前記第１枠部材に対して第２枠部材を閉じる動作中に開始されることを特徴とする遊技機Ｄ３。
【０７３２】
遊技機Ｄ３によれば、遊技機Ｄ２の奏する効果に加え、所定の部材の第２枠部材からの突出は、少なくとも第１枠部材に対して第２枠部材を閉じる動作中に開始されるので、その所定の部材の突出を作業者に認識させやすくすることができる。例えば、第１枠部材に対して第２枠部材を閉じた後に、所定の部材が第２枠部材から突出される場合には、既にその際には、作業者の意識が次の作業に向いているため、所定の部材が第２枠部材から突出されたことが認識され難い。これに対し、閉じる動作中であれば、作業者の意識が第２枠部材に向いている可能性が高いため、少なくとも所定の部材の突出が開始されたことを作業者に認識させやすくできる。
【０７３３】
遊技機Ｄ２又はＤ３において、前記所定の部材は、前記第２枠部材の前面に配設され、下方側を支点として上方側を前方へ傾倒させることで、前記第２枠部材から突出されることを特徴とする遊技機Ｄ４。
【０７３４】
遊技機Ｄ４によれば、遊技機Ｄ２又はＤ３の奏する効果に加え、所定の部材は、第２枠部材の前面に配設され、下方側を支点として上方側を前方へ傾倒させることで、第２枠部材から突出されるので、かかる所定の部材の第２枠部材の前面からの突出を、第２枠部材を閉じる作業者に認識させやすくすることができる。
【０７３５】
遊技機Ｄ４において、前記第２枠部材は、前記第１枠部材に対して幅方向一側が開閉可能に軸支され、前記所定の部材は、前記第２枠部材の幅方向他側に配設されることを特徴とする遊技機Ｄ５。
【０７３６】
遊技機Ｄ４によれば、遊技機Ｄ３の奏する効果に加え、第２枠部材は、第１枠部材に対して幅方向一側が開閉可能に軸支され、所定の部材は、第２枠部材の幅方向他側に配設されるので、第１枠部材に対して第２枠部材を閉じる動作を作業者が行う際に、その作業者に所定の部材を接触させやすくすることができる。即ち、第２枠部材を閉じる場合、作業者は、第１枠部材に軸支される側と反対となる第２枠部材の幅方向他側を操作する（手で押し込む）ところ、かかる幅方向他側に所定の部材が配設されることで、前方へ傾倒して第２枠部材の前面に突出される所定の部材を作業者に接触させやすくできる。その結果、第３部材の所定位置への戻し忘れを作業者に認識させやすくすることができる。
【０７３７】
遊技機Ｄ３において、前記第２枠部材は、前記第１枠部材に対して幅方向一側が開閉可能に軸支され、前記所定の部材は、前記第２枠部材の幅方向他側に配設されることを特徴とする遊技機Ｄ６。
【０７３８】
遊技機Ｄ６によれば、遊技機Ｄ３の奏する効果に加え、第２枠部材は、第１枠部材に対して幅方向一側が開閉可能に軸支され、所定の部材は、第２枠部材の幅方向他側に配設されるので、第１枠部材に対して第２枠部材を閉じる動作を作業者が行う際に、その作業者に所定の部材が突出されていることを認識させやすくすることができる。即ち、第２枠部材を閉じる場合、作業者は、第１枠部材に軸支される側と反対となる第２枠部材の幅方向他側を操作する（手で押し込む）ところ、かかる幅方向他側に所定の部材が配設されることで、操作する作業者の手に所定の部材の突出先端を押し当てやすくすることができる。その結果、第３部材の所定位置への戻し忘れを作業者に認識させやすくすることができる。
【０７３９】
なお、所定の部材は、遊技球の発射の強度を調整するための操作ハンドルから突出されるようにしても良い。第１枠部材に対して第２枠部材を閉じる動作を行う場合、作業者が操作ハンドルを操作する（手で押し込む）ことが多いため、かかる作業者の手に所定の部材の突出先端を押し当てやすくすることができる。
【０７４０】
遊技機Ｄ２又はＤ３において、遊技球を発射するために遊技者に操作される操作ハンドルを備え、前記所定の部材は、操作ハンドルから突出されることを特徴とする遊技機Ｄ７。
【０７４１】
遊技機Ｄ７によれば、遊技機Ｄ２又はＤ３の奏する効果に加え、所定の部材は、操作ハンドルから突出されるので、かかる所定の部材の操作ハンドルからの突出を遊技者に認識させやすくすることができる。
【０７４２】
遊技機Ｄ７において、前記所定の部材は、操作ハンドルの正面から突出されることを特徴とする遊技機Ｄ８。
【０７４３】
遊技機Ｄ８によれば、遊技機Ｄ７の奏する効果に加え、所定の部材は、操作ハンドルの正面から突出されるので、かかる操作ハンドルを遊技者が操作することを所定の部材により阻害することができる。その結果、操作ハンドルからの突出を遊技者に認識させやすくすることができる。
【０７４４】
遊技機Ｄ２からＤ８において、前記第３部材が前記所定位置に配置されることで、前記第２枠部材から突出された前記所定の部材が、突出前の状態に復帰可能とされることを特徴とする遊技機Ｄ９。
【０７４５】
遊技機Ｄ９によれば、遊技機Ｄ２からＤ８のいずれかにおいて、第３部材が所定位置に配置されることで、第２枠部材から突出された所定の部材が、突出前の状態に復帰可能とされる、即ち、第３部材を所定位置へ戻さないと、所定の部材が第２枠部材から突出された状態が維持されるので、第３部材の所定位置への戻し忘れを抑制できる。
【０７４６】
遊技機Ｄ２からＤ９のいずれかにおいて、前記第１枠部材に対して第２枠部材を閉じる動作が直接的または間接的に作用されることで、前記所定の部材が前記第２枠部材から突出されることを特徴とする遊技機Ｄ１０。
【０７４７】
遊技機Ｄ１０によれば、遊技機Ｄ２からＤ９のいずれかの奏する効果に加え、第１枠部材に対して第２枠部材を閉じる動作が直接的または間接的に作用されることで、所定の部材が第２枠部材から突出されるので、かかる所定の部材を突出させるための駆動源を別途設けることを不要として、その分、製品コストを削減できる。
【０７４８】
また、第３部材を所定位置から少なくとも変位させるためには、第１枠部材に対して第２枠部材を開放させることが必要とされるので、第３部材を所定位置から少なくとも変位させた場合には、第１枠部材に対して第２枠部材を閉じる動作が必ず行われるようにすることができる。よって、第３部材を所定位置に戻し忘れて、第１枠部材に対して第２枠部材を閉じた場合には、所定の部材が第２枠部材から突出された状態を確実に形成できる。
【０７４９】
遊技機Ｄ１において、前記第２枠部材に配設されると共に情報を表示するパネル部材を備え、前記所定の報知は、前記パネル部材を変位させることで行われることを特徴とする遊技機Ｄ１１。
【０７５０】
遊技機Ｄ１１によれば、遊技機Ｄ１の奏する効果に加え、所定の報知は、パネル部材を変位させることで行われるので、そのパネル部材の変位に関連させて、作業者に第３部材の戻し忘れを認識させることができる。
【０７５１】
特に、パネル部材の変位であれば、遊技者の遊技が阻害される（遊技し難くなる）ことを抑制できる。よって、遊技者の興趣が損なわれることを抑制できる。
【０７５２】
なお、パネル部材に表示される情報としては、例えば、遊技機の機種、スペック、キャラクターの画像などが例示される。即ち、表示の形態は、文字に限定されず、写真や絵、グラフなど任意とされる。
【０７５３】
遊技機Ｄ１１において、前記所定の報知は、前記パネル部材を変位させることで、前記パネル部材の少なくとも一部が視認不能な状態を形成することを特徴とする遊技Ｄ１２。
【０７５４】
遊技機Ｄ１２によれば、遊技機Ｄ１１の奏する効果に加え、所定の報知は、パネル部材を変位させることで、パネル部材の少なくとも一部が視認不能な状態を形成するので、パネル部材が変位される前の状態との差を大きくして、パネル部材が変位されていることを作業者に認識させやすくできる。その結果、作業者に第３部材の戻し忘れをより確実に認識させることができる。
【０７５５】
遊技機Ｄ１２において、第４部材を備え、前記所定の報知は、前記パネル部材の少なくとも一部を前記第４部材の背面側へ変位させることで、前記パネル部材の少なくとも一部が視認不能な状態を形成することを特徴とする遊技機Ｄ１３。
【０７５６】
遊技機Ｄ１３によれば、遊技機Ｄ１２の奏する効果に加え、所定の報知は、パネル部材の少なくとも一部を第４部材の背面側へ変位させることで、第４部材による遮蔽を利用して、パネル部材の少なくとも一部が視認不能な状態を確実に形成できる。よって、パネル部材が変位されていることを作業者に認識させやすくでき、作業者に第３部材の戻し忘れをより確実に認識させることができる。
【０７５７】
遊技機Ｄ１２において、前記パネル部材は変形可能に形成され、前記所定の報知は、前記パネル部材の変位に伴い前記パネル部材を変形させることで、前記パネル部材の少なくとも一部が視認不能な状態を形成することを特徴とする遊技機Ｄ１４。
【０７５８】
遊技機Ｄ１４によれば、遊技機Ｄ１２の奏する効果に加え、所定の報知は、パネル部材の変位に伴いパネル部材を変形させることで、パネル部材の少なくとも一部が視認不能な状態を形成するので、パネル部材が変位されていることを作業者に認識させやすくできることに加え、パネル部材を変位させるために必要なスペース（変位されたパネル部材を受け入れるために必要なスペース）を抑制できる。よって、その分、他の部材の配設スペースを確保できる。
【０７５９】
なお、パネル部材の変形の態様としては、例えば、パネル部材を可撓性材料から形成し、他の部材に押し当てられたパネル部材を撓ませる（例えば、湾曲または屈曲させる）態様、パネル部材を蛇腹状（山折りと谷折りとが繰り返された形状）に形成し、他の部材に押し当てられたパネル部材を折りたたませる態様、パネル部材を複数の分割体に分割すると共にそれら各分割体どうしを変位可能に連結し、他の部材に押し当てられたパネル部材の分割体どうしを相対変位させる態様などが例示される。
【０７６０】
遊技機Ｄ１２において、前記所定の報知は、前記パネル部材を前記第２枠部材から外方へ向けて突出させることで行われることを特徴とする遊技機Ｄ１５。
【０７６１】
遊技機Ｄ１５によれば、遊技機Ｄ１２の奏する効果に加え、所定の報知は、パネル部材を第２枠部材から外方へ向けて突出させることで行われるので、パネル部材が変位されていることを作業者に認識させやすくでき、作業者に第３部材の戻し忘れをより確実に認識させることができる。
【０７６２】
遊技機Ｄ１１からＤ１５のいずれかにおいて、前記所定の報知が行われた状態から前記第１枠部材に対して前記第２枠部材が開放された後、前記第１枠部材に対して前記第２枠部材が閉じられると、前記第３部材が前記所定位置に配置されることを特徴とする遊技機Ｄ１６。
【０７６３】
遊技機Ｄ１６によれば、遊技機Ｄ１１からＤ１５のいずれかの奏する効果に加え、所定の報知が行われた状態から第１枠部材に対して第２枠部材が開放された後、第１枠部材に対して第２枠部材が閉じられると、第３部材が前記所定位置に配置されるので、作業者の作業負担を軽減できる。
【０７６４】
即ち、所定の報知が行われたということは、第３部材が所定位置に配置されていない状態で第１枠部材に対して第２枠部材が閉じられており、この場合には、第１枠部材に対して第２枠部材を開放して、第３部材を所定位置へ配置した後、第１枠部材に対して第２枠部材を閉じるという三工程が必要となるところ、本発明によれば、第３部材を所定位置へ配置する工程を作業者が行うことを省略でき、作業者は、第１枠部材に対して第２枠部材を開放して閉じるという二工程のみを行えば良い。よって、その分、作業者の作業負担を軽減できる。
【０７６５】
また、所定の報知（パネル部材の変位）を認識した作業者が、第１枠部材に対して第２枠部材を開放したが、例えば、作業者が第３部材の存在を知らず、異常の原因を把握できなかった場合でも、その後、第１枠部材に対して第２枠部材が閉じられることで、第３部材を所定位置へ配置することができる。即ち、作業者が意識的に作業しなくても、第３部材を所定位置へ復帰させることができる。
【０７６６】
遊技機Ｄ１６において、前記所定の報知が行われた状態から前記第１枠部材に対して前記第２枠部材が開放された後、前記第１枠部材に対して前記第２枠部材が閉じられると、前記第３部材が前記所定位置に配置されると共に、前記パネル部材が前記所定の報知が行われる前の配置に変位されることを特徴とする遊技機Ｄ１７。
【０７６７】
遊技機Ｄ１７によれば、遊技機Ｄ１６の奏する効果に加え、所定の報知が行われた状態から第１枠部材に対して第２枠部材が開放された後、第１枠部材に対して第２枠部材が閉じられると、第３部材が所定位置に配置（復帰）されるだけでなく、パネル部材も所定の報知が行われる前の配置に変位されるので、その分、作業者の作業負担を軽減できる。また、作業者が意識的に作業しなくても、パネル部材を初期位置（所定の報知が行われる前の配置）へ復帰させることができる。
【０７６８】
遊技機Ｄ１１からＤ１７のいずれかにおいて、前記第１枠部材に対して第２枠部材を閉じる動作が直接的または間接的に作用されることで、前記パネル部材が変位されることを特徴とする遊技機Ｄ１８。
【０７６９】
遊技機Ｄ１８によれば、遊技機Ｄ１１からＤ１７のいずれかの奏する効果に加え、第１枠部材に対して第２枠部材を閉じる動作が直接的または間接的に作用されることで、パネル部材が変位されるので、かかるパネル部材を変位させるための駆動源を別途設けることを不要として、その分、製品コストを削減できる。
【０７７０】
また、第３部材を所定位置から少なくとも変位させるためには、第１枠部材に対して第２枠部材を開放させることが必要とされるので、第３部材を所定位置から少なくとも変位させた場合には、第１枠部材に対して第２枠部材を閉じる動作が必ず行われるようにすることができる。よって、第３部材を所定位置に戻し忘れて、第１枠部材に対して第２枠部材を閉じた場合には、パネル部材が変位された状態を確実に形成できる。
【０７７１】
遊技機Ａ１からＡ１１，Ｂ１からＢ１２，Ｃ１からＣ８及びＤ１からＤ１８のいずれかにおいて、前記遊技機はスロットマシンであることを特徴とする遊技機Ｋ１。中でも、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（ストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技媒体はコイン、メダル等が代表例として挙げられる。
【０７７２】
遊技機Ａ１からＡ１１，Ｂ１からＢ１２，Ｃ１からＣ８及びＤ１からＤ１８のいずれかにおいて、前記遊技機はパチンコ遊技機であることを特徴とする遊技機Ｋ２。中でも、パチンコ遊技機の基本構成としては操作ハンドルを備え、その操作ハンドルの操作に応じて球を所定の遊技領域へ発射し、球が遊技領域内の所定の位置に配設された作動口に入賞（又は作動口を通過）することを必要条件として、表示手段において動的表示されている識別情報が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードへ書き込まれるデータ等も含む）が付与されるものが挙げられる。
【０７７３】
遊技機Ａ１からＡ１１，Ｂ１からＢ１２，Ｃ１からＣ８及びＤ１からＤ１８のいずれかにおいて、前記遊技機はパチンコ遊技機とスロットマシンとを融合させたものであることを特徴とする遊技機Ｋ３。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
＜その他＞
パチンコ機等の遊技機において、第１枠と、その第１枠に開閉可能に取着される第２枠と、第１枠または第２枠の一方に配設される第３部材とを備え、その第３部材が所定位置から少なくとも変位可能に形成された遊技機がある（特許文献１：特開２００９−１００９９４号公報）。
しかしながら、上述した従来の遊技機では、第３部材を所定位置に戻し忘れるという問題点があった。
本技術的思想は、上記例示した問題点を解決するためになされたものであり、第３部材の所定位置への戻し忘れを抑制することができる遊技機を提供することを目的とする。
＜手段＞
この目的を達成するために技術的思想１の遊技機は、第１枠部材と、その第１枠部材に開閉可能に取着される第２枠部材と、前記第１枠部材または第２枠部材の一方の所定位置に配設される第３部材と、を備え、前記第３部材が前記所定位置から少なくとも変位可能に形成されたものであり、前記第１枠部材に対して第２枠部材が開放された状態で少なくとも第１位置または第２位置に操作可能に形成される操作部材を備え、前記操作部材が前記第１位置から第２位置へ操作されることで、前記第３部材が前記所定位置から少なくとも変位することが許容され、前記第３部材が前記所定位置に配置されることで、前記操作部材の前記第２位置から第１位置への操作が可能とされ、前記操作部材が少なくとも前記第１位置に操作されていない状態では、前記第１枠部材に対して第２枠部材を閉じることが規制される。
技術的思想２の遊技機は、技術的思想１記載の遊技機において、前記操作部材が前記第２位置に操作された状態では、その操作部材が前記第１枠部材および第２枠部材の間に介在されることで、前記第１枠部材に対して第２枠部材を閉じることが規制される。
技術的思想３の遊技機は、技術的思想２記載の遊技機において、前記第１枠部材または第２枠部材の一方に変位可能に配設される変位部材と、その変位部材に付勢力を付与する付勢部材と、を備え、前記操作部材が前記第１位置から第２位置へ操作されると、その操作部材の前記第２位置から第１位置への移動を規制する位置へ前記変位部材が前記付勢部材の付勢力により変位される。
＜効果＞
技術的思想１記載の遊技機によれば、第３部材を所定位置に戻し忘れることを抑制できる。
技術的思想２記載の遊技機によれば、技術的思想１記載の遊技機の奏する効果に加え、製品コストの削減を図ることができる。
技術的思想３記載の遊技機によれば、技術的思想２記載の遊技機の奏する効果に加え、操作部材が第２位置から第１位置へ移動することを確実に抑制できる。
【符号の説明】
【０７７４】
１                            パチンコ機（遊技機）
８００２                      外枠（第１枠）
８００３，１１００３，１２００３，１３００３，１４００３    遊技機主部（第２枠）
４，９００４                  内枠（第１部材）
５                            前扉（第２部材）
９００５，１０００５，１１００５，１２００５，１３００５，１４００５    前扉（第２部材）
１６６ａ〜１６６ｃ            鉤部材（施錠装置）
２７                          鉤受け部材（施錠装置）
３２                          遊技球発射機構（発射手段）
４２                          誘導レール（誘導路）
５１                          操作ハンドル
７５１１ｆ                    挿入片（変形付与部）
５２０                        パネル部材（対象部材、所定位置配設部材）
４５２０                      パネル部材（第３部材、対象部材、所定位置配設部材）
４５３０                      天板（第３部材、所定位置配設部材）
５４０，３５４０              介設板（第３部材、所定位置配設部材）
６５４０                      スライド板（第３部材、所定位置配設部材）
５６０，２５６０，３５６０，７５６０，８５６０，９５６０，１３５６０  ロック部材（操作部材）
５６２ｂ                      軸部（回転軸）
５７０，３５７０              レバー部材（変位部材）
３５８０                      ワンウェイクラッチ（禁止手段）
８７１０                      打出規制部材（遊技不能化手段）
８７１３                      突出部材
９７２０                      ハンドル突出部材（遊技不能化手段）
９７２４                      突出部材（所定の部材）
１０７４０                    装飾部材（所定の部材）
ＳＰ１                        ねじりばね（付勢部材）
ＳＰ２                        圧縮ばね（付勢部材）
ＳＰ３                        圧縮ばね（付勢部材）
ＰＥ                          遊技領域